(57)【要約】基地局分散ユニットは、第１の基地局中央ユニットから第１のメッセージを受信する。第１のメッセージは、第１の基地局中央ユニットを含む第１のパブリックランドモバイルネットワーク（ＰＬＭＮ）の第１のＰＬＭＮ識別子を含む。基地局分散ユニットは、第２の基地局中央ユニットから第２のメッセージを受信する。第２のメッセージは、第２のＰＬＭＮの第２のＰＬＭＮ識別子を含む。それは、第２の基地局中央ユニットを含む。基地局分散ユニットは、少なくとも１つのシステム情報ブロックを伝送する。少なくとも１つのシステム情報ブロックは、第１のＰＬＭＮ識別子および第２のＰＬＭＮ識別子を含む。【選択図】図１９
2021527976.tif 000002
【特許請求の範囲】
【請求項１】
基地局分散ユニットによって、第１の基地局中央ユニットから、前記第１の基地局中央ユニットを含む第１のパブリックランドモバイルネットワーク（ＰＬＭＮ）の第１のＰＬＭＮ識別子を含む第１のメッセージを受信することと、
前記基地局分散ユニットによって、第２の基地局中央ユニットから、前記第２の基地局中央ユニットを含む第２のＰＬＭＮの第２のＰＬＭＮ識別子を含む第２のメッセージを受信することと、
前記基地局分散ユニットによって、前記第１のＰＬＭＮ識別子および前記第２のＰＬＭＮ識別子を含む少なくとも１つのシステム情報ブロックを伝送することと、を含む、方法。
【請求項２】
前記基地局分散ユニットによって、無線デバイスから、前記少なくとも１つのシステム情報ブロックに基づく無線リソース制御メッセージを受信することと、
前記基地局分散ユニットによって、前記無線リソース制御メッセージに基づいて、前記無線デバイスのための無線リソースを構成することと、をさらに含む、請求項１に記載の方法。
【請求項３】
前記無線デバイスは、前記第１のＰＬＭＮまたは前記第２のＰＬＭＮのうちの少なくとも１つに関連付けられている、請求項０に記載の方法。
【請求項４】
前記基地局分散ユニットによって、前記第１の基地局中央ユニットおよび前記第２の基地局中央ユニットのうちの少なくとも１つからパケットを受信することと、
前記基地局分散ユニットによって、前記第１のＰＬＭＮまたは前記第２のＰＬＭＮのうちの前記少なくとも１つに関連付けられた無線デバイスに、前記パケットを伝送することと、をさらに含む、請求項１に記載の方法。
【請求項５】
前記第１のメッセージおよび前記第２のメッセージは、
Ｆ１設定応答メッセージ、
基地局中央ユニット構成更新メッセージ、または
基地局分散ユニット構成更新肯定メッセージのうちの少なくとも１つを含む、請求項１に記載の方法。
【請求項６】
前記基地局分散ユニットによって、前記第１の基地局中央ユニットに、第１のＦ１設定要求メッセージを伝送することであって、前記第１のメッセージは、前記第１のＦ１設定要求メッセージに対する応答である、伝送すること、または
前記基地局分散ユニットによって、前記第２の基地局中央ユニットに、第２のＦ１設定要求メッセージを伝送することであって、前記第２のメッセージは、前記第２のＦ１設定要求メッセージに対する応答である、伝送することのうちの少なくとも１つをさらに含む、請求項１に記載の方法。
【請求項７】
前記少なくとも１つのシステム情報ブロックは、前記第１のＰＬＭＮまたは前記第２のＰＬＭＮのうちの少なくとも１つに対するセルパラメータを含み、前記セルパラメータは、
前記少なくとも１つのシステム情報ブロックが伝送されるセルのセル識別子、
前記セルのクローズド加入者グループ識別子、
前記セルの第１のセル識別子であって、前記第１のセル識別子は、前記第１のＰＬＭＮに関連付けられている、第１のセル識別子、
前記セルの第２のセル識別子であって、前記第２のセル識別子は、前記第２のＰＬＭＮに関連付けられている、第２のセル識別子、
前記セルの第１のクローズド加入者グループ識別子であって、前記第１のクローズド加入者グループ識別子は、前記第１のＰＬＭＮに関連付けられている、第１のクローズド加入者グループ識別子、
前記セルの第２のクローズド加入者グループ識別子であって、前記第２のクローズド加入者グループ識別子は、前記第２のＰＬＭＮに関連付けられている、第２のクローズド加入者グループ識別子、
前記第１の基地局中央ユニットの第１の基地局中央ユニット識別子、
前記第１の基地局中央ユニットの第２の基地局中央ユニット識別子、
前記第１の基地局中央ユニットに関連付けられた第１の基地局の第１の基地局識別子、または
前記第２の基地局中央ユニットに関連付けられた第２の基地局の第２の基地局識別子のうちの少なくとも１つを含む、請求項１に記載の方法。
【請求項８】
前記少なくとも１つのシステム情報ブロックを伝送することは、前記第１のＰＬＭＮおよび前記第２のＰＬＭＮに対して共有されるセルを介して、前記少なくとも１つのシステム情報ブロックを伝送することを含む、請求項１に記載の方法。
【請求項９】
前記少なくとも１つのシステム情報ブロックは、
前記第１のＰＬＭＮ識別子を含む第１のシステム情報ブロック、および
前記第２のＰＬＭＮ識別子を含む第２のシステム情報ブロックを含む、請求項１に記載の方法。
【請求項１０】
前記第１のシステム情報ブロックは、
セルの第１のセル識別子であって、前記第１のセル識別子は、前記第１のＰＬＭＮに関連付けられている、第１のセル識別子、
前記セルの第１のクローズド加入者グループ識別子であって、前記第１のクローズド加入者グループ識別子は、前記第１のＰＬＭＮに関連付けられている、第１のクローズド加入者グループ識別子、
前記第１の基地局中央ユニットの第１の基地局中央ユニット識別子、または
前記第１の基地局中央ユニットに関連付けられた第１の基地局の第１の基地局識別子のうちの少なくとも１つを含む、請求項１に記載の方法。
【請求項１１】
前記第１のシステム情報ブロックは、
セルの第２のセル識別子であって、前記第２のセル識別子は、前記第２のＰＬＭＮに関連付けられている、第２のセル識別子、
前記セルの第２のクローズド加入者グループ識別子であって、前記第２のクローズド加入者グループ識別子は、前記第２のＰＬＭＮに関連付けられている、第２のクローズド加入者グループ識別子、
前記第１の基地局中央ユニットの第２の基地局中央ユニット識別子、または
前記第２の基地局中央ユニットに関連付けられた第２の基地局の第２の基地局識別子のうちの少なくとも１つを含む、請求項１に記載の方法。
【請求項１２】
前記少なくとも１つのシステム情報ブロックは、
前記第１のＰＬＭＮ識別子を含む第１のシステム情報ブロックであって、前記第１のシステム情報ブロックは、前記第１のＰＬＭＮの第１のセルを介して伝送される、第１のシステム情報ブロック、または
前記第２のＰＬＭＮ識別子を含む第２のシステム情報ブロックであって、前記第２のシステム情報ブロックは、前記第２のＰＬＭＮの第２のセルを介して伝送される、第２のシステム情報ブロックのうちの少なくとも１つを含む、請求項１に記載の方法。
【請求項１３】
前記基地局分散ユニットによって、前記第１の基地局中央ユニットから、前記少なくとも１つのシステム情報ブロックを受信することをさらに含む、請求項１に記載の方法。
【請求項１４】
前記基地局分散ユニットによって、前記第１の基地局中央ユニットに、前記第２のＰＬＭＮ識別子を含む構成パラメータを伝送することをさらに含み、前記少なくとも１つのシステム情報ブロックは、前記構成パラメータに基づいている、請求項１に記載の方法。
【請求項１５】
前記基地局分散ユニットによって、前記第１のメッセージおよび前記第２のメッセージに基づいて、前記少なくとも１つのシステム情報ブロックを判定することをさらに含む、請求項１に記載の方法。
【請求項１６】
前記基地局分散ユニットによって、前記第１の基地局中央ユニットまたは前記第２の基地局中央ユニットのうちの少なくとも１つに、前記少なくとも１つのシステム情報ブロックを伝送することをさらに含む、請求項１に記載の方法。
【請求項１７】
前記少なくとも１つのシステム情報ブロックは、システム情報ブロック１を含む、請求項１に記載の方法。
【請求項１８】
基地局は、前記第１の基地局中央ユニット、前記第２の基地局中央ユニット、および前記基地局分散ユニットを含む、請求項１に記載の方法。
【請求項１９】
第１の基地局は、前記第１の基地局中央ユニットおよび前記基地局分散ユニットを含み、
第２の基地局は、前記第２の基地局中央ユニットおよび前記基地局分散ユニットを含む、請求項１に記載の方法。
【請求項２０】
前記基地局分散ユニットは、
前記第１のＰＬＭＮおよび前記第２のＰＬＭＮによって共有されるセル、
前記第１のＰＬＭＮの第１のセル、または
前記第２のＰＬＭＮの第２のセルのうちの少なくとも１つにサービスを提供する、請求項１に記載の方法。
【請求項２１】
前記基地局分散ユニットによって、第３の基地局中央ユニットから、前記第３の基地局中央ユニットを含む第３のＰＬＭＮの第３のＰＬＭＮ識別子を含む第３のメッセージを受信することをさらに含み、前記少なくとも１つのシステム情報ブロックは、前記第３のＰＬＭＮ識別子を含む、請求項１に記載の方法。
【請求項２２】
共有基地局分散ユニットによって、第１のパブリックランドモバイルネットワーク（ＰＬＭＮ）の第１の非共有基地局中央ユニットと、前記第１のＰＬＭＮに関連付けられた第１のパケットを通信することを含む、方法。
【請求項２３】
前記共有基地局分散ユニットは、前記第１のＰＬＭＮおよび第２のＰＬＭＮによって共有される、請求項２２に記載の方法。
【請求項２４】
第１のパブリックランドモバイルネットワーク（ＰＬＭＮ）の第１の非共有基地局中央ユニットによって、共有基地局分散ユニットと、前記第１のＰＬＭＮに関連付けられた第１のパケットを通信することを含む、方法。
【請求項２５】
前記共有基地局分散ユニットは、前記第１のＰＬＭＮおよび第２のＰＬＭＮによって共有される、請求項２４に記載の方法。
【請求項２６】
基地局分散ユニットによって、第１のパブリックランドモバイルネットワーク（ＰＬＭＮ）の第１の基地局中央ユニットと、前記第１のＰＬＭＮに関連付けられた第１のパケットを通信することを含み、
前記基地局分散ユニットは、第２のＰＬＭＮと通信し、
前記第１の基地局中央ユニットは、前記第２のＰＬＭＮと通信しない、方法。
【請求項２７】
前記基地局分散ユニットは、前記第１のＰＬＭＮおよび前記第２のＰＬＭＮによって共有される、請求項２６に記載の方法。
【請求項２８】
第１のパブリックランドモバイルネットワーク（ＰＬＭＮ）の第１の基地局中央ユニットによって、基地局分散ユニットと、前記第１のＰＬＭＮに関連付けられた第１のパケットを通信することを含み、
前記第１の基地局中央ユニットは、第２のＰＬＭＮと通信せず、
前記基地局分散ユニットは、前記第２のＰＬＭＮと通信する、方法。
【請求項２９】
前記基地局分散ユニットは、前記第１のＰＬＭＮおよび前記第２のＰＬＭＮによって共有される、請求項２８に記載の方法。
【請求項３０】
基地局分散ユニットによって、第１のパブリックランドモバイルネットワーク（ＰＬＭＮ）の第１の基地局中央ユニットと、前記第１のＰＬＭＮに関連付けられた第１のパケットを通信することと、
前記基地局分散ユニットによって、第２のＰＬＭＮの第２の基地局中央ユニットと、前記第２のＰＬＭＮに関連付けられた第２のパケットを通信することと、を含む、方法。
【請求項３１】
前記基地局分散ユニットによって、前記第１の基地局中央ユニットが前記第１のＰＬＭＮに関連付けられていることに基づいて、前記第１のパケットを通信するための前記第１の基地局中央ユニットを決定することと、
前記基地局分散ユニットによって、前記第２の基地局中央ユニットが前記第２のＰＬＭＮに関連付けられていることに基づいて、前記第２のパケットを通信するための前記第２の基地局中央ユニットを決定することと、をさらに含む、請求項３０に記載の方法。
【請求項３２】
前記第１のパケットを通信することは、
前記第１のパケットのうちの少なくとも１つを伝送すること、または
前記第１のパケットのうちの少なくとも１つを受信することのうちの少なくとも１つを含む、請求項３０に記載の方法。
【請求項３３】
基地局分散ユニットによって、第１のパブリックランドモバイルネットワーク（ＰＬＭＮ）の第１の基地局中央ユニットに、前記第１のＰＬＭＮに関連付けられた第１の無線デバイスから受信された第１のパケットを伝送することと、
前記基地局分散ユニットによって、第２のＰＬＭＮの第２の基地局中央ユニットに、前記第２のＰＬＭＮに関連付けられた第２の無線デバイスから受信された第２のパケットを伝送することと、を含む、方法。
【請求項３４】
前記第１のパケットが、制御プレーンパケットを含み、
前記第２のパケットが、制御プレーンパケットを含む、請求項３３に記載の方法。
【請求項３５】
前記第１のパケットが、ユーザプレーンパケットを含み、
前記第２のパケットが、ユーザプレーンパケットを含む、請求項３３に記載の方法。
【請求項３６】
基地局分散ユニットによって、
第１のパブリックランドモバイルネットワーク（ＰＬＭＮ）の第１のＰＬＭＮ識別子、および
第２のＰＬＭＮの第２のＰＬＭＮ識別子を含む少なくとも１つのシステム情報ブロックを伝送することと、
前記基地局分散ユニットによって、前記第１のＰＬＭＮの第１の基地局中央ユニットと、前記第１のＰＬＭＮに関連付けられた第１のパケットを通信することと、
前記基地局分散ユニットによって、前記第２のＰＬＭＮの第２の基地局中央ユニットと、前記第２のＰＬＭＮに関連付けられた第２のパケットを通信することと、を含む、方法。
【請求項３７】
基地局分散ユニットによって、
第１のパブリックランドモバイルネットワーク（ＰＬＭＮ）の第１のＰＬＭＮ識別子、および
第２のＰＬＭＮの第２のＰＬＭＮ識別子を含む少なくとも１つのシステム情報ブロックを伝送することと、
前記基地局分散ユニットによって、前記第１のＰＬＭＮの第１の基地局中央ユニットに、前記第１のＰＬＭＮに関連付けられた第１の無線デバイスから受信された第１のパケットを伝送することと、
前記基地局分散ユニットによって、前記第２のＰＬＭＮの第２の基地局中央ユニットに、前記第２のＰＬＭＮに関連付けられた第２の無線デバイスから受信された第２のパケットを伝送することと、を含む、方法。
【請求項３８】
基地局分散ユニットによって、第１のパブリックランドモバイルネットワーク（ＰＬＭＮ）の第１の基地局中央ユニットと通信することと、
前記基地局分散ユニットによって、第２のＰＬＭＮの第２の基地局中央ユニットと通信することと、
前記基地局分散ユニットによって、
第１のＰＬＭＮの第１のＰＬＭＮ識別子、および
第２のＰＬＭＮの第２のＰＬＭＮ識別子を含む少なくとも１つのシステム情報ブロックを伝送することと、を含む、方法。
【請求項３９】
基地局分散ユニットによって、第１の基地局中央ユニットから、前記第１の基地局中央ユニットを含む第１のパブリックランドモバイルネットワーク（ＰＬＭＮ）の第１のＰＬＭＮ識別子を含む第１のメッセージを受信することと、
前記基地局分散ユニットによって、第２の基地局中央ユニットから、前記第２の基地局中央ユニットを含む第２のＰＬＭＮの第２のＰＬＭＮ識別子を含む第２のメッセージを受信することと、
前記基地局分散ユニットによって、前記第１のＰＬＭＮおよび前記第２のＰＬＭＮのうちの少なくとも１つに関連付けられた無線デバイスに、前記第１の基地局中央ユニットおよび前記第２の基地局中央ユニットのうちの少なくとも１つから受信されたパケットを伝送することと、を含む、方法。
【請求項４０】
基地局分散ユニットによって、第１の基地局中央ユニットから、
前記第１の基地局中央ユニットに関連付けられた１つ以上の第１の構成パラメータ、および
第２の基地局中央ユニットに関連付けられた１つ以上の第２の構成パラメータを含む少なくとも１つのシステム情報ブロックを受信することと、
前記基地局分散ユニットによって、前記少なくとも１つのシステム情報ブロックを伝送することと、を含む、方法。
【請求項４１】
前記第１の基地局中央ユニットは、第１のパブリックランドモバイルネットワーク（ＰＬＭＮ）に関連付けられており、
前記第２の基地局中央ユニットは、第２のＰＬＭＮに関連付けられている、請求項４０に記載の方法。
【請求項４２】
前記１つ以上の第１の構成パラメータは、前記第１のパブリックランドモバイルネットワーク（ＰＬＭＮ）の第１のＰＬＭＮ識別子を含み、
前記１つ以上の第２の構成パラメータは、第２のＰＬＭＮの第２のＰＬＭＮ識別子を含む、請求項４０に記載の方法。
【請求項４３】
方法であって、
基地局分散ユニットによって、第２の基地局中央ユニットから、前記第２の基地局中央ユニットに関連付けられた１つ以上の第２の構成パラメータを受信することと、
前記基地局分散ユニットによって、第１の基地局中央ユニットに、前記１つ以上の第２の構成パラメータを伝送することと、
前記基地局分散ユニットによって、前記第１の基地局中央ユニットから、
前記第１の基地局中央ユニットに関連付けられた１つ以上の第１の構成パラメータ、および
前記１つ以上の第２の構成パラメータを含む少なくとも１つのシステム情報ブロックを受信することと、
前記基地局分散ユニットによって、前記少なくとも１つのシステム情報ブロックを伝送することと、を含む、方法。
【請求項４４】
第１の基地局中央ユニットによって、基地局分散ユニットから、第２の基地局中央ユニットに関連付けられた１つ以上の第２の構成パラメータを受信することと、
前記第１の基地局中央ユニットによって、前記基地局分散ユニットに、
前記第１の基地局中央ユニットに関連付けられた１つ以上の第１の構成パラメータ、および
前記１つ以上の第２の構成パラメータを含む少なくとも１つのシステム情報ブロックを送信することと、を含む、方法。
【請求項４５】
第１の基地局中央ユニットによって、第２の基地局中央ユニットから、前記第２の基地局中央ユニットに関連付けられた１つ以上の第２の構成パラメータを受信することと、
前記第１の基地局中央ユニットによって、基地局分散ユニットに、
前記第１の基地局中央ユニットに関連付けられた１つ以上の第１の構成パラメータ、および
前記１つ以上の第２の構成パラメータを含む少なくとも１つのシステム情報ブロックを送信することと、を含む、方法。
【請求項４６】
基地局分散ユニットによって、第１の基地局中央ユニットから、前記第１の基地局中央ユニットがサポートする第１のネットワークの第１のネットワーク識別子を含む第１のメッセージを受信することと、
第２の基地局中央ユニットから、前記第２の基地局中央ユニットがサポートする第２のネットワークの第２のネットワーク識別子を含む第２のメッセージを受信することと、
前記第１のネットワーク識別子、および
前記第２のネットワーク識別子を含む少なくとも１つのシステム情報ブロックを伝送することと、を含む、方法。
【請求項４７】
前記第１のネットワークまたは前記第２のネットワークは、
パブリックランドモバイルネットワーク（ＰＬＭＮ）、
モバイルネットワーク、
車車間・路車間通信システム、
高度道路交通システム（ＩＴＳ）、
モノのインターネット（ＩｏＴ）システム、または
衛星ネットワークのうちの少なくとも１つを含む、請求項４６に記載の方法。
【請求項４８】
基地局分散ユニットであって、
１つ以上のプロセッサと、
命令を記憶するメモリであって、前記命令は、前記１つ以上のプロセッサによって実行されると、前記基地局分散ユニットに、
第１の基地局中央ユニットから、前記第１の基地局中央ユニットを含む第１のパブリックランドモバイルネットワーク（ＰＬＭＮ）の第１のＰＬＭＮ識別子を含む第１のメッセージを受信することと、
第２の基地局中央ユニットから、前記第２の基地局中央ユニットを含む第２のＰＬＭＮの第２のＰＬＭＮ識別子を含む第２のメッセージを受信することと、
前記第１のＰＬＭＮ識別子および前記第２のＰＬＭＮ識別子を含む少なくとも１つのシステム情報ブロックを伝送することと、を行わせる、メモリと、を含む、基地局分散ユニット。
【請求項４９】
前記命令は、前記１つ以上のプロセッサによって実行されると、前記基地局分散ユニットに、
無線デバイスから、前記少なくとも１つのシステム情報ブロックに基づく無線リソース制御メッセージを受信することと、
前記無線リソース制御メッセージに基づいて、前記無線デバイスのための無線リソースを構成すること、をさらに行わせる、請求項４８に記載の基地局分散ユニット。
【請求項５０】
前記無線デバイスは、前記第１のＰＬＭＮまたは前記第２のＰＬＭＮのうちの少なくとも１つと関連付けられている、請求項４９に記載の基地局分散ユニット。
【請求項５１】
前記命令は、前記１つ以上のプロセッサによって実行されると、前記基地局分散ユニットに、
前記第１の基地局中央ユニットおよび前記第２の基地局中央ユニットのうちの少なくとも１つからパケットを受信することと、
前記第１のＰＬＭＮまたは前記第２のＰＬＭＮのうちの少なくとも１つに関連付けられた無線デバイスに、前記パケットを伝送することと、をさらに行わせる、請求項４８に記載の基地局分散ユニット。
【請求項５２】
前記第１のメッセージおよび前記第２のメッセージは、
Ｆ１設定応答メッセージ、
基地局中央ユニット構成更新メッセージ、または
基地局分散ユニット構成更新肯定メッセージのうちの少なくとも１つを含む、請求項４８に記載の基地局分散ユニット。
【請求項５３】
前記命令は、前記１つ以上のプロセッサによって実行されると、前記基地局分散ユニットに、
前記第１の基地局中央ユニットに、第１のＦ１設定要求メッセージを伝送することであって、前記第１のメッセージは、前記第１のＦ１設定要求メッセージに対する応答である、伝送すること、または
前記第２の基地局中央ユニットに、第２のＦ１設定要求メッセージを伝送することであって、前記第２のメッセージは、前記第２のＦ１設定要求メッセージに対する応答である、伝送することのうちの少なくとも１つをさらに行わせる、請求項４８に記載の基地局分散ユニット。
【請求項５４】
前記少なくとも１つのシステム情報ブロックは、前記第１のＰＬＭＮまたは前記第２のＰＬＭＮのうちの少なくとも１つに対するセルパラメータを含み、前記セルパラメータは、
前記少なくとも１つのシステム情報ブロックが伝送されるセルのセル識別子、
前記セルのクローズド加入者グループ識別子、
前記セルの第１のセル識別子であって、前記第１のセル識別子は、前記第１のＰＬＭＮに関連付けられている、第１のセル識別子、
前記セルの第２のセル識別子であって、前記第２のセル識別子は、前記第２のＰＬＭＮに関連付けられている、第２のセル識別子、
前記セルの第１のクローズド加入者グループ識別子であって、前記第１のクローズド加入者グループ識別子は、前記第１のＰＬＭＮに関連付けられている、第１のクローズド加入者グループ識別子、
前記セルの第２のクローズド加入者グループ識別子であって、前記第２のクローズド加入者グループ識別子は、前記第２のＰＬＭＮに関連付けられている、第２のクローズド加入者グループ識別子、
前記第１の基地局中央ユニットの第１の基地局中央ユニット識別子、
前記第１の基地局中央ユニットの第２の基地局中央ユニット識別子、
前記第１の基地局中央ユニットに関連付けられた第１の基地局の第１の基地局識別子、または
前記第２の基地局中央ユニットに関連付けられた第２の基地局の第２の基地局識別子のうちの少なくとも１つを含む、請求項４８に記載の基地局分散ユニット。
【請求項５５】
前記少なくとも１つのシステム情報ブロックの前記伝送は、前記第１のＰＬＭＮおよび前記第２のＰＬＭＮに対して共有されるセルを介して、前記少なくとも１つのシステム情報ブロックを伝送することを含む、請求項４８に記載の基地局分散ユニット。
【請求項５６】
前記少なくとも１つのシステム情報ブロックは、
前記第１のＰＬＭＮ識別子を含む第１のシステム情報ブロック、および
前記第２のＰＬＭＮ識別子を含む第２のシステム情報ブロックを含む、請求項４８に記載の基地局分散ユニット。
【請求項５７】
前記少なくとも１つのシステム情報ブロックは、
セルの第１のセル識別子であって、前記第１のセル識別子は、前記第１のＰＬＭＮに関連付けられている、第１のセル識別子、
前記セルの第１のクローズド加入者グループ識別子であって、前記第１のクローズド加入者グループ識別子は、前記第１のＰＬＭＮに関連付けられている、第１のクローズド加入者グループ識別子、
前記第１の基地局中央ユニットの第１の基地局中央ユニット識別子、または
前記第１の基地局中央ユニットに関連付けられた第１の基地局の第１の基地局識別子のうちの少なくとも１つを含む、請求項４８に記載の基地局分散ユニット。
【請求項５８】
前記少なくとも１つのシステム情報ブロックは、
セルの第２のセル識別子であって、前記第２のセル識別子は、前記第２のＰＬＭＮに関連付けられている、第２のセル識別子、
前記セルの第２のクローズド加入者グループ識別子であって、前記第２のクローズド加入者グループ識別子は、前記第２のＰＬＭＮに関連付けられている、第２のクローズド加入者グループ識別子、
前記第１の基地局中央ユニットの第２の基地局中央ユニット識別子、または
前記第２の基地局中央ユニットに関連付けられた第２の基地局の第２の基地局識別子のうちの少なくとも１つを含む、請求項４８に記載の基地局分散ユニット。
【請求項５９】
前記少なくとも１つのシステム情報ブロックは、
前記第１のＰＬＭＮ識別子を含む第１のシステム情報ブロックであって、前記第１のシステム情報ブロックは、前記第１のＰＬＭＮの第１のセルを介して伝送される、第１のシステム情報ブロック、または
前記第２のＰＬＭＮ識別子を含む第２のシステム情報ブロックであって、前記第２のシステム情報ブロックは、前記第２のＰＬＭＮの第２のセルを介して伝送される、第２のシステム情報ブロックのうちの少なくとも１つを含む、請求項４８に記載の基地局分散ユニット。
【請求項６０】
前記命令は、前記１つ以上のプロセッサによって実行されると、前記基地局分散ユニットに、前記第１の基地局中央ユニットから、前記少なくとも１つのシステム情報ブロックをさらに受信させる、請求項４８に記載の基地局分散ユニット。
【請求項６１】
前記命令は、前記１つ以上のプロセッサによって実行されると、前記基地局分散ユニットに、前記第２のＰＬＭＮ識別子を含む構成パラメータを、前記第１の基地局中央ユニットにさらに伝送させ、前記少なくとも１つのシステム情報ブロックは、前記構成パラメータに基づいている、請求項４８に記載の基地局分散ユニット。
【請求項６２】
前記命令は、前記１つ以上のプロセッサによって実行されると、前記基地局分散ユニットに、前記第１のメッセージおよび前記第２のメッセージに基づいて、前記少なくとも１つのシステム情報ブロックをさらに決定させる、請求項４８に記載の基地局分散ユニット。
【請求項６３】
前記命令は、前記１つ以上のプロセッサによって実行されると、前記基地局分散ユニットに、前記少なくとも１つのシステム情報ブロックを、前記第１の基地局中央ユニットまたは前記第２の基地局中央ユニットのうちの少なくとも１つにさらに伝送させる、請求項４８に記載の基地局分散ユニット。
【請求項６４】
前記少なくとも１つのシステム情報ブロックは、システム情報ブロック１を含む、請求項４８に記載の基地局分散ユニット。
【請求項６５】
基地局は、前記第１の基地局中央ユニット、前記第２の基地局中央ユニット、および前記基地局分散ユニットを含む、請求項４８に記載の基地局分散ユニット。
【請求項６６】
第１の基地局は、前記第１の基地局中央ユニットおよび前記基地局分散ユニットを含み、
第２の基地局は、前記第２の基地局中央ユニットおよび前記基地局分散ユニットを含む、請求項４８に記載の基地局分散ユニット。
【請求項６７】
前記基地局分散ユニットは、
前記第１のＰＬＭＮおよび前記第２のＰＬＭＮによって共有されるセル、
前記第１のＰＬＭＮの第１のセル、または
前記第２のＰＬＭＮの第２のセルのうちの少なくとも１つにサービスを提供する、請求項４８に記載の基地局分散ユニット。
【請求項６８】
前記命令は、前記１つ以上のプロセッサによって実行されると、前記基地局分散ユニットに、第３の基地局中央ユニットから、前記第３の基地局中央ユニットを含む第３のＰＬＭＮの第３のＰＬＭＮ識別子を含む第３のメッセージをさらに受信させ、前記少なくとも１つのシステム情報ブロックは、前記第３のＰＬＭＮ識別子を含む、請求項４８に記載の基地局分散ユニット。
【請求項６９】
共有基地局分散ユニットであって、
１つ以上のプロセッサと、
命令を記憶するメモリであって、前記命令は、前記１つ以上のプロセッサによって実行されると、前記共有基地局分散ユニットに、第１のパブリックランドモバイルネットワーク（ＰＬＭＮ）の第１の非共有基地局中央ユニットと、前記第１のＰＬＭＮに関連付けられた第１のパケットを通信させる、メモリと、を含む、共有基地局分散ユニット。
【請求項７０】
前記共有基地局分散ユニットは、前記第１のＰＬＭＮおよび第２のＰＬＭＮによって共有される、請求項６９に記載の共有基地局分散ユニット。
【請求項７１】
第１の非共有基地局中央ユニットであって、
１つ以上のプロセッサと、
命令を記憶するメモリであって、前記命令は、前記１つ以上のプロセッサによって実行されると、第１のパブリックランドモバイルネットワーク（ＰＬＭＮ）の前記第１の非共有基地局中央ユニットに、共有基地局分散ユニットと、前記第１のＰＬＭＮに関連付けられた第１のパケットを通信させる、メモリと、を含む、第１の非共有基地局中央ユニット。
【請求項７２】
前記共有基地局分散ユニットは、前記第１のＰＬＭＮおよび第２のＰＬＭＮによって共有される、請求項７１に記載の第１の非共有基地局中央ユニット。
【請求項７３】
基地局分散ユニットであって、
１つ以上のプロセッサと、
命令を記憶するメモリであって、前記命令は、前記１つ以上のプロセッサによって実行されると、前記基地局分散ユニットに、第１のパブリックランドモバイルネットワーク（ＰＬＭＮ）の第１の基地局中央ユニットと、前記第１のＰＬＭＮに関連付けられた第１のパケットを通信させる、メモリと、を含み、
前記基地局分散ユニットは、第２のＰＬＭＮと通信し、
前記第１の基地局中央ユニットは、前記第２のＰＬＭＮと通信しない、基地局分散ユニット。
【請求項７４】
前記基地局分散ユニットは、前記第１のＰＬＭＮおよび前記第２のＰＬＭＮによって共有される、請求項７３に記載の基地局分散ユニット。
【請求項７５】
第１の基地局中央ユニットであって、
１つ以上のプロセッサと、
命令を記憶するメモリであって、前記命令は、前記１つ以上のプロセッサによって実行されると、第１のパブリックランドモバイルネットワーク（ＰＬＭＮ）の前記第１の基地局中央ユニットに、基地局分散ユニットと、前記第１のＰＬＭＮに関連付けられた第１のパケットを通信させる、メモリと、を含み、
前記第１の基地局中央ユニットは、第２のＰＬＭＮと通信せず、
前記基地局分散ユニットは、前記第２のＰＬＭＮと通信する、第１の基地局中央ユニット。
【請求項７６】
前記基地局分散ユニットは、前記第１のＰＬＭＮおよび前記第２のＰＬＭＮによって共有される、請求項７５に記載の第１の基地局中央ユニット。
【請求項７７】
基地局分散ユニットであって、
１つ以上のプロセッサと、
命令を記憶するメモリであって、前記命令は、前記１つ以上のプロセッサによって実行されると、前記基地局分散ユニットに、
第１のパブリックランドモバイルネットワーク（ＰＬＭＮ）の第１の基地局中央ユニットと、前記第１のＰＬＭＮに関連付けられた第１のパケットを通信することと、
第２のＰＬＭＮの第２の基地局中央ユニットと、前記第２のＰＬＭＮに関連付けられた第２のパケットを通信することと、を行わせる、メモリと、を含む、基地局分散ユニット。
【請求項７８】
前記命令は、前記１つ以上のプロセッサによって実行されると、前記基地局分散ユニットに、
前記第１の基地局中央ユニットが前記第１のＰＬＭＮに関連付けられていることに基づいて、前記第１のパケットの前記通信のための前記第１の基地局中央ユニットを決定することと、
前記第２の基地局中央ユニットが前記第２のＰＬＭＮに関連付けられていることに基づいて、前記第２のパケットの前記通信のための前記第２の基地局中央ユニットを決定することと、をさらに行わせる、請求項７７に記載の基地局分散ユニット。
【請求項７９】
前記第１のパケットの前記通信は、
前記第１のパケットのうちの少なくとも１つを伝送すること、または
前記第１のパケットのうちの少なくとも１つを受信することのうちの少なくとも１つを含む、請求項７７に記載の方法。
【請求項８０】
基地局分散ユニットであって、
１つ以上のプロセッサと、
命令を記憶するメモリであって、前記命令は、前記１つ以上のプロセッサによって実行されると、前記基地局分散ユニットに、
第１のパブリックランドモバイルネットワーク（ＰＬＭＮ）の第１の基地局中央ユニットに、前記第１のＰＬＭＮに関連付けられた第１の無線デバイスから受信された第１のパケットを伝送することと、
第２のＰＬＭＮの第２の基地局中央ユニットに、前記第２のＰＬＭＮに関連付けられた第２の無線デバイスから受信された第２のパケットを伝送することと、を行わせる、メモリと、を含む、基地局分散ユニット。
【請求項８１】
前記第１のパケットは、制御プレーンパケットを含み、
前記第２のパケットは、制御プレーンパケットを含む、請求項８０に記載の基地局分散ユニット。
【請求項８２】
前記第１のパケットは、ユーザプレーンパケットを含み、
前記第２のパケットは、ユーザプレーンパケットを含む、請求項０に記載の基地局分散ユニット。
【請求項８３】
基地局分散ユニットであって、
１つ以上のプロセッサと、
命令を記憶するメモリであって、前記命令は、前記１つ以上のプロセッサによって実行されると、前記基地局分散ユニットに、
第１のパブリックランドモバイルネットワーク（ＰＬＭＮ）の第１のＰＬＭＮ識別子、および
第２のＰＬＭＮの第２のＰＬＭＮ識別子を含む少なくとも１つのシステム情報ブロックを伝送することと、
前記第１のＰＬＭＮの第１の基地局中央ユニットと、前記第１のＰＬＭＮに関連付けられた第１のパケットを通信することと、
前記第２のＰＬＭＮの第２の基地局中央ユニットと、前記第２のＰＬＭＮに関連付けられた第２のパケットを通信することと、を行わせる、メモリと、を含む、基地局分散ユニット。
【請求項８４】
基地局分散ユニットであって、
１つ以上のプロセッサと、
命令を記憶するメモリであって、前記命令は、前記１つ以上のプロセッサによって実行されると、前記基地局分散ユニットに、
第１のパブリックランドモバイルネットワーク（ＰＬＭＮ）の第１のＰＬＭＮ識別子、および
第２のＰＬＭＮの第２のＰＬＭＮ識別子を含む少なくとも１つのシステム情報ブロックを伝送することと、
前記第１のＰＬＭＮの第１の基地局中央ユニットに、前記第１のＰＬＭＮに関連付けられた第１の無線デバイスから受信された第１のパケットを伝送することと、
前記第２のＰＬＭＮの第２の基地局中央ユニットに、前記第２のＰＬＭＮに関連付けられた第２の無線デバイスから受信された第２のパケットを伝送することと、を行わせる、メモリと、を含む、基地局分散ユニット。
【請求項８５】
基地局分散ユニットであって、
１つ以上のプロセッサと、
命令を記憶するメモリであって、前記命令は、前記１つ以上のプロセッサによって実行されると、前記基地局分散ユニットに、
第１のパブリックランドモバイルネットワーク（ＰＬＭＮ）の第１の基地局中央ユニットと通信することと、
第２のＰＬＭＮの第２の基地局中央ユニットと通信することと、
第１のＰＬＭＮの第１のＰＬＭＮ識別子、および
第２のＰＬＭＮの第２のＰＬＭＮ識別子を含む少なくとも１つのシステム情報ブロックを伝送することと、を行わせる、メモリと、を含む、基地局分散ユニット。
【請求項８６】
基地局分散ユニットであって、
１つ以上のプロセッサと、
命令を記憶するメモリであって、前記命令は、前記１つ以上のプロセッサによって実行されると、前記基地局分散ユニットに、
第１の基地局中央ユニットから、前記第１の基地局中央ユニットを含む第１のパブリックランドモバイルネットワーク（ＰＬＭＮ）の第１のＰＬＭＮ識別子を含む第１のメッセージを受信することと、
第２の基地局中央ユニットから、前記第２の基地局中央ユニットを含む第２のＰＬＭＮの第２のＰＬＭＮ識別子を含む第２のメッセージを受信することと、
前記第１のＰＬＭＮおよび前記第２のＰＬＭＮのうちの少なくとも１つに関連付けられた無線デバイスに、前記第１の基地局中央ユニットおよび前記第２の基地局中央ユニットのうちの少なくとも１つから受信されたパケットを伝送することと、を行わせる、メモリと、を含む、基地局分散ユニット。
【請求項８７】
基地局分散ユニットであって、
１つ以上のプロセッサと、
命令を記憶するメモリであって、前記命令は、前記１つ以上のプロセッサによって実行されると、前記基地局分散ユニットに、
第１の基地局中央ユニットから、
前記第１の基地局中央ユニットに関連付けられた１つ以上の第１の構成パラメータ、および
第２の基地局中央ユニットに関連付けられた１つ以上の第２の構成パラメータを含む少なくとも１つのシステム情報ブロックを受信することと、
前記少なくとも１つのシステム情報ブロックを伝送することと、を行わせる、メモリと、を含む、基地局分散ユニット。
【請求項８８】
前記第１の基地局中央ユニットは、第１のパブリックランドモバイルネットワーク（ＰＬＭＮ）に関連付けられており、
前記第２の基地局中央ユニットは、第２のＰＬＭＮに関連付けられている、請求項８７に記載の基地局分散ユニット。
【請求項８９】
前記１つ以上の第１の構成パラメータは、第１のパブリックランドモバイルネットワーク（ＰＬＭＮ）の第１のＰＬＭＮ識別子を含み、
前記１つ以上の第２の構成パラメータは、第２のＰＬＭＮの第２のＰＬＭＮ識別子を含む、請求項８７に記載の基地局分散ユニット。
【請求項９０】
基地局分散ユニットであって、
１つ以上のプロセッサと、
命令を記憶するメモリであって、前記命令は、前記１つ以上のプロセッサによって実行されると、前記基地局分散ユニットに、
第２の基地局中央ユニットから、前記第２の基地局中央ユニットに関連付けられた１つ以上の第２の構成パラメータを受信することと、
第１の基地局中央ユニットに、前記１つ以上の第２の構成パラメータを伝送することと、
前記第１の基地局中央ユニットから、
前記第１の基地局中央ユニットに関連付けられた１つ以上の第１の構成パラメータ、および
前記１つ以上の第２の構成パラメータを含む少なくとも１つのシステム情報ブロックを受信することと、
前記少なくとも１つのシステム情報ブロックを伝送することと、を行わせる、メモリと、を含む、基地局分散ユニット。
【請求項９１】
第１の基地局中央ユニットであって、
１つ以上のプロセッサと、
命令を記憶するメモリであって、前記命令は、前記１つ以上のプロセッサによって実行されると、前記第１の基地局中央ユニットに、
基地局分散ユニットから、第２の基地局中央ユニットに関連付けられた１つ以上の第２の構成パラメータを受信することと、
前記基地局分散ユニットに、
前記第１の基地局中央ユニットに関連付けられた１つ以上の第１の構成パラメータ、および
前記１つ以上の第２の構成パラメータを含む少なくとも１つのシステム情報ブロックを送信することと、を行わせる、メモリと、を含む、第１の基地局中央ユニット。
【請求項９２】
第１の基地局中央ユニットであって、
１つ以上のプロセッサと、
命令を記憶するメモリであって、前記命令は、前記１つ以上のプロセッサによって実行されると、前記第１の基地局中央ユニットに、
第２の基地局中央ユニットから、前記第２の基地局中央ユニットに関連付けられた１つ以上の第２の構成パラメータを受信することと、
基地局分散ユニットに、
前記第１の基地局中央ユニットに関連付けられた１つ以上の第１の構成パラメータ、および
前記１つ以上の第２の構成パラメータを含む少なくとも１つのシステム情報ブロックを送信することと、を行わせる、メモリと、を含む、第１の基地局中央ユニット。
【請求項９３】
基地局分散ユニットであって、
１つ以上のプロセッサと、
命令を記憶するメモリであって、前記命令は、前記１つ以上のプロセッサによって実行されると、前記基地局分散ユニットに、
第１の基地局中央ユニットから、前記第１の基地局中央ユニットがサポートする第１のネットワークの第１のネットワーク識別子を含む第１のメッセージを受信することと、
第２の基地局中央ユニットから、前記第２の基地局中央ユニットがサポートする第２のネットワークの第２のネットワーク識別子を含む第２のメッセージを受信することと、
前記第１のネットワーク識別子、および
前記第２のネットワーク識別子を含む少なくとも１つのシステム情報ブロックを伝送することと、を行わせる、メモリと、を含む、基地局分散ユニット。
【請求項９４】
前記第１のネットワークまたは前記第２のネットワークは、
パブリックランドモバイルネットワーク（ＰＬＭＮ）、
モバイルネットワーク、
車車間・路車間通信システム、
高度道路交通システム（ＩＴＳ）、
モノのインターネット（ＩｏＴ）システム、または
衛星ネットワークのうちの少なくとも１つを含む、請求項９３に記載の基地局分散ユニット。
【請求項９５】
基地局分散ユニットによって、無線デバイスに、第１のパブリックランドモバイルネットワーク（ＰＬＭＮ）および第２のＰＬＭＮを示す少なくとも１つのシステム情報ブロックを伝送することと、
前記基地局分散ユニットによって、前記無線デバイスから、前記第１のＰＬＭＮおよび前記第２のＰＬＭＮのうちの少なくとも１つのＰＬＭＮを示す無線リソース制御メッセージを受信することと、
前記基地局分散ユニットによって、前記少なくとも１つのＰＬＭＮに基づいて、少なくとも１つの基地局中央ユニットを、
前記第１のＰＬＭＮの第１の基地局中央ユニット、および
前記第２のＰＬＭＮの第２の基地局中央ユニットから決定することと、
前記基地局分散ユニットによって、前記少なくとも１つの基地局中央ユニットに、前記無線リソース制御メッセージを伝送することと、を含む、方法。
【請求項９６】
前記無線リソース制御メッセージは、
無線リソース制御完了メッセージ、
無線リソース制御要求メッセージ、
無線リソース制御再開完了メッセージ、または
無線リソース制御再開要求メッセージのうちの少なくとも１つを含む、請求項９５に記載の方法。
【請求項９７】
前記基地局分散ユニットによって、前記無線デバイスから、前記少なくとも１つのシステム情報ブロックに基づいて、少なくとも１つのランダムアクセスプリアンブルを受信することと、
前記基地局分散ユニットによって、前記無線デバイスに、前記少なくとも１つのランダムアクセスプリアンブルに対するランダムアクセス応答を伝送することと、をさらに含み、前記無線リソース制御メッセージは、前記ランダムアクセス応答に基づいている、請求項９５に記載の方法。
【請求項９８】
前記基地局分散ユニットによって、前記少なくとも１つの基地局中央ユニットから、前記無線デバイスに対するセル構成パラメータを含む無線リソース制御設定メッセージを受信することであって、前記無線リソース制御設定メッセージは、前記無線リソース制御メッセージに対する応答である、受信することと、
前記基地局分散ユニットによって、前記無線デバイスに、前記無線リソース制御設定メッセージを伝送することと、をさらに含む、請求項９５に記載の方法。
【請求項９９】
前記基地局分散ユニットによって、前記少なくとも１つの基地局中央ユニットから、前記無線デバイスのための構成要求メッセージを受信することと、
前記基地局分散ユニットによって、前記構成要求メッセージに基づいて、前記セル構成パラメータを決定することと、
前記基地局分散ユニットによって、前記少なくとも１つの基地局中央ユニットに、前記セル構成パラメータを含む構成応答メッセージを伝送することと、をさらに含み、前記無線リソース制御設定メッセージは、前記構成応答メッセージに基づいている、請求項９８に記載の方法。
【請求項１００】
前記基地局分散ユニットによって、前記少なくとも１つの基地局中央ユニットから、前記無線デバイスのためのパケットを受信することと、
前記基地局分散ユニットによって、前記無線デバイスに前記パケットを伝送することと、をさらに含む、請求項９５に記載の方法。
【請求項１０１】
前記無線リソース制御メッセージを受信することは、前記第１のＰＬＭＮおよび前記第２のＰＬＭＮのために共有されるセルを介して、前記無線リソース制御メッセージを受信することを含む、請求項９５に記載の方法。
【請求項１０２】
前記無線リソース制御メッセージを受信することは、
前記第１のＰＬＭＮの第１のセル、または
前記第２のＰＬＭＮの第２のセルのうちの少なくとも１つを介して、前記無線リソース制御メッセージを受信することを含む、請求項９５に記載の方法。
【請求項１０３】
前記少なくとも１つの基地局中央ユニットを決定することは、前記基地局分散ユニットが前記無線リソース制御メッセージを受信するセルにさらに基づいており、前記セルは、前記第１のセルまたは前記第２のセルのうちの少なくとも１つを含む、請求項１０２に記載の方法。
【請求項１０４】
前記少なくとも１つのシステム情報ブロックを伝送することは、
前記第１のＰＬＭＮおよび前記第２のＰＬＭＮのために共有されるセルを介して、前記少なくとも１つのシステム情報ブロックを伝送すること、
前記第１のＰＬＭＮの第１のセルを介して、前記第１のＰＬＭＮの第１のＰＬＭＮ識別子を含む第１のシステム情報ブロックを伝送すること、または
前記第２のＰＬＭＮの第２のセルを介して、前記第２のＰＬＭＮの第２のＰＬＭＮ識別子を含む第２のシステム情報ブロックを伝送することのうちの少なくとも１つを含む、請求項９５に記載の方法。
【請求項１０５】
前記無線リソース制御メッセージは、前記少なくとも１つのＰＬＭＮに対する１つ以上のパラメータを含み、前記１つ以上のパラメータは、
前記少なくとも１つのＰＬＭＮの少なくとも１つのＰＬＭＮ識別子、
前記基地局分散ユニットが前記無線リソース制御メッセージを受信するセルのセル識別子、
前記セルのトラッキングエリアコード、
前記セルの登録エリアコード、
前記第１のＰＬＭＮに関連付けられた第１のセルの第１のセル識別子、
前記第２のＰＬＭＮに関連付けられた第２のセルの第２のセル識別子、
前記少なくとも１つの基地局中央ユニットの基地局中央ユニット識別子、または
前記少なくとも１つの基地局中央ユニットに関連付けられた基地局の基地局識別子のうちの少なくとも１つを含む、請求項９５に記載の方法。
【請求項１０６】
前記少なくとも１つの基地局中央ユニットを決定することは、前記少なくとも１つのＰＬＭＮに対する前記１つ以上のパラメータにさらに基づいている、請求項１０５に記載の方法。
【請求項１０７】
前記少なくとも１つのシステム情報ブロックは、前記少なくとも１つのＰＬＭＮに対する前記１つ以上のパラメータを含む、請求項１０５に記載の方法。
【請求項１０８】
前記基地局分散ユニットによって、前記無線デバイスのための無線リソースを構成することをさらに含む、請求項９５に記載の方法。
【請求項１０９】
前記無線デバイスは、前記少なくともオンＰＬＭＮにアクセスすることを許可される、請求項９５に記載の方法。
【請求項１１０】
前記少なくとも１つのシステム情報ブロックは、
前記第１のＰＬＭＮの第１のＰＬＭＮ識別子を含む第１のシステム情報ブロックであって、前記第１のシステム情報ブロックは、前記第１のＰＬＭＮの第１のセルを介して伝送される、第１のシステム情報ブロック、または
前記第２のＰＬＭＮの第２のＰＬＭＮ識別子を含む第２のシステム情報ブロックであって、前記第２のシステム情報ブロックは、前記第２のＰＬＭＮの第２のセルを介して伝送される、第２のシステム情報ブロックのうちの少なくとも１つを含む、請求項９５に記載の方法。
【請求項１１１】
前記少なくとも１つのシステム情報ブロックは、システム情報ブロック１を含む、請求項９５に記載の方法。
【請求項１１２】
基地局は、前記第１の基地局中央ユニット、前記第２の基地局中央ユニット、および前記基地局分散ユニットを含む、請求項９５に記載の方法。
【請求項１１３】
第１の基地局は、前記第１の基地局および前記基地局分散ユニットを含み、
第２の基地局は、前記第２の基地局および前記基地局分散ユニットを含む、請求項９５に記載の方法。
【請求項１１４】
前記基地局分散ユニットは、
前記第１のＰＬＭＮおよび前記第２のＰＬＭＮによって共有されるセル、
前記第１のＰＬＭＮの第１のセル、または
前記第２のＰＬＭＮの第２のセルのうちの少なくとも１つにサービスを提供する、請求項９５に記載の方法。
【請求項１１５】
前記基地局分散ユニットによって、第２の無線デバイスから、第３のＰＬＭＮを示す第２の無線リソース制御メッセージを受信することと、
前記基地局分散ユニットによって、前記第３のＰＬＭＮに基づいて、前記第３のＰＬＭＮの第３の基地局中央ユニットを決定することと、
前記基地局分散ユニットによって、前記第３の基地局中央ユニットに、前記無線リソース制御メッセージを伝送することと、をさらに含む、請求項９５に記載の方法。
【請求項１１６】
基地局分散ユニットによって、無線デバイスから、パブリックランドモバイルネットワーク（ＰＬＭＮ）を示す無線リソース制御メッセージを受信することであって、前記ＰＬＭＮは、第１のＰＬＭＮおよび第２のＰＬＭＮのうちの１つである、受信することと、
前記基地局分散ユニットによって、前記ＰＬＭＮに基づいて、基地局中央ユニットを、
前記第１のＰＬＭＮの第１の基地局中央ユニット、および
前記第２のＰＬＭＮの第２の基地局中央ユニットから決定することと、
前記基地局分散ユニットによって、前記基地局中央ユニットに、前記無線リソース制御メッセージを伝送することと、を含む、方法。
【請求項１１７】
前記無線リソース制御メッセージは、前記第１のＰＬＭＮを示す第１のパラメータを含み、前記第１のパラメータは、
第１のＰＬＭＮ識別子、
セルの第１のセル識別子、
前記第１の基地局中央ユニットの第１の基地局中央ユニット識別子、
前記第１の基地局中央ユニットの第１の基地局識別子、
セルの第１のクローズド加入者グループ識別子、
前記セルの第１のトラッキングエリアコード、または
前記セルの第１の登録エリアコードのうちの少なくとも１つを含む、請求項１１６に記載の方法。
【請求項１１８】
前記無線リソース制御メッセージは、前記第２のＰＬＭＮを示す第２のパラメータを含み、前記第２のパラメータは、
第２のＰＬＭＮ識別子、
セルの第２のセル識別子、
前記第２の基地局中央ユニットの第２の基地局中央ユニット識別子、
前記第２の基地局中央ユニットの第２の基地局識別子、
セルの第２のクローズド加入者グループ識別子、
前記セルの第２のトラッキングエリアコード、または
前記セルの第２の登録エリアコードのうちの少なくとも１つを含む、請求項１１６に記載の方法。
【請求項１１９】
基地局分散ユニットによって、無線デバイスに、
第１の基地局中央ユニットの第１のパブリックランドモバイルネットワーク（ＰＬＭＮ）識別子、および
第２の基地局中央ユニットの第２のＰＬＭＮ識別子を含む少なくとも１つのシステム情報ブロックを伝送することと、
前記基地局分散ユニットによって、前記無線デバイスから、前記第１のＰＬＭＮ識別子および前記第２のＰＬＭＮ識別子から選択された少なくとも１つのＰＬＭＮ識別子を含む無線リソース制御メッセージを受信することと、
前記基地局分散ユニットによって、前記少なくとも１つのＰＬＭＮ識別子に基づいて、前記第１の基地局中央ユニットおよび前記第２の基地局中央ユニットから少なくとも１つの基地局中央ユニットを選択することと、
前記基地局分散ユニットによって、前記少なくとも１つの基地局中央ユニットに、前記無線リソース制御メッセージを伝送することと、を含む、方法。
【請求項１２０】
基地局分散ユニットによって、無線デバイスに、第１のパブリックランドモバイルネットワーク（ＰＬＭＮ）および第２のＰＬＭＮを示す少なくとも１つのシステム情報ブロックを伝送することと、
前記基地局分散ユニットによって、前記無線デバイスから、前記第１のＰＬＭＮおよび前記第２のＰＬＭＮのうちの少なくとも１つのＰＬＭＮに関連付けられた少なくとも１つの基地局中央ユニット識別子を含む無線リソース制御メッセージを受信することと、
前記基地局分散ユニットによって、前記少なくとも１つの基地局中央ユニット識別子に基づいて、少なくとも１つの基地局中央ユニットを、
前記第１のＰＬＭＮの第１の基地局中央ユニット、および
前記第２のＰＬＭＮの第２の基地局中央ユニットから選択することと、
前記基地局分散ユニットによって、前記少なくとも１つの基地局中央ユニットに、前記無線リソース制御メッセージを伝送することと、を含む、方法。
【請求項１２１】
前記少なくとも１つの基地局中央ユニット識別子は、前記少なくとも１つのＰＬＭＮをサポートする前記少なくとも１つの基地局中央ユニットを示す、請求項１２０に記載の方法。
【請求項１２２】
基地局分散ユニットによって、無線デバイスに、第１のパブリックランドモバイルネットワーク（ＰＬＭＮ）および第２のＰＬＭＮを示す少なくとも１つのシステム情報ブロックを伝送することと、
前記基地局分散ユニットによって、前記無線デバイスから、セルの少なくとも１つのセル識別子を含む無線リソース制御メッセージを受信することであって、前記少なくとも１つのセル識別子は、前記第１のＰＬＭＮおよび前記第２のＰＬＭＮのうちの少なくとも１つのＰＬＭＮに関連付けられている、受信することと、
前記基地局分散ユニットによって、前記少なくとも１つのセル識別子に基づいて、少なくとも１つの基地局中央ユニットを、
前記第１のＰＬＭＮの第１の基地局中央ユニット、および
前記第２のＰＬＭＮの第２の基地局中央ユニットから決定することと、
前記基地局分散ユニットによって、前記少なくとも１つの基地局中央ユニットに、前記無線リソース制御メッセージを伝送することと、を含む、方法。
【請求項１２３】
基地局分散ユニットによって、無線デバイスに、第１のパブリックランドモバイルネットワーク（ＰＬＭＮ）および第２のＰＬＭＮを示す少なくとも１つのシステム情報ブロックを伝送することと、
前記基地局分散ユニットによって、前記無線デバイスから、前記第１のＰＬＭＮおよび前記第２のＰＬＭＮのうちの少なくとも１つのＰＬＭＮに関連付けられたセルを介して、無線リソース制御メッセージを受信することと、
前記基地局分散ユニットによって、前記少なくとも１つのＰＬＭＮに関連付けられた前記セルに基づいて、少なくとも１つの基地局中央ユニットを、
前記第１のＰＬＭＮの第１の基地局中央ユニット、および
前記第２のＰＬＭＮの第２の基地局中央ユニットから選択することと、
前記基地局分散ユニットによって、前記少なくとも１つの基地局中央ユニットに、前記無線リソース制御メッセージを伝送することと、を含む、方法。
【請求項１２４】
基地局分散ユニットによって、無線デバイスに、複数のパブリックランドモバイルネットワーク（ＰＬＭＮ）を示す少なくとも１つのシステム情報ブロックを伝送することと、
前記無線デバイスから、前記複数のＰＬＭＮから選択されたＰＬＭＮを示す無線リソース制御メッセージを受信することと、
前記選択されたＰＬＭＮに基づいて、複数の基地局中央ユニットから基地局中央ユニットを選択することと、
前記基地局中央ユニットに、前記無線リソース制御メッセージを伝送することと、を含む、方法。
【請求項１２５】
前記基地局中央ユニットは、前記選択されたＰＬＭＮに関連付けられている、請求項１２４に記載の方法。
【請求項１２６】
基地局分散ユニットによって、無線デバイスに、複数のネットワークを示す少なくとも１つのシステム情報ブロックを伝送することと、
前記無線デバイスから、前記複数のネットワークから選択されたネットワークを示す無線リソース制御メッセージを受信することと、
前記選択されたネットワークに基づいて、複数の基地局中央ユニットから基地局中央ユニットを選択することと、
前記基地局中央ユニットに、前記無線リソース制御メッセージを伝送することと、を含む、方法。
【請求項１２７】
前記基地局中央ユニットは、前記選択されたネットワークに関連付けられている、請求項１２６に記載の方法。
【請求項１２８】
基地局分散ユニットであって、
１つ以上のプロセッサと、
命令を記憶するメモリであって、前記命令は、前記１つ以上のプロセッサによって実行されると、前記基地局分散ユニットに、
無線デバイスに、第１のパブリックランドモバイルネットワーク（ＰＬＭＮ）および第２のＰＬＭＮを示す少なくとも１つのシステム情報ブロックを伝送することと、
前記無線デバイスから、前記第１のＰＬＭＮおよび前記第２のＰＬＭＮのうちの少なくとも１つのＰＬＭＮを示す無線リソース制御メッセージを受信することと、
前記少なくとも１つのＰＬＭＮに基づいて、少なくとも１つの基地局中央ユニットを、
前記第１のＰＬＭＮの第１の基地局中央ユニット、および
前記第２のＰＬＭＮの第２の基地局中央ユニットから決定することと、
前記少なくとも１つの基地局中央ユニットに、前記無線リソース制御メッセージを伝送することと、を行わせる、メモリと、を含む、基地局分散ユニット。
【請求項１２９】
前記無線リソース制御メッセージは、
無線リソース制御完了メッセージ、
無線リソース制御要求メッセージ、
無線リソース制御再開完了メッセージ、または
無線リソース制御再開要求メッセージうちの少なくとも１つを含む、請求項１２８に記載の基地局分散ユニット。
【請求項１３０】
前記命令は、前記１つ以上のプロセッサによって実行されると、前記基地局分散ユニットに、
前記無線デバイスから、前記少なくとも１つのシステム情報ブロックに基づいて、少なくとも１つのランダムアクセスプリアンブルを受信することと、
前記無線デバイスに、前記少なくとも１つのランダムアクセスプリアンブルに対するランダムアクセス応答を伝送することであって、前記無線リソース制御メッセージは前記ランダムアクセス応答に基づいている、伝送することと、をさらに行わせる、請求項１２８に記載の基地局分散ユニット。
【請求項１３１】
前記命令は、前記１つ以上のプロセッサによって実行されると、前記基地局分散ユニットに、
前記少なくとも１つの基地局中央ユニットから、前記無線デバイスに対するセル構成パラメータを含む無線リソース制御設定メッセージを受信することであって、前記無線リソース制御設定メッセージは、前記無線リソース制御メッセージに対する応答である、受信することと、
前記無線デバイスに、前記無線リソース制御設定メッセージを伝送することと、をさらに行わせる、請求項１２８に記載の基地局分散ユニット。
【請求項１３２】
前記命令は、前記１つ以上のプロセッサによって実行されると、前記基地局分散ユニットに、
前記少なくとも１つの基地局中央ユニットから、前記無線デバイスのための構成要求メッセージを受信することと、
前記構成要求メッセージに基づいて、前記セル構成パラメータを決定することと、
前記少なくとも１つの基地局中央ユニットに、前記セル構成パラメータを含む構成応答メッセージを伝送することであって、前記無線リソース制御設定メッセージは前記構成応答メッセージに基づいている、伝送することと、をさらに行わせる、請求項１３１に記載の基地局分散ユニット。
【請求項１３３】
前記命令は、前記１つ以上のプロセッサによって実行されると、前記基地局分散ユニットに、
前記少なくとも１つの基地局中央ユニットから、前記無線デバイスのためのパケットを受信することと、
前記パケットを前記無線デバイスに伝送することと、をさらに行わせる、請求項１２８に記載の基地局分散ユニット。
【請求項１３４】
前記無線リソース制御メッセージの前記受信は、前記第１のＰＬＭＮおよび前記第２のＰＬＭＮのために共有されるセルを介して、前記無線リソース制御メッセージを受信することを含む、請求項１２８に記載の基地局分散ユニット。
【請求項１３５】
前記無線リソース制御メッセージの前記受信は、前記無線リソース制御メッセージを、
前記第１のＰＬＭＮの第１のセル、または
前記第２のＰＬＭＮの第２のセルのうちの少なくとも１つを介して受信することを含む、請求項１２８に記載の基地局分散ユニット。
【請求項１３６】
前記少なくとも１つの基地局中央ユニットの前記決定は、前記基地局分散ユニットが前記無線リソース制御メッセージを受信するセルにさらに基づいており、前記セルは、前記第１のセルまたは前記第２のセルのうちの少なくとも１つを含む、請求項１３５に記載の基地局分散ユニット。
【請求項１３７】
前記少なくとも１つのシステム情報ブロックの前記伝送は、
前記第１のＰＬＭＮおよび前記第２のＰＬＭＮのために共有されるセルを介して、前記少なくとも１つのシステム情報ブロックを伝送すること、
前記第１のＰＬＭＮの第１のセルを介して、前記第１のＰＬＭＮの第１のＰＬＭＮ識別子を含む第１のシステム情報ブロックを伝送すること、または
前記第２のＰＬＭＮの第２のセルを介して、前記第２のＰＬＭＮの第２のＰＬＭＮ識別子を含む第２のシステム情報ブロックを伝送することのうちの少なくとも１つを含む、請求項１２８に記載の基地局分散ユニット。
【請求項１３８】
前記無線リソース制御メッセージは、前記少なくとも１つのＰＬＭＮに対する１つ以上のパラメータを含み、前記１つ以上のパラメータは、
前記少なくとも１つのＰＬＭＮの少なくとも１つのＰＬＭＮ識別子、
前記基地局分散ユニットが前記無線リソース制御メッセージを受信するセルのセル識別子、
前記セルのトラッキングエリアコード、
前記セルの登録エリアコード、
前記第１のＰＬＭＮに関連付けられた第１のセルの第１のセル識別子、
前記第２のＰＬＭＮに関連付けられた第２のセルの第２のセル識別子、
前記少なくとも１つの基地局中央ユニットの基地局中央ユニット識別子、または
前記少なくとも１つの基地局中央ユニットに関連付けられた基地局の基地局識別子のうちの少なくとも１つを含む、請求項１２８に記載の基地局分散ユニット。
【請求項１３９】
前記少なくとも１つの基地局中央ユニットの前記決定は、前記少なくとも１つのＰＬＭＮに対する前記１つ以上のパラメータにさらに基づいている、請求項１３８に記載の基地局分散ユニット。
【請求項１４０】
前記少なくとも１つのシステム情報ブロックは、前記少なくとも１つのＰＬＭＮに対する前記１つ以上のパラメータを含む、請求項１３８に記載の基地局分散ユニット。
【請求項１４１】
前記命令は、前記１つ以上のプロセッサによって実行されると、前記基地局分散ユニットに、前記無線デバイスのための無線リソースをさらに構成させる、請求項１２８に記載の基地局分散ユニット。
【請求項１４２】
前記無線デバイスは、前記少なくともオンＰＬＭＮにアクセスすることを許可される、請求項１２８に記載の基地局分散ユニット。
【請求項１４３】
前記少なくとも１つのシステム情報ブロックは、
前記第１のＰＬＭＮの第１のＰＬＭＮ識別子を含む第１のシステム情報ブロックであって、前記第１のシステム情報ブロックは、前記第１のＰＬＭＮの第１のセルを介して伝送される、第１のシステム情報ブロック、または
前記第２のＰＬＭＮの第２のＰＬＭＮ識別子を含む第２のシステム情報ブロックであって、前記第２のシステム情報ブロックは、前記第２のＰＬＭＮの第２のセルを介して伝送される、第２のシステム情報ブロックのうちの少なくとも１つを含む、請求項１２８に記載の基地局分散ユニット。
【請求項１４４】
前記少なくとも１つのシステム情報ブロックは、システム情報ブロック１を含む、請求項１２８に記載の基地局分散ユニット。
【請求項１４５】
基地局は、前記第１の基地局中央ユニット、前記第２の基地局中央ユニット、および前記基地局分散ユニットを含む、請求項１２８に記載の基地局分散ユニット。
【請求項１４６】
第１の基地局は、第１の基地局および基地局分散ユニットを含み、
第２の基地局は、第２の基地局および基地局分散ユニットを含む、請求項１２８に記載の基地局分散ユニット。
【請求項１４７】
前記基地局分散ユニットは、
前記第１のＰＬＭＮおよび前記第２のＰＬＭＮによって共有されるセル、
前記第１のＰＬＭＮの第１のセル、または
前記第２のＰＬＭＮの第２のセルのうちの少なくとも１つにサービスを提供する、請求項１２８に記載の基地局分散ユニット。
【請求項１４８】
前記命令は、前記１つ以上のプロセッサによって実行されると、前記基地局分散ユニットに、
第２の無線デバイスから、第３のＰＬＭＮを示す第２の無線リソース制御メッセージを受信することと、
前記第３のＰＬＭＮに基づいて、前記第３のＰＬＭＮの第３の基地局中央ユニットを決定することと、
前記第３基地局中央ユニットに、前記無線リソース制御メッセージを伝送することと、をさらに行わせる、請求項１２８に記載の基地局分散ユニット。
【請求項１４９】
基地局分散ユニットであって、
１つ以上のプロセッサと、
命令を記憶するメモリであって、前記命令は、前記１つ以上のプロセッサによって実行されると、前記基地局分散ユニットに、
無線デバイスから、パブリックランドモバイルネットワーク（ＰＬＭＮ）を示す無線リソース制御メッセージを受信することであって、前記ＰＬＭＮは、第１のＰＬＭＮおよび第２のＰＬＭＮのうちの１つである、受信することと、
前記ＰＬＭＮに基づいて、基地局中央ユニットを、
前記第１のＰＬＭＮの第１の基地局中央ユニット、および
前記第２のＰＬＭＮの第２の基地局中央ユニットから決定することと、
前記基地局中央ユニットに、前記無線リソース制御メッセージを伝送することと、を行わせる、メモリと、を含む、基地局分散ユニット。
【請求項１５０】
前記無線リソース制御メッセージは、前記第１のＰＬＭＮを示す第１のパラメータを含み、前記第１のパラメータは、
第１のＰＬＭＮ識別子、
セルの第１のセル識別子、
前記第１の基地局中央ユニットの第１の基地局中央ユニット識別子、
前記第１の基地局中央ユニットの第１の基地局識別子、
セルの第１のクローズド加入者グループ識別子、
前記セルの第１のトラッキングエリアコード、または
前記セルの第１の登録エリアコードのうちの少なくとも１つを含む、請求項１４９に記載の基地局分散ユニット。
【請求項１５１】
前記無線リソース制御メッセージは、前記第２のＰＬＭＮを示す第２のパラメータを含み、前記第２のパラメータは、
第２のＰＬＭＮ識別子、
セルの第２のセル識別子、
前記第２の基地局中央ユニットの第２の基地局中央ユニット識別子、
前記第２の基地局中央ユニットの第２の基地局識別子、
セルの第２のクローズド加入者グループ識別子、
前記セルの第２のトラッキングエリアコード、または
前記セルの第２の登録エリアコードのうちの少なくとも１つを含む、請求項１４９に記載の基地局分散ユニット。
【請求項１５２】
基地局分散ユニットであって、
１つ以上のプロセッサと、
命令を記憶するメモリであって、前記命令は、前記１つ以上のプロセッサによって実行されると、前記基地局分散ユニットに、
無線デバイスに、
第１の基地局中央ユニットの第１のパブリックランドモバイルネットワーク（ＰＬＭＮ）識別子、および
第２の基地局中央ユニットの第２のＰＬＭＮ識別子を含む少なくとも１つのシステム情報ブロックを伝送することと、
前記無線デバイスから、前記第１のＰＬＭＮ識別子および前記第２のＰＬＭＮ識別子から選択された少なくとも１つのＰＬＭＮ識別子を含む無線リソース制御メッセージを受信することと、
前記少なくとも１つのＰＬＭＮ識別子に基づいて、前記第１の基地局中央ユニットおよび前記第２の基地局中央ユニットから少なくとも１つの基地局中央ユニットを選択することと、
前記少なくとも１つの基地局中央ユニットに、前記無線リソース制御メッセージを伝送することと、を行わせる、メモリと、を含む、基地局分散ユニット。
【請求項１５３】
基地局分散ユニットであって、
１つ以上のプロセッサと、
命令を記憶するメモリであって、前記命令は、前記１つ以上のプロセッサによって実行されると、前記基地局分散ユニットに、
無線デバイスに、第１のパブリックランドモバイルネットワーク（ＰＬＭＮ）および第２のＰＬＭＮを示す少なくとも１つのシステム情報ブロックを伝送することと、
前記無線デバイスから、前記第１のＰＬＭＮおよび前記第２のＰＬＭＮのうちの少なくとも１つのＰＬＭＮに関連付けられた少なくとも１つの基地局中央ユニット識別子を含む無線リソース制御メッセージを受信することと、
前記少なくとも１つの基地局中央ユニット識別子に基づいて、少なくとも１つの基地局中央ユニットを、
前記第１のＰＬＭＮの第１の基地局中央ユニット、および
前記第２のＰＬＭＮの第２の基地局中央ユニットから選択することと、
前記少なくとも１つの基地局中央ユニットに、前記無線リソース制御メッセージを伝送することと、を行わせる、メモリと、を含む、基地局分散ユニット。
【請求項１５４】
前記少なくとも１つの基地局中央ユニット識別子は、前記少なくとも１つのＰＬＭＮをサポートする前記少なくとも１つの基地局中央ユニットを示す、請求項１５３に記載の基地局分散ユニット。
【請求項１５５】
基地局分散ユニットであって、
１つ以上のプロセッサと、
命令を記憶するメモリであって、前記命令は、前記１つ以上のプロセッサによって実行されると、前記基地局分散ユニットに、
無線デバイスに、第１のパブリックランドモバイルネットワーク（ＰＬＭＮ）および第２のＰＬＭＮを示す少なくとも１つのシステム情報ブロックを伝送することと、
前記無線デバイスから、セルの少なくとも１つのセル識別子を含む無線リソース制御メッセージを受信することであって、前記少なくとも１つのセル識別子は、前記第１のＰＬＭＮおよび前記第２のＰＬＭＮのうちの少なくとも１つのＰＬＭＮに関連付けられている、受信することと、
前記少なくとも１つのセル識別子に基づいて、少なくとも１つの基地局中央ユニットを、
前記第１のＰＬＭＮの第１の基地局中央ユニット、および
前記第２のＰＬＭＮの第２の基地局中央ユニットから決定することと、
前記少なくとも１つの基地局中央ユニットに、前記無線リソース制御メッセージを伝送することと、を行わせる、メモリと、を含む、基地局分散ユニット。
【請求項１５６】
基地局分散ユニットであって、
１つ以上のプロセッサと、
命令を記憶するメモリであって、前記命令は、前記１つ以上のプロセッサによって実行されると、前記基地局分散ユニットに、
無線デバイスに、第１のパブリックランドモバイルネットワーク（ＰＬＭＮ）および第２のＰＬＭＮを示す少なくとも１つのシステム情報ブロックを伝送することと、
前記無線デバイスから、前記第１のＰＬＭＮおよび前記第２のＰＬＭＮのうちの少なくとも１つのＰＬＭＮに関連付けられたセルを介して、無線リソース制御メッセージを受信することと、
前記少なくとも１つのＰＬＭＮに関連付けられた前記セルに基づいて、少なくとも１つの基地局中央ユニットを、
前記第１のＰＬＭＮの第１の基地局中央ユニット、および
前記第２のＰＬＭＮの第２の基地局中央ユニットから選択することと、
前記少なくとも１つの基地局中央ユニットに、前記無線リソース制御メッセージを伝送することと、を行わせる、メモリと、を含む、基地局分散ユニット。
【請求項１５７】
基地局分散ユニットであって、
１つ以上のプロセッサと、
命令を記憶するメモリであって、前記命令は、前記１つ以上のプロセッサによって実行されると、前記基地局分散ユニットに、
無線デバイスに、複数のパブリックランドモバイルネットワーク（ＰＬＭＮ）を示す少なくとも１つのシステム情報ブロックを伝送することと、
前記無線デバイスから、前記複数のＰＬＭＮから選択されたＰＬＭＮを示す無線リソース制御メッセージを受信することと、
前記選択されたＰＬＭＮに基づいて、複数の基地局中央ユニットから基地局中央ユニットを選択することと、
前記基地局中央ユニットに、前記無線リソース制御メッセージを伝送することと、を行わせる、メモリと、を含む、基地局分散ユニット。
【請求項１５８】
前記基地局中央ユニットは、前記選択されたＰＬＭＮに関連付けられている、請求項１５７に記載の基地局分散ユニット。
【請求項１５９】
基地局分散ユニットであって、
１つ以上のプロセッサと、
命令を記憶するメモリであって、前記命令は、前記１つ以上のプロセッサによって実行されると、前記基地局分散ユニットに、
無線デバイスに、複数のネットワークを示す少なくとも１つのシステム情報ブロックを伝送することと、
前記無線デバイスから、前記複数のネットワークから選択されたネットワークを示す無線リソース制御メッセージを受信することと、
前記選択されたネットワークに基づいて、複数の基地局中央ユニットから基地局中央ユニットを選択することと、
前記基地局中央ユニットに、前記無線リソース制御メッセージを伝送することと、を行わせる、メモリと、を含む、基地局分散ユニット。
【請求項１６０】
前記基地局中央ユニットは、前記選択されたネットワークに関連付けられている、請求項１５９に記載の基地局分散ユニット。
【発明の詳細な説明】
【技術分野】
【０００１】
関連出願の相互参照
本出願は、２０１８年６月１１日に出願された米国仮特許出願第６２／６８３，３７３号および２０１８年６月１２日に出願された米国仮特許出願第６２／６９６，９１２号の利益を主張し、参照によりその全体が本明細書に組み込まれる。
【発明の概要】
【課題を解決するための手段】
【０００２】
本開示の例示的な実施形態は、無線システムの動作を可能にする。本明細書で開示される技術の実施形態は、マルチキャリア通信システムの技術分野で用いられてもよい。より具体的には、本明細書で開示される技術の実施形態は、マルチキャリア通信システムにおける無線アクセス技術に関連してもよい。
【０００３】
本開示の例示的な実施形態は、様々な物理層変調および伝送メカニズムを使用して実施され得る。例示的な伝送メカニズムとしては、以下に限定されないが、符号分割多元接続（ＣＤＭＡ）、直交周波数分割多元接続（ＯＦＤＭＡ）、時分割多元接続（ＴＤＭＡ）、ウェーブレット技術、および／または同様のものが挙げられ得る。また、ＴＤＭＡ／ＣＤＭＡ、およびＯＦＤＭ／ＣＤＭＡなどのハイブリッド伝送メカニズムも用いられ得る。物理層での信号伝送には、様々な変調方式を適用することができる。変調方式の例としては、以下に限定されないが、位相、振幅、符号、これらの組み合わせ、および／または同様のものが挙げられる。例示的な無線伝送方法は、２相位相変調（ＢＰＳＫ）を使用する直交振幅変調（ＱＡＭ）、４相位相変調（ＱＰＳＫ）、１６−ＱＡＭ、６４−ＱＡＭ、２５６−ＱＡＭ、および／または同様のものを実装することができる。物理的な無線伝送は、伝送要件と無線条件に応じて変調およびコーディング方式を動的または半動的に変更することにより強化することができる。
【０００４】
本開示の様々な実施形態のうちのいくつかの例が、図面を参照して本明細書に記載されている。
【図面の簡単な説明】
【０００５】
【図１】本開示の実施形態の態様に基づく、例示的なＲＡＮアーキテクチャの略図である。
【図２Ａ】本開示の実施形態の態様に基づく、例示的なユーザプレーンプロトコルスタックの略図である。
【図２Ｂ】本開示の実施形態の態様に基づく、例示的な制御ユーザプレーンプロトコルスタックの略図である。
【図３】本開示の実施形態の態様に基づく、例示的な無線デバイスおよび２つの基地局の略図である。
【図４Ａ】（図４Ａ、図４Ｂ、図４Ｃ、および図４Ｄ）本開示の一実施形態の一局面に基づく、アップリンクおよびダウンリンク信号伝送の例示的な略図である。
【図４Ｂ】（図４Ａ、図４Ｂ、図４Ｃ、および図４Ｄ）本開示の一実施形態の一局面に基づく、アップリンクおよびダウンリンク信号伝送の例示的な略図である。
【図４Ｃ】（図４Ａ、図４Ｂ、図４Ｃ、および図４Ｄ）本開示の一実施形態の一局面に基づく、アップリンクおよびダウンリンク信号伝送の例示的な略図である。
【図４Ｄ】（図４Ａ、図４Ｂ、図４Ｃ、および図４Ｄ）本開示の一実施形態の一局面に基づく、アップリンクおよびダウンリンク信号伝送の例示的な略図である。
【図５Ａ】本開示の実施形態の態様に基づく、例示的なアップリンクチャネルマッピング、および例示的アップリンク物理信号の略図である。
【図５Ｂ】本開示の実施形態の態様に基づく、例示的なダウンリンクチャネルマッピング、および例示的ダウンリンク物理信号の略図である。
【図６】本開示の実施形態の態様に基づく、例示的なフレーム構造を描いている略図である。
【図７Ａ】（図７Ａおよび図７Ｂ）本開示の一実施形態の一局面によるＯＦＤＭサブキャリアの例示的なセットを描いている図である。
【図７Ｂ】（図７Ａおよび図７Ｂ）本開示の一実施形態の一局面によるＯＦＤＭサブキャリアの例示的なセットを描いている図である。
【図８】本開示の実施形態の態様に基づく、例示的なＯＦＤＭ無線リソースを描いている略図である。
【図９Ａ】マルチビームシステム内の例示的なＣＳＩ−ＲＳおよび／またはＳＳブロック伝送を描いている略図である。
【図９Ｂ】本開示の実施形態の態様に基づく、例示的なダウンリンクビーム管理プロシージャを描いている略図である。
【図１０】本開示の実施形態の態様に基づく、構成されたＢＷＰの例示的な略図である。
【図１１Ａ】（図１１Ａおよび図１１Ｂ）本開示の実施形態の態様に基づく、例示的なマルチ接続の略図である。
【図１１Ｂ】（図１１Ａおよび図１１Ｂ）本開示の実施形態の態様に基づく、例示的なマルチ接続の略図である。
【図１２】本開示の実施形態の態様に基づく、例示的なランダムアクセスプロシージャの略図である。
【図１３】本開示の実施形態の態様に基づく、例示的なＭＡＣエンティティの構造である。
【図１４】本開示の実施形態の態様に基づく、例示的なＲＡＮアーキテクチャの略図である。
【図１５】本開示の実施形態の態様に基づく、例示的なＲＲＣ状態の略図である。
【図１６】本開示の一実施形態の一態様の例示的な図である。
【図１７】本開示の一実施形態の一態様の例示的な図である。
【図１８】本開示の一実施形態の一態様の例示的な図である。
【図１９】本開示の一実施形態の一態様の例示的な図である。
【図２０】本開示の一実施形態の一態様の例示的な図である。
【図２１】ネットワークアーキテクチャを共有するレガシー基地局を示す例示的な図である。
【図２２】本開示の一実施形態の一態様の例示的な図である。
【図２３】本開示の一実施形態の一態様の例示的な図である。
【図２４】本開示の一実施形態の一態様の例示的な図である。
【図２５】本開示の一実施形態の一態様の例示的な図である。
【図２６】本開示の一実施形態の一態様の例示的な図である。
【図２７】本開示の一実施形態の一態様の例示的な図である。
【図２８】本開示の一実施形態の一態様の例示的な図である。
【図２９】本開示の一実施形態の一態様の例示的な図である。
【図３０】本開示の一実施形態の一態様の例示的な図である。
【図３１】本開示の一実施形態の一態様の例示的な図である。
【図３２】本開示の一実施形態の一態様の例示的な図である。
【図３３】本開示の一実施形態の一態様の例示的な図である。
【図３４】本開示の一実施形態の一態様の例示的な図である。
【図３５】本開示の一実施形態の一態様の例示的な図である。
【図３６】本開示の一実施形態の一態様の例示的な図である。
【図３７】本開示の一実施形態の一態様の例示的な図である。
【図３８】本開示の一実施形態の一態様の例示的な図である。
【図３９】本開示の一実施形態の一態様の例示的な図である。
【図４０】本開示の一実施形態の一態様の例示的な図である。
【図４１】本開示の一実施形態の一態様の例示的な図である。
【図４２】本開示の一実施形態の一態様の例示的な図である。
【図４３】本開示の例示的な実施形態の一態様の図である。
【図４４】本開示の例示的な実施形態の一態様の図である。
【図４５】本開示の例示的な実施形態の一態様の図である。
【図４６】本開示の例示的な実施形態の一態様の図である。
【図４７】本開示の例示的な実施形態の一態様の図である。
【図４８】本開示の例示的な実施形態の一態様の図である。
【図４９】本開示の例示的な実施形態の一態様の図である。
【図５０】本開示の例示的な実施形態の一態様の図である。
【図５１】本開示の例示的な実施形態の一態様の図である。
【図５２】本開示の例示的な実施形態の一態様の図である。
【図５３】本開示の例示的な実施形態の一態様の図である。
【図５４】本開示の例示的な実施形態の一態様の図である。
【図５５】本開示の例示的な実施形態の一態様の図である。
【発明を実施するための形態】
【０００６】
以下の頭字語は、本開示全体を通して使用される。
【表１−１】
2021527976.tif 000003
【表１−２】
2021527976.tif 000004
【表１−３】
2021527976.tif 000005
【表１−４】
2021527976.tif 000006
【０００７】
図１は、本開示の実施形態の一態様に基づく、例示的な無線アクセスネットワーク（ＲＡＮ）アーキテクチャである。この例に例示されているように、ＲＡＮノードは、次世代ノードＢ（ｇＮＢ）（例えば１２０Ａ、１２０Ｂ）であり得、第１の無線デバイス（例えば１１０Ａ）に向かう新無線（ＮＲ）ユーザプレーンおよび制御プレーンプロトコル終端を提供することができる。一例において、ＲＡＮノードは、次世代進化型ノードＢ（ｎｇ−ｅＮＢ）（例えば、１２４Ａ、１２４Ｂ）であってもよく、第２の無線デバイス（例えば、１１０Ｂ）に向かう進化型ＵＭＴＳ地上無線アクセス（Ｅ−ＵＴＲＡ）ユーザプレーンおよび制御プレーンプロトコル終端を提供することができる。第１の無線デバイスは、Ｕｕインターフェースを介してｇＮＢと通信することができる。第２の無線デバイスは、Ｕｕインターフェースを介してｎｇ−ｅＮＢと通信することができる。この開示では、無線デバイス１１０Ａおよび１１０Ｂは、構造的上、無線デバイス１１０と同様である。基地局１２０Ａおよび／または１２０Ｂは、構造上、基地局１２０と同様であり得る。基地局１２０は、ｇＮＢ（例えば１２２Ａおよび／または１２２Ｂ）、ｎｇ−ｅＮＢ（例えば１２４Ａおよび／または１２４Ｂ）、および／または同様のもの、のうちの少なくとも１つを備えることができる。
【０００８】
ｇＮＢまたはｎｇ−ｅＮＢは、無線リソース管理およびスケジューリング、ＩＰヘッダ圧縮、データの暗号化および保全性保護、ユーザ機器（ＵＥ）アタッチメントにおけるアクセスおよびモビリティ管理機能（ＡＭＦ）の選択、ユーザプレーンおよび制御プレーンデータのルーティング、接続設定および解放、（ＡＭＦから生み出された）ページングメッセージのスケジューリングおよび伝送、（ＡＭＦまたは運用およびメンテナンス（Ｏ＆Ｍ）から生み出された）システムブロードキャスト情報のスケジューリングおよび伝送、測定および測定レポート構成、アップリンク内のトランスポートレベルパケットマーキング、セッション管理、ネットワークスライシングのサポート、サービス品質（ＱｏＳ）フロー管理、およびデータ無線ベアラへのマッピング、ＲＲＣ＿ＩＮＡＣＴＩＶＥ状態にあるＵＥのサポート、非アクセス層（ＮＡＳ）メッセージのための分散機能、ＲＡＮ共有、およびデュアル接続、またはＮＲとＥ−ＵＴＲＡとの間の緊密なインターワーキングなどの機能をホストとして提供することができる。
【０００９】
一例において、１つ以上のｇＮＢおよび／または１つ以上のｎｇ−ｅＮＢは、Ｘｎインターフェースによって互いに相互接続することができる。ｇＮＢまたはｎｇ−ｅＮＢは、ＮＧインターフェースによって、５Ｇコアネットワーク（５ＧＣ）に接続することができる。一例において、５ＧＣは、１つ以上のＡＭＦ／ユーザ計画機能（ＵＰＦ）機能（例えば、１３０Ａまたは１３０Ｂ）を備えることができる。ｇＮＢまたはｎｇ−ｅＮＢは、ＮＧ−ユーザプレーン（ＮＧ−Ｕ）インターフェースによってＵＰＦに接続することができる。ＮＧ−Ｕインターフェースは、ＲＡＮノードとＵＰＦとの間にユーザプレーンプロトコルデータユニット（ＰＤＵ）の配信（例えば、非保証配信）を提供することができる。ｇＮＢまたはｎｇ−ｅＮＢは、ＮＧ−制御プレーン（ＮＧ−Ｃ）インターフェースによってＡＭＦに接続することができる。ＮＧ−Ｃインターフェースは、ＮＧインターフェース管理、ＵＥコンテキスト管理、ＵＥモビリティ管理、ＮＡＳメッセージのトランスポート、ページング、ＰＤＵセッション管理、構成転送、または警告メッセージ伝送などの機能を提供することができる。
【００１０】
一例において、ＵＰＦは、イントラ／インター無線アクセス技術（ＲＡＴ）モビリティ（適用可能な場合）のためのアンカーポイント、データネットワークとの相互接続の外部ＰＤＵセッションポイント、パケットルーティングおよびフォワーディング、ポリシールール強制のパケット検査およびユーザプレーン部、トラフィック使用レポート、データネットワークへのトラフィックフローのルーティングをサポートするためのアップリンク分類子、マルチホームＰＤＵセッションをサポートするための分岐ポイント、ユーザプレーンのためのＱｏＳ処理、例えばパケットフィルタリング、ゲーティング、アップリンク（ＵＬ）／ダウンリンク（ＤＬ）レート強制、アップリンクトラフィック検証（例えば、ＱｏＳフローマッピングへのサービスデータフロー（ＳＤＦ））、ダウンリンクパケットバッファリング、および／またはダウンリンクデータ通知トリガリングなどの機能をホストとして提供することができる。
【００１１】
一例において、ＡＭＦは、ＮＡＳシグナリング終端、ＮＡＳシグナリングセキュリティ、アクセス層（ＡＳ）セキュリティ制御、第３世代パートナーシッププロジェクト（３ＧＰＰ）アクセスネットワーク間のモビリティのためのインターコアネットワーク（ＣＮ）ノードシグナリング、アイドルモードＵＥ到達可能性（例えば、ページング再伝送の制御および実行）、登録エリア管理、システム内およびシステム間のモビリティのサポート、アクセス認証、ローミング権のチェックを含むアクセス認定、モビリティ管理制御（加入およびポリシー）、ネットワークスライシングのサポート、および／またはセッション管理機能（ＳＭＦ）選択などの機能をホストとして提供することができる。
【００１２】
図２Ａは、例示的ユーザプレーンプロトコルスタックであり、ここでは、サービスデータ適応プロトコル（ＳＤＡＰ）（例えば、２１１および２２１）、パケットデータコンバージェンスプロトコル（ＰＤＣＰ）（例えば、２１２および２２２）、無線リンク制御（ＲＬＣ）（例えば、２１３および２２３）ならびに媒体アクセス制御（ＭＡＣ）（例えば、２１４および２２４）サブレイヤ、ならびに物理（ＰＨＹ）（例えば、２１５および２２５）層は、ネットワーク側上の無線デバイス（例えば、１１０）およびｇＮＢ（例えば１２０）で終端することができる。一例において、ＰＨＹ層は、トランスポートサービスを上位層（例えば、ＭＡＣ、ＲＲＣなど）に提供する。一例において、ＭＡＣサブレイヤのサービスおよび機能は、論理チャネルとトランスポートチャネルとの間のマッピング、ＰＨＹ層へ／から送達されるトランスポートブロック（ＴＢ）へ／からの、１つまたは異なる論理チャネルに属するＭＡＣサービスデータユニット（ＳＤＵ）の多重化／分割化、スケジューリング情報レポート、ハイブリッド自動反復要求（ＨＡＲＱ）（例えば、キャリアアグリゲーション（ＣＡ）の場合は、キャリア当たり１つのＨＡＲＱエンティティ）を介する誤り訂正、動的スケジューリングによるＵＥ間の優先度処理、論理チャネル優先度付けによる１つのＵＥの論理チャネル間の優先度処理、および／またはパディングを含むことができる。ＭＡＣエンティティは、１つもしくは複数のヌメロロジ、および／または伝送タイミングをサポートすることができる。一例において、論理チャネル優先度付けにおけるマッピング制限により、論理チャネルがどのヌメロロジおよび／または伝送タイミングを使用することができるかを制御することができる。一例において、ＲＬＣサブレイヤは、トランスペアレントモード（ＴＭ）、非肯定モード（ＵＭ）、および肯定モード（ＡＭ）伝送モードをサポートすることができる。このＲＬＣ構成は、ヌメロロジおよび／または伝送時間間隔（ＴＴＩ）持続時間に依存せずに論理チャネル毎にあり得る。一例において、自動反復要求（ＡＲＱ）は、論理チャネルが構成されているいずれのヌメロロジおよび／またはＴＴＩ持続時間に関して動作することができる。一例において、ユーザプレーンのためのＰＤＣＰ層のサービスおよび機能は、シーケンスナンバリング、ヘッダ圧縮および解凍、ユーザデータの転送、リオーダリングおよび重複検出、ＰＤＣＰ  ＰＤＵルーティング（例えば、分割ベアラの場合）、ＰＤＣＰ  ＳＤＵの再伝送、暗号化、暗号解読および完全性保護、ＰＤＣＰ  ＳＤＵ破棄、ＲＬＣ  ＡＭのためのＰＤＣＰ再確立およびデータ回復、ならびに／またはＰＤＣＰ  ＰＤＵの複製を含むことができる。一例において、ＳＤＡＰのサービスおよび機能は、ＱｏＳフローとデータ無線ベアラとの間のマッピングを含むことができる。一例において、ＳＤＡＰのサービスおよび機能は、ＤＬパケットおよびＵＬパケットにおけるサービス品質インジケータ（ＱＦＩ）をマッピングすることを含むことができる。一例において、ＳＤＡＰのプロトコルエンティティは、個々のＰＤＵセッションのために構成することができる。
【００１３】
図２Ｂは、例示的制御プレーンプロトコルスタックであり、ここで、ＰＤＣＰ（例えば、２３３および２４２）、ＲＬＣ（例えば、２３４および２４３）、およびＭＡＣ（例えば、２３５および２４４）サブレイヤ、ならびにＰＨＹ（例えば、２３６および２４５）層は、ネットワーク側上の無線デバイス（例えば、１１０）およびｇＮＢ（例えば、１２０）で終端することができ、上述のサービスおよび機能を実行することができる。一例においては、ＲＲＣ（例えば、２３２および２４１）は、無線デバイス、およびネットワーク側上のｇＮＢで終端されてもよい。一例において、ＲＲＣのサービスおよび機能は、ＡＳおよびＮＡＳに関するシステム情報のブロードキャスト、５ＧＣまたはＲＡＮにより起動されるページング、ＵＥとＲＡＮとの間のＲＲＣ接続の確立、維持、および解放、シグナリング無線ベアラ（ＳＲＢ）およびデータ無線ベアラ（ＤＲＢ）のキー管理、確立、構成、メンテナンスおよび解放を含むセキュリティ機能、モビリティ機能、ＱｏＳ管理機能、ＵＥ測定レポートおよびそのレポートの制御、無線リンク障害の検出およびそこからの回復、ならびに／または、ＵＥからの／へのＮＡＳへ／からのＮＡＳメッセージ転送を含むことができる。一例において、ＮＡＳ制御プロトコル（例えば、２３１および２５１）は、無線デバイス、およびネットワーク側上のＡＭＦ（例えば、１３０）で終端されてもよく、ＵＥと、３ＧＰＰアクセスおよび非３ＧＰＰアクセスのためのＡＭＦとの間のモビリティ管理、ならびにＵＥと、３ＧＰＰアクセスおよび非３ＧＰＰアクセスのＳＭＦとの間のセッション管理などの機能を実行することができる。
【００１４】
一例において、基地局は、無線デバイスのための複数の論理チャネルを構成することができる。複数の論理チャネル内の論理チャネルは、無線ベアラに対応することができ、無線ベアラは、ＱｏＳ要件と関連付けることができる。一例において、基地局は、複数のＴＴＩ／ヌメロロジ中の１つ以上のＴＴＩ／ヌメロロジにマッピングされている論理チャネルを構成することができる。無線デバイスは、アップリンク許可を示す物理ダウンリンク制御チャネル（ＰＤＣＣＨ）を介して、ダウンリンク制御情報（ＤＣＩ）を受信することができる。一例において、アップリンク許可は、第１のＴＴＩ／ヌメロロジのためにあり得、トランスポートブロックの伝送のためのアップリンクリソースを示すことができる。基地局は、無線デバイスのＭＡＣ層で論理チャネル優先度付けプロシージャによって使用される１つ以上のパラメータを有する複数の論理チャネル内に各論理チャネルを構成することができる。その１つ以上のパラメータは、優先度、優先されたビットレートなどを含むことができる。複数の論理チャネル内の各論理チャネルは、その論理チャネルに関連付けられたデータを含む１つ以上のバッファに対応することができる。論理チャネル優先度付けプロシージャは、複数の論理チャネル、および／または１つ以上のＭＡＣ制御要素（ＣＥ）内の１つ以上の第１の論理チャネルにアップリンクリソースを割り当てることができる。この１つ以上の第１の論理チャネルは、第１のＴＴＩ／ヌメロロジにマッピングされることができる。無線デバイスでのＭＡＣ層は、ＭＡＣ  ＰＤＵ（例えば、トランスポートブロック）内で、１つ以上のＭＡＣ  ＣＥ、および／または１つ以上のＭＡＣ  ＳＤＵ（例えば、論理チャネル）を多重化することができる。一例において、ＭＡＣ  ＰＤＵは、複数のＭＡＣサブヘッダを含むＭＡＣヘッダを含むことができる。複数のＭＡＣサブヘッダ内のＭＡＣサブヘッダは、１つ以上のＭＡＣ  ＣＥ、および／または１つ以上のＭＡＣ  ＳＤＵ内のＭＡＣ  ＣＥまたはＭＡＣ  ＳＵＤ（論理チャネル）に対応することができる。一例において、ＭＡＣ  ＣＥまたは論理チャネルは、論理チャネル識別子（ＬＣＩＤ）を用いて構成されることができる。一例において、論理チャネルまたはＭＡＣ  ＣＥのためのＬＣＩＤは、固定／事前構成されることができる。一例において、論理チャネルまたはＭＡＣ  ＣＥのためのＬＣＩＤは、基地局により無線デバイスのために構成されることができる。ＭＡＣ  ＣＥまたはＭＡＣ  ＳＤＵに対応するＭＡＣサブヘッダは、ＭＡＣ  ＣＥまたはＭＡＣ  ＳＤＵと関連付けられたＬＣＩＤを含むことができる。
【００１５】
一例において、基地局は、１つ以上のＭＡＣコマンドを用いることによって、無線デバイスにおける１つ以上のプロセスを作動および／もしくは停止させ、ならびに／または影響を与えることができる（例えば、１つ以上のプロセスのうちの１つ以上のパラメータの設定値が、１つ以上のプロセスのうちの１つ以上のタイマを開始および／または中止させる）。この１つ以上のＭＡＣコマンドは、１つ以上のＭＡＣ制御要素を含むことができる。一例において、１つ以上のプロセスは、１つ以上の無線ベアラのためのＰＤＣＰパケット複製の作動および／または停止を含むことができる。基地局は、１つ以上のフィールドを含むＭＡＣ  ＣＥ、１つ以上の無線ベアラのためのＰＤＣＰ複製の作動および／または停止を示すフィールドの値を伝送することができる。一例において、１つ以上のプロセスは、１つ以上のセル上のチャネル状態情報（ＣＳＩ）伝送を含むことができる。基地局は、１つ以上のセル上のＣＳＩ伝送の作動および／または停止を示す１つ以上のＭＡＣ  ＣＥを伝送することができる。一例において、１つ以上のプロセスは、１つ以上のセカンダリセルの作動または停止を含んでもよい。一例において、基地局は、１つ以上のセカンダリセルの作動または停止を示すＭＡ  ＣＥを伝送することができる。一例において、基地局は、無線デバイスにおける１つ以上の間欠受信（ＤＲＸ）タイマの開始および／または中止を示す１つ以上のＭＡＣ  ＣＥを伝送することができる。一例において、基地局は、１つ以上のタイミングアドバンスグループ（ＴＡＧ）のための１つ以上のタイミングアドバンス値を示す１つ以上のＭＡＣ  ＣＥを伝送することができる。
【００１６】
図３は、基地局（基地局１、１２０Ａ、および基地局２、１２０Ｂ）および無線デバイス１１０のブロック図である。無線デバイスは、ＵＥと呼ばれることがある。基地局は、ＮＢ、ｅＮＢ、ｇＮＢ、および／またはｎｇ−ｅＮＢと呼ばれることがある。一例において、無線デバイスおよび／または基地局は、中継ノードとしての機能を果たすことができる。基地局１、１２０Ａは、少なくとも１つの通信インターフェース３２０Ａ（例えば、無線モデム、アンテナ、有線モデム、および／または同様のもの）と、少なくとも１つのプロセッサ３２１Ａと、非一過性メモリ３２２Ａ内に格納され、かつ少なくとも１つのプロセッサ３２１Ａによって実行可能なプログラムコード命令３２３Ａの少なくとも１つのセットと、を備えることができる。基地局２、１２０Ｂは、少なくとも１つの通信インターフェース３２０Ｂと、少なくとも１つのプロセッサ３２１Ｂと、非一過性メモリ３２２Ｂ内に格納され、かつ少なくとも１つのプロセッサ３２１Ｂによって実行可能なプログラムコード命令３２３Ｂの少なくとも１つのセットと、を備えることができる。
【００１７】
基地局は、多数のセクタ、例えば、１、２、３、４、または６つのセクタを含むことができる。基地局は、例えば、１〜５０以上の範囲の多数のセルを含むことができる。セルは、例えば、プライマリセルまたはセカンダリセルとしてカテゴリ化することができる。無線リソース制御（ＲＲＣ）接続確立／再確立／ハンドオーバにおいて、１つのサービングセルは、ＮＡＳ（非アクセス層）モビリティ情報（例えば、トラッキングエリア識別子（ＴＡＩ））を提供することができる。ＲＲＣ接続再確立／ハンドオーバにおいて、１つのサービングセルは、セキュリティ入力を提供することができる。このセルは、プライマリセル（ＰＣｅｌｌ）と呼ばれることがある。ダウンリンクでは、ＰＣｅｌｌに対応するキャリアは、ＤＬプライマリコンポーネントキャリア（ＰＣＣ）であり得、これに対して、アップリンクでは、キャリアは、ＵＬ  ＰＣＣであり得る。無線デバイス能力に応じて、セカンダリセル（ＳＣｅｌｌ）は、ＰＣｅｌｌと一緒にサービングセルのセットを形成するように構成することができる。ダウンリンクでは、ＳＣｅｌｌに対応するキャリアは、ダウンリンクセカンダリコンポーネントキャリア（ＤＬ  ＳＣＣ）であり得、これに対して、アップリンクでは、キャリアは、アップリンクセカンダリコンポーネントキャリア（ＵＬ  ＳＣＣ）であり得る。ＳＣｅｌｌには、アップリンクキャリアを有する場合と有しない場合がある。
【００１８】
ダウンリンクキャリアとオプションのアップリンクキャリアを含むセルには、物理セルＩＤとセルインデックスを割り当てることができる。キャリア（ダウンリンクまたはアップリンク）は、１つのセルに属することができる。セルＩＤまたはセルインデックスはまた、セルのダウンリンクキャリアまたはアップリンクキャリアを識別することもできる（その状況に応じて、それは、使用される）。本開示では、セルＩＤは、同様に、キャリアＩＤと呼ばれることがあり、セルインデックスは、キャリアインデックスと呼ばれることがある。一実施形態では、物理セルＩＤまたはセルインデックスをセルに割り当てることができる。セルＩＤは、ダウンリンクキャリア上に伝送される同期信号を使用して判定することができる。セルインデックスは、ＲＲＣメッセージを使用して判定することができる。例えば、本開示が第１のダウンリンクキャリアに対する第１の物理セルＩＤに言及する場合、本開示は、第１の物理セルＩＤが、第１のダウンリンクキャリアを含むセルに対するものであることを意味し得る。同じ概念は、例えば、キャリア作動に当てはまり得る。本開示が第１のキャリアが作動されることを示す場合、本明細書は、第１のキャリアを含むセルが作動されることを同様に意味し得る。
【００１９】
基地局は、１つ以上のセルに対する複数の構成パラメータを含む１つ以上のメッセージ（例えば、ＲＲＣメッセージ）を無線デバイスに伝送することができる。１つ以上のセルは、少なくとも１つのプライマリセル、および少なくとも１つのセカンダリセルを含むことができる。一例において、ＲＲＣメッセージは、無線デバイスにブロードキャストまたはユニキャストすることができる。一例において、構成パラメータは、共通パラメータおよび専用パラメータを含むことができる。
【００２０】
ＲＲＣサブレイヤのサービスおよび／もしくは機能は、ＡＳおよびＮＡＳに関するシステム情報のブロードキャスト、５ＧＣおよび／もしくはＮＧ−ＲＡＮにより開始されたページング、無線デバイスとＮＧ−ＲＡＮとの間のＲＲＣ接続の確立、維持、および／もしくは解放であってそれらがキャリアアグリゲーションの追加、修正、および解放のうちの少なくとも１つを含み得るもの、または、ＮＲ内、もしくはＥ−ＵＴＲＡとＮＲとの間のデュアル接続の解放、のうちの少なくとも１つを含むことができる。ＲＲＣサブレイヤのサービスおよび／または機能は、キー管理を含むセキュリティ機能のうちの少なくとも１つ、シグナリング無線ベアラ（ＳＲＢ）および／もしくはデータ無線ベアラ（ＤＲＢ）の確立、構成、維持、および／もしくは解放、ハンドオーバ（例えば、ＮＲモビリティ内またはＲＡＴ間モビリティ）およびコンテキスト転送のうちの少なくとも１つを含み得るモビリティ機能、または、無線デバイスセル選択および再選択、ならびにセル選択および再選択の制御をさらに含むことができる。ＲＲＣサブレイヤのサービスおよび／または機能は、ＱｏＳ管理機能、無線デバイス測定構成／レポート、無線リンク障害の検出および／もしくはそこからの回復、または、無線デバイスから／へのコアネットワークエンティティ（例えば、ＡＭＦ、モビリティ管理エンティティ（ＭＭＥ））へ／からのＮＡＳメッセージ転送、のうちの少なくとも１つをさらに含むことができる。
【００２１】
ＲＲＣサブレイヤは、無線デバイスに対してＲＲＣ＿Ｉｄｌｅ状態、ＲＲＣ＿Ｉｎａｃｔｉｖｅ状態、および／またはＲＲＣ＿Ｃｏｎｎｅｃｔｅｄ状態をサポートすることができる。ＲＲＣ＿Ｉｄｌｅ状態では、無線デバイスは、パブリックランドモバイルネットワーク（ＰＬＭＮ）選択、ブロードキャストされたシステム情報の受信、セル選択／再選択、５ＧＣにより開始されたモバイル終端データに対するページングのモニタ／受信、５ＧＣにより管理されたモバイル終端データエリアに対するページング、またはＮＡＳを介して構成されたＣＮページングに対するＤＲＸ、のうちの少なくとも１つを実行することができる。ＲＲＣ＿Ｉｎａｃｔｉｖｅ状態では、無線デバイスは、ブロードキャストされたシステム情報の受信、セル選択／再選択、ＮＧ−ＲＡＮ／５ＧＣにより開始されたＲＡＮ／ＣＮページングのモニタ／受信、ＮＧ−ＲＡＮにより管理されたＲＡＮベース通知エリア（ＲＮＡ）、または、ＮＧ−ＲＡＮ／ＮＡＳにより構成されたＲＡＮ／ＣＮページングに対するＤＲＸ、のうちの少なくとも１つを実行することができる。無線デバイスのＲＲＣ＿Ｉｄｌｅ状態では、基地局（例えば、ＮＧ−ＲＡＮ）は、無線デバイスに対する５ＧＣ−ＮＧ−ＲＡＮ接続（Ｃ／Ｕ−プレーンの両方）を保持することができ、および／または無線デバイスに対するＵＥ  ＡＳコンテキストを保存することができる。無線デバイスのＲＲＣ＿Ｃｏｎｎｅｃｔｅｄ状態では、基地局（例えば、ＮＧ−ＲＡＮ）は、無線デバイスに対する５ＧＣ−ＮＧ−ＲＡＮ接続（Ｃ／Ｕ−プレーンの両方）の確立、無線デバイスに対するＵＥ  ＡＳコンテキストの保存、無線デバイスへの／からのユニキャストデータの伝送／受信、または、無線デバイスから受信された測定結果に基づくネットワーク制御されたモビリティ、のうちの少なくとも１つを実行することができる。無線デバイスのＲＲＣ＿Ｃｏｎｎｅｃｔｅｄ状態では、ＮＧ−ＲＡＮは、無線デバイスが属するセルを知ることができる。
【００２２】
システム情報（ＳＩ）は、最小ＳＩおよび他のＳＩに分割することができる。最小ＳＩは、周期的にブロードキャストすることができる。最小ＳＩは、初期アクセスのために必要である基本情報、および任意の他のＳＩブロードキャストを周期的に取得するための情報、または要求に応じて準備された情報、すなわちスケジューリング情報を含むことができる。他のＳＩは、専用の様式でブロードキャストまたは設定のいずれかを行うことができ、ネットワークまたは無線デバイスからの要求のいずれかによって、トリガすることができる。最小ＳＩは、異なるメッセージ（例えば、ＭａｓｔｅｒＩｎｆｏｒｍａｔｉｏｎＢｌｏｃｋおよびＳｙｓｔｅｍＩｎｆｏｒｍａｔｉｏｎＢｌｏｃｋＴｙｐｅ１）を使用して２つの異なるダウンリンクチャネルを介して伝送することができる。別のＳＩは、ＳｙｓｔｅｍＩｎｆｏｒｍａｔｉｏｎＢｌｏｃｋＴｙｐｅ２を介して伝送することができる。ＲＲＣ＿Ｃｏｎｎｅｃｔｅｄ状態にある無線デバイスの場合、専用ＲＲＣシグナリングは、他のＳＩの要求および送達の場合に用いることができる。ＲＲＣ＿Ｉｄｌｅ状態および／またはＲＲＣ＿Ｉｎａｃｔｉｖｅ状態にある無線デバイスの場合、要求は、ランダムアクセスプロシージャをトリガすることができる。
【００２３】
無線デバイスは、静的であり得る、その無線アクセス能力情報をレポートすることができる。基地局は、無線デバイスが帯域情報に基づいてレポートする能力がどれほどかについて要求することができる。ネットワークによって許可される場合、一時的な能力制限要求を無線デバイスによって送信して、（例えば、ハードウェアの共有、干渉、またはオーバーヒートのため）いくつかの能力の可用性が制限されていることを基地局に知らせることができる。基地局は、その要求を確認または拒否することができる。一時的な能力制限は、５ＧＣに対してトランスペアレントであり得る（例えば、静的能力は、５ＧＣにおいて保存され得る）。
【００２４】
ＣＡが構成されている場合、無線デバイスは、ネットワークとのＲＲＣ接続を有することができる。ＲＲＣ接続確立／再確立／ハンドオーバプロシージャでは、１つのサービングセルが、ＮＡＳモビリティ情報を提供することができ、ＲＲＣ接続再確立／ハンドオーバでは、１つのサービングセルが、セキュリティ入力を提供することができる。このセルは、ＰＣｅｌｌと呼ばれることがある。無線デバイスの能力に応じて、ＳＣｅｌｌは、ＰＣｅｌｌと一緒にサービングセルのセットを形成するように構成することができる。無線デバイスのために構成されたサービングセルのセットは、１つのＰＣｅｌｌ、および１つ以上のＳＣｅｌｌを含むことができる。
【００２５】
ＳＣｅｌｌの再構成、追加、および削除は、ＲＲＣによって実行することができる。ＮＲ内ハンドオーバにおいて、ＲＲＣはまた、ターゲットＰＣｅｌｌとの使用のために、ＳＣｅｌｌを追加、削除、または再構成することもできる。新しいＳＣｅｌｌを追加する場合、専用ＲＲＣシグナリングを用いて、ＳＣｅｌｌのすべての必要なシステム情報を送信することができ、すなわち、接続モードにある間は、無線デバイスは、ブロードキャストされたシステム情報を、ＳＣｅｌｌから直接取得する必要がない場合がある。
【００２６】
ＲＲＣ接続再構成プロシージャの目的は、ＲＲＣ接続を変更すること、（例えば、ＲＢを確立、変更、および／または解放すること、ハンドオーバを実行すること、測定を設定、変更、および／または解放すること、ＳＣｅｌｌおよびセルグループを追加、変更、および／または解放すること）であり得る。ＲＲＣ接続再構成プロシージャの一部として、ＮＡＳ専用情報を、ネットワークから無線デバイスに転送することができる。ＲＲＣＣｏｎｎｅｃｔｉｏｎＲｅｃｏｎｆｉｇｕｒａｔｉｏｎメッセージは、ＲＲＣ接続を変更するためのコマンドであり得る。それは、任意の関連付けられた専用ＮＡＳ情報およびセキュリティ構成を含む測定構成、モビリティ制御、無線リソース構成（例えば、ＲＢ、ＭＡＣの主要な構成および物理チャネル構成）のための情報を伝達することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＲｅｌｅａｓｅＬｉｓｔを含む場合、無線デバイスは、ＳＣｅｌｌ解放を実行することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＡｄｄＭｏｄＬｉｓｔを含む場合、無線デバイスは、ＳＣｅｌｌ追加または変更を実行することができる。
【００２７】
ＲＲＣ接続確立（または再確立、再開）プロシージャとは、ＲＲＣ接続を確立（または再確立、再開）することであり得、ＲＲＣ接続確立プロシージャは、ＳＲＢ１確立を含むことができる。ＲＲＣ接続確立プロシージャを使用して、無線デバイスからＥ−ＵＴＲＡＮに初期ＮＡＳ専用情報／メッセージを転送することができる。ＲＲＣＣｏｎｎｅｃｔｉｏｎＲｅｅｓｔａｂｌｉｓｈｍｅｎｔメッセージを使用して、ＳＲＢ１を再確立することができる。
【００２８】
測定レポートプロシージャとは、無線デバイスからＮＧ−ＲＡＮに測定結果を転送することであり得る。無線デバイスは、正常なセキュリティ作動の後に測定レポートプロシージャを開始することができる。測定レポートメッセージを用いて、測定結果を伝送することができる。
【００２９】
無線デバイス１１０は、少なくとも１つの通信インターフェース３１０（例えば、無線モデム、アンテナ、および／または同様のもの）と、少なくとも１つのプロセッサ３１４と、非一過性メモリ３１５内に格納され、かつ少なくとも１つのプロセッサ３１４により実行可能なプログラムコード命令３１６の少なくとも１つのセットと、を備えることができる。この無線デバイス１１０は、少なくとも１つのスピーカ／マイクロフホン３１１、少なくとも１つのキーパッド３１２、少なくとも１つのディスプレイ／タッチパッド３１３、少なくとも１つの電源３１７、少なくとも１つの全地球測位システム（ＧＰＳ）チップセット３１８、および他の周辺装置３１９、のうちの少なくとも１つをさらに備えることができる。
【００３０】
無線デバイス１１０のプロセッサ３１４、基地局１、１２０Ａのプロセッサ３２１Ａ、および／または基地局２、１２０Ｂのプロセッサ３２１Ｂは、汎用プロセッサ、デジタル信号プロセッサ（ＤＳＰ）、コントローラ、マイクロコントローラ、特定用途向け集積回路（ＡＳＩＣ）、フィールドプログラマブルゲートアレイ（ＦＰＧＡ）および／または他のプログラマブル論理デバイス、ディスクリートゲートおよび／またはトランジスタ論理回路、ディスクリートハードウェアコンポーネント、ならびに同様のもの、のうちの少なくとも１つを備えることができる。無線デバイス１１０のプロセッサ３１４、基地局１、１２０Ａ内のプロセッサ３２１Ａ、および／もしくは基地局２、１２０Ｂ内のプロセッサ３２１Ｂは、信号符号化／処理、データ処理、パワー制御、入力／出力処理、ならびに／または、無線デバイス１１０、基地局１、１２０Ａ、および／もしくは基地局２、１２０Ｂを無線環境で動作させることができる任意の他の機能性、のうちの少なくとも１つを実行することができる。
【００３１】
無線デバイス１１０のプロセッサ３１４は、スピーカ／マイクロフォン３１１、キーパッド３１２、および／またはディスプレイ／タッチパッド３１３に接続することができる。プロセッサ３１４は、スピーカ／マイクロホン３１１、キーパッド３１２および／もしくはディスプレイ／タッチパッド３１３からユーザ入力データを受信し、ならびに／またはユーザ出力データをこれらに提供することができる。無線デバイス１１０内のプロセッサ３１４は、電源３１７からパワーを受信することができ、および／またはそのパワーを無線デバイス１１０内の他のコンポーネントに分配するように構成することができる。電源３１７は、１つ以上の乾電池、太陽電池、燃料電池、および同様のもの、のうちの少なくとも１つを備えることができる。プロセッサ３１４は、ＧＰＳチップセット３１８に接続することができる。ＧＰＳチップセット３１８は、無線デバイス１１０の地理学的位置情報を提供するように構成することができる。
【００３２】
無線デバイス１１０のプロセッサ３１４は、他の周辺装置３１９にさらに接続することができ、その周辺装置は、追加の特徴および／または機能性を提供する１つ以上のソフトウェアおよび／またはハードウェアモジュールを備えることができる。例えば、周辺装置３１９は、加速度計、衛星送受信機、デジタルカメラ、ユニバーサルシリアルバス（ＵＳＢ）ポート、ハンズフリーヘッドセット、周波数変調（ＦＭ）無線ユニット、メディアプレーヤー、インターネットブラウザ、および同様のもの、のうちの少なくとも１つを備えることができる。
【００３３】
基地局１、１２０Ａの通信インターフェース３２０Ａ、および／または基地局２、１２０Ｂの通信インターフェース３２０Ｂは、それぞれ無線リンク３３０Ａおよび／または無線リンク３３０Ｂを介して無線デバイス１１０の通信インターフェース３１０と通信するように構成することができる。一例において、基地局１、１２０Ａの通信インターフェース３２０Ａは、基地局２の通信インターフェース３２０Ｂ、ならびに他のＲＡＮおよびコアネットワークノードと通信することができる。
【００３４】
無線リンク３３０Ａおよび／または無線リンク３３０Ｂは、双方向リンクおよび／または方向性リンクのうちの少なくとも１つを含むことができる。無線デバイス１１０の通信インターフェース３１０は、基地局１、１２０Ａの通信インターフェース３２０Ａと、および／または基地局２、１２０Ｂの通信インターフェース３２０Ｂと通信するように構成することができる。基地局１、１２０Ａおよび無線デバイス１１０、ならびに／または、基地局２、１２０Ｂおよび無線デバイス１１０は、それぞれ、無線リンク３３０Ａを介して、および／または無線リンク３３０Ｂを介して、トランスポートブロックを送信および受信するように構成することができる。無線リンク３３０Ａおよび／または無線リンク３３０Ｂは、少なくとも１つの周波数キャリアを用いることができる。実施形態のいくつかの様々な態様によれば、送受信機（複数可）を用いることができる。送受信機は、送信機および受信機の両方を含むデバイスであり得る。送受信機は、無線デバイス、基地局、中継ノード、および／または同等物などのデバイス内で用いることができる。通信インターフェース３１０、３２０Ａ、３２０Ｂ、および無線リンク３３０Ａ、３３０Ｂにおいて実施される無線技術の例示的な実施形態が、図４Ａ、図４Ｂ、図４Ｃ、図４Ｄ、図６、図７Ａ、図７Ｂ、図８、および関連する文脈に例示されている。
【００３５】
一例において、無線ネットワーク内の他のノード（例えば、ＡＭＦ、ＵＰＦ、ＳＭＦなど）は、１つ以上の通信インターフェース、１つ以上のプロセッサ、および、命令を格納するメモリを備えることができる。
【００３６】
ノード（例えば、無線デバイス、基地局、ＡＭＦ、ＳＭＦ、ＵＰＦ、サーバ、スイッチ、アンテナ、および／またはその同様のもの）は、１つ以上のプロセッサと、１つ以上のプロセッサによって実行されたときに、そのノードに特定のプロセスおよび／または機能を実行させる命令を格納するメモリと、を含むことができる。例示的な実施形態は、単一キャリアおよび／またはマルチキャリア通信の動作を可能にすることができる。他の例示的な実施形態は、単一キャリアおよび／またはマルチキャリア通信の動作を生じさせるために、１つ以上のプロセッサにより実行可能な命令を含む、非一過性有形コンピュータ可読媒体を備えることができる。さらに他の例示的な実施形態は、非一過性有形コンピュータ可読機械アクセス可能媒体を含む製品を含むことができ、この媒体は、プログラム可能なハードウェアが、ノードに単一キャリアおよび／またはマルチキャリア通信の動作を可能にさせることを可能にするための、そこに符号化された命令を有する。ノードは、プロセッサ、メモリ、インターフェース、および／または同様のものを備えることができる。
【００３７】
インターフェースは、ハードウェアインターフェース、ファームウェアインターフェース、ソフトウェアインターフェース、のうちの少なくとも１つ、および／またはこれらの組み合わせを備えることができる。ハードウェアインターフェースは、コネクタ、ワイヤ、ドライバなどの電子デバイス、増幅器、および／または同様のものを備えることができる。ソフトウェアインターフェースは、プロトコル（複数可）、プロトコル層、通信ドライバ、デバイスドライバ、それらの組み合わせ、および／または同様のものを実装するようにメモリデバイス内に格納されたコードを含むことができる。ファームウェアインターフェースは、組み込み型ハードウェアと、メモリデバイス内に格納され、かつ／またはそれと通信するコードとの組み合わせを含み、接続、電子デバイス動作、プロトコル（複数可）、プロトコル層、通信ドライバ、デバイスドライバ、ハードウェア動作、これらの組み合わせ、および／または同様のものを実装することができる。
【００３８】
図４Ａ、図４Ｂ、図４Ｃ、および図４Ｄは、本開示の実施形態の一態様に基づく、アップリンクおよびダウンリンク信号伝送の場合の例示的な略図である。図４Ａは、少なくとも１つの物理チャネルの例示的なアップリンク送信機を示す。物理アップリンク共有チャネルを代表するベースバンド信号は、１つ以上の機能を実行することができる。この１つ以上の機能は、スクランブリング、複素数値シンボルを生成するためのスクランブルビットの変調、１つまたはいくつかの伝送層上への複素数値変調シンボルのマッピング、複素数値シンボルを生成するための変換プリコーディング、複素数値シンボルのプリコーディング、プリコーディングされた複素数値シンボルのリソース要素へのマッピング、複素数値時間領域単一キャリア周波数分割多元接続（ＳＣ−ＦＤＭＡ）またはＣＰ−ＯＦＤＭ信号のアンテナポートへの生成、および／または同様のもの、のうちの少なくとも１つを含むことができる。一例において、変換プリコーディングが有効である場合は、アップリンク伝送のためのＳＣ−ＦＤＭＡ信号が生成され得る。一例において、変換プリコーディングが有効でない場合は、図４Ａによって、アップリンク伝送のためのＣＰ−ＯＦＤＭ信号が生成され得る。これらの機能は、例として例解されており、他のメカニズムが様々な実施形態において実装され得ることが想定される。
【００３９】
アンテナポートに対する複素数値ＳＣ−ＦＤＭＡまたはＣＰ−ＯＦＤＭベースバンド信号、および／または複素数値物理ランダムアクセスチャネル（ＰＲＡＣＨ）ベースバンド信号のキャリア周波数に対する変調およびアップコンバージョンの場合の例示的構造が、図４Ｂに示されている。伝送前にフィルタリングを用いることができる。
【００４０】
ダウンリンク伝送のための例示的構造が、図４Ｃに示されている。ダウンリンク物理チャネルを表すベースバンド信号は、１つ以上の機能を実行することができる。この１つ以上の機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上での伝送するための各層上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含むことができる。これらの機能は、例として例解されており、他のメカニズムが様々な実施形態において実装され得ることが想定される。
【００４１】
一例において、ｇＮＢは、アンテナポート上の第１のシンボルおよび第２のシンボルを無線デバイスに伝送することができる。この無線デバイスは、アンテナポート上の第１のシンボルを伝達するためのチャネルから、アンテナポート上の第２のシンボルを伝達するためのチャネル（例えば、フェージング利得、マルチパス遅延など）を推測することができる。一例において、第１のアンテナポートおよび第２のアンテナポートは、第１のアンテナポート上の第１のシンボルが伝達されるチャネルの１つ以上の大規模な特性が、第２のアンテナポート上の第２のシンボルが伝達されるチャネルから推測され得る場合に、おおよそ同じ場所に配置されることができる。１つ以上の大規模な特性は、遅延拡散、ドップラー拡散、ドップラーシフト、平均利得、平均遅延、および／または空間受信（Ｒｘ）パラメータのうちの少なくとも１つを含むことができる。
【００４２】
アンテナポートの複素数値ＯＦＤＭベースバンド信号のキャリア周波数に対する例示的な変調およびアップコンバージョンが、図４Ｄに示されている。伝送前にフィルタリングを用いることができる。
【００４３】
図５Ａは、例示的なアップリンクチャネルマッピングおよび例示的なアップリンク物理信号の略図である。図５Ｂは、例示的なダウンリンクチャネルマッピングおよびダウンリンク物理信号の略図である。一例において、物理層は、１つ以上の情報転送サービスを、ＭＡＣおよび／または１つ以上の上位層に提供することができる。例えば、物理層は、１つ以上のトランスポートチャネルを介して１つ以上の情報転送サービスをＭＡＣに提供することができる。情報転送サービスは、特性データが無線インターフェースにわたってどのように、また何と一緒に転送されるかを示すことができる。
【００４４】
例示的な実施形態において、無線ネットワークは、１つ以上のダウンリンクおよび／またはアップリンクトランスポートチャネルを含むことができる。例えば、図５Ａの略図は、アップリンク共有チャネル（ＵＬ−ＳＣＨ）５０１およびランダムアクセスチャネル（ＲＡＣＨ）５０２を含む例示的なアップリンクトランスポートチャネルを示す。図５Ｂの略図は、ダウンリンク共有チャネル（ＤＬ−ＳＣＨ）５１１、ページングチャネル（ＰＣＨ）５１２、およびブロードキャストチャネル（ＢＣＨ）５１３を含む例示的なダウンリンクトランスポートチャネルを示す。トランスポートチャネルは、１つ以上の対応する物理チャネルにマッピングすることができる。例えば、ＵＬ−ＳＣＨ５０１は、物理アップリンク共有チャネル（ＰＵＳＣＨ）５０３にマッピングすることができる。ＲＡＣＨ５０２は、ＰＲＡＣＨ５０５にマッピングすることができる。ＤＬ−ＳＣＨ５１１およびＰＣＨ５１２は、物理ダウンリンク共有チャネル（ＰＤＳＣＨ）５１４にマッピングすることができる。ＢＣＨ５１３は、物理ブロードキャストチャネル（ＰＢＣＨ）５１６にマッピングすることができる。
【００４５】
対応するトランスポートチャネルを有さない１つ以上の物理チャネルが存在する場合がある。この１つ以上の物理チャネルは、アップリンク制御情報（ＵＣＩ）５０９および／またはダウンリンク制御情報（ＤＣＩ）５１７に対して用いることができる。例えば、物理アップリンク制御チャネル（ＰＵＣＣＨ）５０４は、ＵＥから基地局にＵＣＩ５０９を搬送することができる。例えば、物理ダウンリンク制御チャネル（ＰＤＣＣＨ）５１５は、基地局からＵＥにＤＣＩ５１７を搬送することができる。ＮＲは、ＵＣＩ５０９およびＰＵＳＣＨ５０３伝送がスロット内で少なくとも部分的に一致し得る場合、ＰＵＳＣＨ５０３においてＵＣＩ５０９多重化をサポートすることができる。ＵＣＩ５０９は、ＣＳＩ、肯定応答（ＡＣＫ）／否定肯定応答（ＮＡＣＫ）、および／またはスケジューリング要求のうちの少なくとも１つを含むことができる。ＰＤＣＣＨ５１５上のＤＣＩ５１７は、以下の、１つ以上のダウンリンク割り当て、および／または１つ以上のアップリンクスケジューリング許可のうちの少なくとも１つを示すことができる。
【００４６】
アップリンクでは、ＵＥは、１つ以上の基準信号（ＲＳ）を基地局に伝送することができる。例えば、１つ以上のＲＳは、復調−ＲＳ（ＤＭ−ＲＳ）５０６、位相トラッキング−ＲＳ（ＰＴ−ＲＳ）５０７、および／またはサウンディングＲＳ（ＳＲＳ）５０８のうちの少なくとも１つであり得る。ダウンリンクでは、基地局は、１つ以上のＲＳをＵＥに伝送（例えば、ユニキャスト、マルチキャスト、および／またはブロードキャスト）することができる。例えば、１つ以上のＲＳは、プライマリ同期信号（ＰＳＳ）／セカンダリ同期信号（ＳＳＳ）５２１、ＣＳＩ−ＲＳ５２２、ＤＭ−ＲＳ５２３、および／またはＰＴ−ＲＳ５２４のうちの少なくとも１つとすることができる。
【００４７】
一例において、ＵＥは、チャネル推定のため、例えば、１つ以上のアップリンク物理チャネル（例えば、ＰＵＳＣＨ５０３および／またはＰＵＣＣＨ５０４）のコヒーレント復調のために、１つ以上のアップリンクＤＭ−ＲＳ５０６を基地局に伝送することができる。例えば、ＵＥは、ＰＵＳＣＨ５０３および／またはＰＵＣＣＨ５０４を用いて少なくとも１つのアップリンクＤＭ−ＲＳ５０６を基地局に伝送することができ、少なくとも１つのアップリンクＤＭ−ＲＳ５０６は、対応する物理チャネルと同じ周波数範囲に及ぶことがある。一例において、基地局は、１つ以上のアップリンクＤＭ−ＲＳ構成を有するＵＥを構成することができる。少なくとも１つのＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）上にマッピングすることができる。１つ以上の追加のアップリンクＤＭ−ＲＳは、ＰＵＳＣＨおよび／またはＰＵＣＣＨの１つ以上のシンボルで伝送するように構成することができる。基地局は、ＰＵＳＣＨおよび／またはＰＵＣＣＨのための先行ＤＭ−ＲＳシンボルの最大数を用いてＵＥを準統計学的に構成することができる。例えば、ＵＥは、先行ＤＭ−ＲＳシンボルの最大数に基づいて、単一シンボルＤＭ−ＲＳおよび／または二重シンボルＤＭ−ＲＳをスケジュールすることができ、基地局は、ＰＵＳＣＨおよび／またはＰＵＣＣＨのための１つ以上の追加のアップリンクＤＭ−ＲＳを用いてＵＥを構成することができる。新しい無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００４８】
一例において、アップリンクＰＴ−ＲＳ５０７が存在するか否かは、ＲＲＣ構成に依存し得る。例えば、アップリンクＰＴ−ＲＳの存在は、ＵＥ固有に構成することができる。例えば、スケジュールされたリソース内のアップリンクＰＴ−ＲＳ５０７の存在および／またはパターンは、ＲＲＣシグナリング、および／または、ＤＣＩによって示され得る他の目的（例えば、変調およびコーディング方式（ＭＣＳ））のために用いられる１つ以上のパラメータとの関連付けの組み合わせによってＵＥ固有に構成することができる。アップリンクＰＴ−ＲＳ５０７の動的存在は、それが構成される場合、少なくともＭＣＳを含む１つ以上のＤＣＩパラメータと関連付けることができる。無線ネットワークは、時間／周波数領域で画定される複数のアップリンクＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、アップリンクＰＴ−ＲＳ５０７は、ＵＥのためのスケジュールされた時間／周波数持続時間内に制限される場合がある。
【００４９】
一例において、ＵＥは、アップリンクチャネル依存スケジューリングおよび／またはリンク適応をサポートするチャネル状態推定のために、基地局に、ＳＲＳ５０８を伝送することができる。例えば、ＵＥによって伝送されたＳＲＳ５０８は、基地局が１つ以上の異なる周波数におけるアップリンクチャネル状態を推定することを可能にすることができる。基地局スケジューラは、アップリンクチャネル状態を用いて、ＵＥからアップリンクＰＵＳＣＨ伝送のために良好な品質の１つ以上のリソースブロックを割り当てることができる。基地局は、１つ以上のＳＲＳリソースセットを用いてＵＥを準統計学的に構成することができる。ＳＲＳリソースセットの場合、基地局は、１つ以上のＳＲＳリソースを用いてＵＥを構成することができる。ＳＲＳリソースセットの適用可能性は、上位層（例えば、ＲＲＣ）のパラメータによって構成されることができる。例えば、上位層パラメータがビーム管理を示す場合、１つ以上のＳＲＳリソースセットの各々の中のＳＲＳリソースを一度に伝送することができる。ＵＥは、異なるＳＲＳリソースセット内に１つ以上のＳＲＳリソースを同時に伝送することができる。新しい無線ネットワークは、非周期的、周期的、かつ／または半永続的なＳＲＳ伝送をサポートすることができる。ＵＥは、１つ以上のトリガタイプに基づいてＳＲＳリソースを伝送することができ、その１つ以上のトリガタイプは、上位層シグナリング（例えば、ＲＲＣ）、および／または１つ以上のＤＣＩフォーマット（例えば、少なくとも１つのＤＣＩフォーマットを用いて、ＵＥが、１つ以上の構成されたＳＲＳリソースセットのうちの少なくとも１つを選択することができる）を含むことができる。ＳＲＳトリガタイプ０は、上位層のシグナリングに基づいてトリガされたＳＲＳを指し得る。ＳＲＳトリガタイプ１は、１つ以上のＤＣＩフォーマットに基づいてトリガされたＳＲＳを指し得る。一例において、ＰＵＳＣＨ５０３およびＳＲＳ５０８が同じスロットで伝送される場合、ＵＥは、ＰＵＳＣＨ５０３および対応するアップリンクＤＭ−ＲＳ５０６の伝送後にＳＲＳ５０８を伝送するように構成されることができる。
【００５０】
一例において、基地局は、以下のうちの少なくとも１つを示す１つ以上のＳＲＳ構成パラメータを用いてＵＥを準統計学的に構成することができ、それらの構成パラメータは、ＳＲＳリソース構成識別子、ＳＲＳポート数、ＳＲＳリソース構成の時間領域挙動（例えば、周期的、半永続的、または非周期的なＳＲＳの表示）、周期的および／または非周期的ＳＲＳリソースのためのスロット（ミニスロット、および／またはサブフレーム）レベル周期性および／またはオフセット、ＳＲＳリソース内のＯＦＤＭシンボル数、ＳＲＳリソースのＯＦＤＭシンボル開始、ＳＲＳ帯域幅、周波数ホッピング帯域幅、サイクリックシフト、および／またはＳＲＳシーケンスＩＤである。
【００５１】
一例において、ある時間領域では、ＳＳ／ＰＢＣＨブロックは、ＳＳ／ＰＢＣＨブロック内に１つ以上のＯＦＤＭシンボル（例えば、０〜３まで増加順で番号付けられた４つのＯＦＤＭシンボル）を含むことができる。ＳＳ／ＰＢＣＨブロックは、ＰＳＳ／ＳＳＳ５２１およびＰＢＣＨ５１６を含むことができる。一例において、周波数領域では、ＳＳ／ＰＢＣＨブロックは、ＳＳ／ＰＢＣＨブロック内部に１つ以上の連続サブキャリア（例えば、０〜２３９まで増加順で番号付けられたサブキャリアを伴う２４０個の連続サブキャリア）を含むことができる。例えば、ＰＳＳ／ＳＳＳ５２１は、１個のＯＦＤＭシンボル、および１２７個のサブキャリアを占有し得る。例えば、ＰＢＣＨ５１６は、３個のＯＦＤＭシンボル、および２４０個のサブキャリアにまたがり得る。ＵＥは、同じブロックインデックスを用いて伝送された１つ以上のＳＳ／ＰＢＣＨブロックが、例えば、ドップラー拡散、ドップラーシフト、平均利得、平均遅延、および空間Ｒｘパラメータに関して、おおよそ同じ位置に配置され得ることを想定することができる。ＵＥは、他のＳＳ／ＰＢＣＨブロック伝送の場合、おおよそ同じ位置の配置を想定することはできない。ＳＳ／ＰＢＣＨブロックの周期性は、無線ネットワーク（例えば、ＲＲＣシグナリングによる）によって構成されることができ、ＳＳ／ＰＢＣＨブロックを送信することができる１つ以上の時間場所は、サブキャリア間隔によって決定されることができる。一例において、無線ネットワークが、異なるサブキャリア間隔を想定するようにＵＥを構成しない限り、ＵＥは、ＳＳ／ＰＢＣＨブロックの帯域固有のサブキャリア間隔を想定することができる。
【００５２】
一例において、ダウンリンクＣＳＩ−ＲＳ５２２を用いて、ＵＥがチャネル状態情報を取得することができる。無線ネットワークは、ダウンリンクＣＳＩ−ＲＳ５２２の周期的、非周期的、および／または半永続的な伝送をサポートすることができる。例えば、基地局は、ダウンリンクＣＳＩ−ＲＳ５２２の周期的伝送を用いてＵＥを準統計学的に構成および／または再構成することができる。構成されたＣＳＩ−ＲＳリソースは、作動および／または停止させることができる。半永続的な伝送の場合、ＣＳＩ−ＲＳリソースの作動および／または停止は、動的にトリガすることができる。一例において、ＣＳＩ−ＲＳ構成は、少なくともアンテナポート数を示す１つ以上のパラメータを含むことができる。例えば、基地局は、３２個のポートを有するＵＥを構成することができる。基地局は、１つ以上のＣＳＩ−ＲＳリソースセットを有するＵＥを準統計学的に構成することができる。１つ以上のＣＳＩ−ＲＳリソースを、１つ以上のＣＳＩ−ＲＳリソースセットから１つ以上のＵＥに割り当てることができる。例えば、基地局は、ＣＳＩ  ＲＳリソースマッピングを示す１つ以上のパラメータ、例えば、１つ以上のＣＳＩ−ＲＳリソースの時間領域位置、ＣＳＩ−ＲＳリソースの帯域幅、および／または周期性を準統計学的に構成することができる。一例において、ダウンリンクＣＳＩ−ＲＳ５２２およびコアセットが空間的におおよそ同じ場所に配置されている場合、ＵＥは、ダウンリンクＣＳＩ−ＲＳ５２２および制御リソースセット（コアセット）に対して同じＯＦＤＭシンボルを用いるように構成されることができ、ダウンリンクＣＳＩ−ＲＳ５２２と関連付けられたリソース要素は、コアセットのために構成されたＰＲＢの外側にある。一例において、ダウンリンクＣＳＩ−ＲＳ５２２およびＳＳＢ／ＰＢＣＨが空間的におおよそ同じ場所に配置されている場合、ＵＥは、ダウンリンクＣＳＩ−ＲＳ５２２およびＳＳＢ／ＰＢＣＨに対して同じＯＦＤＭシンボルを用いるように構成されることができ、ダウンリンクＣＳＩ−ＲＳ５２２と関連付けられたリソース要素は、ＳＳＢ／ＰＢＣＨのために構成されたＰＲＢの外側にある。
【００５３】
一例において、ＵＥは、チャネル推定のために、例えば、１つ以上のダウンリンク物理チャネル（例えば、ＰＤＳＣＨ５１４）のコヒーレント復調を行うために、１つ以上のダウンリンクＤＭ−ＲＳ５２３を基地局に伝送することができる。例えば、無線ネットワークは、データ復調のための、１つ以上の可変および／または構成可能なＤＭ−ＲＳパターンをサポートすることができる。少なくとも１つのダウンリンクＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）の上にマッピングすることができる。基地局は、ＰＤＳＣＨ５１４のための先行ＤＭ−ＲＳシンボルの最大数を用いてＵＥを準統計学的に構成することができる。例えば、ＤＭ−ＲＳ構成は、１つ以上のＤＭ−ＲＳポートをサポートすることができる。例えば、シングルユーザ−ＭＩＭＯの場合、ＤＭ−ＲＳ構成は、少なくとも８個の直交ダウンリンクＤＭ−ＲＳポートをサポートすることができる。例えば、マルチユーザ−ＭＩＭＯの場合、ＤＭ−ＲＳ構成は、１２個の直交ダウンリンクＤＭ−ＲＳポートをサポートすることができる。無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００５４】
一例において、ダウンリンクＰＴ−ＲＳ５２４が存在するか否かは、ＲＲＣ構成に依存し得る。例えば、ダウンリンクＰＴ−ＲＳ５２４の存在は、ＵＥ固有に構成することができる。例えば、スケジュールされたリソース内のダウンリンクＰＴ−ＲＳ５２４の存在および／またはパターンは、ＲＲＣシグナリング、および／または、ＤＣＩによって示され得る他の目的（例えば、ＭＣＳ）のために用いられる１つ以上のパラメータとの関連付けとの組み合わせによってＵＥ固有に構成することができる。ダウンリンクＰＴ−ＲＳ５２４の動的存在は、それが構成される場合、少なくともＭＣＳを含む１つ以上のＤＣＩパラメータと関連付けることができる。無線ネットワークは、時間／周波数領域において画定される複数のＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、ダウンリンクＰＴ−ＲＳ５２４は、ＵＥのためのスケジュールされた時間／周波数持続時間内に制限する場合がある。
【００５５】
図６は、本開示の実施形態の態様に基づく、キャリアの例示的なフレーム構造を描いている略図である。マルチキャリアＯＦＤＭ通信システムでは、１つ以上のキャリアを含むことができ、例えば、キャリアアグリゲーションの場合には、１〜３２個のキャリアに、またはデュアル接続の場合には、１〜６４個のキャリアに及ぶ。異なる無線フレーム構造をサポートすることができる（例えば、ＦＤＤ方式の場合、およびＴＤＤ複信方式の場合）。図６は、例示的なフレーム構造を示す。ダウンリンクおよびアップリンク伝送は、無線フレーム６０１内に構成することができる。この例では、無線フレーム持続時間は、１０ミリ秒である。この例では、１０ミリ秒の無線フレーム６０１は、１ミリ秒の持続時間を有する、１０個の等しいサイズのサブフレーム６０２に分割することができる。サブフレーム（複数可）は、サブキャリア間隔および／またはＣＰ長さに応じて、１つ以上のスロット（例えば、スロット６０３および６０５）を含むことができる。例えば、１５ｋＨｚ、３０ｋＨｚ、６０ｋＨｚ、１２０ｋＨｚ、２４０ｋＨｚ、および４８０ｋＨｚのサブキャリア間隔を有するサブフレームは、それぞれ、１個、２個、４個、８個、１６個、および３２個のスロットを含むことができる。図６では、サブフレームは、０．５ミリ秒の持続時間を有する、２個の等しいサイズのスロット６０３に分割することができる。例えば、１０個のサブフレームは、ダウンリンク伝送に利用可能であり得、１０個のサブフレームは、１０ミリ秒の時間間隔でのアップリンク伝送に利用可能であり得る。アップリンクおよびダウンリンク伝送は、周波数領域内で分離することができる。スロット（複数可）は、複数のＯＦＤＭシンボル６０４を含むことができる。スロット６０５内のＯＦＤＭシンボル６０４の数は、サイクリックプレフィックス長さに依存し得る。例えば、１つのスロットは、通常のＣＰを有する、最大４８０ｋＨｚの同じサブキャリア間隔で１４個のＯＦＤＭシンボルであり得る。１つのスロットは、拡張されたＣＰを有する、６０ｋＨｚの同じサブキャリア間隔で１２個のＯＦＤＭシンボルであり得る。１つのスロットは、ダウンリンク、アップリンク、または、ダウンリンク部およびアップリンク部、ならびに／または同様のものを含むことができる。
【００５６】
図７Ａは、本開示の実施形態の一態様に基づく、例示的なＯＦＤＭサブキャリアセットを描いている略図である。この例において、ｇＮＢは、例示的なチャネル帯域幅７００を有するキャリアを有する無線デバイスと通信することができる。略図内の矢印（複数可）は、マルチキャリアＯＦＤＭシステム内のサブキャリアを描き得る。ＯＦＤＭシステムは、ＯＦＤＭ技術、ＳＣ−ＦＤＭＡ技術、および／または同様のものなどの技術を使用することができる。一例において、矢印７０１は、情報シンボルを伝送するサブキャリアを示す。一例において、キャリア内の２つの隣接するサブキャリア間のサブキャリア間隔７０２は、１５ＫＨｚ、３０ＫＨｚ、６０ＫＨｚ、１２０ＫＨｚ、２４０ＫＨｚなどのうちの任意の１つであり得る。一例において、異なるサブキャリア間隔は、異なる伝送ヌメロロジに対応することができる。一例において、伝送ヌメロロジは、少なくともヌメロロジインデックス、サブキャリア間隔の値、サイクリックプレフィックス（ＣＰ）のタイプを含むことができる。一例において、ｇＮＢは、キャリア内の多数のサブキャリア７０３上で、ＵＥへ伝送する／ＵＥから受信することができる。一例において、多数のサブキャリア７０３により占有される帯域幅（伝送帯域幅）は、保護帯域７０４および７０５に起因して、キャリアのチャネル帯域幅７００よりも小さくてもよい。一例において、保護帯域７０４および７０５を使用して、１つ以上の近隣のキャリアへ／からの干渉を低減することができる。キャリア内のサブキャリア（伝送帯域幅）の数は、キャリアのチャネル帯域幅、およびサブキャリア間隔に依存し得る。例えば、２０ＭＨｚチャネル帯域幅および１５ＫＨｚサブキャリア間隔を有するキャリアの場合、伝送帯域幅は、１０２４個のサブキャリア数となり得る。
【００５７】
一例において、ｇＮＢおよび無線デバイスは、ＣＡを用いて構成されると、複数のＣＣと通信することができる。一例において、異なるコンポーネントキャリアは、ＣＡがサポートされている場合、異なる帯域幅および／またはサブキャリア間隔を有することができる。一例において、ｇＮＢは、第１のコンポーネントキャリア上のＵＥに第１のタイプのサービスを伝送することができる。ｇＮＢは、第２のコンポーネントキャリア上のＵＥに第２のタイプのサービスを伝送することができる。異なるタイプのサービスは、異なるサービス要件（例えば、データレート、待ち時間、信頼性）を有し得、これらは、異なるサブキャリア間隔および／または帯域幅を有する異なるコンポーネントキャリアを介した伝送に好適となり得る。図７Ｂは、例示的な実施形態を示す。第１のコンポーネントキャリアは、第１のサブキャリア間隔７０９を有する第１の数のサブキャリア７０６を含むことができる。第２のコンポーネントキャリアは、第２のサブキャリア間隔７１０を有する第２の数のサブキャリア７０７を含むことができる。第３のコンポーネントキャリアは、第３のサブキャリア間隔７１１を有する第３の数のサブキャリア７０８を含むことができる。マルチキャリアＯＦＤＭ通信システムのキャリアは、連続キャリア、非連続キャリア、または連続キャリアと非連続キャリアの両方の組み合わせであってもよい。
【００５８】
図８は、本開示の実施形態の一態様に基づく、ＯＦＤＭ無線リソースを描いている略図である。一例において、キャリアは、伝送帯域幅８０１を有することができる。一例において、リソースグリッドは、周波数領域８０２および時間領域８０３の構造内にあり得る。一例において、リソースグリッドは、サブフレーム内の第１の数のＯＦＤＭシンボル、および第２の数のリソースブロックを含むことができ、伝送ヌメロロジおよびキャリアのために、上位層シグナリング（例えば、ＲＲＣシグナリング）によって示された共通リソースブロックから開始する。一例において、リソースグリッドでは、サブキャリアインデックスおよびシンボルインデックスにより識別されたリソースユニットは、リソース要素８０５であり得る。一例において、サブフレームは、キャリアと関連付けられたヌメロロジに応じて第１の数のＯＦＤＭシンボル８０７を含むことができる。例えば、キャリアのヌメロロジのサブキャリア間隔が１５ＫＨｚである場合、サブフレームは、キャリアに対して１４個のＯＦＤＭシンボルを有することができる。ヌメロロジのサブキャリア間隔が３０ＫＨｚである場合、サブフレームは、２８個のＯＦＤＭシンボルを有することができる。ヌメロロジのサブキャリア間隔が６０ＫＨｚである場合、サブフレームは、５６個のＯＦＤＭシンボルなどを有することができる。一例において、キャリアのリソースグリッド内に含まれる第２の数のリソースブロックは、キャリアの帯域幅およびヌメロロジに依存し得る。
【００５９】
図８に示すように、リソースブロック８０６は、１２個のサブキャリアを含むことができる。一例において、複数のリソースブロックは、リソースブロックグループ（ＲＢＧ）８０４にグループ化することができる。一例において、ＲＢＧのサイズは、ＲＢＧサイズ構成を示すＲＲＣメッセージ、キャリア帯域幅のサイズ、またはキャリアの帯域幅部のうちの少なくとも１つに依存し得る。一例において、キャリアは、複数の帯域幅部を含むことができる。キャリアの第１の帯域幅部は、キャリアの第２の帯域幅部とは異なる周波数位置および／または帯域幅を有することができる。
【００６０】
一例において、ｇＮＢは、ダウンリンクまたはアップリンクリソースブロック割り当てを含むダウンリンク制御情報を無線デバイスに伝送することができる。基地局は、ダウンリンク制御情報および／またはＲＲＣメッセージ（複数可）内のパラメータに従って、１つ以上のリソースブロックおよび１つ以上のスロットを介して、スケジュールおよび伝送されたデータパケット（例えば、トランスポートブロック）を、無線デバイスに伝送し、または無線デバイスから受信することができる。一例では、１つ以上のスロットの第１のスロットに対する開始シンボルを無線デバイスに示すことができる。一例において、ｇＮＢは、１つ以上のＲＢＧおよび１つ以上のスロットにスケジュールされたデータパケットを、無線デバイスに伝送し、または無線デバイスから受信することができる。
【００６１】
一例において、ｇＮＢは、１つ以上のＰＤＣＣＨを介して無線デバイスにダウンリンク割り当てを含むダウンリンク制御情報を伝送することができる。ダウンリンク割り当ては、少なくとも変調およびコーディングフォーマットを示すパラメータ、リソース割り当て、および／または、ＤＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のセル無線ネットワーク一時識別子（Ｃ−ＲＮＴＩ）を介して無線デバイスにリソースを動的に割り当てることができる。無線デバイスは、１つ以上のＰＤＣＣＨをモニタして、無線デバイスのダウンリンク受信が可能であるときに可能な割り当てを見出すことができる。無線デバイスは、１つ以上のＰＤＣＣＨを正常に検出する場合、１つ以上のＰＤＣＣＨによりスケジュールされた１つ以上のＰＤＳＣＨ上に１つ以上のダウンリンクデータパッケージを受信することができる。
【００６２】
一例において、ｇＮＢは、無線デバイスへのダウンリンク伝送のための構成スケジューリング（ＣＳ）リソースを割り当てることができる。ｇＮＢは、ＣＳ許可の周期性を示す１つ以上のＲＲＣメッセージを伝送することができる。ｇＮＢは、ＣＳリソースを作動させる構成スケジューリング−ＲＮＴＩ（ＣＳ−ＲＮＴＩ）にアドレス指定されたＰＤＣＣＨを介してＤＣＩを伝送することができる。ＤＣＩは、ダウンリンク許可がＣＳ許可であることを示すパラメータを含むことができる。ＣＳ許可は、１つ以上のＲＲＣメッセージにより定義された周期性に従って、停止されるまで、暗黙的に再使用することができる。
【００６３】
一例において、ｇＮＢは、１つ以上のＰＤＣＣＨを介して無線デバイスにアップリンク許可を含むダウンリンク制御情報を伝送することができる。アップリンク許可は、少なくとも変調およびコーディングフォーマットを示すパラメータ、リソース割り当て、および／または、ＵＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のＣ−ＲＮＴＩを介して無線デバイスにリソースを動的に割り当てることができる。無線デバイスは、可能なリソース割り当てを見出すために、１つ以上のＰＤＣＣＨをモニタすることができる。無線デバイスは、１つ以上のＰＤＣＣＨを正常に検出する場合、１つ以上のＰＤＣＣＨによりスケジュールされた１つ以上のＰＵＳＣＨを介して１つ以上のアップリンクデータパッケージを伝送することができる。
【００６４】
一例において、ｇＮＢは、無線デバイスへのアップリンクデータ伝送のためのＣＳリソースを割り当てることができる。ｇＮＢは、ＣＳ許可の周期性を示す１つ以上のＲＲＣメッセージを伝送することができる。ｇＮＢは、ＣＳリソースを作動させるＣＳ−ＲＮＴＩにアドレス指定されたＰＤＣＣＨを介してＤＣＩを伝送することができる。ＤＣＩは、アップリンク許可がＣＳ許可であることを示すパラメータを含むことができる。ＣＳ許可は、１つ以上のＲＲＣメッセージにより定義された周期性に従って、停止されるまで、暗黙的に再使用することができる。
【００６５】
一例において、基地局は、ＰＤＣＣＨを介してＤＣＩ／制御シグナリングを伝送することができる。ＤＣＩは、複数のフォーマット中の１つのフォーマットを取ることができる。ＤＣＩは、ダウンリンクおよび／またはアップリンクスケジューリング情報（例えば、リソース割り当て情報、ＨＡＲＱ関連パラメータ、ＭＣＳ）、ＣＳＩの要求（例えば、非周期的ＣＱＩレポート）、ＳＲＳの要求、１つ以上のセルに対するアップリンクパワー制御コマンド、１つ以上のタイミング情報（例えば、ＴＢ伝送／受信タイミング、ＨＡＲＱフィードバックタイミングなど）などを含むことができる。一例において、ＤＣＩは、１つ以上のトランスポートブロックのための伝送パラメータを含むアップリンク許可を示すことができる。一例において、ＤＣＩは、１つ以上のトランスポートブロックを受信するためのパラメータを示すダウンリンク割り当てを示すことができる。一例において、ＤＣＩは、基地局によって使用されて、無線デバイスにおいて競合なしランダムアクセスを開始することができる。一例において、基地局は、スロットフォーマットを通知するスロットフォーマットインジケータ（ＳＦＩ）を含むＤＣＩを伝送することができる。一例において、基地局は、ＰＲＢ（複数可）および／またはＯＦＤＭシンボル（複数可）を通知するプリエンプション表示を含むＤＣＩを伝送することができ、そこでは、ＵＥは、ＵＥのための伝送が意図されていないことを想定することができる。一例において、基地局は、ＰＵＣＣＨまたはＰＵＳＣＨまたはＳＲＳのグループパワー制御のためのＤＣＩを伝送することができる。一例において、ＤＣＩは、ＲＮＴＩに対応することができる。一例において、無線デバイスは、初期アクセス（例えば、Ｃ−ＲＮＴＩ）を完了することに応答してＲＮＴＩを取得することができる。一例において、基地局は、無線のためのＲＮＴＩ（例えば、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＴＰＣ−ＳＲＳ−ＲＮＴＩ）を構成することができる。一例において、無線デバイスは、ＲＮＴＩを計算することができる（例えば、無線デバイスは、プリアンブルの伝送のために使用されるリソースに基づいて、ＲＡ−ＲＮＴＩを計算することができる）。一例において、ＲＮＴＩは、事前構成された値（例えば、Ｐ−ＲＮＴＩまたはＳＩ−ＲＮＴＩ）を有することができる。一例において、無線デバイスは、グループ共通探索空間をモニタすることができ、その空間は、基地局によって使用されてＵＥのグループのために意図されているＤＣＩを伝送する。一例において、グループ共通ＤＣＩは、ＵＥのグループのために共通して構成されているＲＮＴＩに対応することができる。一例において、無線デバイスは、ＵＥ固有の探索空間をモニタすることができる。一例において、ＵＥ固有のＤＣＩは、無線デバイスのために構成されたＲＮＴＩに対応することができる。
【００６６】
ＮＲシステムは、単一ビーム動作および／またはマルチビーム動作をサポートすることができる。マルチビーム動作において、基地局は、ダウンリンクビーム掃引を実行して、共通制御チャネルおよび／またはダウンリンクＳＳブロックのカバレッジを提供することができ、このカバレッジは、少なくともＰＳＳ、ＳＳＳ、および／またはＰＢＣＨを含むことができる。無線デバイスは、１つ以上のＲＳを使用して、ビームペアリンクの品質を測定することができる。１つ以上のＳＳブロック、またはＣＳＩ−ＲＳリソースインデックス（ＣＲＩ）と関連付けられた１つ以上のＣＳＩ−ＲＳリソース、またはＰＢＣＨの１つ以上のＤＭ−ＲＳを、ビームペアリンクの品質を測定するためのＲＳとして使用することができる。ビームペアリンクの品質は、基準信号受信パワー（ＲＳＲＰ）値、または基準信号受信品質（ＲＳＲＱ）値、および／またはＲＳリソース上で測定されたＣＳＩ値として定義することができる。基地局は、ビームペアリンクの品質を測定するために使用されるＲＳリソースが、制御チャネルのＤＭ−ＲＳとおおよそ同じ場所に配置されている（ＱＣＬｅｄ）かどうかを示すことができる。制御チャネルのＲＳリソースおよびＤＭ−ＲＳは、ＲＳ上の伝送から無線デバイスへの、および制御チャネル上の伝送から無線デバイスへのチャネル特性が、構成された基準の下で類似しているとき、または同じであるときに、ＱＣＬされたと呼ばれることがある。マルチビーム動作において、無線デバイスは、アップリンクビーム掃引を実行して、セルにアクセスすることができる。
【００６７】
一例において、無線デバイスは、無線デバイスの能力に応じて、１つ以上のビームペアリンク上のＰＤＣＣＨを同時にモニタするように構成されることができる。これは、ビームペアリンクのブロッキングに対するロバスト性を向上させることができる。基地局は、１つ以上のメッセージを伝送して、異なるＰＤＣＣＨ  ＯＦＤＭシンボルの１つ以上のビームペアリンク上のＰＤＣＣＨをモニタするように無線デバイスを構成することができる。例えば、基地局は、１つ以上のビームペアリンク上のＰＤＣＣＨをモニタするための無線デバイスのＲｘビーム設定に関するパラメータを含む、上位層シグナリング（例えば、ＲＲＣシグナリング）またはＭＡＣ  ＣＥを伝送することができる。基地局は、ＤＬ  ＲＳアンテナポート（複数可）（例えば、セル固有のＣＳＩ−ＲＳ、無線デバイス固有のＣＳＩ−ＲＳ、ＳＳブロック、またはＰＢＣＨのＤＭ−ＲＳを用いる、もしくは用いないＰＢＣＨ）と、ＤＬ制御チャネルの復調のためのＤＬ  ＲＳアンテナポート（複数可）との間で、空間的なＱＣＬ仮定の表示を伝送することができる。ＰＤＣＣＨのビーム表示のためのシグナリングは、ＭＡＣ  ＣＥシグナリング、またはＲＲＣシグナリング、またはＤＣＩシグナリング、または仕様透過的および／もしくは暗黙的方法、ならびにこれらのシグナリング方法の組み合わせであり得る。
【００６８】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンク許可）を伝送することができる。この情報は、ＤＭ−ＲＳアンテナポート（複数可）を用いてＱＣＬされ得るＲＳアンテナポートを示すことができる。ＤＬデータチャネルのＤＭ−ＲＳアンテナポート（複数可）の異なるセットは、ＲＳアンテナポート（複数可）の異なるセットを用いてＱＣＬとして示すことができる。
【００６９】
図９Ａは、ＤＬチャネルにおけるビーム掃引の例である。ＲＲＣ＿ＩＮＡＣＴＩＶＥ状態またはＲＲＣ＿ＩＤＬＥ状態では、無線デバイスは、ＳＳブロックがＳＳバースト９４０およびＳＳバーストセット９５０を形成すると想定され得る。ＳＳバーストセット９５０は、所定の周期性を有し得る。例えば、マルチビーム動作では、基地局１２０は、一緒にＳＳバースト９４０を形成するＳＳブロックを複数のビームで伝送することができる。１つ以上のＳＳブロックが、１つのビーム上で伝送され得る。複数のＳＳバースト９４０が複数のビームで伝送される場合、ＳＳバーストは一緒にＳＳバーストセット９５０を形成することができる。
【００７０】
無線デバイスは、無線デバイスと基地局との間のリンクのビーム品質を推定するためのマルチビーム動作においてＣＳＩ−ＲＳをさらに使用することができる。ビームは、ＣＳＩ−ＲＳと関連付けることができる。例えば、無線デバイスは、ＣＳＩ−ＲＳ上でのＲＳＲＰ測定に基づいて、ダウンリンクビーム選択のＣＲＩで示され、ビームのＲＳＲＰ値と関連付けられるように、ビームインデックスをレポートすることができる。ＣＳＩ−ＲＳは、１つ以上のアンテナポートのうちの少なくとも１つ、１つ以上の時間無線リソースまたは周波数無線リソースを含むＣＳＩ−ＲＳリソース上で伝送され得る。ＣＳＩ−ＲＳリソースは、共通のＲＲＣシグナリングによるセル固有の方式で、または専用のＲＲＣシグナリングおよび／またはＬ１／Ｌ２シグナリングによる無線デバイス固有の方式で構成され得る。セルがカバーする複数の無線デバイスは、セル固有のＣＳＩ−ＲＳリソースを測定することができる。セルがカバーする無線デバイスの専用サブセットは、無線デバイス固有のＣＳＩ−ＲＳリソースを測定することができる。
【００７１】
ＣＳＩ−ＲＳリソースは、周期的に、または非周期的伝送を使用して、またはマルチショットまたは半永続的な伝送を使用して、伝送され得る。例えば、図９Ａの周期的な伝送では、基地局１２０は、時間領域で構成された周期性を使用して、構成されたＣＳＩ−ＲＳリソース９４０を周期的に伝送することができる。非周期的伝送では、構成されたＣＳＩ−ＲＳリソースは、専用タイムスロットで伝送され得る。マルチショットまたは半永続的な伝送では、構成されたＣＳＩ−ＲＳリソースは、構成された期間内に伝送され得る。ＣＳＩ−ＲＳ伝送に使用されるビームは、ＳＳブロック伝送に使用されるビームとは異なるビーム幅を有することができる。
【００７２】
図９Ｂは、例示的な新無線ネットワークにおけるビーム管理プロシージャの例である。基地局１２０および／または無線デバイス１１０は、ダウンリンクＬ１／Ｌ２ビーム管理プロシージャを実行することができる。以下のダウンリンクＬ１／Ｌ２ビーム管理プロシージャのうちの１つ以上は、１つ以上の無線デバイス１１０および１つ以上の基地局１２０内で実行され得る。一例において、Ｐ−１プロシージャ９１０を使用して、無線デバイス１１０が基地局１２０と関連付けられた１つ以上の伝送（Ｔｘ）ビームを測定して、基地局１２０と関連付けられた第１のセットのＴｘビームと、無線デバイス１１０と関連付けられた第１のセットのＲｘビーム（複数可）と、の選択をサポートできるようにすることができる。基地局１２０でのビームフォーミングのために、基地局１２０は、異なるＴＸビームのセットを掃引することができる。無線デバイス１１０でのビームフォーミングの場合、無線デバイス１１０は、異なるＲｘビームのセットを掃引することができる。一例において、Ｐ−２プロシージャ９２０を使用して、無線デバイス１１０が基地局１２０と関連付けられた１つ以上のＴｘビームを測定して、場合によっては、基地局１２０と関連付けられた第１のセットのＴｘビームを変更できるようにすることができる。Ｐ−２プロシージャ９２０は、Ｐ−１プロシージャ９１０におけるものとは異なり、場合によっては、ビーム改良のためにより小さいビームのセットに対して実行されてもよい。Ｐ−２プロシージャ９２０は、Ｐ−１プロシージャ９１０の特別な場合であり得る。一例において、Ｐ−３プロシージャ９３０を使用して、無線デバイス１１０が基地局１２０と関連付けられた少なくとも１つのＴｘビームを測定して、無線デバイス１１０と関連付けられた第１のセットのＲｘビームを変更できるようにすることができる。
【００７３】
無線デバイス１１０は、１つ以上のビーム管理レポートを基地局１２０に伝送することができる。１つ以上のビーム管理レポートでは、無線デバイス１１０は、少なくとも１つ以上のビーム識別、ＲＳＲＰ、構成されたビームのサブセットのプリコーディング行列インジケータ（ＰＭＩ）／チャネル品質インジケータ（ＣＱＩ）／ランクインジケータ（ＲＩ）を含むいくつかのビームペア品質パラメータを示すことができる。１つ以上のビーム管理レポートに基づいて、基地局１２０は、１つ以上のビームペアリンクが１つ以上のサービングビームであることを示す信号を無線デバイス１１０に伝送することができる。基地局１２０は、１つ以上のサービングビームを使用して無線デバイス１１０のＰＤＣＣＨおよびＰＤＳＣＨを伝送することができる。
【００７４】
例示的な実施形態において、新無線ネットワークは、帯域幅適応（ＢＡ）をサポートすることができる。一例において、ＢＡを用いるＵＥによって構成された受信および／または送信帯域幅は、大きくなくてもよい。例えば、受信および／または送信帯域幅は、セルの帯域幅ほど大きくなくてもよい。受信および／または送信帯域幅は、調節可能であってもよい。例えば、ＵＥは、受信および／または送信帯域幅を変化させて、例えば、活動が少ない期間中には減らして節電することができる。例えば、ＵＥは、周波数領域内の受信および／または送信帯域幅の位置を変化させ得、例えば、スケジューリングのフレキシブル性を高めることができる。例えば、ＵＥは、サブキャリア間隔を変化させて、例えば、異なるサービスを可能にすることができる。
【００７５】
例示的な実施形態において、セルの全セル帯域幅のサブセットは、帯域幅部（ＢＷＰ）と呼ばれることがある。基地局は、１つ以上のＢＷＰを用いてＵＥを構成してＢＡを達成することができる。例えば、基地局は、ＵＥに対して、１つ以上の（構成された）ＢＷＰのうちのどれが能動ＢＷＰであるかを示すことができる。
【００７６】
図１０は、４０ＭＨｚの幅および１５ｋＨｚのサブキャリア間隔を有するＢＷＰ１（１０１０および１０５０）、１０ＭＨｚの幅および１５ｋＨｚのサブキャリア間隔を有するＢＷＰ２（１０２０および１０４０）、２０ＭＨｚの幅および６０ｋＨｚのサブキャリア間隔を有するＢＷＰ３  １０３０、で構成された３つのＢＷＰの例示的な略図である。
【００７７】
一例において、ＵＥは、１個のセルの１つ以上のＢＷＰ内で動作するように構成され、１個のセルにつき１つ以上の上位層（例えば、ＲＲＣ層）、１個のセルにつき少なくとも１つのパラメータＤＬ−ＢＷＰによるＤＬ帯域幅内の、ＵＥ（ＤＬ  ＢＷＰセット）による受信のための１つ以上のＢＷＰ（例えば、最大４つのＢＷＰ）のセット、および、１個のセルにつき少なくとも１つのパラメータＵＬ−ＢＷＰによるＵＬ帯域幅内の、ＵＥ（ＵＬ  ＢＷＰセット）による受信のための１つ以上のＢＷＰ（例えば、最大４つのＢＷＰ）のセット、によって構成され得る。
【００７８】
ＰＣｅｌｌでのＢＡを可能にするため、基地局は、１つ以上のＵＬおよびＤＬ  ＢＷＰペアを用いてＵＥを構成することができる。ＳＣｅｌｌ（例えば、ＣＡの場合）でのＢＡを可能にするため、基地局は、少なくとも１つ以上のＤＬ  ＢＷＰを用いてＵＥを構成することができる（例えば、ＵＬには、何もない場合がある）。
【００７９】
一例において、初期能動ＤＬ  ＢＷＰは、少なくとも１つの共通探索空間のための制御リソースセットに対して、連続ＰＲＢの位置および数、サブキャリア間隔、またはサイクリックプレフィックスのうちの少なくとも１つによって定義され得る。ＰＣｅｌｌでの動作のために、１つ以上の上位層パラメータは、ランダムアクセスプロシージャのための少なくとも１つの初期ＵＬ  ＢＷＰを示すことができる。ＵＥがプライマリセルでのセカンダリキャリアを用いて構成される場合、ＵＥは、セカンダリキャリアでのランダムアクセスプロシージャのための初期ＢＷＰを用いて構成され得る。
【００８０】
一例において、ペアになっていないスペクトル動作の場合、ＵＥは、ＤＬ  ＢＷＰの場合の中心周波数がＵＬ  ＢＷＰの場合の中心周波数と同じであり得ることを予期し得る。
【００８１】
例えば、１つ以上のＤＬ  ＢＷＰまたは１つ以上のＵＬ  ＢＷＰのセット内の、それぞれのＤＬ  ＢＷＰまたはＵＬ  ＢＷＰの場合、基地局は、以下のうちの少なくとも１つを示す１つ以上のパラメータを用いてセルのためのＵＥを準統計学的に構成することができ、それらのパラメータは、サブキャリア間隔、サイクリックプレフィックス、連続ＰＲＢの数、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからの、ＤＬ  ＢＷＰとＵＬ  ＢＷＰとの間のリンク、ＰＤＳＣＨ受信タイミングに対するＤＣＩ検出、ＨＡＲＱ−ＡＣＫ送信タイミング値に対するＰＤＳＣＨ受信、ＰＵＳＣＨ送信タイミング値に対するＤＣＩ検出、帯域幅の第１のＰＲＢに対する、それぞれ、ＤＬ帯域幅またはＵＬ帯域幅の第１のＰＲＢのオフセットである。
【００８２】
一例において、ＰＣｅｌｌでの１つ以上のＤＬ  ＢＷＰのセット内のＤＬ  ＢＷＰの場合、基地局は、共通探索空間および／または１つのＵＥ固有の探索空間のうちの少なくとも１つのタイプに対する１つ以上の制御リソースセットを用いてＵＥを構成することができる。例えば、基地局は、能動ＤＬ  ＢＷＰにおいて、ＰＣｅｌｌ上の共通探索空間なしで、またはＰＳＣｅｌｌ上で、ＵＥを構成することはできない。
【００８３】
１つ以上のＵＬ  ＢＷＰのセット内にＵＬ  ＢＷＰがある場合、基地局は、１つ以上のＰＵＣＣＨ送信に対する１つ以上のリソースセットを用いてＵＥを構成することができる。
【００８４】
一例において、ＤＣＩがＢＷＰインジケータフィールドを含む場合、ＢＷＰインジケータフィールド値は、１つ以上のＤＬ受信に対して構成されたＤＬ  ＢＷＰセットからの能動ＤＬ  ＢＷＰを示すことができる。ＤＣＩがＢＷＰインジケータフィールドを含む場合、ＢＷＰインジケータフィールド値は、１つ以上のＵＬ送信に対して構成されたＵＬ  ＢＷＰセットからの能動ＵＬ  ＢＷＰを示すことができる。
【００８５】
一例において、ＰＣｅｌｌの場合、基地局は、構成されたＤＬ  ＢＷＰ間のデフォルトＤＬ  ＢＷＰを用いてＵＥを準統計学的に構成することができる。ＵＥがデフォルトＤＬ  ＢＷＰを提供されない場合、デフォルトＢＷＰは、初期能動ＤＬ  ＢＷＰとなり得る。
【００８６】
一例において、基地局は、ＰＣｅｌｌのタイマ値を用いてＵＥを構成することができる。例えば、ＵＥが、ペアになっているスペクトル動作に対して、デフォルトＤＬ  ＢＷＰ以外の能動ＤＬ  ＢＷＰを示すＤＣＩを検出した場合、または、ＵＥが、ペアになっていないスペクトル動作に対して、デフォルトＤＬ  ＢＷＰまたはＵＬ  ＢＷＰ以外の能動ＤＬ  ＢＷＰまたはＵＬ  ＢＷＰを示すＤＣＩを検出した場合、ＵＥは、ＢＷＰ停止タイマと呼ばれるタイマを開始することができる。ＵＥが、ペアになっているスペクトル動作またはペアになっていないスペクトル動作に対しての期間中にＤＣＩを検出しない場合、ＵＥは、第１の値の期間（例えば、第１の値が１ミリ秒または０．５ミリ秒であり得る）までタイマをインクリメントすることができる。一例において、タイマは、タイマがそのタイマ値に等しくなったときに、満了し得る。ＵＥは、タイマが満了したときに、能動ＤＬ  ＢＷＰからデフォルトＤＬ  ＢＷＰに切り替えることができる。
【００８７】
一例において、基地局は、１つ以上のＢＷＰを用いてＵＥを準統計学的に構成することができる。ＵＥは、第２のＢＷＰを能動ＢＷＰとして示すＤＣＩを受信することに応答して、および／または、ＢＷＰ停止タイマの満了（例えば、第２のＢＷＰがデフォルトＢＷＰとなり得ること）に応答して、第１のＢＷＰから第２のＢＷＰに能動ＢＷＰを切り替えることができる。例えば、図１０は、ＢＷＰ１（１０１０および１０５０）、ＢＷＰ２（１０２０および１０４０）、およびＢＷＰ３（１０３０）の、構成された３つのＢＷＰの例示的な略図である。ＢＷＰ２（１０２０および１０４０）は、デフォルトＢＷＰであってもよい。ＢＷＰ１（１０１０）は、初期能動ＢＷＰであってもよい。一例において、ＵＥは、ＢＷＰ停止タイマの満了に応答して、ＢＷＰ１  １０１０からＢＷＰ２  １０２０に能動ＢＷＰを切り替えることができる。例えば、ＵＥは、ＢＷＰ３  １０３０を能動ＢＷＰとして示すＤＣＩを受信することに応答して、ＢＷＰ２  １０２０からＢＷＰ３  １０３０に能動ＢＷＰを切り替えることができる。ＢＷＰ３  １０３０からＢＷＰ２  １０４０に、および／またはＢＷＰ２  １０４０からＢＷＰ１  １０５０に能動ＢＷＰを切り替えることは、能動ＢＷＰを示すＤＣＩを受信することに応答するものであり、かつ／またはＢＷＰ停止タイマの満了に応答するものであってもよい。
【００８８】
一例において、ＵＥが、構成されたＤＬ  ＢＷＰおよびタイマ値の間にデフォルトＤＬ  ＢＷＰを用いてセカンダリセルのために構成される場合、セカンダリセルでのＵＥプロシージャは、セカンダリセルのタイマ値、およびセカンダリセルのデフォルトＤＬ  ＢＷＰを使用するプライマリセルと同じであってもよい。
【００８９】
一例において、基地局が、セカンダリセルまたはキャリア上で第１の能動ＤＬ  ＢＷＰおよび第１の能動ＵＬ  ＢＷＰを用いてＵＥを構成する場合、ＵＥは、セカンダリセル上での表示されたＤＬ  ＢＷＰ、および表示されたＵＬ  ＢＷＰを、セカンダリセルまたはキャリア上での、それぞれの第１の能動ＤＬ  ＢＷＰ、および第１の能動ＵＬ  ＢＷＰとして用いることができる。
【００９０】
図１１Ａおよび図１１Ｂは、マルチ接続（例えば、デュアル接続、マルチ接続、緊密なインターワーキング、および／または同様のもの）を用いるパケットフローを示す。図１１Ａは、実施形態の一態様に基づく、ＣＡおよび／またはマルチ接続を有する無線デバイス１１０（例えば、ＵＥ）のプロトコル構造の例示的な略図である。図１１Ｂは、実施形態の一態様に基づく、ＣＡおよび／またはマルチ接続を有する複数の基地局のプロトコル構造の例示的な略図である。複数の基地局は、マスタノード、ＭＮ１１３０（例えば、マスタノード、マスタ基地局、マスタｇＮＢ、マスタｅＮＢ、および／または同様のもの）、およびセカンダリノード、ＳＮ１１５０（例えば、セカンダリノード、セカンダリ基地局、セカンダリｇＮＢ、セカンダリｅＮＢ、および／または同様のもの）を含むことができる。マスタノード１１３０およびセカンダリノード１１５０は、無線デバイス１１０と通信するように協働することができる。
【００９１】
マルチ接続が無線デバイス１１０に対して構成されている場合、無線デバイス１１０は、ＲＲＣが接続された状態で複数の受信／伝送機能をサポートし得、複数の基地局の複数のスケジューラにより提供された無線リソースを利用するように構成することができる。複数の基地局は、非理想的または理想的なバックホール（例えば、Ｘｎインターフェース、Ｘ２インターフェース、および／または同様のもの）を介して相互接続することができる。特定の無線デバイスに対するマルチ接続に必要とされる基地局は、２つの異なる役割のうちの少なくとも一方を実行し得、すなわち、基地局は、マスタ基地局として、またはセカンダリ基地局としていずれかの機能を果たすことができる。マルチ接続において、無線デバイスは、１つのマスタ基地局、および１つ以上のセカンダリ基地局に接続することができる。一例において、マスタ基地局（例えば、ＭＮ１１３０）は、無線デバイス（例えば、無線デバイス１１０）に対して、１つのプライマリセル、および／または１つ以上のセカンダリセルを含むマスタセルグループ（ＭＣＧ）を提供することができる。セカンダリ基地局（例えば、ＳＮ１１５０）は、無線デバイス（例えば、無線デバイス１１０）に対して、１つのプライマリセカンダリセル（ＰＳＣｅｌｌ）、および／または１つ以上のセカンダリセルを含むセカンダリセルグループ（ＳＣＧ）を提供することができる。
【００９２】
マルチ接続において、ベアラが用いる無線プロトコルアーキテクチャは、ベアラがどのように設定されるかに依存し得る。一例において、ベアラ設定オプションのうちの３つの異なるタイプ、すなわち、ＭＣＧベアラ、ＳＣＧベアラ、および／または分割ベアラをサポートすることができる。無線デバイスは、ＭＣＧの１つ以上のセルを介して、ＭＣＧベアラのパケットを受信／伝送し得、かつ／または、ＳＣＧの１つ以上のセルを介して、ＳＣＧベアラのパケットを受信／伝送することができる。マルチ接続はまた、セカンダリ基地局により提供される無線リソースを使用するように構成された少なくとも１つのベアラを有するものとして、説明することもできる。マルチ接続は、いくつかの例示的な実施形態において、構成／実装されてもされなくてもよい。
【００９３】
一例において、無線デバイス（例えば、無線デバイス１１０）は、ＳＤＡＰ層（例えば、ＳＤＡＰ１１１０）、ＰＤＣＰ層（例えば、ＮＲ  ＰＤＣＰ１１１１）、ＲＬＣ層（例えば、ＭＮ  ＲＬＣ１１１４）、およびＭＡＣ層（例えば、ＭＮ  ＭＡＣ１１１８）を介してＭＣＧベアラのパケット、ＳＤＡＰ層（例えば、ＳＤＡＰ１１１０）、ＰＤＣＰ層（例えば、ＮＲ  ＰＤＣＰ１１１２）、マスタまたはセカンダリＲＬＣ層（例えば、ＭＮ  ＲＬＣ１１１５、ＳＮ  ＲＬＣ１１１６）のうちの一方、および、マスタまたはセカンダリＭＡＣ層（例えば、ＭＮ  ＭＡＣ１１１８、ＳＮ  ＭＡＣ１１１９）のうちの一方を介して分割ベアラのパケット、および／またはＳＤＡＰ層（例えば、ＳＤＡＰ１１１０）、ＰＤＣＰ層（例えば、ＮＲ  ＰＤＣＰ１１１３）、ＲＬＣ層（例えば、ＳＮ  ＲＬＣ１１１７）、およびＭＡＣ層（例えば、ＭＮ  ＭＡＣ１１１９）を介してＳＣＧベアラのパケット、を伝送および／または受信することができる。
【００９４】
一例において、マスタ基地局（例えば、ＭＮ１１３０）および／またはセカンダリ基地局（例えば、ＳＮ１１５０）は、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２１、ＮＲ  ＰＤＣＰ１１４２）、マスタノードＲＬＣ層（例えば、ＭＮ  ＲＬＣ１１２４、ＭＮ  ＲＬＣ１１２５）、およびマスタノードＭＡＣ層（例えば、ＭＮ  ＭＡＣ１１２８）を介してＭＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２２、ＮＲ  ＰＤＣＰ１１４３）、セカンダリノードＲＬＣ層（例えば、ＳＮ  ＲＬＣ１１４６、ＳＮ  ＲＬＣ１１４７）、およびセカンダリノードＭＡＣ層（例えば、ＳＮ  ＭＡＣ１１４８）を介してＳＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２３、ＮＲ  ＰＤＣＰ１１４１）、マスタもしくはセカンダリノードＲＬＣ層（例えば、ＭＮ  ＲＬＣ１１２６、ＳＮ  ＲＬＣ１１４４、ＳＮ  ＲＬＣ１１４５、ＭＮ  ＲＬＣ１１２７）、および、マスタもしくはセカンダリノードＭＡＣ層（例えば、ＭＮ  ＭＡＣ１１２８、ＳＮ  ＭＡＣ１１４８）を介して、分割ベアラのパケットを伝送／受信することができる。
【００９５】
マルチ接続において、無線デバイスは、複数のＭＡＣエンティティ、マスタ基地局に対する１つのＭＡＣエンティティ（例えば、ＭＮ  ＭＡＣ１１１８）、および、セカンダリ基地局に対する他のＭＡＣエンティティ（例えば、ＳＮ  ＭＡＣ１１１９）を構成することができる。マルチ接続において、無線デバイスに対するサービングセルの構成されたセットは、２つのサブセット、すなわち、マスタ基地局のサービングセルを含むＭＣＧ、およびセカンダリ基地局のサービングセルを含むＳＣＧを含むことができる。ＳＣＧの場合、以下の構成のうちの１つ以上が、適用され得、すなわち、ＳＣＧのうちの少なくとも１つのセルが、構成されたＵＬ  ＣＣを有し、プライマリセカンダリセル（ＳＣＧのうちのＰＳＣｅｌｌ、ＰＣｅｌｌ、または場合によっては、ＰＣｅｌｌと呼ばれる）と呼ばれるＳＣＧの少なくとも１つのセルが、ＰＵＣＣＨリソースを用いて構成され、ＳＣＧが構成される場合には、少なくとも１つのＳＣＧベアラまたは１つの分割ベアラが存在し得、ＰＳＣｅｌｌ上の物理層問題もしくはランダムアクセス問題、または、ＳＣＧと関連付けられて到着されたＮＲ  ＲＬＣ再伝送の数の検出時に、または、ＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止されてもよく、マスタ基地局は、無線デバイスによってＳＣＧ故障タイプに関して通知されてもよく、分割ベアラの場合には、マスタ基地局にわたるＤＬデータ転送が、維持され得、ＮＲ  ＲＬＣ肯定モード（ＡＭ）ベアラは、分割ベアラのために構成され得、ＰＣｅｌｌおよび／またはＰＳＣｅｌｌは、停止されなくてもよく、ＰＳＣｅｌｌは、ＳＣＧ変更プロシージャを用いて（例えば、セキュリティキー変更およびＲＡＣＨプロシージャを用いて）変更され得、かつ／または分割ベアラとＳＣＧベアラとの間のベアラタイプ変更、またはＳＣＧおよび分割ベアラの同時構成は、サポートされてもされなくてもよい。
【００９６】
マルチ接続の場合の、マスタ基地局とセカンダリ基地局との間の相互作用については、以下のうちの１つ以上が適用され得、マスタ基地局および／またはセカンダリ基地局は、無線デバイスのＲＲＭ測定構成を維持することができ、マスタ基地局は、（例えば、受信された測定レポート、トラフィック条件、および／またはベアラタイプに基づいて）セカンダリ基地局に、無線デバイスのための追加リソース（例えばサービングセル）を提供するように要求することを決定することができ、マスタ基地局からの要求を受信すると、セカンダリ基地局は、無線デバイスのための追加サービングセルの構成となり得るコンテナを創出／変更する（または、セカンダリ基地局がそのようにするための利用可能なリソースを有さないと判定する）ことができ、ＵＥ能力協調のため、マスタ基地局は、ＡＳ構成およびＵＥ能力（の一部）をセカンダリ基地局に提供することができ、マスタ基地局およびセカンダリ基地局は、Ｘｎメッセージを介して搬送されたＲＲＣコンテナ（ノード間メッセージ）を用いることによって、ＵＥ構成についての情報を交換することができ、セカンダリ基地局は、セカンダリ基地局既存サービングセル（例えば、セカンダリ基地局に向かうＰＵＣＣＨ）の再構成を開始することができ、セカンダリ基地局は、どちらのセルがＳＣＧ内のＰＳＣｅｌｌであるかを判定することができ、マスタ基地局は、セカンダリ基地局により提供されたＲＲＣ構成の内容を変更してもしなくてもよく、ＳＣＧ追加および／またはＳＣＧ  ＳＣｅｌｌ追加の場合には、マスタ基地局は、ＳＣＧセル（複数可）のための最近（または最新）の測定結果を提供することができ、マスタ基地局およびセカンダリ基地局は、ＯＡＭからの、および／もしくはＸｎインターフェースを介した、互いのＳＦＮおよび／またはサブフレームオフセットの情報を受信することができる（例えば、ＤＲＸ調整および／または測定ギャップの識別を目的として）。一例において、新しいＳＣＧ  ＳＣｅｌｌを追加する場合には、ＳＣＧのＰＳＣｅｌｌのＭＩＢから取得されたＳＦＮを除き、専用ＲＲＣシグナリングを、ＣＡについてのセルの要求されたシステム情報を送信するために使用することができる。
【００９７】
図１２は、ランダムアクセスプロシージャの例示的な略図である。１つ以上のイベントが、ランダムアクセスプロシージャをトリガすることができる。例えば、１つ以上のイベントとは、以下のうちの少なくとも１つであり得、すなわち、ＲＲＣ＿ＩＤＬＥからの初期アクセス、ＲＲＣ接続再確立プロシージャ、ハンドオーバ、ＵＬ同期ステータスが同期されていないときのＲＲＣ＿ＣＯＮＮＥＣＴＥＤ中のＤＬまたはＵＬデータ到着、ＲＲＣ＿Ｉｎａｃｔｉｖｅからの遷移、および／または他のシステム情報の要求である。例えば、ＰＤＣＣＨ命令、ＭＡＣエンティティ、および／またはビーム障害表示により、ランダムアクセスプロシージャを開始させることができる。
【００９８】
例示的な実施形態において、ランダムアクセスプロシージャは、競合ベースランダムアクセスプロシージャおよび競合なしランダムアクセスプロシージャのうちの少なくとも１つであり得る。例えば、競合ベースランダムアクセスプロシージャは、１つ以上のＭｓｇ１、１２２０伝送、１つ以上のＭｓｇ２、１２３０伝送、１つ以上のＭｓｇ３、１２４０伝送、および競合解決１２５０を含むことができる。例えば、競合なしランダムアクセスプロシージャは、１つ以上のＭｓｇ１、１２２０伝送および１つ以上のＭｓｇ２、１２３０伝送を含むことができる。
【００９９】
一例において、基地局は、１つ以上のビームを介して、ＵＥに、ＲＡＣＨ構成１２１０を伝送（例えば、ユニキャスト、マルチキャスト、またはブロードキャスト）することができる。ＲＡＣＨ構成１２１０は、以下のうちの少なくとも１つを示す１つ以上のパラメータを含むことができ、それらは、ランダムアクセスプリアンブルの伝送のためのＰＲＡＣＨリソースの利用可能なセット、初期プリアンブルパワー（例えば、ランダムアクセスプリアンブル初期受信ターゲットパワー）、ＳＳブロックの選択、および対応するＰＲＡＣＨリソースのためのＲＳＲＰ閾値、パワーランピングファクタ（例えば、ランダムアクセスプリアンブルパワーランピングステップ）、ランダムアクセスプリアンブルインデックス、プリアンブル伝送の最大数、プリアンブルグループＡおよびグループＢ、ランダムアクセスプリアンブルのグループを決定するための閾値（例えば、メッセージサイズ）、システム情報要求の１つ以上のランダムアクセスプリアンブル、および対応するＰＲＡＣＨリソース（複数可）のセット、もしあれば、ビーム障害回復要求の１つ以上のランダムアクセスプリアンブル、および対応するＰＲＡＣＨリソース（複数可）のセット、もしあれば、ＲＡ応答（複数可）をモニタするための時間窓、ビーム障害回復要求での応答（複数可）をモニタするための時間窓、および／または競合解決タイマである。
【０１００】
一例において、Ｍｓｇ１、１２２０は、ランダムアクセスプリアンブルの１つ以上の伝送であり得る。競合ベースランダムアクセスプロシージャの場合、ＵＥは、ＲＳＲＰ閾値超のＲＳＲＰを有するＳＳブロックを選択することができる。ランダムアクセスプリアンブルグループＢが存在する場合、ＵＥは、可能性のあるＭｓｇ３、１２４０サイズに応じて、グループＡまたはグループＢから１つ以上のランダムアクセスプリアンブルを選択することができる。ランダムアクセスプリアンブルグループＢが存在しない場合、ＵＥは、グループＡから１つ以上のランダムアクセスプリアンブルを選択することができる。ＵＥは、選択されたグループと関連付けられた１つ以上のランダムアクセスプリアンブルからランダムアクセスプリアンブルインデックスをランダムに（例えば、等しい確率、または正規分布を使って）選択することができる。基地局が、ランダムアクセスプリアンブルとＳＳブロックとの間の関連付けを用いてＵＥを準統計学的に構成する場合、ＵＥは、選択されたＳＳブロックおよび選択されたグループと関連付けられた１つ以上のランダムアクセスプリアンブルからランダムアクセスプリアンブルインデックスをランダムに、同様の確率を使って選択することができる。
【０１０１】
例えば、ＵＥは、下位層からのビーム障害表示に基づいて、競合なしランダムアクセスプロシージャを開始させることができる。例えば、基地局は、ＳＳブロックおよび／またはＣＳＩ−ＲＳのうちの少なくとも１つと関連付けられたビーム障害回復要求のための１つ以上の競合なしＰＲＡＣＨリソースを用いてＵＥを準統計学的に構成することができる。関連付けられたＳＳブロックの間で第１のＲＳＲＰ閾値超のＲＳＲＰを有するＳＳブロックのうちの少なくとも１つ、または、関連付けられたＣＳＩ−ＲＳの間で第２のＲＳＲＰ閾値超のＲＳＲＰを有するＣＳＩ−ＲＳのうちの少なくとも１つが利用可能である場合、ＵＥは、ビーム障害回復要求に対する１つ以上のランダムアクセスプリアンブルのセットから、選択されたＳＳブロックまたはＣＳＩ−ＲＳに対応するランダムアクセスプリアンブルインデックスを選択することができる。
【０１０２】
例えば、ＵＥは、基地局から、競合なしランダムアクセスプロシージャのために、ＰＤＣＣＨまたはＲＲＣを介して、ランダムアクセスプリアンブルインデックスを受信することができる。基地局が、ＳＳブロックまたはＣＳＩ−ＲＳと関連付けられた少なくとも１つの競合なしＰＲＡＣＨリソースを用いてＵＥを構成しない場合、ＵＥは、ランダムアクセスプリアンブルインデックスを選択することができる。基地局が、ＳＳブロックと関連付けられた１つ以上の競合なしＰＲＡＣＨリソースを用いてＵＥを構成し、かつ、関連付けられたＳＳブロック中で第１のＲＳＲＰ閾値超のＲＳＲＰを有する少なくとも１つのＳＳブロックが利用可能である場合、ＵＥは、少なくとも１つのＳＳブロックを選択し、その少なくとも１つのＳＳブロックに対応するランダムアクセスプリアンブルを選択することができる。基地局が、ＣＳＩ−ＲＳと関連付けられた１つ以上の競合なしＰＲＡＣＨリソースを用いてＵＥを構成し、かつ、関連付けられたＣＳＩ−ＲＳ中で第２のＲＳＰＲ閾値超のＲＳＲＰを有する少なくとも１つのＣＳＩ−ＲＳが利用可能である場合、ＵＥは、少なくとも１つのＣＳＩ−ＲＳを選択し、その少なくとも１つのＣＳＩ−ＲＳに対応するランダムアクセスプリアンブルを選択することができる。
【０１０３】
ＵＥは、選択されたランダムアクセスプリアンブルを伝送することによって、１つ以上のＭｓｇ１、１２２０伝送を実行することができる。例えば、ＵＥが、ＳＳブロックを選択し、１つ以上のＰＲＡＣＨ機会と１つ以上のＳＳブロックとの間の関連付けを用いて構成される場合、ＵＥは、選択されたＳＳブロックに対応する１つ以上のＰＲＡＣＨ機会からＰＲＡＣＨ機会を決定することができる。例えば、ＵＥが、ＣＳＩ−ＲＳを選択し、１つ以上のＰＲＡＣＨ機会と１つ以上のＣＳＩ−ＲＳとの間の関連付けを用いて構成される場合、ＵＥは、選択されたＣＳＩ−ＲＳに対応する１つ以上のＰＲＡＣＨ機会からＰＲＡＣＨ機会を決定することができる。ＵＥは、基地局に、選択されたＰＲＡＣＨ機会を介して、選択されたランダムアクセスプリアンブルを伝送することができる。ＵＥは、少なくとも初期プリアンブルパワーおよびパワーランピングファクタに基づいて、選択されたランダムアクセスプリアンブルの伝送のための伝送パワーを決定することができる。ＵＥは、選択されたランダムアクセスプリアンブルが伝送される選択されたＰＲＡＣＨ機会と関連付けられたＲＡ−ＲＮＴＩを決定することができる。例えば、ＵＥは、ビーム障害回復要求のためのＲＡ−ＲＮＴＩを決定しなくてもよい。ＵＥは、少なくとも、第１のＯＦＤＭシンボルのインデックス、選択されたＰＲＡＣＨ機会の第１のスロットのインデックス、および／またはＭｓｇ１、１２２０の伝送のためのアップリンクキャリアインデックスに基づいて、ＲＡ−ＲＮＴＩを決定することができる。
【０１０４】
一例において、ＵＥは、基地局から、ランダムアクセス応答、Ｍｓｇ２、１２３０を受信することができる。ＵＥは、時間ウインドウ（例えば、ｒａ−ＲｅｓｐｏｎｓｅＷｉｎｄｏｗ）を開始してランダムアクセス応答をモニタすることができる。ビーム障害回復要求の場合、基地局は、異なる時間ウインドウ（例えば、ｂｆｒ−ＲｅｓｐｏｎｓｅＷｉｎｄｏｗ）を用いてＵＥを構成し、ビーム障害回復要求の応答をモニタすることができる。例えば、ＵＥは、プリアンブル伝送の終わりから、１つ以上のシンボルの固定持続時間後の最初のＰＤＣＣＨ機会の開始時に時間ウインドウ（例えば、ｒａ−ＲｅｓｐｏｎｓｅＷｉｎｄｏｗまたはｂｆｒ−ＲｅｓｐｏｎｓｅＷｉｎｄｏｗ）を開始することができる。ＵＥが、複数のプリアンブルを伝送する場合、ＵＥは、第１のプリアンブル伝送の終わりから、１つ以上のシンボルの固定持続時間後の第１のＰＤＣＣＨ機会の開始時に時間ウインドウを開始することができる。ＵＥは、時間ウインドウのタイマが実行している間、ＲＡ−ＲＮＴＩにより識別された少なくとも１つのランダムアクセス応答、またはＣ−ＲＮＴＩにより識別されたビーム障害回復要求への少なくとも１つの応答、に対するセルのＰＤＣＣＨをモニタすることができる。
【０１０５】
一例において、少なくとも１つのランダムアクセス応答が、ＵＥにより伝送されたランダムアクセスプリアンブルに対応するランダムアクセスプリアンブル識別子を含む場合、ＵＥは、ランダムアクセス応答の受信を正常とみなすことができる。ＵＥは、ランダムアクセス応答の受信が正常である場合、競合なしランダムアクセスプロシージャが正常に完了したとみなすことができる。競合なしランダムアクセスプロシージャが、ビーム障害回復要求のためにトリガされた場合、ＵＥは、ＰＤＣＣＨ伝送がＣ−ＲＮＴＩにアドレス指定されている場合に、競合なしランダムアクセスプロシージャが正常に完了したとみなすことができる。一例において、少なくとも１つのランダムアクセス応答がランダムアクセスプリアンブル識別子を含む場合、ＵＥは、ランダムアクセスプロシージャが正常に完了したとみなすことができ、上位層へのシステム情報要求に対する肯定応答の受信を示すことができる。ＵＥが複数のプリアンブル伝送を送った場合、ＵＥは、対応するランダムアクセス応答の正常な受信に応答して、残ったプリアンブル（もし、あれば）を伝送することを停止することができる。
【０１０６】
一例において、ＵＥは、ランダムアクセス応答（例えば、競合ベースランダムアクセスプロシージャの場合）の正常な受信に応答して、１つ以上のＭｓｇ３、１２４０伝送を実行することができる。ＵＥは、ランダムアクセス応答により示されたタイミングアドバンスドコマンドに基づいて、アップリンク伝送タイミングを調節し得、ランダムアクセス応答により示されたアップリンク許可に基づいて、１つ以上のトランスポートブロックを伝送することができる。Ｍｓｇ３、１２４０のＰＵＳＣＨ伝送のためのサブキャリア間隔は、少なくとも１つの上位層（例えば、ＲＲＣ）パラメータによって提供されることができる。ＵＥは、ＰＲＡＣＨを介してランダムアクセスプリアンブルを、また、同じセル上のＰＵＳＣＨを介してＭｓｇ３、１２４０を、伝送することができる。基地局は、システム情報ブロックを介して、Ｍｓｇ３、１２４０のＰＵＳＣＨ伝送のためのＵＬ  ＢＷＰを示すことができる。ＵＥは、Ｍｓｇ３、１２４０の再伝送のためにＨＡＲＱを用いることができる。
【０１０７】
一例において、複数のＵＥは、同じプリアンブルを基地局に伝送することによってＭｓｇ１、１２２０を実行し得、アイデンティティを含む同じランダムアクセス応答（例えば、ＴＣ−ＲＮＴＩ）を、基地局から受信することができる。競合解決１２５０は、ＵＥが別のＵＥのアイデンティティを誤って使用しないことを確実にすることができる。例えば、競合解決１２５０は、ＰＤＣＣＨ上のＣ−ＲＮＴＩ、または、ＤＬ−ＳＣＨ上のＵＥ競合解決アイデンティティに基づくことができる。例えば、基地局がＣ−ＲＮＴＩをＵＥに割り当てる場合、ＵＥは、Ｃ−ＲＮＴＩにアドレス指定されているＰＤＣＣＨ伝送の受信に基づいて、競合解決１２５０を実行することができる。ＰＤＣＣＨでのＣ−ＲＮＴＩの検出に応答して、ＵＥは、競合解決１２５０が正常であるとみすことができ、ランダムアクセスプロシージャが正常に完了したとみなすことができる。ＵＥが適正なＣ−ＲＮＴＩを有さない場合、競合解決は、ＴＣ−ＲＮＴＩを用いることによってアドレス指定することができる。例えば、ＭＡＣ  ＰＤＵが正常に復号化され、ＭＡＣ  ＰＤＵが、Ｍｓｇ３、１２５０に伝送されたＣＣＣＨ  ＳＤＵに一致するＵＥ競合解決アイデンティティＭＡＣ  ＣＥを含む場合、ＵＥは、競合解決１２５０が正常であるとみなすことができ、ランダムアクセスプロシージャが正常に完了したとみなすことができる。
【０１０８】
図１３は、本開示の実施形態の一態様に基づく、ＭＡＣエンティティのための例示的な構造である。一例において、無線デバイスは、マルチ接続モードで動作するように構成することができる。複数のＲＸ／ＴＸを有するＲＲＣ＿ＣＯＮＮＥＣＴＥＤの無線デバイスは、複数の基地局内に設置された複数のスケジューラによって提供される無線リソースを利用するように構成することができる。この複数の基地局は、Ｘｎインターフェースを介して非理想的または理想的なバックホールを介して接続することができる。一例において、複数の基地局内の基地局は、マスタ基地局としての、またはセカンダリ基地局としての機能を果たすことができる。無線デバイスは、１つのマスタ基地局、および１つ以上のセカンダリ基地局に接続することができる。無線デバイスは、複数のＭＡＣエンティティ、例えば、マスタ基地局に対して１つのＭＡＣエンティティ、およびセカンダリ基地局（複数可）に対して１つ以上の他のＭＡＣエンティティを用いて構成することができる。一例において、無線デバイスのために構成されたサービングセルのセットは、２つのサブセット、すなわち、マスタ基地局のサービングセルを含むＭＣＧ、および、セカンダリ基地局（複数可）のサービングセルを含む１つ以上のＳＣＧを含むことができる。図１３は、ＭＣＧおよびＳＣＧが無線デバイスのために構成されている場合の、ＭＡＣエンティティの例示的な構造を示す。
【０１０９】
一例において、ＳＣＧ内の少なくとも１つのセルは、構成されたＵＬ  ＣＣを有し得、少なくとも１つのセルのうちの１つのセルは、ＳＣＧのＰＳＣｅｌｌもしくはＰＣｅｌｌと呼ばれることがあり、または、場合によっては、単にＰＣｅｌｌと呼ばれることがある。ＰＳＣｅｌｌは、ＰＵＣＣＨリソースを用いて構成することができる。一例において、ＳＣＧが構成される場合、少なくとも１つのＳＣＧベアラ、または１つの分割ベアラが存在し得る。一例において、ＰＳＣｅｌｌでの物理層問題もしくはランダムアクセス問題を検出することについて、または、ＳＣＧと関連付けられたＲＬＣ再伝送の数に達したことについて、または、ＳＣＧ追加もしくはＳＣＧ変更中にＰＳＣｅｌｌでのアクセス問題を検出することについて、ＲＲＣ接続再確立プロシージャは、トリガされ得ず、ＳＣＧのセルに向かうＵＬ伝送は、中止されることができ、マスタ基地局は、ＵＥによってＳＣＧ障害のタイプに関して通知することができ、マスタ基地局を通じてＤＬデータ転送を維持することができる。
【０１１０】
一例において、ＭＡＣサブレイヤは、データ転送および無線リソース割り当てなどのサービスを上位層（例えば、１３１０または１３２０）に提供することができる。ＭＡＣサブレイヤは、複数のＭＡＣエンティティ（例えば１３５０および１３６０）を含むことができる。ＭＡＣサブレイヤは、データ転送サービスを論理チャネル上に提供することができる。異なる種類のデータ転送サービスに対応するために、複数のタイプの論理チャネルを定義することができる。論理チャネルは、特定のタイプの情報の転送をサポートすることができる。論理チャネルタイプは、どのタイプの情報（例えば、制御またはデータ）が転送されるかによって定義することができる。例えば、ＢＣＣＨ、ＰＣＣＨ、ＣＣＣＨ、およびＤＣＣＨは、制御チャネルであり得、ＤＴＣＨは、トラフィックチャネルであり得る。一例において、第１のＭＡＣエンティティ（例えば１３１０）は、ＰＣＣＨ、ＢＣＣＨ、ＣＣＣＨ、ＤＣＣＨ、ＤＴＣＨ、およびＭＡＣ制御要素上でサービスを提供することができる。一例において、第２のＭＡＣエンティティ（例えば１３２０）は、ＢＣＣＨ、ＤＣＣＨ、ＤＴＣＨ、およびＭＡＣ制御要素上でサービスを提供することができる。
【０１１１】
ＭＡＣサブレイヤは、物理層（例えば１３３０または１３４０）から、データ転送サービス、ＨＡＲＱフィードバックのシグナリング、スケジューリング要求または測定値のシグナリング（例えば、ＣＱＩ）などのサービスを予期することができる。一例において、デュアル接続では、２つのＭＡＣエンティティが、無線デバイスのために構成され得、すなわち、それらは、ＭＣＧに対する１つ、およびＳＣＧに対する１つである。無線デバイスのＭＡＣエンティティは、複数のトランスポートチャネルを処理することができる。一例において、第１のＭＡＣエンティティは、ＭＣＧのＰＣＣＨ、ＭＣＧの第１のＢＣＨ、ＭＣＧの１つ以上の第１のＤＬ−ＳＣＨ、ＭＣＧの１つ以上の第１のＵＬ−ＳＣＨ、およびＭＣＧの１つ以上の第１のＲＡＣＨを含む第１のトランスポートチャネルを処理することができる。一例において、第２のＭＡＣエンティティは、ＳＣＧの第２のＢＣＨ、ＳＣＧの１つ以上の第２のＤＬ−ＳＣＨ、ＳＣＧの１つ以上の第２のＵＬ−ＳＣＨ、およびＳＣＧの１つ以上の第２のＲＡＣＨを含む第２のトランスポートチャネルを処理することができる。
【０１１２】
一例において、ＭＡＣエンティティが１つ以上のＳＣｅｌｌを用いて構成されている場合、複数のＤＬ−ＳＣＨが存在し得、複数のＵＬ−ＳＣＨ、ならびにＭＡＣエンティティ毎に複数のＲＡＣＨが存在し得る。一例において、ＳｐＣｅｌｌに、１つのＤＬ−ＳＣＨおよびＵＬ−ＳＣＨが存在し得る。一例において、ＳＣｅｌｌに対して、１つのＤＬ−ＳＣＨ、ゼロまたは１つのＵＬ−ＳＣＨ、および、ゼロまたは１つのＲＡＣＨが存在し得る。ＤＬ−ＳＣＨは、ＭＡＣエンティティ内の異なるヌメロロジおよび／またはＴＴＩ持続時間を使用して受信をサポートすることができる。また、ＵＬ−ＳＣＨは、ＭＡＣエンティティ内の異なるヌメロロジおよび／またはＴＴＩ持続時間を使用して伝送をサポートすることができる。
【０１１３】
一例において、ＭＡＣサブレイヤは、異なる機能をサポートすることができ、制御（例えば１３５５または１３６５）要素を用いてこれらの機能を制御することができる。ＭＡＣエンティティにより実行される機能は、論理チャネルとトランスポートチャネル（例えば、アップリンクまたはダウンリンクで）との間のマッピング、トランスポートチャネル（例えば、アップリンクで）上の物理層に送達されるべき、１つまたは異なる論理チャネルからトランスポートブロック（ＴＢ）へのＭＡＣ  ＳＤＵの多重化（例えば、１３５２または１３６２）、トランスポートチャネル（例えば、ダウンリンクで）上の物理層から送達されるトランスポートブロック（ＴＢ）から１つまたは異なるの論理チャネルへのＭＡＣ  ＳＤＵの分割化（例えば１３５２または１３６２）、スケジューリング情報レポーティング（例えば、アップリンクで）、アップリンクまたはダウンリンク内のＨＡＲＱを通じての誤り訂正（例えば、１３６３）、およびアップリンクでの論理チャネル優先度付け（例えば１３５１または１３６１）、を含むことができる。ＭＡＣエンティティは、ランダムアクセスプロセス（例えば、１３５４または１３６４）を処理することができる。
【０１１４】
図１４は、１つ以上の基地局を含むＲＡＮアーキテクチャの例示的な略図である。一例において、プロトコルスタック（例えば、ＲＲＣ、ＳＤＡＰ、ＰＤＣＰ、ＲＬＣ、ＭＡＣ、およびＰＨＹ）は、ノードにおいてサポートすることができる。基地局（例えば、１２０Ａまたは１２０Ｂ）は、基地局中央ユニット（ＣＵ）（例えば、ｇＮＢ−ＣＵ１４２０Ａまたは１４２０Ｂ）、および、機能的な分割が構成されている場合の、少なくとも１つの基地局分散ユニット（ＤＵ）（例えば、ｇＮＢ−ＤＵ１４３０Ａ、１４３０Ｂ、１４３０Ｃ、または１４３０Ｄ）を含むことができる。基地局の上位プロトコル層は、基地局ＣＵ内に設置することができ、基地局の下位層は、基地局ＤＵ内に設置することができる。基地局ＣＵおよび基地局ＤＵを接続するＦ１インターフェース（例えば、ＣＵ−ＤＵインターフェース）は、理想的または非理想的バックホールであり得る。Ｆ１−Ｃは、Ｆ１インターフェースを介して制御プレーン接続を提供することができ、Ｆ１−Ｕは、Ｆ１インターフェースを介してユーザプレーン接続を提供することができる。一例において、Ｘｎインターフェースは、基地局ＣＵ間に構成することができる。
【０１１５】
一例において、基地局ＣＵは、ＲＲＣ機能、ＳＤＡＰ層、およびＰＤＣＰ層を含むことができ、基地局ＤＵは、ＲＬＣ層、ＭＡＣ層、およびＰＨＹ層を含むことができる。一例において、基地局ＣＵと基地局ＤＵとの間の様々な機能的分割オプションは、基地局ＣＵ内の上位プロトコル層（ＲＡＮ機能）の異なる組み合わせ、および、基地局ＤＵ内の下位プロトコル層（ＲＡＮ機能）の異なる組み合わせを設定することによって可能となり得る。機能的分割は、フレキシブル性をサポートし、サービス要件および／またはネットワーク環境に応じて、基地局ＣＵと基地局ＤＵとの間でプロトコル層を移動させることができる。
【０１１６】
一例において、機能的分割オプションは、基地局毎、基地局ＣＵ毎、基地局ＤＵ毎、ＵＥ毎、ベアラ毎、スライス毎に構成され、または他の粒度を用いて構成することができる。基地局ＣＵ分割毎において、基地局ＣＵは、固定分割オプションを有し得、基地局ＤＵは、基地局ＣＵの分割オプションに一致するように構成することができる。基地局ＤＵ分割毎において、基地局ＤＵは、異なる分割オプションを用いて構成され得、基地局ＣＵは、異なる基地局ＤＵに対して異なる分割オプションを提供することができる。ＵＥ分割において、基地局（基地局ＣＵ、および少なくとも１つの基地局ＤＵ）は、異なる無線デバイスに対して異なる分割オプションを提供することができる。ベアラ分割毎において、異なる分割オプションを、異なるベアラに対して利用することができる。スライス毎のスプライスでは、異なるスライスに異なる分割オプションを適用することができる。
【０１１７】
図１５は、無線デバイスのＲＲＣ状態遷移を示す例示的な略図である。一例において、無線デバイスは、ＲＲＣ接続状態（例えば、ＲＲＣ接続１５３０、ＲＲＣ＿Ｃｏｎｎｅｃｔｅｄ）、ＲＲＣアイドル状態（例えば、ＲＲＣアイドル１５１０、ＲＲＣ＿Ｉｄｌｅ）、および／またはＲＲＣ停止状態（例えば、ＲＲＣ停止１５２０、ＲＲＣ＿Ｉｎａｃｔｉｖｅ）の中の少なくとも１つのＲＲＣ状態にあり得る。一例において、ＲＲＣ接続状態では、無線デバイスは、少なくとも１つの基地局（例えば、ｇＮＢおよび／またはｅＮＢ）との、少なくとも１つのＲＲＣ接続を有することができ、それらの基地局は、無線デバイスのＵＥコンテキストを有することができる。ＵＥコンテキスト（例えば、無線デバイスコンテキスト）は、アクセス層コンテキスト、１つ以上の無線リンク構成パラメータ、ベアラ（例えば、データ無線ベアラ（ＤＲＢ）、シグナリング無線ベアラ（ＳＲＢ）、論理チャネル、ＱｏＳフロー、ＰＤＵセッション、および／または同様のもの）構成情報、セキュリティ情報、ＰＨＹ／ＭＡＣ／ＲＬＣ／ＰＤＣＰ／ＳＤＡＰ層構成情報、および／または、無線デバイスのための同様の構成情報、のうちの少なくとも１つを含むことができる。一例において、ＲＲＣアイドル状態では、無線デバイスは、基地局とのＲＲＣ接続を有さなくてもよく、無線デバイスのＵＥコンテキストは、基地局内に格納されない場合がある。一例において、ＲＲＣ停止状態では、無線デバイスは、基地局とのＲＲＣ接続を有さない場合がある。無線デバイスのＵＥコンテキストは、基地局内に格納され得、その基地局は、アンカー基地局（例えば、最終サービング基地局）と呼ばれることがある。
【０１１８】
一例において、無線デバイスは、ＲＲＣアイドル状態とＲＲＣ接続状態との間で両方向に（例えば、接続解放１５４０もしくは接続確立１５５０、または接続再確立）、および／またはＲＲＣ停止状態とＲＲＣ接続状態との間で両方向に（例えば、接続停止１５７０または接続再開１５８０）、ＵＥ  ＲＲＣ状態を遷移させることができる。一例において、無線デバイスは、ＲＲＣ停止状態からＲＲＣアイドル状態に、そのＲＲＣ状態を遷移させることができる（例えば、接続解放１５６０）。
【０１１９】
一例において、アンカー基地局は、無線デバイスがアンカー基地局のＲＡＮ通知エリア（ＲＮＡ）にとどまる、かつ／または、無線デバイスがＲＲＣ停止状態にとどまるような時間帯の少なくともその間中、無線デバイスのＵＥコンテキスト（無線デバイスコンテキスト）を保持することができる基地局であり得る。一例において、アンカー基地局は、ＲＲＣ停止状態にある無線デバイスが最新のＲＲＣ接続状態で最後に接続されている、または、無線デバイスがＲＮＡ更新プロシージャを内部で最後に実行した基地局であり得る。一例において、ＲＮＡは、１つ以上の基地局によって動作された１つ以上のセルを含むことができる。一例において、基地局は、１つ以上のＲＮＡに属し得る。一例において、セルは、１つ以上のＲＮＡに属し得る。
【０１２０】
一例において、無線デバイスは、基地局において、ＵＥ  ＲＲＣ状態をＲＲＣ接続状態からＲＲＣ停止状態に遷移させることができる。無線デバイスは、基地局からＲＮＡ情報を受信することができる。ＲＮＡ情報は、ＲＮＡ識別子のうちの少なくとも１つ、ＲＮＡの１つ以上のセルの１つ以上のセル識別子、基地局識別子、基地局のＩＰアドレス、無線デバイスのＡＳコンテキスト識別子、再開識別子、および／または同様のものを含むことができる。
【０１２１】
一例において、アンカー基地局は、メッセージ（例えば、ＲＡＮページングメッセージ）をＲＮＡの基地局にブロードキャストして、無線デバイスをＲＲＣ停止状態に到達させることができ、および／またはアンカー基地局からメッセージを受信する基地局は、別のメッセージ（例えば、ページングメッセージ）を、エアインターフェースを通して、ＲＮＡと関連付けられた、基地局のカバレッジエリア、セルカバレッジエリア、および／またはビームカバレッジエリア内の無線デバイスにブロードキャストおよび／またはマルチキャストすることができる。
【０１２２】
一例において、ＲＲＣ停止状態にある無線デバイスが新しいＲＮＡ中に移動すると、無線デバイスは、ＲＮＡ更新（ＲＮＡＵ）プロシージャを実行することができ、そのプロシージャは、無線デバイスおよび／またはＵＥコンテキスト検索プロシージャによりランダムアクセスプロシージャを実行することができる。ＵＥコンテキスト検索は、基地局によって、無線デバイスから、ランダムアクセスプリアンブルを検索すること、および、基地局によって、以前のアンカー基地局から無線デバイスのＵＥコンテキストをフェッチすることを含むことができる。フェッチすることは、再開識別子を含む検索ＵＥコンテキスト要求メッセージを、以前のアンカー基地局に送信すること、および、無線デバイスのＵＥコンテキストを含む検索ＵＥコンテキスト応答メッセージを、以前のアンカー基地局から受信することを含むことができる。
【０１２３】
例示的な実施形態において、ＲＲＣ停止状態にある無線デバイスは、少なくとも１つ以上のセルに対する測定結果に基づいて、キャンプオンする１つのセルを選択することができ、そこでは、無線デバイスは、基地局からのＲＮＡページングメッセージおよび／またはコアネットワークページングメッセージをモニタすることができる。一例において、ＲＲＣ停止状態にある無線デバイスは、ランダムアクセスプロシージャを実行するためのセルを選択してＲＲＣ接続を再開し、かつ／または基地局に（例えば、ネットワークに）１つ以上のパケットを伝送することができる。一例において、選択されたセルが、ＲＲＣ停止状態にある無線デバイスのためのＲＮＡとは異なるＲＮＡに属する場合、無線デバイスは、ランダムアクセスプロシージャを開始してＲＮＡ更新プロシージャを実行することができる。一例において、ＲＲＣ停止状態にある無線デバイスが、バッファ内に、ネットワークに伝送するための１つ以上のパケットを有する場合、無線デバイスは、ランダムアクセスプロシージャを開始して、無線デバイスが選択するセルの基地局に１つ以上のパケットを伝送することができる。ランダムアクセスプロシージャは、無線デバイスと基地局との間で、２つのメッセージ（例えば、２ステージランダムアクセス）、および／または４つのメッセージ（例えば、４ステージランダムアクセス）を用いて実行することができる。
【０１２４】
例示的な実施形態において、ＲＲＣ停止状態にある無線デバイスから１つ以上のアップリンクパケットを受信する基地局は、無線デバイスから受信されたＡＳコンテキスト識別子、ＲＮＡ識別子、基地局識別子、再開識別子、および／またはセル識別子のうちの少なくとも１つに基づいて、無線デバイスのための検索ＵＥコンテキスト要求メッセージを無線デバイスのアンカー基地局に伝送することによって、無線デバイスのＵＥコンテキストをフェッチすることができる。ＵＥコンテキストをフェッチすることに応答して、基地局は、無線デバイスのためのパス切り替え要求をコアネットワークエンティティ（例えば、ＡＭＦ、ＭＭＥ、および／または同様のもの）に伝送することができる。コアネットワークエンティティは、ユーザプレーンコアネットワークエンティティ（例えば、ＵＰＦ、Ｓ−ＧＷ、および／または同様のもの）とＲＡＮノード（例えば、基地局）との間で、無線デバイスのために確立された１つ以上のベアラに対するダウンリンクトンネルエンドポイント識別子を更新することができ、例えば、ダウンリンクトンネルエンドポイント識別子をアンカー基地局のアドレスから基地局のアドレスに変更することができる。
【０１２５】
ｇＮＢは、１つ以上の新しい無線技術を用いる無線ネットワークを介して無線デバイスと通信することができる。この１つ以上の無線技術は、物理層に関する複数の技術、媒体アクセス制御層に関する複数の技術、および／または無線リソース制御層に関する複数の技術、のうちの少なくとも１つを含むことができる。この１つ以上の無線技術を強化する例示的な実施形態は、無線ネットワークの性能を向上させることができる。例示的な実施形態は、システムスループット、またはデータ伝送率を高めることができる。例示的な実施形態は、無線デバイスのバッテリ消費を低減することができる。例示的な実施形態は、ｇＮＢと無線デバイスとの間のデータ伝送の待ち時間を改善することができる。例示的な実施形態は、無線ネットワークのネットワークカバレッジを向上させることができる。例示的な実施形態は、無線ネットワークの伝送効率を向上させることができる。
【０１２６】
一例において、異なる事業者戦略だけでなく、異なる国における規則および法律にも依存する、多くのネットワーク共有シナリオが存在し得る。同等のＰＬＭＮ機能により、事業者が共通の基地局を共有することを可能にし、コアネットワークの特定の部分は事業者間で共有され得る。
【０１２７】
一例において、ネットワーク共有シナリオにより、事業者がネットワークを共有すること、および／またはその顧客に無線サービスを供給することを可能にし得る。例えば、事業者は、別の事業者に割り当てられたスペクトルを使用して、その加入者にサービスを供給し得る。地理的に分割されたネットワーク、例えば協力事業者が国の異なる地域をカバーするシナリオが可能であり得る。１つの事業者のコアネットワークはまた、複数の基地局に接続され得る。
【０１２８】
一例において、重要なのは、特定の時点での共有ソリューションだけでなく、共有パートナーがより専用のネットワーク、またはより共同のネットワークに発展させることがどのように可能であるかでもあり得る。業界で議論されている一連のインフラストラクチャ共有ソリューションおよびシナリオは、近い将来の専用ネットワークを対象にするソリューション代替案、即時終了ではなく、例えばネットワーク容量需要が必要な場合の終了を対象とするインフラ共有のためのソリューション、および／または例えば事業者のうちの１つが周波数ライセンスを欠いている場合などであり得る、長期共有を対象とするインフラ共有を一緒に含む代替案をカバーし得る。一例において、ネットワーク内の適切な機能を識別すること、変更すること、および追加することは、より良い共有ネットワーク動作につながり得る。
【０１２９】
一例において、複数の周波数割り当てを有する事業者の場合、ＲＡＮ要素を共有することは可能であり得るが、無線周波数を共有することは可能ではない場合がある。この場合、事業者は、共有基地局内の専用のキャリア層に直接接続し得る。
【０１３０】
一例において、このシナリオでは、個別のライセンスを有する２つ（またはそれ以上）の事業者が、それぞれの無線アクセスネットワークで、国の異なる地域をカバーするが、一緒になって国全体をカバーするし得る。
【０１３１】
一例において、２つ（またはそれ以上の事業者）が、ユーザ（例えば、ＵＥ）のために国内ローミングを用いる場合、これは、１つのコアネットワークが無線アクセスネットワークに関連付けることができることを意味し得る。カバレッジ領域が重複する場合は注意が必要であり得、それにより、これが有効な共有ネットワークシナリオになり得る。
【０１３２】
一例において、事業者は、例えば、カバレッジエリアの異なる部分における異なる事業者に割り当てられたスペクトルを利用して、カバレッジエリア全体にわたって両方の無線アクセスネットワークに接続された個々のコアネットワークを有し得る。共有無線アクセスネットワークには、複数のコアネットワーク事業者がいる場合がある。コアネットワークの無線アクセスネットワーク（例えば、基地局）への接続は、無線ネットワークコントローラを両方の事業者のコアネットワーク要素に接続することによって、またはコアネットワークの一部を共有することによって行われ得る。純粋にロードシェアリングの目的で、共通のコアネットワーク部品と無線アクセスネットワークとの間のインターフェースフレックス機能を導入することが可能であり得る。
【０１３３】
一例において、２つ以上の事業者がカバレッジを提供するエリアでは、ユーザが、ホーム事業者によって提供される無線アクセスネットワークを使用することを許可され得るように、アクセス権を制限することが可能であり得る。
【０１３４】
一例において、ある事業者は、特定の地理的エリア内においてカバレッジを展開し得、他の事業者は、その加入者に対してこのカバレッジを使用することを許可され得る。この地理的エリアの外では、カバレッジは、事業者によって提供され得る。
【０１３５】
例えば、２つの事業者の場合、サードパーティは、人口密度の高いエリアでは、事業者ＡおよびＢ’の加入者にＲＡＮカバレッジを提供することができる。密度の低いエリアでは、他のＲＡＮカバレッジは、事業者Ａおよび事業者Ｂによって提供され、これらのエリアでは、加入者は、その事業者のアクセスネットワークに接続することができる。
【０１３６】
一例において、共通スペクトルネットワーク共有は、１つの事業者が、ライセンスを有する、および／もしくは割り当てられたスペクトルを他の事業者と共有する、ならびに／またはいくつかの事業者が、割り当てられたスペクトルをプールして、全スペクトルを共有する（割り当てられたスペクトルを有しない事業者もこのプールされたスペクトルを共有し得る）ことを決定する場合に適用可能であり得る。
【０１３７】
一例において、事業者のコアネットワークおよび／または共有無線アクセスネットワーク（複数可）（簡略化のために１つの無線ネットワークコントローラ）を接続する。この場合、１つ以上のコアネットワーク事業者が、コアネットワークと共有無線アクセスネットワークとの間のインターフェースフレックスを使用することが可能であり得る。事業者ＡおよびＣは、複数のコアネットワークノード（ＣＮ）を使用していない場合があり、したがって、インターフェースフレックスを使用する必要がない場合がある。事業者Ｂは、複数のＣＮを使用している場合があり、および／またはインターフェースフレックスを使用して、ＣＮのドメイン内共有を可能にすることを決定している場合がある。
【０１３８】
一例において、無線アクセスネットワークに接続されたコアネットワークエンティティは、共有され得る。共有ネットワークでの作業は、どのものが実装されているか、事業者の選択であり得る。
【０１３９】
ネットワーク共有シナリオでは、複数の無線アクセスネットワークが共通のネットワークを共有し得る。複数のＲＡＮは、異なるＰＬＭＮおよびネットワーク事業者に属し得る。事業者の展開により、異なるノードまたは共通コアネットワークの一部が共有され得る。
【０１４０】
一例において、共有ネットワークにおけるハンドオーバ、サービス差別化、およびアクセス権を完全にサポートするために、ユーザ（例えば、ＵＥ）が属する事業者はどれかを識別し、場合によっては、この情報に従って、ユーザをグループ化する必要があり得る。複雑な動作およびメンテナンスプロシージャを回避するために、このようなユーザ分類は、ユーザアイデンティティに関する情報を必要とする共有ネットワークの機能には一般的であり得る。ネットワーク共有は、ネットワーク事業者間の合意であり得、および／またはユーザに対してトランスペアレントであり得る。
【０１４１】
一例において、異なる事業者間にネットワーク共有が存在し、ユーザが共有ネットワークにローミングする場合、そのユーザは、ユーザが加入しているか、または、事業者が無線カバレッジを提供していない場合でも、ユーザのホーム事業者がローミング契約を結んでいるか、どちらかの（ネットワーク共有パートナーのうちの）コアネットワーク事業者に登録することが可能であり得る。共有無線アクセスネットワークに接続されたコアネットワーク事業者からのコアネットワーク事業者の選択は、手動（つまり、使用可能なコアネットワーク事業者のリストを受け取った後にユーザにより実行される）または自動（つまり、ユーザおよび事業者の優先設定に従って、ＵＥによって実行される）のどちらかであり得る。
【０１４２】
一例において、端末は、ユーザが登録したコアネットワーク事業者（例えば、ＰＬＭＮ）の名称を表示し得る。ネットワーク共有ソリューションは、レガシーＵＥをサポートし得る。一例において、以下の２つの場合、すなわち、ローミングユーザのための手動ネットワーク選択および／またはローミングユーザのためのネットワーク名表示が識別され得る。サービス能力および要件は、ネットワーク共有シナリオによって制限されない場合がある。ネットワーク事業者が、そのサービス提供を、共有ネットワーク内の他のネットワーク事業者と区別することが可能であり得る。
【０１４３】
一例において、提供されるサービスおよびサービス能力は、ネットワーク共有の存在によって制限されない場合がある。ネットワーク事業者が、そのサービス提供を、共有ネットワーク内の他のネットワーク事業者と区別することが可能であり得る。ネットワークにおいて提供することが可能であるサービスおよびサービス能力の提供は、ネットワーク共有の存在によって制限されない場合があり、コアネットワーク事業者が、そのサービス提供を、共有ネットワーク内の他のコアネットワーク事業者と区別することが可能であり得る。ユーザが加入しているコアネットワーク事業者に応じて、共有ネットワークによって提供されるサービス能力へのアクセスを制御することが可能であり得る。共有ネットワークにおけるモビリティは、ＵＥによって制御される場合とネットワークによって制御される場合の両方で、サービスの過度の中断を引き起こさない場合がある。
【０１４４】
一例において、加入者は、ユーザ介入を必要とせずに、共有ネットワークの異なる部分の間をローミングすることが可能であり得る。共有ネットワークにおけるローミング中のユーザエクスペリエンスは、非共有ネットワークにおけるユーザエクスペリエンスよりも悪くない場合がある。場合によっては、ユーザ介入が必要になる場合があり、例えば、共有ネットワークの異なる部分への変更により、サービス料金が変更される場合に、ユーザ介入が必要になり得る。
【０１４５】
一例において、シームレスネットワークは、共有ネットワークと非共有ネットワークとの間でサポートされ得る。ユーザ（例えば、ＵＥ）は、ネットワーク間のハンドオーバ中およびハンドオーバ後に、同じサービスレベルを受信することができる場合がある。
【０１４６】
一例において、ネットワークは、ハンドオーバに対する適切な候補者を決定するために、関連する加入者情報にアクセスすることができる場合がある。候補者についての決定を行うために必要であり得る情報の例は、サブスクリプションのタイプ（例えば、前払い／後払い）、加入者のホームネットワーク（ローミング加入者の場合）、ハンドオーバされるサービス（複数可）、加入したサービス品質（非網羅的なリスト）を含むことができる。
【０１４７】
一例において、ユーザが共有ネットワークに登録されている場合、その共有ネットワーク内で用いられるＰＬＭＮおよび無線アクセス技術の制御は、ネットワーク事業者の唯一の制御下にある。これは、ユーザが登録されている共有ネットワークに属していないＰＬＭＮの手動または自動選択に対するいかなる制限も意味するものではない。
【０１４８】
一例において、標準は、同じローミングパートナーとのローミング契約を結んでいるコアネットワーク事業者間でのインバウンドローマの柔軟な割り当てを可能にするために必要なメカニズムを指定し得る。コアネットワーク事業者は、インバウンドローマの相対的なシェアを事前に定義することができ、ネットワークは、それに応じて、無線アクセスネットワークに接続された異なるコアネットワークに自動ネットワーク選択を適用するインバウンドローマを分散することができる。また、コアネットワーク事業者は、加入者が共有ネットワークの別の部分を再選択することを可能にするか、または強制して、インバウンドローマの相対的なシェアが維持されるようにすることも可能であり得る。
【０１４９】
一例において、共有ネットワークにおけるモビリティが、ＵＥによって制御される場合（例えば、セル再選択）、事業者は、最も適切な候補者を決定する無線パラメータ以外のパラメータを設定することができる場合がある。これらのパラメータの例は、サブスクリプション情報、要求されたサービス、ネットワーク負荷などである。課金ソリューションは、共有ネットワークアーキテクチャをサポートするため、エンドユーザとネットワーク共有パートナーの両方が、共有ネットワークの使用に対して正しく課金され得る。
【０１５０】
一例において、ＵＥは、システム情報取得プロシージャを適用して、Ｅ−ＵＴＲＡＮおよび／またはネットラジオ（ＮＲ）によってブロードキャストされ得るＡＳシステム情報および／またはＮＡＳシステム情報を取得し得る。プロシージャは、ＲＲＣ＿ＩＤＬＥ、ＲＲＣ＿ＩＮＡＣＴＩＶＥ、および／またはＲＲＣ＿ＣＯＮＮＥＣＴＥＤにおいてＵＥに適用し得る。
【０１５１】
一例において、ＵＥは、セルを選択するとき（例えば、電源投入時）および／もしくはセルを再選択するとき、別の無線アクセス技術（ＲＡＴ）からＥ−ＵＴＲＡ／ＮＲに入った後、ハンドオーバ完了後、カバレッジ外からの復帰時、システム情報が変更されたという通知を受信するとき、ＥＴＷＳ通知の存在に関する表示を受信するとき、ＣＭＡＳ通知の存在に関する表示を受信するとき、ＥＡＢパラメータが変更されたという通知を受信するとき、ＣＤＭＡ２０００上位層からの要求を受信するとき、ならびに／または最大有効期間を超えたときに、システム情報取得プロシージャを適用し得る。一例において、システム情報取得プロシージャは、格納されたシステム情報を上書きし得、例えば、デルタ構成は、システム情報に適用できない場合があり、および／または、特に明記しない限り、システム情報にフィールドがない場合、ＵＥは、フィールドを使用することを中止する。
【０１５２】
一例において、ＲＲＣ＿ＣＯＮＮＥＣＴＥＤにおいて、ＢＬ  ＵＥおよび／またはＣＥ内のＵＥは、Ｔ３１１が実行されているとき、および／またはＵＥがターゲットＰＣｅｌｌ内のＭａｓｔｅｒＩｎｆｏｒｍａｔｉｏｎＢｌｏｃｋを取得することを要求され得るハンドオーバ時に、システム情報を取得することを要求され得る。ハンドオーバ時に、Ｅ−ＵＴＲＡＮ／ＮＲは、ＲＲＣシグナリング、例えば、ｓｙｓｔｅｍＩｎｆｏｒｍａｔｉｏｎＢｌｏｃｋＴｙｐｅ１Ｄｅｄｉｃａｔｅｄおよび／またはｍｏｂｉｌｉｔｙＣｏｎｔｒｏｌＩｎｆｏを使用して、ＲＲＣ＿ＣＯＮＮＥＣＴＥＤ（例えば、ＭＩＢを除く）においてＵＥが必要とするシステム情報を提供し得る。
【０１５３】
一例において、ＵＥは、１＞以下に定義されているように、「必要な」システム情報とも呼ばれる（少なくとも）以下のシステム情報、すなわち、２＞ＲＲＣ＿ＩＤＬＥ／ＲＲＣ＿ＩＮＡＣＴＩＶＥにある場合、３＞ＵＥがＮＢ−ＩｏＴ  ＵＥの場合、４＞ＭａｓｔｅｒＩｎｆｏｒｍａｔｉｏｎＢｌｏｃｋ−ＮＢおよびＳｙｓｔｅｍＩｎｆｏｒｍａｔｉｏｎＢｌｏｃｋＴｙｐｅ１−ＮＢ、ならびにＳｙｓｔｅｍＩｎｆｏｒｍａｔｉｏｎＢｌｏｃｋＴｙｐｅ２−ＮＢからＳｙｓｔｅｍＩｎｆｏｒｍａｔｉｏｎＢｌｏｃｋＴｙｐｅ５−ＮＢ、ＳｙｓｔｅｍＩｎｆｏｒｍａｔｉｏｎＢｌｏｃｋＴｙｐｅ２２−ＮＢ、３＞それ以外の場合、４＞ＭａｓｔｅｒＩｎｆｏｒｍａｔｉｏｎＢｌｏｃｋおよび／またはＳｙｓｔｅｍＩｎｆｏｒｍａｔｉｏｎＢｌｏｃｋＴｙｐｅ１（またはＵＥがＢＬ  ＵＥであるか、またはＣＥ内のＵＥであるかに応じて、ＳｙｓｔｅｍＩｎｆｏｒｍａｔｉｏｎＢｌｏｃｋＴｙｐｅ１−ＢＲ）、ならびにＳｙｓｔｅｍＩｎｆｏｒｍａｔｉｏｎＢｌｏｃｋＴｙｐｅ２からＳｙｓｔｅｍＩｎｆｏｒｍａｔｉｏｎＢｌｏｃｋＴｙｐｅ８（関連するＲＡＴのサポートに応じて）、ＳｙｓｔｅｍＩｎｆｏｒｍａｔｉｏｎＢｌｏｃｋＴｙｐｅ１７（ＲＡＮ支援のＷＬＡＮインターワーキングのサポートに応じて）、２＞ＲＲＣ＿ＣＯＮＮＥＣＴＥＤにある場合、および／または２＞ＵＥがＢＬ  ＵＥではない場合、および／または２＞ＵＥがＣＥ内にない場合、および／または２＞ＵＥがＮＢ−ＩｏＴ  ＵＥではない場合、３＞ＭａｓｔｅｒＩｎｆｏｒｍａｔｉｏｎＢｌｏｃｋ、ＳｙｓｔｅｍＩｎｆｏｒｍａｔｉｏｎＢｌｏｃｋＴｙｐｅ１および／またはＳｙｓｔｅｍＩｎｆｏｒｍａｔｉｏｎＢｌｏｃｋＴｙｐｅ２、ならびにＳｙｓｔｅｍＩｎｆｏｒｍａｔｉｏｎＢｌｏｃｋＴｙｐｅ８（ＣＤＭＡ２０００のサポートに応じて）、ＳｙｓｔｅｍＩｎｆｏｒｍａｔｉｏｎＢｌｏｃｋＴｙｐｅ１７（ＲＡＮ支援のＷＬＡＮインターワーキングのサポートに応じて）、２＞ＲＲＣ＿ＣＯＮＮＥＣＴＥＤにある場合および／またはＴ３１１が実行されている場合、および／または２＞ＵＥがＢＬ  ＵＥであるか、またはＵＥがＣＥ内にあるか、またはＵＥがＮＢ−ＩｏＴ  ＵＥである場合、３＞ＭａｓｔｅｒＩｎｆｏｒｍａｔｉｏｎＢｌｏｃｋ（またはＮＢ−ＩｏＴのＭａｓｔｅｒＩｎｆｏｒｍａｔｉｏｎＢｌｏｃｋ−ＮＢ）、ＳｙｓｔｅｍＩｎｆｏｒｍａｔｉｏｎＢｌｏｃｋＴｙｐｅ１−ＢＲ（またはＮＢ−ＩｏＴのＳｙｓｔｅｍＩｎｆｏｒｍａｔｉｏｎＢｌｏｃｋＴｙｐｅ１−ＮＢ）および／またはＳｙｓｔｅｍＩｎｆｏｒｍａｔｉｏｎＢｌｏｃｋＴｙｐｅ２（またはＮＢ−ＩｏＴのＳｙｓｔｅｍＩｎｆｏｒｍａｔｉｏｎＢｌｏｃｋＴｙｐｅ２−ＮＢ）、および／またはＮＢ−ＩｏＴの場合ＳｙｓｔｅｍＩｎｆｏｒｍａｔｉｏｎＢｌｏｃｋＴｙｐｅ２２−ＮＢの有効なバージョンを有することを確認することと、１＞特に明記されていない限り、有効であることが確認されてから３時間後または２４時間後に、格納されたシステム情報を削除することと、１＞ＳｙｓｔｅｍＩｎｆｏｒｍａｔｉｏｎＢｌｏｃｋＴｙｐｅ１（ＮＢ−ＩｏＴのＭａｓｔｅｒＩｎｆｏｒｍａｔｉｏｎＢｌｏｃｋ−ＮＢ）に含まれるｓｙｓｔｅｍＩｎｆｏＶａｌｕｅＴａｇが、格納されたシステム情報のうちの１つとは異なり得る場合、および／またはＮＢ−ＩｏＴ  ＵＥ、ＢＬ  ＵＥ、およびＣＥ内のＵＥの場合、ｓｙｓｔｅｍＩｎｆｏＶａｌｕｅＴａｇＳＩがブロードキャストされない場合、ＳｙｓｔｅｍＩｎｆｏｒｍａｔｉｏｎＢｌｏｃｋＴｙｐｅ１０、ＳｙｓｔｅｍＩｎｆｏｒｍａｔｉｏｎＢｌｏｃｋＴｙｐｅ１１、ｓｙｓｔｅｍＩｎｆｏｒｍａｔｉｏｎＢｌｏｃｋＴｙｐｅ１２、および／またはｓｙｓｔｅｍＩｎｆｏｒｍａｔｉｏｎＢｌｏｃｋＴｙｐｅ１４（ＮＢ−ＩｏＴのｓｙｓｔｅｍＩｎｆｏｒｍａｔｉｏｎＢｌｏｃｋＴｙｐｅ１４−ＮＢ）を除く格納されたシステム情報を無効であるとみなすことと、を行い得る。
【０１５４】
一例において、ＵＥは、１＞指定されたＢＣＣＨ構成またはＢＲ−ＢＣＣＨ構成を適用することと、１＞システム情報変更通知によって、プロシージャがトリガーされた場合、２＞ＵＥが修正期間よりも長いアイドル／停止ＤＲＸサイクルを使用する場合、３＞次のｅＤＲＸ取得期間境界から必要なシステム情報を取得し始めることと、２＞それ以外の場合、３＞変更通知を受け取った後、修正期間の初めから必要なシステム情報を取得し始めることと（ＵＥは、新しいシステム情報が取得されるまで、以前に受信したシステム情報を使用し続け得る）、１＞ＵＥがＲＲＣ＿ＩＤＬＥ／ＲＲＣ＿ＩＮＡＣＴＩＶＥにある、および／またはＵＥが、ＲＲＣ＿ＩＤＬＥ／ＲＲＣ＿ＩＮＡＣＴＩＶＥにおいて必要なシステム情報の有効なバージョンを格納していないセルに入る場合、２＞システム情報取得プロシージャを使用して、ＲＲＣ＿ＩＤＬＥ／ＲＲＣ＿ＩＮＡＣＴＩＶＥにおいて必要なシステム情報を取得することと、１＞ＵＥがＲＲＣ＿ＣＯＮＮＥＣＴＥＤにおいて必要なシステム情報の有効なバージョンを保存していないＰＣｅｌｌへの正常なハンドオーバの完了後、２＞システム情報取得プロシージャを使用して、ＲＲＣ＿ＣＯＮＮＥＣＴＥＤにおいて必要なシステム情報を取得することと、２＞関係するシステム情報を取得するとき、３＞以前に専用メッセージで受信したｒａｄｉｏＲｅｓｏｕｒｃｅＣｏｎｆｉｇＣｏｍｍｏｎに含まれる対応する無線リソース構成情報が、もしあれば破棄することと、１＞ＣＤＭＡ２０００上位層からの要求の後、２＞ＳｙｓｔｅｍＩｎｆｏｒｍａｔｉｏｎＢｌｏｃｋＴｙｐｅ８を取得することと、１＞ＵＥが、ＭａｓｔｅｒＩｎｆｏｒｍａｔｉｏｎＢｌｏｃｋ（ＮＢ−ＩｏＴのＭａｓｔｅｒＩｎｆｏｒｍａｔｉｏｎＢｌｏｃｋ−ＮＢ）および／またはＳｙｓｔｅｍＩｎｆｏｒｍａｔｉｏｎＢｌｏｃｋＴｙｐｅ１（ＮＢ−ＩｏＴのＳｙｓｔｅｍＩｎｆｏｒｍａｔｉｏｎＢｌｏｃｋＴｙｐｅ１−ＮＢ）メッセージ、ならびにＳｙｓｔｅｍＩｎｆｏｒｍａｔｉｏｎＢｌｏｃｋＴｙｐｅ２（ＮＢ−ＩｏＴのＳｙｓｔｅｍＩｎｆｏｒｍａｔｉｏｎＢｌｏｃｋＴｙｐｅ２−ＮＢ）、および／またはＮＢ−ＩｏＴの場合、ＳｙｓｔｅｍＩｎｆｏｒｍａｔｉｏｎＢｌｏｃｋＴｙｐｅ２２−ＮＢの有効なバージョンを有するまで、ＲＲＣ接続確立／再開プロシージャを開始したり、ＲＲＣＣｏｎｎｅｃｔｉｏｎＲｅｅｓｔａｂｌｉｓｈｍｅｎｔＲｅｑｕｅｓｔメッセージの伝送を開始したりしないことと、１＞ブロードキャストされる場合、ＵＥがＳｙｓｔｅｍＩｎｆｏｒｍａｔｉｏｎＢｌｏｃｋＴｙｐｅ１４の有効なバージョンを有するまで、ＥＡＢの対象となるＲＲＣ接続確立／再開プロシージャを開始しないことと、１＞ＵＥがＥＴＷＳ対応の場合、２＞ＲＲＣ＿ＩＤＬＥ／ＲＲＣ＿ＩＮＡＣＴＩＶＥの間にセルに入るとき、正常なハンドオーバの後、または接続再確立時に、３＞以前にバッファされたｗａｒｎｉｎｇＭｅｓｓａｇｅＳｅｇｍｅｎｔを破棄することと、３＞もしあれば、ＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよびｓｅｒｉａｌＮｕｍｂｅｒの現在値をクリアすることと、２＞ＵＥがＥＴＷＳ表示の後、ＳｙｓｔｅｍＩｎｆｏｒｍａｔｉｏｎＢｌｏｃｋＴｙｐｅ１を取得する場合、ＲＲＣ＿ＩＤＬＥ中にセルに入るとき、正常なハンドオーバの後、または接続再確立時に、３＞ＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１０が存在することを示す場合、４＞ＵＥがＣＥ内にある場合、５＞ＳｙｓｔｅｍＩｎｆｏｒｍａｔｉｏｎＢｌｏｃｋＴｙｐｅ１０を取得し始めることと、４＞それ以外の場合、５＞ＳｙｓｔｅｍＩｎｆｏｒｍａｔｉｏｎＢｌｏｃｋＴｙｐｅ１０をすぐに取得し始めることと、３＞ＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１１が存在することを示している場合、４＞ＳｙｓｔｅｍＩｎｆｏｒｍａｔｉｏｎＢｌｏｃｋＴｙｐｅ１１をすぐに取得し始めることと（ＵＥは、ＳｙｓｔｅｍＩｎｆｏｒｍａｔｉｏｎＢｌｏｃｋＴｙｐｅ１におけるｓｙｓｔｅｍＩｎｆｏＶａｌｕｅＴａｇが変更されていない場合でも、上記のようにＳｙｓｔｅｍＩｎｆｏｒｍａｔｉｏｎＢｌｏｃｋＴｙｐｅ１０およびＳｙｓｔｅｍＩｎｆｏｒｍａｔｉｏｎＢｌｏｃｋＴｙｐｅ１１を取得し始め得る）、
【０１５５】
１＞ＵＥがＣＭＡＳ対応の場合、２＞ＲＲＣ＿ＩＤＬＥ／ＲＲＣ＿ＩＮＡＣＴＩＶＥ中にセルに入るとき、正常なハンドオーバの後、または接続再確立時に、３＞以前にバッファされたｗａｒｎｉｎｇＭｅｓｓａｇｅＳｅｇｍｅｎｔを破棄することと、３＞もしあれば、破棄されたｗａｒｎｉｎｇＭｅｓｓａｇｅＳｅｇｍｅｎｔに関連付けられたＳｙｓｔｅｍＩｎｆｏｒｍａｔｉｏｎＢｌｏｃｋＴｙｐｅ１２に対するｍｅｓｓａｇｅＩｄｅｎｔｉｆｉｅｒおよびｓｅｒｉａｌＮｕｍｂｅｒの格納された値をクリアすることと、２＞ＵＥが、ＣＭＡＳ表示の後、ＳｙｓｔｅｍＩｎｆｏｒｍａｔｉｏｎＢｌｏｃｋＴｙｐｅ１を取得する場合、ＲＲＣ＿ＩＤＬＥ／ＲＲＣ＿ＩＮＡＣＴＩＶＥ中にセルに入るとき、正常なハンドオーバの後、および接続再確立時に、３＞ｓｃｈｅｄｕｌｅＩｎｆｏＬｉｓｔが、ＳｙｓｔｅｍＩｎｆｏｒｍａｔｉｏｎＢｌｏｃｋＴｙｐｅ１２が存在することを示している場合、４＞ＳｙｓｔｅｍＩｎｆｏｒｍａｔｉｏｎＢｌｏｃｋＴｙｐｅ１２を取得することと（ＵＥは、ＳｙｓｔｅｍＩｎｆｏｒｍａｔｉｏｎＢｌｏｃｋＴｙｐｅ１におけるｓｙｓｔｅｍＩｎｆｏＶａｌｕｅＴａｇが変更されていなくても、上記のようにＳｙｓｔｅｍＩｎｆｏｒｍａｔｉｏｎＢｌｏｃｋＴｙｐｅ１２を取得し始め得る）
【０１５６】
１＞ＵＥがＭＢＭＳサービスを受信したい場合、２＞ＵＥがＭＢＭＳ受信に対応している場合、３＞ＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１３が存在することを示し、ＵＥがこのシステム情報ブロックの有効なバージョンを格納していない場合、４＞ＳｙｓｔｅｍＩｎｆｏｒｍａｔｉｏｎＢｌｏｃｋＴｙｐｅ１３を取得することと、３＞それ以外の場合で、ＳｙｓｔｅｍＩｎｆｏｒｍａｔｉｏｎＢｌｏｃｋＴｙｐｅ１３がＳｙｓｔｅｍＩｎｆｏｒｍａｔｉｏｎＢｌｏｃｋＴｙｐｅ１−ＭＢＭＳにおいて存在し、ＵＥがこのシステム情報ブロックの有効なバージョンを格納していない場合、４＞ＳｙｓｔｅｍＩｎｆｏｒｍａｔｉｏｎＢｌｏｃｋＴｙｐｅ１−ＭＢＭＳから、ＳｙｓｔｅｍＩｎｆｏｒｍａｔｉｏｎＢｌｏｃｋＴｙｐｅ１３を取得することと、２＞ＵＥがＳＣ−ＰＴＭ受信に対応している場合、３＞ＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ２０（ＮＢ−ＩｏＴのＳｙｓｔｅｍＩｎｆｏｒｍａｔｉｏｎＢｌｏｃｋＴｙｐｅ２０−ＮＢ）が存在することを示し、および／またはＵＥがこのシステム情報ブロックの有効なバージョンを格納していない場合、４＞ＳｙｓｔｅｍＩｎｆｏｒｍａｔｉｏｎＢｌｏｃｋＴｙｐｅ２０（ＮＢ−ＩｏＴのＳｙｓｔｅｍＩｎｆｏｒｍａｔｉｏｎＢｌｏｃｋＴｙｐｅ２０−ＮＢ）を取得することと、２＞ＵＥがＭＢＭＳサービス継続性に対応している場合、３＞ＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１５（ＮＢ−ＩｏＴのＳｙｓｔｅｍＩｎｆｏｒｍａｔｉｏｎＢｌｏｃｋＴｙｐｅ１５−ＮＢ）が存在することを示し、および／またはＵＥがこのシステム情報ブロックの有効なバージョンを格納していない場合、４＞ＳｙｓｔｅｍＩｎｆｏｒｍａｔｉｏｎＢｌｏｃｋＴｙｐｅ１５（ＮＢ−ＩｏＴのＳｙｓｔｅｍＩｎｆｏｒｍａｔｉｏｎＢｌｏｃｋＴｙｐｅ１５−ＮＢ）を取得することと、
【０１５７】
１＞ＵＥがＥＡＢ対応の場合、２＞ＲＲＣ＿ＩＤＬＥ／ＲＲＣ＿ＩＮＡＣＴＩＶＥに入るときに、ＵＥがＳｙｓｔｅｍＩｎｆｏｒｍａｔｉｏｎＢｌｏｃｋＴｙｐｅ１４の有効なバージョンを格納していない場合、および／またはＥＡＢパラメータ変更通知の後、ＵＥがＳｙｓｔｅｍＩｎｆｏｒｍａｔｉｏｎＢｌｏｃｋＴｙｐｅ１を取得する場合、および／またはＲＲＣ＿ＩＤＬＥ／ＲＲＣ＿ＩＮＡＣＴＩＶＥ中にセルに入るとき、または修正期間より長いＤＲＸサイクルでｅＤＲＸを使用する場合にＲＲＣ接続を確立する前に、３＞ＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１４が存在することを示す場合、４＞ＳｙｓｔｅｍＩｎｆｏｒｍａｔｉｏｎＢｌｏｃｋＴｙｐｅ１４をすぐに取得し始めることと、３＞それ以外の場合、４＞以前に受信した場合は、ＳｙｓｔｅｍＩｎｆｏｒｍａｔｉｏｎＢｌｏｃｋＴｙｐｅ１４を破棄することと（ＥＡＢ対応のＵＥは、ＳｙｓｔｅｍＩｎｆｏｒｍａｔｉｏｎＢｌｏｃｋＴｙｐｅ１におけるｓｙｓｔｅｍＩｎｆｏＶａｌｕｅＴａｇが変更されていない場合でも、上記のようにＳｙｓｔｅｍＩｎｆｏｒｍａｔｉｏｎＢｌｏｃｋＴｙｐｅ１４を取得し始め得る）（ＥＡＢ対応のＵＥは、ＲＲＣ＿ＩＤＬＥ／ＲＲＣ＿ＩＮＡＣＴＩＶＥにおける最新のＳｙｓｔｅｍＩｎｆｏｒｍａｔｉｏｎＢｌｏｃｋＴｙｐｅ１４を維持し得る）、
【０１５８】
１＞ＵＥがサイドリンク通信に対応しており、および／またはサイドリンク通信を受信または伝送するように上位層によって構成されている場合、２＞サイドリンク通信に使用されるセルがＳ基準を満たす場合、および／または２＞ｓｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１８が存在することを示す場合、および／またはＵＥがこのシステム情報ブロックの有効なバージョンを格納していない場合、３＞ＳｙｓｔｅｍＩｎｆｏｒｍａｔｉｏｎＢｌｏｃｋＴｙｐｅ１８を取得することと、１＞ＵＥがサイドリンクディスカバリに対応しており、および／または一次周波数でサイドリンクディスカバリアナウンスメントを受信または伝送するように、上位層によって構成されている場合、２＞サービングセル／ＰＣｅｌｌのｓｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１９が存在することを示し、および／またはＵＥがこのシステム情報ブロックの有効なバージョンを格納していない場合、３＞ＳｙｓｔｅｍＩｎｆｏｒｍａｔｉｏｎＢｌｏｃｋＴｙｐｅ１９を取得することと、１＞ＵＥがサイドリンクディスカバリに対応している場合、および／または、ｄｉｓｃＩｎｔｅｒＦｒｅｑＬｉｓｔに含まれる１つ以上の周波数について、ＳｙｓｔｅｍＩｎｆｏｒｍａｔｉｏｎＢｌｏｃｋＴｙｐｅ１９に含まれる場合、および／またはＵＥがサイドリンクディスカバリアナウンスメントを受信するように上位層によって構成されている場合、２＞サービングセル／ＰＣｅｌｌのＳｙｓｔｅｍＩｎｆｏｒｍａｔｉｏｎＢｌｏｃｋＴｙｐｅ１９が、対応する受信リソースを提供しない場合、および／または２＞関係する周波数でのセルのＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１９が存在することを示し、および／またはＵＥがこのシステム情報ブロックの有効なバージョンを格納していない場合、３＞ＳｙｓｔｅｍＩｎｆｏｒｍａｔｉｏｎＢｌｏｃｋＴｙｐｅ１９を取得することと、１＞ＵＥがサイドリンクディスカバリに対応している場合、および／またはｄｉｓｃＩｎｔｅｒＦｒｅｑＬｉｓｔに含まれる１つ以上の周波数について、ＳｙｓｔｅｍＩｎｆｏｒｍａｔｉｏｎＢｌｏｃｋＴｙｐｅ１９に含まれる場合、および／またはＵＥがサイドリンクディスカバリーアナウンスメントを伝送するように上位層によって構成されている場合、２＞サービングセル／ＰＣｅｌｌのＳｙｓｔｅｍＩｎｆｏｒｍａｔｉｏｎＢｌｏｃｋＴｙｐｅ１９が、ＳＩ−ＦｒｏｍＣａｒｒｉｅｒを取得するように設定され得るｄｉｓｃＴｘＲｅｓｏｕｒｃｅｓＩｎｔｅｒＦｒｅｑを含む場合、および／または２＞関係する周波数でのセルのＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ１９が存在することを示し、ＵＥがこのシステム情報ブロックの有効なバージョンを格納していない場合、３＞ＳｙｓｔｅｍＩｎｆｏｒｍａｔｉｏｎＢｌｏｃｋＴｙｐｅ１９を取得することと、１＞ＵＥがＮＢ−ＩｏＴＵＥである場合、および／またはＭａｓｔｅｒＩｎｆｏｒｍａｔｉｏｎＢｌｏｃｋ−ＮＢに含まれるａｂ−ＥｎａｂｌｅｄがＴＲＵＥに設定されている場合、２＞ＵＥがＳｙｓｔｅｍＩｎｆｏｒｍａｔｉｏｎＢｌｏｃｋＴｙｐｅ１４−ＮＢを取得するまで、アクセス原因（例えば、モバイル終了コールを除く）に対するＲＲＣ接続確立／再開プロシージャを開始しないことと、１＞ＵＥがＶ２Ｘサイドリンク通信に対応しており、Ｖ２Ｘサイドリンク通信を周波数で受信または伝送するように上位層によって構成されている場合、２＞サービングセル／ＰＣｅｌｌのＳｃｈｅｄｕｌｉｎｇＩｎｆｏＬｉｓｔが、ＳｙｓｔｅｍＩｎｆｏｒｍａｔｉｏｎＢｌｏｃｋＴｙｐｅ２１が存在することを示し、および／またはＵＥがこのシステム情報ブロックの有効なバージョンを格納していない場合、３＞サービングセル／ＰＣｅｌｌから、ＳｙｓｔｅｍＩｎｆｏｒｍａｔｉｏｎＢｌｏｃｋＴｙｐｅ２１を取得することと、１＞ＵＥが、Ｖ２Ｘサイドリンク通信に対応しており、一次周波数ではない場合がある周波数でＶ２Ｘサイドリンク通信を受信するように上位層によって構成されている場合、２＞サービングセル／ＰＣｅｌｌのＳｙｓｔｅｍＩｎｆｏｒｍａｔｉｏｎＢｌｏｃｋＴｙｐｅ２１が、関係する周波数に対するＶ２Ｘサイドリンク通信のための受信リソースプールを提供しない場合、および／または２＞関係する周波数でのＶ２Ｘサイドリンク通信に使用されるセルが、Ｓ基準を満たす場合、および／または２＞関係する周波数でのｓｃｈｅｄｕｌｅＩｎｆｏＬｉｓｔが、ＳｙｓｔｅｍＩｎｆｏｒｍａｔｉｏｎＢｌｏｃｋＴｙｐｅ２１が存在することを示し、ＵＥがこのシステム情報ブロックの有効なバージョンを格納していない場合、３＞関係する周波数から、ＳｙｓｔｅｍＩｎｆｏｒｍａｔｉｏｎＢｌｏｃｋＴｙｐｅ２１を取得することと、１＞ＵＥが、Ｖ２Ｘサイドリンク通信に対応している、および／またはプライマリ周波数ではない場合がある周波数でＶ２Ｘサイドリンク通信を伝送するように上位層によって構成されている、および／またはサービングセル／ＰＣｅｌｌのＳｙｓｔｅｍＩｎｆｏｒｍａｔｉｏｎＢｌｏｃｋＴｙｐｅ２１においてｖ２ｘ−ＩｎｔｅｒＦｒｅｑＩｎｆｏＬｉｓｔに含まれない可能性がある場合、２＞関係する周波数でのＶ２Ｘサイドリンク通信に使用されるセルがＳ基準を満たす場合、および／または２＞関係する周波数でのｓｃｈｅｄｕｌｉｎｇＩｎｆｏＬｉｓｔが、ＳｙｓｔｅｍＩｎｆｏｒｍａｔｉｏｎＢｌｏｃｋＴｙｐｅ２１が存在することを示し、および／またはＵＥがこのシステム情報ブロックの有効なバージョンを格納していない場合、３＞関係する周波数から、ＳｙｓｔｅｍＩｎｆｏｒｍａｔｉｏｎＢｌｏｃｋＴｙｐｅ２１を取得することと、を行い得、ＵＥは、受信したＳＩＢをすぐに適用し得、例えば、ＵＥは、ＳＩメッセージが受信されるまでＳＩＢを使用することを遅らせる必要がない場合がある。ＵＥは、受信されたおよび／またはＵＥから発信されたＲＲＣメッセージに関連付けられた下位層プロシージャ、例えば進行中のランダムアクセスプロシージャを完了するまで、受信されたＳＩＢを適用することを遅らせ得る。特定のＳＩＢを取得することを試行する間に、ＵＥが、ｓｃｈｅｄｕｌｉｎｇＩｎｆｏＬｉｓｔから、それがもはや存在しない可能性があることを検出する場合、ＵＥは、特定のＳＩＢを取得しようとすることを停止し得る。
【０１５９】
一例において、ＵＥは、１＞Ｔ３１１が実行されている間、ＲＲＣ＿ＩＤＬＥ／ＲＲＣ＿ＩＮＡＣＴＩＶＥまたはＲＲＣ＿ＣＯＮＮＥＣＴＥＤにある場合、２＞ＵＥがＭａｓｔｅｒＩｎｆｏｒｍａｔｉｏｎＢｌｏｃｋ（ＮＢ−ＩｏＴのＭａｓｔｅｒＩｎｆｏｒｍａｔｉｏｎＢｌｏｃｋ−ＮＢ）を取得することができない場合、および／または２＞ＵＥがＢＬ  ＵＥでもＣＥ内でもＮＢ−ＩｏＴ内でもなく、ＵＥがＳｙｓｔｅｍＩｎｆｏｒｍａｔｉｏｎＢｌｏｃｋＴｙｐｅ１を取得することができない場合、および／または２＞ＢＬ  ＵＥまたはＣＥ内のＵＥがＳｙｓｔｅｍＩｎｆｏｒｍａｔｉｏｎＢｌｏｃｋＴｙｐｅ１−ＢＲを取得することができない場合、および／またはＳｙｓｔｅｍＩｎｆｏｒｍａｔｉｏｎＢｌｏｃｋＴｙｐｅ１−ＢＲがスケジュールされていない場合、および／または２＞ＮＢ−ＩｏＴ  ＵＥがＳｙｓｔｅｍＩｎｆｏｒｍａｔｉｏｎＢｌｏｃｋＴｙｐｅ１−ＮＢを取得することができない場合、３＞セルが禁止されているとみなすことと、および／または３＞ｉｎｔｒａＦｒｅｑＲｅｓｅｌｅｃｔｉｏｎが許可に設定されているかのように、および／またはｃｓｇ−ＩｎｄｉｃａｔｉｏｎがＦＡＬＳＥに設定されているかのように、禁止を実行することと、２＞それ以外の場合で、ＵＥがＳｙｓｔｅｍＩｎｆｏｒｍａｔｉｏｎＢｌｏｃｋＴｙｐｅ２（またはＮＢ−ＩｏＴのＳｙｓｔｅｍＩｎｆｏｒｍａｔｉｏｎＢｌｏｃｋＴｙｐｅ２−ＮＢ）を取得することができない場合、および／またはＮＢ−ＩｏＴの場合、もしスケジュールされていれば、ＳｙｓｔｅｍＩｎｆｏｒｍａｔｉｏｎＢｌｏｃｋＴｙｐｅ２２−ＮＢの場合、３＞セルを禁止として扱うことと、を行い得る。
【０１６０】
一例において、ＭａｓｔｅｒＩｎｆｏｒｍａｔｉｏｎＢｌｏｃｋメッセージを受信すると、ＵＥは、１＞ｐｈｉｃｈ−Ｃｏｎｆｉｇに含まれる無線リソース構成を適用することと、１＞ＵＥがＲＲＣ＿ＩＤＬＥ／ＲＲＣ＿ＩＮＡＣＴＩＶＥにある場合、またはＴ３１１が実行されている間、ＵＥがＲＲＣ＿ＣＯＮＮＥＣＴＥＤにある場合、２＞ＵＥが、関係するセルに対して格納された有効なシステム情報を有しない場合、３＞ＳｙｓｔｅｍＩｎｆｏｒｍａｔｉｏｎＢｌｏｃｋＴｙｐｅ２が受信されるまで、ｄｌ−Ｂａｎｄｗｉｄｔｈの受信値をｕｌ−Ｂａｎｄｗｉｄｔｈに適用することと、を行い得る。一例において、ＭａｓｔｅｒＩｎｆｏｒｍａｔｉｏｎＢｌｏｃｋ−ＮＢメッセージを受信すると、ＵＥは、１＞ｏｐｅｒａｔｉｏｎＭｏｄｅＩｎｆｏに従って含まれる無線リソース構成を適用し得る。一例において、ＭａｓｔｅｒＩｎｆｏｒｍａｔｉｏｎＢｌｏｃｋ−ＭＢＭＳのコンテンツに関連するＵＥ要件は、他の場所、例えば、関係するシステム情報を使用するプロシージャ内、および／または対応するフィールド記述内で指定されたもの以外には適用されない場合がある。
【０１６１】
一例において、ＳｙｓｔｅｍＩｎｆｏｒｍａｔｉｏｎＢｌｏｃｋＴｙｐｅ１またはＳｙｓｔｅｍＩｎｆｏｒｍａｔｉｏｎＢｌｏｃｋＴｙｐｅ１−ＢＲをブロードキャストおよび／または専用シグナリング経由で受信すると、ＵＥは、１＞ｃｅｌｌＡｃｃｅｓｓＲｅｌａｔｅｄＩｎｆｏＬｉｓｔが、選択されたＰＬＭＮのＰＬＭＮ−Ｉｄｅｎｔｉｔｙを備えるエントリを含む場合、２＞プロシージャの残りにおいて、ｐｌｍｎ−ＩｄｅｎｔｉｔｙＬｉｓｔ、ｔｒａｃｋｉｎｇＡｒｅａＣｏｄｅ、および／または選択されたＰＬＭＮを含む対応するｃｅｌｌＡｃｃｅｓｓＲｅｌａｔｅｄＩｎｆｏＬｉｓｔにおいて受信されたセルに対するｃｅｌｌＩｄｅｎｔｉｔｙを使用することと、１＞Ｔ３１１が実行されている間、ＲＲＣ＿ＩＤＬＥ／ＲＲＣ＿ＩＮＡＣＴＩＶＥまたはＲＲＣ＿ＣＯＮＮＥＣＴＥＤにある場合、および／または１＞ＵＥがカテゴリ０  ＵＥの場合、および／または１＞ｃａｔｅｇｏｒｙ０ＡｌｌｏｗｅｄがＳｙｓｔｅｍＩｎｆｏｒｍａｔｉｏｎＢｌｏｃｋＴｙｐｅ１に含まれない場合、２＞セルを禁止されているとみなすことと、１＞Ｔ３１１が実行されていない間、ＲＲＣ＿ＣＯＮＮＥＣＴＥＤにある、および／またはＵＥがｆｅａｔｕｒｅＧｒｏｕｐＩｎｄｉｃａｔｏｒｓにおいてビット３１によって定義されているマルチバンドセルをサポートする場合、２＞ＲＲＣ＿ＣＯＮＮＥＣＴＥＤにある間に、もし受信された場合、ｆｒｅｑＢａｎｄＩｎｄｉｃａｔｏｒおよび／またはｍｕｌｔｉＢａｎｄＩｎｆｏＬｉｓｔを無視することと、２＞ｃｅｌｌＩｄｅｎｔｉｔｙを上位層に転送することと、２＞ｔｒａｃｋｉｎｇＡｒｅａＣｏｄｅを上位層に転送することと、１＞それ以外の場合、２＞ｆｒｅｑＢａｎｄＩｎｄｉｃａｔｏｒに示された周波数帯域がＵＥによってサポートされる周波数帯域の一部であり、ダウンリンク帯域ではない場合、および／または２＞ＵＥがｍｕｌｔｉＢａｎｄＩｎｆｏＬｉｓｔをサポートする場合、および／またはｍｕｌｔｉＢａｎｄＩｎｆｏＬｉｓｔに示された１つ以上の周波数帯域が、ＵＥによってサポートされる周波数帯域の一部であり、ダウンリンク帯域ではない場合、３＞ｃｅｌｌＩｄｅｎｔｉｔｙを上位層に転送することと、３＞ｔｒａｃｋｉｎｇＡｒｅａＣｏｄｅを上位層に転送することと、３＞もし存在する場合、ｉｍｓ−ＥｍｅｒｇｅｎｃｙＳｕｐｐｏｒｔを上位層に転送することと、３＞もし存在する場合、ｅＣａｌｌＯｖｅｒＩＭＳ−Ｓｕｐｐｏｒｔを上位層に転送することと、３＞（ｆｒｅｑＢａｎｄＩｎｄｉｃａｔｏｒまたはｍｕｌｔｉＢａｎｄＩｎｆｏＬｉｓｔから）ＵＥによって選択される周波数帯域について、ｆｒｅｑＢａｎｄＩｎｆｏおよび／またはｍｕｌｔｉＢａｎｄＩｎｆｏＬｉｓｔ−ｖ１０ｊ０が存在し、ｍｕｌｔｉＮＳ−Ｐｍａｘに対応するＵＥが、ｆｒｅｑＢａｎｄＩｎｆｏまたはｍｕｌｔｉＢａｎｄＩｎｆｏＬｉｓｔ−ｖ１０ｊ０内の、ＮＳ−ＰｍａｘＬｉｓｔにおける少なくとも１つのａｄｄｉｔｉｏｎａｌＳｐｅｃｔｒｕｍＥｍｉｓｓｉｏｎをサポートする場合、４＞ｆｒｅｑＢａｎｄＩｎｆｏまたはｍｕｌｔｉＢａｎｄＩｎｆｏｌｉｓｔ−ｖ１０ｊ０内のＮＳ−ＰｍａｘＬｉｓｔに含まれる値の間でサポートし得る、最初にリ���トされたａｄｄｉｔｉｏｎａｌＳｐｅｃｔｒｕｍＥｍｉｓｓｉｏｎを適用することと、４＞ａｄｄｉｔｉｏｎａｌＰｍａｘがＮＳ−ＰｍａｘＬｉｓｔ内の選択されたａｄｄｉｔｉｏｎａｌＳｐｅｃｔｒｕｍＥｍｉｓｓｉｏｎの同じエントリに存在する場合、５＞ａｄｄｉｔｉｏｎａｌＰｍａｘを適用することと、４＞それ以外場合、５＞ｐ−Ｍａｘを適用することと、３＞それ以外の場合、４＞ＳｙｓｔｅｍＩｎｆｏｒｍａｔｉｏｎＢｌｏｃｋＴｙｐｅ２におけるａｄｄｉｔｉｏｎａｌＳｐｅｃｔｒｕｍＥｍｉｓｓｉｏｎおよび／またはｐ−Ｍａｘを適用することと、２＞それ以外の場合、３＞セルを禁止されているとみなすことと、および／または３＞ｉｎｔｒａＦｒｅｑＲｅｓｅｌｅｃｔｉｏｎがｎｏｔＡｌｌｏｗｅｄに設定されているかのように、および／またはｃｓｇ−ＩｎｄｉｃａｔｉｏｎがＦＡＬＳＥに設定されているかのように、禁止を実行することと、を行い得る。
【０１６２】
一例において、ＳｙｓｔｅｍＩｎｆｏｒｍａｔｉｏｎＢｌｏｃｋＴｙｐｅ１−ＮＢを受信すると、ＵＥは、１＞ｆｒｅｑＢａｎｄＩｎｄｉｃａｔｏｒに示される周波数帯域が、ＵＥによってサポートされる周波数帯域の一部である場合、および／または１＞ｍｕｌｔｉＢａｎｄＩｎｆｏＬｉｓｔに示される周波数帯域のうちの１つ以上がＵＥによってサポートされる周波数帯域の一部である場合、２＞ｃｅｌｌＩｄｅｎｔｉｔｙを上位層に転送することと、２＞ｔｒａｃｋｉｎｇＡｒｅａＣｏｄｅを上位層に転送することと、２＞ａｔｔａｃｈＷｉｔｈｏｕｔＰＤＮ−Ｃｏｎｎｅｃｔｉｖｉｔｙが、選択されたＰＬＭＮに対して受信される場合、３＞ａｔｔａｃｈＷｉｔｈｏｕｔＰＤＮ−Ｃｏｎｎｅｃｔｉｖｉｔｙを上位層に転送することと、２＞それ以外の場合、３＞ａｔｔａｃｈＷｉｔｈｏｕｔＰＤＮ−Ｃｏｎｎｅｃｔｉｖｉｔｙが存在しないことを上位層に示すことと、２＞（ｆｒｅｑＢａｎｄＩｎｄｉｃａｔｏｒまたはｍｕｌｔｉＢａｎｄＩｎｆｏＬｉｓｔから）ＵＥによって選択される周波数帯域について、ｆｒｅｑＢａｎｄＩｎｆｏが存在し、ｍｕｌｔｉＮＳ−Ｐｍａｘに対応するＵＥが、ｆｒｅｑＢａｎｄＩｎｆｏ内のＮＳ−ＰｍａｘＬｉｓｔにおける少なくとも１つのａｄｄｉｔｉｏｎａｌＳｐｅｃＴｒｕｍＥｍｉｓｓｉｏｎをサポートする場合、３＞ｆｒｅｑＢａｎｄＩｎｆｏ内のＮＳ−ＰｍａｘＬｉｓｔに含まれる値の間でサポートし得る、最初にリストされたａｄｄｉｔｉｏｎａｌＳｐｅｃｔｒｕｍＥｍｉｓｓｉｏｎを適用することと、３＞ＮＳ−ＰｍａｘＬｉｓｔ内の選択されたａｄｄｉｔｉｏｎａｌＳｐｅｃｔｒｕｍＥｍｉｓｓｉｏｎの同じエントリにａｄｄｉｔｉｏｎａｌＰｍａｘが存在する場合、４＞ａｄｄｉｔｉｏｎａｌＰｍａｘを適用することと、３＞それ以外の場合、４＞ｐ−Ｍａｘを適用することと、２＞それ以外の場合、３＞ＳｙｓｔｅｍＩｎｆｏｒｍａｔｉｏｎＢｌｏｃｋＴｙｐｅ２−ＮＢにおけるａｄｄｉｔｉｏｎａｌＳｐｅｃｔｒｕｍＥｍｉｓｓｉｏｎおよびｐ−Ｍａｘを適用することと、１＞それ以外の場合、２＞セルを禁止されているとみなすことと、および／または、２＞ｉｎｔｒａＦｒｅｑＲｅｓｅｌｅｃｔｉｏｎがｎｏｔＡｌｌｏｗｅｄに設定されているかのように禁止を実行することと、を行い得る。一例において、ＳｙｓｔｅｍＩｎｆｏｒｍａｔｉｏｎＢｌｏｃｋＴｙｐｅ１−ＭＢＭＳのコンテンツに関連するＵＥ要件は、他の場所、例えば、関係するシステム情報を使用するプロシージャ内、および／または対応するフィールド記述内で指定されたもの以外には適用されない場合がある。
【０１６３】
一例において、ＳｙｓｔｅｍＩｎｆｏｒｍａｔｉｏｎメッセージの受信時に、ＳｙｓｔｅｍＩｎｆｏｒｍａｔｉｏｎメッセージのコンテンツに関連するＵＥ要件は、他の場所、例えば、関係するシステム情報を使用するプロシージャ内、および／または対応するフィールド記述内で指定されたもの以外には適用されない場合がある。
【０１６４】
一例において、ＳｙｓｔｅｍＩｎｆｏｒｍａｔｉｏｎＢｌｏｃｋＴｙｐｅ２を受信すると、ＵＥは、１＞ｒａｄｉｏＲｅｓｏｕｒｃｅＣｏｎｆｉｇＣｏｍｍｏｎに含まれる構成を適用することと、１＞上位層が、（ＵＥ固有の）ページングサイクルが構成されていることを示す場合、２＞最短の（ＵＥ固有の）ページングサイクル、およびｒａｄｉｏＲｅｓｏｕｒｃｅＣｏｎｆｉｇＣｏｍｍｏｎに含まれるｄｅｆａｕｌｔＰａｇｉｎｇＣｙｃｌｅを適用することと、１＞ｍｂｓｆｎ−ＳｕｂｆｒａｍｅＣｏｎｆｉｇＬｉｓｔが含まれる場合、２＞ｍｂｓｆｎ−ＳｕｂｆｒａｍｅＣｏｎｆｉｇＬｉｓｔに示されるＭＢＳＦＮサブフレームにおいてＤＬ割り当てが発生し得るとみなすことと、１＞指定されたＰＣＣＨ構成を適用することと、１＞ｔｉｍｅＡｌｉｇｎｍｅｎｔＴｉｍｅｒＣｏｍｍｏｎを適用しないことと、１＞ＲＲＣ＿ＣＯＮＮＥＣＴＥＤにあり、およびＵＥが、ｒｌｆ−ＴｉｍｅｒｓＡｎｄＣｏｎｓｔａｎｔｓ内で受信されるＲＬＦタイマおよび定数値で構成されている場合、２＞タイマＴ３００の値を除く、ｕｅ−ＴｉｍｅｒｓＡｎｄＣｏｎｓｔａｎｔｓにおけるタイマおよび定数の値を更新しないことと、１＞Ｔ３１１が実行されていない間、ＲＲＣ＿ＣＯＮＮＥＣＴＥＤにある場合、および／またはＵＥが、ｆｅａｔｕｒｅＧｒｏｕｐＩｎｄｉｃａｔｏｒｓまたはｍｕｌｔｉｐｌｅＮＳ−Ｐｍａｘのビット３１によって定義されているマルチバンドセルをサポートする場合、２＞ＲＲＣ＿ＣＯＮＮＥＣＴＥＤにある間に、もし受信された場合、ａｄｄｉｔｉｏｎａｌＳｐｅｃｔｒｕｍＥｍｉｓｓｉｏｎ  ａｎｄ／ｏｒ  ｕｌ−ＣａｒｒｉｅｒＦｒｅｑを無視することと、１＞ａｔｔａｃｈＷｉｔｈｏｕｔＰＤＮ−Ｃｏｎｎｅｃｔｉｖｉｔｙが、選択されたＰＬＭＮに対して受信された場合、２＞ａｔｔａｃｈＷｉｔｈｏｕｔＰＤＮ−Ｃｏｎｎｅｃｔｉｖｉｔｙを上位層に転送することと、１＞それ以外の場合、２＞ａｔｔａｃｈＷｉｔｈｏｕｔＰＤＮ−Ｃｏｎｎｅｃｔｉｖｉｔｙが存在しないことを上位層に示すことと、１＞ｃｐ−ＣＩｏＴ−ＥＰＳ−Ｏｐｔｉｍｉｓａｔｉｏｎが、選択されたＰＬＭＮに対して受信された場合、２＞ｃｐ−ＣＩｏＴ−ＥＰＳ−Ｏｐｔｉｍｉｓａｔｉｏｎを上位層に転送することと、１＞それ以外の場合、２＞ｃｐ−ＣＩｏＴ−ＥＰＳ−Ｏｐｔｉｍｉｓａｔｉｏｎが存在しないことを上位層に示すことと、１＞ｕｐ−ＣＩｏＴ−ＥＰＳ−Ｏｐｔｉｍｉｓａｔｉｏｎが選択されたＰＬＭＮに対して受信された場合、２＞ｕｐ−ＣＩｏＴ−ＥＰＳ−Ｏｐｔｉｍｉｓａｔｉｏｎを上位層に転送することと、１＞それ以外の場合、２＞ｕｐ−ＣＩｏＴ−ＥＰＳ−Ｏｐｔｉｍｉｓａｔｉｏｎが存在しないことを上位層に示すことと、１＞上位層に、選択されたＰＬＭＮに対して存在する場合、ｕｐｐｅｒＬａｙｅｒＩｎｄｉｃａｔｉｏｎを転送するか、そうでなければ、このフィールドの不在を示すことと、を行い得、ＳｙｓｔｅｍＩｎｆｏｒｍａｔｉｏｎＢｌｏｃｋＴｙｐｅ２−ＮＢを受信すると、ＵＥは、１＞ｒａｄｉｏＲｅｓｏｕｒｃｅＣｏｎｆｉｇＣｏｍｍｏｎに含まれる構成を適用することと、１＞ｒａｄｉｏＲｅｓｏｕｒｃｅＣｏｎｆｉｇＣｏｍｍｏｎに含まれるｄｅｆａｕｌｔ��ａｇｉｎｇＣｙｃｌｅを適用することと、１＞ＳｙｓｔｅｍＩｎｆｏｒｍａｔｉｏｎＢｌｏｃｋＴｙｐｅ２２−ＮＢがスケジュールされている場合、２＞ＳｙｓｔｅｍＩｎｆｏｒｍａｔｉｏｎＢｌｏｃｋＴｙｐｅ２２−ＮＢで送信された情報を読み取り、それに基づいて行動することと、１＞指定されたＰＣＣＨ構成を適用することと、を行い得る。１＞ＲＲＣ＿ＣＯＮＮＥＣＴＥＤにあり、ＵＥが、ｒｌｆ−ＴｉｍｅｒｓＡｎｄＣｏｎｓｔａｎｔｓ内で受信されるＲＬＦタイマおよび定数値で構成されている場合、２＞タイマＴ３００の値を除く、ｕｅ−ＴｉｍｅｒｓＡｎｄＣｏｎｓｔａｎｔｓにおけるタイマおよび定数の値を更新しない。
【０１６５】
一例において、ＳｙｓｔｅｍＩｎｆｏｒｍａｔｉｏｎＢｌｏｃｋＴｙｐｅ３を受信すると、ＵＥは、１＞ＲＲＣ＿ＩＤＬＥ／ＲＲＣ＿ＩＮＡＣＴＩＶＥにあり、ｒｅｄｉｓｔｒｉｂｕｔｉｏｎＳｅｒｖｉｎｇＩｎｆｏが含まれており、ＵＥが再配布に対応している場合、２＞Ｅ−ＵＴＲＡＮ異周波再配布プロシージャを実行することと、１＞Ｔ３１１が実行されている間、ＲＲＣ＿ＩＤＬＥ／ＲＲＣ＿ＩＮＡＣＴＩＶＥにあるか、またはＲＲＣ＿ＣＯＮＮＥＣＴＥＤにある場合、２＞サービングセルのキャリア周波数を表すようにＵＥによって選択される周波数帯域について、ｆｒｅｑＢａｎｄＩｎｆｏまたはｍｕｌｔｉＢａｎｄＩｎｆｏＬｉｓｔ−ｖ１０ｊ０が、ＳｙｓｔｅｍＩｎｆｏｒｍａｔｉｏｎＢｌｏｃｋＴｙｐｅ３に存在し、および／またはｍｕｌｔｉＮＳ−Ｐｍａｘに対応するＵＥが、ｆｒｅｑＢａｎｄＩｎｆｏまたはｍｕｌｔｉＢａｎｄＩｎｆｏＬｉｓｔ−ｖ１０ｊ０内のＮＳ−ＰｍａｘＬｉｓｔにおいて少なくとも１つのａｄｄｉｔｉｏｎａｌＳｐｅｃｔｒｕｍＥｍｉｓｓｉｏｎをサポートする場合、３＞ｆｒｅｑＢａｎｄＩｎｆｏまたはｍｕｌｔｉＢａｎｄＩｎｆｏＬｉｓｔ−ｖ１０ｊ０内のＮＳ−ＰｍａｘＬｉｓｔに含まれる値の間でサポートし得る、最初にリストされたａｄｄｉｔｉｏｎａｌＳｐｅｃｔｒｕｍＥｍｉｓｓｉｏｎを適用することと、３＞ａｄｄｉｔｉｏｎａｌＰｍａｘが、ＮＳ−ＰｍａｘＬｉｓｔ内の選択されたａｄｄｉｔｉｏｎａｌＳｐｅｃｔｒｕｍＥｍｉｓｓｉｏｎの同じエントリに存在する場合、４＞ａｄｄｉｔｉｏｎａｌＰｍａｘを適用することと、３＞それ以外の場合、４＞ｐ−Ｍａｘを適用することと、２＞それ以外の場合、３＞ｐ−Ｍａｘを適用することと、を行い得る。
【０１６６】
一例において、ＳｙｓｔｅｍＩｎｆｏｒｍａｔｉｏｎＢｌｏｃｋＴｙｐｅ３−ＮＢを受信すると、ＵＥは、１＞Ｔ３１１が実行されている間、ＲＲＣ＿ＩＤＬＥにあるか、またはＲＲＣ＿ＣＯＮＮＥＣＴＥＤにある場合、２＞サービングセルのキャリア周波数を表すようにＵＥによって選択される周波数帯域について、ｆｒｅｑＢａｎｄＩｎｆｏまたはｍｕｌｔｉＢａｎｄＩｎｆｏＬｉｓｔがＳｙｓｔｅｍＩｎｆｏｒｍａｔｉｏｎＢｌｏｃｋＴｙｐｅ３−ＮＢに存在し、および／またはマルチＮＳ−Ｐｍａｘに対応するＵＥが、ｆｒｅｑＢａｎｄＩｎｆｏまたはｍｕｌｔｉＢａｎｄＩｎｆｏＬｉｓｔ内のＮＳ−ＰｍａｘＬｉｓｔにおける少なくとも１つのａｄｄｉｔｉｏｎａｌＳｐｅｃｔｒｕｍＥｍｉｓｓｉｏｎをサポートする場合、３＞ｆｒｅｑＢａｎｄＩｎｆｏまたはｍｕｌｔｉＢａｎｄＩｎｆｏＬｉｓｔ内のＮＳ−ＰｍａｘＬｉｓｔに含まれる値の間でサポートし得る、最初にリストされたａｄｄｉｔｉｏｎａｌＳｐｅｃｔｒｕｍＥｍｉｓｓｉｏｎを適用することと、３＞ａｄｄｉｔｉｏｎａｌＰｍａｘが、ＮＳ−ＰｍａｘＬｉｓｔ内の選択されたａｄｄｉｔｉｏｎａｌＳｐｅｃｔｒｕｍＥｍｉｓｓｉｏｎの同じエントリに存在する場合、４＞ａｄｄｉｔｉｏｎａｌＰｍａｘを適用することと、３＞それ以外の場合、４＞ｐ−Ｍａｘを適用することと、２＞それ以外の場合、３＞ｐ−Ｍａｘを適用することと、を行い得る。
【０１６７】
一例において、ＳｙｓｔｅｍＩｎｆｏｒｍａｔｉｏｎＢｌｏｃｋＴｙｐｅ４の受信時に、このＳｙｓｔｅｍＩｎｆｏｒｍａｔｉｏｎＢｌｏｃｋ（ＳｙｓｔｅｍＩｎｆｏｒｍａｔｉｏｎＢｌｏｃｋＴｙｐｅ４またはＳｙｓｔｅｍＩｎｆｏｒｍａｔｉｏｎＢｌｏｃｋＴｙｐｅ４−ＮＢ）のコンテンツに関連するＵＥ要件は、他の場所、例えば、関連するシステム情報を使用するプロシージャ内、および／または対応するフィールド記述内で指定されたもの以外には適用されない場合がある。
【０１６８】
一例において、ＳｙｓｔｅｍＩｎｆｏｒｍａｔｉｏｎＢｌｏｃｋＴｙｐｅ５を受信すると、ＵＥは、１＞ＲＲＣ＿ＩＤＬＥ／ＲＲＣ＿ＩＮＡＣＴＩＶＥにあり、ｒｅｄｉｓｔｒｉｂｕｔｉｏｎＩｎｔｅｒＦｒｅｑＩｎｆｏが含まれ、ＵＥが再配布に対応している場合、２＞Ｅ−ＵＴＲＡＮ周波数間再配布手順を実行する、１＞Ｔ３１１が実行されている間、ＲＲＣ＿ＩＤＬＥ／ＲＲＣ＿ＩＮＡＣＴＩＶＥにある、またはＲＲＣ＿ＣＯＮＮＥＣＴＥＤにある場合、２＞非サービングＥ  ＵＴＲＡキャリア周波数を表すようにＵＥによって選択される周波数帯域が、ダウンリンク帯域でない場合、３＞選択された周波数の場合帯域について、ｆｒｅｑＢａｎｄＩｎｆｏまたはｍｕｌｔｉＢａｎｄＩｎｆｏＬｉｓｔ−ｖ１０ｊ０が存在し、および／またはｍｕｌｔｉＮＳ−Ｐｍａｘに対応するＵＥが、ｆｒｅｑＢａｎｄＩｎｆｏまたはｍｕｌｔｉＢａｎｄＩｎｆｏＬｉｓｔ−ｖ１０ｊ０内のＮＳ−ＰｍａｘＬｉｓｔにおける少なくとも１つのａｄｄｉｔｉｏｎａｌＳｐｅｃｔｒｕｍＥｍｉｓｓｉｏｎをサポートする場合、４＞ｆｒｅｑＢａｎｄＩｎｆｏまたはｍｕｌｔｉＢａｎｄＩｎｆｏＬｉｓｔ−ｖ１０ｊ０内のＮＳ−ＰｍａｘＬｉｓｔに含まれる値の間でサポートし得る、最初にリストされたａｄｄｉｔｉｏｎａｌＳｐｅｃｔｒｕｍＥｍｉｓｓｉｏｎを適用することと、４＞ａｄｄｉｔｉｏｎａｌＰｍａｘがＮＳ−ＰｍａｘＬｉｓｔ内の選択されたａｄｄｉｔｉｏｎａｌＳｐｅｃｔｒｕｍＥｍｉｓｓｉｏｎの同じエントリに存在する場合、５＞ａｄｄｉｔｉｏｎａｌＰｍａｘを適用することと、４＞それ以外の場合、５＞ｐ−Ｍａｘを適用することと、３＞それ以外の場合、４＞ｐ−Ｍａｘを適用することと、を行い得る。
【０１６９】
一例において、ＳｙｓｔｅｍＩｎｆｏｒｍａｔｉｏｎＢｌｏｃｋＴｙｐｅ５−ＮＢを受信すると、ＵＥは、１＞Ｔ３１１が実行されている間、ＲＲＣ＿ＩＤＬＥ／ＲＲＣ＿ＩＮＡＣＴＩＶＥにある、またはＲＲＣ＿ＣＯＮＮＥＣＴＥＤにある場合、２＞非サービングＮＢ−ＩｏＴキャリア周波数を表すように（ｍｕｌｔｉＢａｎｄＩｎｆｏＬｉｓｔから）ＵＥによって選択される周波数帯域について、ｆｒｅｑＢａｎｄＩｎｆｏが存在し、および／またはマルチＮＳ−Ｐｍａｘに対応するＵＥが、ｆｒｅｑＢａｎｄＩｎｆｏ内のＮＳ−ＰｍａｘＬｉｓｔ内における少なくとも１つのａｄｄｉｔｉｏｎａｌＳｐｅｃｔｒｕｍＥｍｉｓｓｉｏｎをサポートする場合、３＞ｆｒｅｑＢａｎｄＩｎｆｏ内のＮＳ−ＰｍａｘＬｉｓｔに含まれる値の間でサポートし得る、最初にリストされたａｄｄｉｔｉｏｎａｌＳｐｅｃｔｒｕｍＥｍｉｓｓｉｏｎを適用することと、３＞ａｄｄｉｔｉｏｎａｌＰｍａｘが、ＮＳ−ＰｍａｘＬｉｓｔ内の選択されたａｄｄｉｔｉｏｎａｌＳｐｅｃｔｒｕｍＥｍｉｓｓｉｏｎの同じエントリに存在する場合、４＞ａｄｄｉｔｉｏｎａｌＰｍａｘを適用することと、３＞それ以外の場合、４＞ｐ−Ｍａｘを適用することと、２＞それ以外の場合、３＞ｐ−Ｍａｘを適用することと、を行い得る。
【０１７０】
一例において、ＳｙｓｔｅｍＩｎｆｏｒｍａｔｉｏｎＢｌｏｃｋＴｙｐｅ６を受信すると、このＳｙｓｔｅｍＩｎｆｏｒｍａｔｉｏｎＢｌｏｃｋのコンテンツに関連するＵＥ要件は、他の場所、例えば、関連するシステム情報を使用するプロシージャ内、および／または対応するフィールド記述内で指定された要件以外には適用されない場合がある。
【０１７１】
一例において、このＳｙｓｔｅｍＩｎｆｏｒｍａｔｉｏｎＢｌｏｃｋのコンテンツに関連するＵＥ要件は、他の場所、例えば、関係するシステム情報を使用するプロシージャ内、および／または対応するフィールド記述内で指定されたもの以外には適用されない場合がある。
【０１７２】
一例において、ＳｙｓｔｅｍＩｎｆｏｒｍａｔｉｏｎＢｌｏｃｋＴｙｐｅ８を受信すると、ＵＥは、１＞ｓｉｂ８−ＰｅｒＰＬＭＮ−Ｌｉｓｔが含まれ、ＵＥがＣＤＭＡ２０００に対するネットワーク共有に対応している場合、２＞ＲＰＬＭＮに対応する以下のＣＤＭＡ２０００パラメータを適用することと、１＞ｓｙｓｔｅｍＴｉｍｅＩｎｆｏが含まれている場合、２＞ｓｙｓｔｅｍＴｉｍｅＩｎｆｏをＣＤＭＡ２０００上位層に転送することと、１＞ＵＥがＲＲＣ＿ＩＤＬＥにあり、ｓｅａｒｃｈＷｉｎｄｏｗＳｉｚｅが含まれている場合、２＞ｓｅａｒｃｈＷｉｎｄｏｗＳｉｚｅをＣＤＭＡ２０００上位層に転送することと、１＞ｐａｒａｍｅｔｅｒｓＨＲＰＤが含まれている場合、２＞ＵＥが、このセルに入った後、ＲＲＣＣｏｎｎｅｃｔｉｏｎＲｅｃｏｎｆｉｇｕｒａｔｉｏｎメッセージ内でｐｒｅＲｅｇｉｓｔｒａｔｉｏｎＩｎｆｏＨＲＰＤを受信していない場合、ｐｒｅＲｅｇｉｓｔｒａｔｉｏｎＩｎｆｏＨＲＰＤをＣＤＭＡ２０００上位層に転送することと、２＞ｃｅｌｌＲｅｓｅｌｅｃｔｉｏｎＰａｒａｍｅｔｅｒｓＨＲＰＤが含まれている場合、３＞ｎｅｉｇｈＣｅｌｌＬｉｓｔをＣＤＭＡ２０００の上位層に転送することと、１＞ｐａｒａｍｅｔｅｒｓ１ＸＲＴＴが含まれている場合、２＞ｃｓｆｂ−ＲｅｇｉｓｔｒａｔｉｏｎＰａｒａｍ１ＸＲＴＴが含まれている場合、３＞ｃｓｆｂ−ＲｅｇｉｓｔｒａｔｉｏｎＰａｒａｍ１ＸＲＴＴを、この情報を使用して、ＥＵＴＲＡセル内のＣＤＭＡ２０００  １ｘＲＴＴに対するＣＳ登録／再登録が必要とされるかどうかを判定し得るＣＤＭＡ２０００上位層に転送することと、２＞それ以外の場合、３＞ＣＤＭＡ２０００  １ｘＲＴＴへのＣＳＦＢ登録が許可されない場合があることを、ＣＤＭＡ２０００の上位層に示すことと、２＞ｌｏｎｇＣｏｄｅＳｔａｔｅ１ＸＲＴＴが含まれている場合、３＞ｌｏｎｇＣｏｄｅＳｔａｔｅ１ＸＲＴＴをＣＤＭＡ２０００上位層に転送することと、２＞ｃｅｌｌＲｅｓｅｌｅｃｔｉｏｎＰａｒａｍｅｔｅｒｓ１ＸＲＴＴが含まれている場合、３＞ｎｅｉｇｈＣｅｌｌＬｉｓｔをＣＤＭＡ２０００上位層に転送することと、２＞ｃｓｆｂ−ＳｕｐｐｏｒｔＦｏｒＤｕａｌＲｘＵＥｓが含まれている場合、３＞ｃｓｆｂ−ＳｕｐｐｏｒｔＦｏｒＤｕａｌＲｘＵＥをＣＤＭＡ２０００上位層に転送することと、２＞それ以外の場合、３＞ｃｓｆｂ−ＳｕｐｐｏｒｔＦｏｒＤｕａｌＲｘＵＥを、その値をＦＡＬＳＥに設定して、ＣＤＭＡ２０００上位層に転送することと、２＞ａｃ−ＢａｒｒｉｎｇＣｏｎｆｉｇ１ＸＲＴＴが含まれている場合、３＞ａｃ−ＢａｒｒｉｎｇＣｏｎｆｉｇ１ＸＲＴＴをＣＤＭＡ２０００上位層に転送することと、２＞ｃｓｆｂ−ＤｕａｌＲｘＴｘＳｕｐｐｏｒｔが含まれている場合、３＞ｃｓｆｂ−ＤｕａｌＲｘＴｘＳｕｐｐｏｒｔをＣＤＭＡ２０００上位層に転送することと、２＞それ以外の場合、３＞ｃｓｆｂ−ＤｕａｌＲｘＴｘＳｕｐｐｏｒｔを、その値をＦＡＬＳＥに設定して、ＣＤＭＡ２０００上位層に転送することと、を行い得る。
【０１７３】
一例において、ＳｙｓｔｅｍＩｎｆｏｒｍａｔｉｏｎＢｌｏｃｋＴｙｐｅ９を受信すると、ＵＥは、１＞ｈｎｂ−Ｎａｍｅが含まれている場合、ｈｎｂ−Ｎａｍｅを上位層に転送し得る。一例において、ＳｙｓｔｅｍＩｎｆｏｒｍａｔｉｏｎＢｌｏｃｋＴｙｐｅ１０を受信すると、ＵＥは、１＞受信されたｗａｒｎｉｎｇＴｙｐｅ、ｍｅｓｓａｇｅＩｄｅｎｔｉｆｉｅｒ、およびｓｅｒｉａｌＮｕｍｂｅｒを上位層に転送し得る。一例において、ＳｙｓｔｅｍＩｎｆｏｒｍａｔｉｏｎＢｌｏｃｋＴｙｐｅ１１を受信すると、ＵＥは、１＞ＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよびｓｅｒｉａｌＮｕｍｂｅｒのための現在値が存在しない場合、および／または１＞ｍｅｓｓａｇｅＩｄｅｎｔｉｆｉｅｒもしくはｓｅｒｉａｌＮｕｍｂｅｒまたは両方の受信値が、ＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよびｓｅｒｉａｌＮｕｍｂｅｒの現在の値とは異なる場合、２＞ＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよびｓｅｒｉａｌＮｕｍｂｅｒの受信値を、ＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよびｓｅｒｉａｌＮｕｍｂｅｒの現在値として使用することと、２＞以前にバッファされたｗａｒｎｉｎｇＭｅｓｓａｇｅＳｅｇｍｅｎｔを破棄することと、２＞警告メッセージのセグメントが受信された場合、３＞受信されたｗａｒｎｉｎｇＭｅｓｓａｇｅＳｅｇｍｅｎｔから、警告メッセージをアセンブルすることと、３＞受信された警告メッセージ、ｍｅｓｓａｇｅＩｄｅｎｔｉｆｉｅｒ、ｓｅｒｉａｌＮｕｍｂｅｒ、ｄａｔａＣｏｄｉｎｇＳｃｈｅｍｅを上位層に転送することと、３＞ＳｙｓｔｅｍＩｎｆｏｒｍａｔｉｏｎＢｌｏｃｋＴｙｐｅ１１の受信を停止することと、３＞ＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよびｓｅｒｉａｌＮｕｍｂｅｒの現在値を破棄することと、２＞それ以外の場合、３＞受信されたｗａｒｎｉｎｇＭｅｓｓａｇｅＳｅｇｍｅｎｔを格納することと、３＞ＳｙｓｔｅｍＩｎｆｏｒｍａｔｉｏｎＢｌｏｃｋＴｙｐｅ１１の受信を継続することと、１＞それ以外の場合で、警告メッセージのセグメントが受信された場合、２＞受信されたｗａｒｎｉｎｇＭｅｓｓａｇｅＳｅｇｍｅｎｔから、警告メッセージをアセンブルすることと、２＞受信された完全な警告メッセージ、ｍｅｓｓａｇｅＩｄｅｎｔｉｆｉｅｒ、ｓｅｒｉａｌＮｕｍｂｅｒ、および／またはｄａｔａＣｏｄｉｎｇＳｃｈｅｍｅを上位層に転送することと、２＞ＳｙｓｔｅｍＩｎｆｏｒｍａｔｉｏｎＢｌｏｃｋＴｙｐｅ１１の受信を停止することと、２＞ＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよび／またはｓｅｒｉａｌＮｕｍｂｅｒの現在値を破棄することと、１＞それ以外の場合、２＞受信されたｗａｒｎｉｎｇＭｅｓｓａｇｅＳｅｇｍｅｎｔを格納することと、２＞ＳｙｓｔｅｍＩｎｆｏｒｍａｔｉｏｎＢｌｏｃｋＴｙｐｅ１１の受信を継続することと、を行い得、ＵＥは、完全な警告メッセージが３時間以内にアセンブルされなかった場合、格納されたｗａｒｎｉｎｇＭｅｓｓａｇｅＳｅｇｍｅｎｔ、ならびに／またはＳｙｓｔｅｍＩｎｆｏｒｍａｔｉｏｎＢｌｏｃｋＴｙｐｅ１１に対するｍｅｓｓａｇｅＩｄｅｎｔｉｆｉｅｒおよび／もしくはｓｅｒｉａｌＮｕｍｂｅｒの現在値を破棄し得る。
【０１７４】
一例において、ＳｙｓｔｅｍＩｎｆｏｒｍａｔｉｏｎＢｌｏｃｋＴｙｐｅ１２を受信すると、ＵＥは、１＞ＳｙｓｔｅｍＩｎｆｏｒｍａｔｉｏｎＢｌｏｃｋＴｙｐｅ１２が、完全な警告メッセージを含む場合、２＞受信された警告メッセージ、ｍｅｓｓａｇｅＩｄｅｎｔｉｆｉｅｒ、ｓｅｒｉａｌＮｕｍｂｅｒ、およびｄａｔａＣｏｄｉｎｇＳｃｈｅｍｅを上位層に転送することと、２＞ＳｙｓｔｅｍＩｎｆｏｒｍａｔｉｏｎＢｌｏｃｋＴｙｐｅ１２の受信を継続することと、１＞それ以外の場合、２＞ｍｅｓｓａｇｅＩｄｅｎｔｉｆｉｅｒおよびｓｅｒｉａｌＮｕｍｂｅｒの受信値が、警告メッセージが現在アセンブルされている可能性のあるペアと同じ（値が同じ）である場合、３＞受信されたｗａｒｎｉｎｇＭｅｓｓａｇｅＳｅｇｍｅｎｔを格納することと、３＞警告メッセージのセグメントが受信された場合、４＞受信されたｗａｒｎｉｎｇＭｅｓｓａｇｅＳｅｇｍｅｎｔから警告メッセージをアセンブルすることと、４＞受信された警告メッセージ、ｍｅｓｓａｇｅＩｄｅｎｔｉｆｉｅｒ、ｓｅｒｉａｌＮｕｍｂｅｒ、および／またはｄａｔａＣｏｄｉｎｇＳｃｈｅｍｅを上位層に転送することと、４＞このｍｅｓｓａｇｅＩｄｅｎｔｉｆｉｅｒおよび／またはｓｅｒｉａｌＮｕｍｂｅｒに対する警告メッセージをアセンブルすることを停止すること、および／またはそれに対して保持された、格納された情報を削除することと、３＞ＳｙｓｔｅｍＩｎｆｏｒｍａｔｉｏｎＢｌｏｃｋＴｙｐｅ１２の受信を継続することと、２＞それ以外の場合で、ｍｅｓｓａｇｅＩｄｅｎｔｉｆｉｅｒおよび／またはｓｅｒｉａｌＮｕｍｂｅｒの受信値が、警告メッセージが現在アセンブルされている可能性のあるペアの少なくとも１つと同じでない可能性がある場合、３＞このｍｅｓｓａｇｅＩｄｅｎｔｉｆｉｅｒおよび／またはｓｅｒｉａｌＮｕｍｂｅｒペアに対する警告メッセージをアセンブルし始めることと、３＞受信されたｗａｒｎｉｎｇＭｅｓｓａｇｅＳｅｇｍｅｎｔを格納することと、３＞ＳｙｓｔｅｍＩｎｆｏｒｍａｔｉｏｎＢｌｏｃｋＴｙｐｅ１２の受信を継続することと、を行い得、ＵＥは、３時間以内に完全な警告メッセージがアセンブルされなかった場合、ｗａｒｎｉｎｇＭｅｓｓａｇｅＳｅｇｍｅｎｔならびに／またはＳｙｓｔｅｍＩｎｆｏｒｍａｔｉｏｎＢｌｏｃｋＴｙｐｅ１２に対するｍｅｓｓａｇｅＩｄｅｎｔｉｆｉｅｒおよび／またはｓｅｒｉａｌＮｕｍｂｅｒの関連値を破棄し得る。ＵＥが同時に再アセンブルし得る警告メッセージの数は、ＵＥ実装の機能であり得る。
【０１７５】
一例において、ＳｙｓｔｅｍＩｎｆｏｒｍａｔｉｏｎＢｌｏｃｋＴｙｐｅ１３を受信すると、このＳｙｓｔｅｍＩｎｆｏｒｍａｔｉｏｎＢｌｏｃｋのコンテンツに関連するＵＥ要件は、他の場所、例えば、関係するシステム情報を使用するプロシージャ内、および／または対応するフィールド記述内で指定されたもの以外には適用されない場合がある。
【０１７６】
一例において、ＳｙｓｔｅｍＩｎｆｏｒｍａｔｉｏｎＢｌｏｃｋＴｙｐｅ１４受信すると、このＳｙｓｔｅｍＩｎｆｏｒｍａｔｉｏｎＢｌｏｃｋ（ＳｙｓｔｅｍＩｎｆｏｒｍａｔｉｏｎＢｌｏｃｋＴｙｐｅ１４またはＳｙｓｔｅｍＩｎｆｏｒｍａｔｉｏｎＢｌｏｃｋＴｙｐｅ１４−ＮＢ）のコンテンツに関連するＵＥ要件は、他の場所、例えば、関連するシステム情報を使用するプロシージャ内、および／または対応するフィールド記述内で指定されたもの以外には適用されない場合がある。
【０１７７】
一例において、ＳｙｓｔｅｍＩｎｆｏｒｍａｔｉｏｎＢｌｏｃｋＴｙｐｅ１５受信すると、このＳｙｓｔｅｍＩｎｆｏｒｍａｔｉｏｎＢｌｏｃｋ（ＳｙｓｔｅｍＩｎｆｏｒｍａｔｉｏｎＢｌｏｃｋＴｙｐｅ１５またはＳｙｓｔｅｍＩｎｆｏｒｍａｔｉｏｎＢｌｏｃｋＴｙｐｅ１５−ＮＢ）のコンテンツに関連するＵＥ要件は、他の場所、例えば、関連するシステム情報を使用するプロシージャ内、および／または対応するフィールド記述内で指定されたもの以外には適用されない場合がある。
【０１７８】
一例において、ＳｙｓｔｅｍＩｎｆｏｒｍａｔｉｏｎＢｌｏｃｋＴｙｐｅ１６受信すると、このＳｙｓｔｅｍＩｎｆｏｒｍａｔｉｏｎＢｌｏｃｋ（ＳｙｓｔｅｍＩｎｆｏｒｍａｔｉｏｎＢｌｏｃｋＴｙｐｅ１６またはＳｙｓｔｅｍＩｎｆｏｒｍａｔｉｏｎＢｌｏｃｋＴｙｐｅ１６−ＮＢ）のコンテンツに関連するＵＥ要件は、他の場所、例えば、関連するシステム情報を使用するプロシージャ内、および／または対応するフィールド記述内で指定されたもの以外には適用されない場合がある。
【０１７９】
一例において、ＳｙｓｔｅｍＩｎｆｏｒｍａｔｉｏｎＢｌｏｃｋＴｙｐｅ１７を受信すると、ＵＥは、１＞ＲＰＬＭＮに対応するｗｌａｎ−ＯｆｆｌｏａｄＣｏｎｆｉｇＣｏｍｍｏｎが含まれる場合、２＞ＵＥが、コマンドがｓｔｅｅｒＴｏＷＬＡＮに設定されたｒｃｌｗｉ−Ｃｏｎｆｉｇｕｒａｔｉｏｎで構成されていない場合、３＞ＲＰＬＭＮに対応するｗｌａｎ−Ｉｄ−Ｌｉｓｔを適用することと、２＞ｗｌａｎ−ＯｆｆｌｏａｄＣｏｎｆｉｇＤｅｄｉｃａｔｅｄで構成されていない場合、３＞ＲＰＬＭＮに対応するｗｌａｎ−ＯｆｆｌｏａｄＣｏｎｆｉｇＣｏｍｍｏｎを適用することと、を行い得る。
【０１８０】
一例において、システム情報ブロックタイプ１８を受信すると、ＵＥは、１＞ＳｙｓｔｅｍＩｎｆｏｒｍａｔｉｏｎＢｌｏｃｋＴｙｐｅ１８メッセージが、ｃｏｍｍＣｏｎｆｉｇを含む場合、２＞サイドリンク通信を受信するように構成されている場合、３＞ｓｃ−Ｐｅｒｉｏｄによって定義されているような、次のＳＣ期間から、ｃｏｍｍＲｘＰｏｏｌによって示されるリソースプールを、サイドリンク通信監視のために使用することと、２＞サイドリンク通信を伝送するように構成されている場合、３＞ｓｃ−Ｐｅｒｉｏｄによって定義されているような、次のＳＣ期間から、ｃｏｍｍＴｘＰｏｏｌＮｏｒｍａｌＣｏｍｍｏｎ、ｃｏｍｍＴｘＰｏｏｌＮｏｒｍａｌＣｏｍｍｏｎＥｘｔによって、またはｃｏｍｍＴｘＰｏｏｌＥｘｃｅｐｔｉｏｎａｌによって示されるリソースプールを、サイドリンク通信伝送のために使用することと、を行い得る。
【０１８１】
一例において、ＳｙｓｔｅｍＩｎｆｏｒｍａｔｉｏｎＢｌｏｃｋＴｙｐｅ１９を受信すると、ＵＥは、１＞ＳｙｓｔｅｍＩｎｆｏｒｍａｔｉｏｎＢｌｏｃｋＴｙｐｅ１９メッセージがｄｉｓｃＣｏｎｆｉｇまたはｄｉｓｃＣｏｎｆｉｇＰＳを含む場合、２＞ｄｉｓｃＰｅｒｉｏｄによって定義されるような、次のディスカバリ期間から、ｄｉｓｃＲｘＰｏｏｌ、ｄｉｓｃＲｘＲｅｓｏｕｒｃｅｓＩｎｔｅｒＦｒｅｑ、またはｄｉｓｃＲｘＰｏｏｌＰＳによって示されるリソースを、サイドリンクディスカバリ監視のために使用することと、２＞ＳｙｓｔｅｍＩｎｆｏｒｍａｔｉｏｎＢｌｏｃｋＴｙｐｅ１９メッセージがｄｉｓｃＴｘＰｏｏｌＣｏｍｍｏｎまたはｄｉｓｃＴｘＰｏｏｌＰＳ−Ｃｏｍｍｏｎを含み、ＵＥがＲＲＣ＿ＩＤＬＥ／ＲＲＣ＿ＩＮＡＣＴＩＶＥにある場合、３＞ｄｉｓｃＰｅｒｉｏｄによって定義されるような、次のディスカバリ期間から、ｄｉｓｃＴｘＰｏｏｌＣｏｍｍｏｎまたはｄｉｓｃＴｘＰｏｏｌＰＳ−Ｃｏｍｍｏｎによって示されるリソースを、サイドリンクディスカバリアナウンスメントのために使用することと、２＞ＳｙｓｔｅｍＩｎｆｏｒｍａｔｉｏｎＢｌｏｃｋＴｙｐｅ１９メッセージがｄｉｓｃＴｘＰｏｗｅｒＩｎｆｏを含む場合、３＞ｄｉｓｃＴｘＰｏｗｅｒＩｎｆｏに含まれる電力情報を、サービング周波数でのサイドリンクディスカバリ伝送のために使用することと、１＞ＳｙｓｔｅｍＩｎｆｏｒｍａｔｉｏｎＢｌｏｃｋＴｙｐｅ１９メッセージがｄｉｓｃＣｏｎｆｉｇＲｅｌａｙを含む場合、２＞ＳｙｓｔｅｍＩｎｆｏｒｍａｔｉｏｎＢｌｏｃｋＴｙｐｅ１９メッセージがｔｘＰｏｗｅｒＩｎｆｏを含む場合、３＞ｔｘＰｏｗｅｒＩｎｆｏに含まれる電力情報を、対応する非サービス周波数でのサイドリンクディスカバリ伝送のために使用することと、を行い得る。
【０１８２】
一例において、ＳｙｓｔｅｍＩｎｆｏｒｍａｔｉｏｎＢｌｏｃｋＴｙｐｅ２０受信すると、このＳｙｓｔｅｍＩｎｆｏｒｍａｔｉｏｎＢｌｏｃｋ（ＳｙｓｔｅｍＩｎｆｏｒｍａｔｉｏｎＢｌｏｃｋＴｙｐｅ２０またはＳｙｓｔｅｍＩｎｆｏｒｍａｔｉｏｎＢｌｏｃｋＴｙｐｅ２０−ＮＢ）のコンテンツに関連するＵＥ要件は、他の場所、例えば、関連するシステム情報を使用するプロシージャ内、および／または対応するフィールド記述内で指定されたもの以外には適用されない場合がある。
【０１８３】
一例において、ＳｙｓｔｅｍＩｎｆｏｒｍａｔｉｏｎＢｌｏｃｋＴｙｐｅ２１を受信すると、ＵＥは、１＞ＳｙｓｔｅｍＩｎｆｏｒｍａｔｉｏｎＢｌｏｃｋＴｙｐｅ２１メッセージがｓｌ−Ｖ２Ｘ−ＣｏｎｆｉｇＣｏｍｍｏｎを含む場合、２＞Ｖ２Ｘサイドリンク通信を受信するように構成されている場合、３＞ｓｌ−Ｖ２Ｘ−ＣｏｎｆｉｇＣｏｍｍｏｎ内のｖ２ｘ−ＣｏｍｍＲｘＰｏｏｌによって示されるリソースプールを、Ｖ２Ｘサイドリンク通信監視のために使用することと、２＞Ｖ２Ｘサイドリンク通信を伝送するように構成されている場合、３＞ｖ２ｘ−ＣｏｍｍＴｘＰｏｏｌＮｏｒｍａｌＣｏｍｍｏｎ、ｐ２ｘ−ＣｏｍｍＴｘＰｏｏｌＮｏｒｍａｌＣｏｍｍｏｎ、ｖ２ｘ−ＣｏｍｍＴｘＰｏｏｌＮｏｒｍａｌ、ｐ２ｘ−ＣｏｍｍＴｘＰｏｏｌＮｏｒｍａｌによって、またはｖ２ｘ−ＣｏｍｍＴｘＰｏｏｌＥｘｃｅｐｔｉｏｎａｌによって示されるリソースプールを、Ｖ２Ｘサイドリンク通信伝送のために使用することと、３＞ｖ２ｘ−ＣｏｍｍＴｘＰｏｏｌＮｏｒｍａｌＣｏｍｍｏｎ、ｖ２ｘ−ＣｏｍｍＴｘＰｏｏｌＮｏｒｍａｌ、およびｖ２ｘ−ＣｏｍｍＴｘＰｏｏｌＥｘｃｅｐｔｉｏｎａｌで示される伝送リソースプール（複数可）上でのＣＢＲ測定を、Ｖ２Ｘサイドリンク通信伝送のために実行することと、を行い得る。
【０１８４】
一例において、ＳｙｓｔｅｍＩｎｆｏｒｍａｔｉｏｎＢｌｏｃｋＴｙｐｅ２２−ＮＢを受信すると、このＳｙｓｔｅｍＩｎｆｏｒｍａｔｉｏｎＢｌｏｃｋのコンテンツに関連するＵＥ要件は、他の場所、例えば、関連するシステム情報を使用するプロシージャ内、および／または対応するフィールド記述内で指定された要件以外には適用されない場合がある。
【０１８５】
一例において、ＳＩメッセージを取得すると、ＵＥは、１＞関係するＳＩメッセージに対するＳＩ−ｗｉｎｄｏｗの開始を次のように決定すること、すなわち、２＞関係するＳＩメッセージについて、ＳｙｓｔｅｍＩｎｆｏｒｍａｔｉｏｎＢｌｏｃｋＴｙｐｅ１内のＳｃｈｅｄｕｌｉｎｇＩｎｆｏＬｉｓｔによって構成されるＳＩメッセージのリスト内のエントリの順序に対応する番号ｎを決定することと、２＞整数値ｘ＝（ｎ−１）＊ｗを決定することとであって、ｗがｓｉ−ＷｉｎｄｏｗＬｅｎｇｔｈであり得る、決定することと、２＞ＳＩ−ｗｉｎｄｏｗは、ＳＦＮ  ｍｏｄ  Ｔ＝ＦＬＯＯＲ（ｘ／１０）である無線フレーム内のサブフレーム＃ａで開始し得、ａ＝ｘ  ｍｏｄ  １０、Ｔは、関連するＳＩメッセージのｓｉ−Ｐｅｒｉｏｄｉｃｉｔｙであり得（Ｅ−ＵＴＲＡＮ（例えば、ＮＲ、基地局）は、ＳＦＮ  ｍｏｄ  ２＝０である無線フレーム内のサブフレーム＃５の前にＳＩがスケジュールされている場合、１ミリ秒のＳＩ−ｗｉｎｄｏｗを構成し得る）、１＞ＳＩ−ｗｉｎｄｏｗの開始からＳＩ−ＲＮＴＩを使用してＤＬ−ＳＣＨを受信することと、および／または時間の絶対長がｓｉ−ＷｉｎｄｏｗＬｅｎｇｔｈによって指定されるＳＩ−ｗｉｎｄｏｗの終了まで、および／または以下のサブフレーム、すなわち、２＞ＳＦＮ  ｍｏｄ  ２＝０である無線フレーム内のサブフレーム＃５、２＞ＭＢＳＦＮサブフレーム、２＞ＴＤＤにおけるアップリンクサブフレームを除く、ＳＩメッセージが受信されるまで継続することと、１＞ＳＩ−ｗｉｎｄｏｗの終わりまでにＳＩメッセージが受信されなかった場合は、関係するＳＩメッセージに対する次のＳＩ−ｗｉｎｄｏｗの機会に受信を繰り返すことと、を行い得る。
【０１８６】
一例において、ＳＩメッセージを取得すると、ＢＬ  ＵＥまたはＣＥ内のＵＥまたはＮＢ−ＩｏＴ  ＵＥは、１＞関係するＳＩメッセージに対するＳＩウインドウの開始を以下のように決定すること、すなわち、２＞関係するＳＩメッセージについて、ＳｙｓｔｅｍＩｎｆｏｒｍａｔｉｏｎＢｌｏｃｋＴｙｐｅ１−ＢＲ（またはＮＢ−ＩｏＴのＳｙｓｔｅｍＩｎｆｏｒｍａｔｉｏｎＢｌｏｃｋＴｙｐｅ１−ＮＢ）内のＳｃｈｅｄｕｌｉｎｇＩｎｆｏＬｉｓｔによって構成されるＳＩメッセージのリスト内のエントリの順序に対応し得る数ｎを決定することと、２＞整数値ｘ＝（ｎ−１）＊ｗを決定することであって、ｗは、ｓｉ−ＷｉｎｄｏｗＬｅｎｇｔｈ−ＢＲ（またはＮＢ−ＩｏＴのｓｉ−ＷｉｎｄｏｗＬｅｎｇｔｈ）であり得る、決定することと、２＞ＵＥがＮＢ−ＩｏＴ  ＵＥの場合、３＞ＳＩウインドウは、（Ｈ−ＳＦＮ＊１０２４＋ＳＦＮ）ｍｏｄ  Ｔ＝ＦＬＯＯＲ（ｘ／１０）＋Ｏｆｆｓｅｔである無線フレーム内のサブフレーム＃０から始まり、Ｔは、関連するＳＩメッセージのｓｉ−Ｐｅｒｉｏｄｉｃｉｔｙであり得、Ｏｆｆｓｅｔは、ＳＩ−Ｗｉｎｄｏｗ（ｓｉ−ＲａｄｉｏＦｒａｍｅＯｆｆｓｅｔ）の開始のオフセットであり得、２＞それ以外の場合、３＞ＳＩウインドウは、ＳＦＮ  ｍｏｄ  Ｔ＝ＦＬＯＯＲ（ｘ／１０）である無線フレーム内のサブフレーム＃０から始まり、Ｔは、関連するＳＩメッセージのｓｉ−Ｐｅｒｉｏｄｉｃｉｔｙであり得、１＞ＵＥがＮＢ−ＩｏＴ  ＵＥである場合、２＞ＳＩウインドウの開始からＤＬ−ＳＣＨでＳＩメッセージ伝送を受信および蓄積することと、および／またはｓｉ−ＲｅｐｅｔｉｔｉｏｎＰａｔｔｅｒｎおよび／またはｄｏｗｎｌｉｎｋＢｉｔｍａｐで提供されるサブフレームで提供される無線フレームから開始し、絶対的な時間の長さがｓｉ−ＷｉｎｄｏｗＬｅｎｇｔｈによって与えられ得るＳＩウインドウの終了まで、またはＮＰＳＳ、ＮＳＳＳ、ＭａｓｔｅｒＩｎｆｏｒｍａｔｉｏｎＢｌｏｃｋ−ＮＢ、および／またはＳｙｓｔｅｍＩｎｆｏｒｍａｔｉｏｎＢｌｏｃｋＴｙｐｅ１−ＮＢの伝送に使用されるサブフレームを除く、蓄積されたＳＩメッセージ伝送の正常なデコードまで継続することと、を行い得る。ｓｉ−ＲｅｐｅｔｉｔｉｏｎＰａｔｔｅｒｎで提供される無線フレームにおいて１つのＳＩメッセージ伝送に十分なサブフレームがない場合、ＵＥは、ｓｉ−ＲｅｐｅｔｉｔｉｏｎＰａｔｔｅｒｎで示される無線フレームに続く無線フレームにおいてＳＩメッセージ伝送を受信し続け得、１＞それ以外の場合、２＞ＳＩウインドウの開始から、ｓｉ−Ｎａｒｒｏｗｂａｎｄによって提供されるナローバンドでＤＬ−ＳＣＨでのＳＩメッセージ伝送を受信および／または蓄積し、および／または絶対的な時間長が、ｓｉ−ＲｅｐｅｔｉｔｉｏｎＰａｔｔｅｒｎで提供される無線フレーム、およびｂａｎｄｗｉｄｔｈＲｅｄｕｃｅｄＡｃｃｅｓｓＲｅｌａｔｅｄＩｎｆｏにおけるｆｄｄ−ＤｏｗｎｌｉｎｋＯｒＴｄｄＳｕｂｆｒａｍｅＢｉｔｍａｐＢＲで提供されるサブフレームにおいて、ｓｉ−ＷｉｎｄｏｗＬｅｎｇｔｈ−ＢＲによって与えら得るＳＩウインドウの終了まで、または蓄積されたＳＩメッセージ伝送の正常なデコーディングまで、���続することと、１＞ＳＩメッセージが、ＳＩウインドウの終わりまでに蓄積されたＳＩメッセージ伝送からデコードすることができなかった場合、関係するＳＩメッセージに対するの次のＳＩウインドウの機会にＤＬ−ＳＣＨでのＳＩメッセージ伝送の受信および／または蓄積を継続することと、を行い得る。
【０１８７】
一例において、ＭＢＭＳ専用セルからＳＩメッセージを取得すると、ＵＥは、１＞関係するＳＩメッセージに対するＳＩウインドウの開始を次のように決定すること、すなわち、２＞関係するＳＩメッセージについて、ＳｙｓｔｅｍＩｎｆｏｒｍａｔｉｏｎＢｌｏｃｋＴｙｐｅ１−ＭＢＭＳ内のＳｃｈｅｄｕｌｉｎｇＩｎｆｏＬｉｓｔによって構成されるＳＩメッセージのリスト内のエントリの順序に対応し得る数ｎを決定することと、２＞整数値ｘ＝（ｎ−１）＊ｗを決定することであって、ｗは、ｓｉ−ＷｉｎｄｏｗＬｅｎｇｔｈである、決定することと、２＞ＳＩウインドウは、ＳＦＮ  ｍｏｄ  Ｔ＝ＦＬＯＯＲ（ｘ／１０）の無線フレーム内のサブフレーム＃ａで開始し得、ａ＝ｘ  ｍｏｄ  １０、Ｔは、関連するＳＩメッセージのｓｉ−Ｐｅｒｉｏｄｉｃｉｔｙであり得、１＞ＳＩウインドウの開始から、値を有するＳＩ−ＲＮＴＩを使用してＤＬ−ＳＣＨを受信することと、および／または絶対的な時間の長さがｓｉ−ＷｉｎｄｏｗＬｅｎｇｔｈによって与えられ得るＳＩウインドウの終了まで、または以下のサブフレーム、すなわち２＞ＭＢＳＦＮサブフレームを除いてＳＩメッセージが受信されるまで継続することと、１＞ＳＩウインドウの最後までにＳＩメッセージが受信されなかった場合は、関係するＳＩメッセージに対する次のＳＩウインドウの機会に受信を繰り返すことと、を行い得る。
【０１８８】
図２１に示されるような既存の無線技術では、基地局は、複数のネットワーク事業者（例えば、複数のＰＬＭＮ）によって共有され得る。基地局が複数の事業者によって共有される場合、基地局のプロトコル層（例えば、Ｐｈｙｓｉｃａｌ、ＭＡＣ、ＲＬＣ、ＰＤＣＰ、ＲＲＣ、ＳＤＡＰ）は、基地局を共有する複数の事業者によって共有される。図２１の例では、ｇＮＢは、ＰＬＭＮ１およびＰＬＭＮ２によって共有される。ｇＮＢは、ＰＬＭＮ１の５ＧコアネットワークにおけるＡＭＦおよびＰＬＭＮ２の５ＧコアのＡＭＦと通信する。ｇＮＢは、パケットの伝送、およびＰＬＭＮ１とＰＬＭＮ２の両方の制御シグナリングのための無線プロトコル層を使用する。
【０１８９】
例えば、基地局（例えば、ｇＮＢ、ｅＮＢ、ＢＳ）が複数のネットワーク事業者（例えば、複数のＰＬＭＮ）によって利用される場合、サービングセルおよび／または無線デバイス（例えば、ＵＥ）の無線リソース制御パラメータは、一般に、複数の事業者に対して構成され得る。一例において、基地局が複数の事業者によって利用される場合、複数の事業者は、基地局に対する共通セル無線リソース制御パラメータを構成し得る。既存の技術では、基地局が複数の事業者によって共有される場合、ＰＨＹ／ＭＡＣ／ＲＬＣ／ＰＤＣＰ／ＲＲＣプロトコル層は、複数の事業者によって共有される。既存のネットワーク共有技術では、複数の事業者のためのサービングセルの共通構成パラメータおよび意思決定ポリシーにより、異なるネットワーク制御ポリシーを有し得る異なる事業者の無線デバイスにサービスを提供する場合、非効率的なパラメータ設定および不適切な決定が増加し得る。複数の事業者によって共有される基地局の既存のパラメータ設定メカニズムの実装は、効率的でない場合がある。既存のネットワーク共有技術（例えば、基地局共有）は、異なる事業者に関連付けられた無線デバイスのリソース使用率およびモビリティ性能を低下させ得る。既存のネットワーク共有技術は、複数の事業者が基地局を共有している場合、コールドロップ率およびパケット伝送遅延を増加させ得る。無線アクセスネットワークが共有される場合、ネットワークパフォーマンスを向上させるために、強化された基地局共有アーキテクチャおよびプロセスを開発する必要がある。
【０１９０】
例示的な実施形態は、強化された基地局共有アーキテクチャおよびコール／シグナリングプロセスを実装することによって、ネットワーク共有のための強化されたネットワークアーキテクチャを提供する。例示的な実施形態では、基地局中央ユニット（例えば、ＲＲＣ、ＰＤＣＰ、および／またはＳＤＡＰ層を含む）は、ネットワーク事業者によって制御される非共有ノードであり得、基地局分散ユニット（例えば、ＰＨＹ、ＭＡＣ、および／またはＲＬＣ層を含む）は、複数のネットワーク事業者によって共有される共有ノードであり得る。例示的な実施形態は、複数のネットワーク事業者が独自の非共有基地局中央ユニットを実装しながら基地局分散ユニットを共有する場合に、基地局の意思決定プロセスを実装する。例示的な実施形態は、１つ以上の非共有基地局中央ユニットと通信する共有基地局分散ユニットを含む新しいネットワークアーキテクチャを導入する。この新しいアーキテクチャは、強化されたコール／シグナリングプロセスの実装を必要とする新しい課題を導入する。新しいネットワークアーキテクチャおよび強化されたコール／シグナリングプロセスにより、無線ネットワークの通信信頼性および構成柔軟性が向上する。例示的な実施形態は、複数の事業者が、共有基地局分散ユニットに対して別々に構成パラメータを決定する異なる基地局中央ユニットをサポートすることによって、それらの別々のポリシーに基づいて構成された別々のパラメータを適用することを可能にする。例示的な実施形態は、共有基地局分散ユニットおよび複数の事業者のための別個の非共有基地局中央ユニットを導入することにより、接続失敗率および／または無線品質低下の問題を低減することができる。例示的な実施形態は、複数の事業者の複数の基地局中央ユニットのための基地局分散ユニット共有をサポートすることによって、通信信頼性を改善することができる。
【０１９１】
例示的な実施形態は、ネットワーク共有のための強化されたネットワークアーキテクチャ、例えば、基地局共有アーキテクチャおよびプロセスを提供する。例示的な実施形態では、ＲＲＣ、ＰＤＣＰ、および／またはＳＤＡＰを含む基地局中央ユニットは、１つ以上のネットワーク事業者の第１のセットによって共有され得、基地局分散ユニットは、ネットワーク事業者の第１のセットとは異なる１つ以上のネットワーク事業者の第２のセットによって共有される共有ノードであり得る。そのような複雑なネットワークアーキテクチャの実装には、強化されたコール／シグナリングフローの実装が必要である。例示的な実施形態は、この現在ネットワークアーキテクチャを可能にするために、強化されたコール／シグナリングプロセスを実装する。
【０１９２】
無線アクセスネットワークは、複数の事業者（例えば、複数のＰＬＭＮ、複数のサービス事業者、および／または同様のもの）によって共有（例えば、利用され、使用される）され得る。一例において、ｇＮＢ（例えば、基地局、ｅＮＢ、ＲＮＣ、および／または同様のもの）の複数のユニット（例えば、少なくとも１つの基地局中央ユニット（例えば、ｇＮＢ−ＣＵ）および／または少なくとも１つの基地局分散ユニット（例えば、ｇＮＢ−ＤＵ））への機能分割が構成されている場合、分割ユニットのうちの１つ（例えば、ｇＮＢ−ＣＵおよび／またはｇＮＢ−ＤＵのうちの少なくとも１つ）は、複数の事業者によって共有され得る。一例において、ｇＮＢ−ＤＵが複数のｇＮＢ−ＣＵ（例えば、基地局中央ユニット、すなわち、第１のｇＮＢ−ＣＵおよび第２のｇＮＢ−ＣＵ）に接続されている場合、ｇＮＢ−ＤＵは、ｇＮＢ−ＣＵにアクセスする無線デバイスのためのｇＮＢ−ＤＵを選択し、および／またはｇＮＢ−ＣＵの負荷ステータスに基づいて、ｇＮＢ−ＣＵを選択することができる。既存の無線技術では、無線デバイスは、ＲＲＣメッセージを伝送することができる。ＲＲＣメッセージを受信するｇＮＢ−ＤＵは、ＲＲＣメッセージを、無線デバイスに不適切であり得るｇＮＢ−ＣＵ（例えば、無線デバイスをサポートし得ないｇＮＢ−ＣＵ）に転送することができる。ｇＮＢ−ＤＵの既存のＲＲＣメッセージ転送メカニズムの実装は、効率的ではない場合がある。既存の技術は、無線デバイスの接続待ち時間およびパケット伝送遅延を増加させ得、および／または無線デバイスのアクセス信頼性およびモビリティ性能を減少させ得る。既存の技術は、複数のｇＮＢ−ＣＵ（例えば、各々異なる事業者によって操作される複数のｇＮＢ−ＣＵ）がｇＮＢ−ＤＵ（例えば、共有ｇＮＢ−ＤＵ）に接続されている場合、コールドロップ率および／またはパケット伝送遅延を増加させ得る。
【０１９３】
例示的な実施形態は、複数のｇＮＢ−ＣＵがｇＮＢ−ＤＵに接続されている場合（例えば、複数のｇＮＢ−ＣＵがｇＮＢ−ＤＵを共有している場合、複数の事業者が基地局および／またはサービングセルを共有する場合、複数の事業者がｇＮＢ−ＤＵを共有する場合、および／または同様の場合）、ｇＮＢ−ＤＵのネットワークノード選択メカニズムを強化する。例示的な実施形態は、無線デバイスのためのｇＮＢ−ＤＵのｇＮＢ−ＣＵ選択メカニズムを提供することによって、複数のｇＮＢ−ＣＵ（例えば、複数のサービス事業者、複数の事業者、複数のＰＬＭＮ）をサポートするようにｇＮＢ−ＤＵを強化する。例示的な実施形態は、無線デバイスを強化して、ｇＮＢ−ＣＵ情報（例えば、ｇＮＢ−ＣＵ識別子、ｇＮＢ識別子、ｇＮＢ−ＣＵアドレス、ｇＮＢアドレス、トラッキングエリア識別子、登録エリア識別子、および／または同様のもの）を、ｇＮＢ−ＤＵのｇＮＢ−ＣＵ選択のためのアップリンクメッセージ（例えば、ＲＲＣメッセージ）を介して提供する。例示的な実施形態は、無線デバイスを強化して、サービス事業者情報（例えば、ＰＬＭＮ識別子、事業者識別子、サービス事業者識別子、サービス事業者のためのセル識別子および／または同様のもの）を、ｇＮＢ−ＤＵのｇＮＢ−ＣＵ選択のためのアップリンクメッセージ（例えば、ＲＲＣメッセージ）を介して提供する。例示的な実施形態は、無線デバイスを強化して、ｇＮＢのコアノード（例えば、ＡＭＦ）選択のための、および／またはｇＮＢ−ＤＵのｇＮＢ−ＣＵ選択のためのアップリンクメッセージ（例えば、ＲＲＣメッセージ）を介して（例えば、複数のセル識別子が、複数のサービス事業者によって共有されるセルのために構成されている場合）、サービス事業者のためのセル識別子を提供する。
【０１９４】
例示的な実施形態は、無線デバイスのためのｇＮＢ−ＤＵ（または基地局、ｇＮＢ））のｇＮＢ−ＣＵ（またはコアノード、ＡＭＦ）選択メカニズムを導入することによって、無線デバイスの接続待ち時間およびパケット伝送遅延を減少させ、および／または無線デバイスのアクセス信頼性およびモビリティ性能を向上させることができる。例示的な実施形態は、ｇＮＢ−ＤＵが（例えば、複数のサービス事業者の）複数のｇＮＢ−ＣＵに接続されている場合、無線デバイスのためのｇＮＢ−ＤＵのｇＮＢ−ＣＵ選択メカニズムをサポートすることによって、アクセス待ち時間および通信信頼性を改善することができる。例示的な実施形態は、ｇＮＢが（例えば、複数のサービス事業者の）複数のＡＭＦに接続されている場合、無線デバイスのための基地局（ｇＮＢ）のコアノード（ＡＭＦ）選択メカニズムをサポートすることによって、アクセス待ち時間および通信信頼性を改善することができる。
【０１９５】
例示的な実施形態では、ｇＮＢは、ｅＮＢ、ＲＮＣ、ホームｅＮＢ、ホームｇＮＢ、および／または任意のタイプの基地局またはアクセスポイントとして解釈され得る。例示的な実施形態では、ｇＮＢ−ＣＵは、中央基地局（例えば、ｅＮＢ−ＣＵ、ＲＮＣ、アクセスポイント中央ユニット、および／または同様のもの）と解釈され得る。例示的な実施形態では、ｇＮＢ−ＤＵは、分散基地局（例えば、ｅＮＢ−ＤＵ、ＲＲＨ、送受信ポイント（ＴＲＰ）、アクセスポイント分散ユニット、および／または同様のもの）と解釈され得る。
【０１９６】
一例において、例示的な図、すなわち、図１６、図１７、図１８、図１９、図２０、図２１、図２２、および／または図２３に示されるように、１つ以上の基地局中央ユニット（例えば、ｇＮＢ−ＣＵ、中央ユニット、ＣＵ、および／または同様のもの）は、１つ以上のインターフェース（例えば、Ｆ１インターフェース）を介して、１つ以上の基地局分散ユニット（例えば、ｇＮＢ−ＤＵ、分散ユニット、ＤＵ、および／または同様のもの）に接続することができる。一例において、基地局は、１つ以上の基地局中央ユニットおよび１つ以上の基地局分散ユニットを含むことができる。一例において、第１の基地局中央ユニット（例えば、第１のｇＮＢ−ＣＵ、第１の中央ユニット、第１のＣＵ、第１のアクセスポイントＣＵ、および／または同様のもの）は、少なくとも１つの第１のＦ１インターフェース（例えば、Ｆ１ユーザプレーン（Ｆ１−Ｕ）、Ｆ１制御プレーン（Ｆ１−Ｃ））を介して、基地局分散ユニット（例えば、第１のｇＮＢ−ＤＵ、分散ユニット、ＤＵ、アクセスポイントＤＵ、および／または同様のもの）に接続することができ、第２の基地局中央ユニット（例えば、第２のｇＮＢ−ＣＵ、第２の中央ユニット、第２のＣＵ、第２のアクセスポイントＣＵ、および／または同様のもの）は、少なくとも１つの第２のＦ１インターフェースを介して、基地局分散ユニット（例えば、第１の基地局制御ユニットに接続される）に接続することができる。一例において、基地局（例えば、ｇＮＢ）は、第１のｇＮＢ−ＣＵ、第２のｇＮＢ−ＣＵ、および／またはｇＮＢ−ＤＵを含むことができる。一例において、第１の基地局は、第１のｇＮＢ−ＣＵおよび／またはｇＮＢ−ＤＵを含むことができる。一例において、第２の基地局は、第２のｇＮＢ−ＣＵおよび／またはｇＮＢ−ＤＵを含むことができる。
【０１９７】
一例において、第１のｇＮＢ−ＣＵおよび／または第２のｇＮＢ−ＣＵは、上層制御プレーン機能（例えば、ＲＲＣ、および／または同様のもの）および／または上層ユーザプレーン機能（例えば、ＳＤＡＰ、ＰＤＣＰ、および／または同様のもの）を含むことができる。ｇＮＢ−ＤＵは、下位層機能（例えば、ＲＬＣ、ＭＡＣ、ＰＨＹ、および／または同様のもの）を含むことができる。一例において、第１のｇＮＢ−ＣＵおよび／または第２のｇＮＢ−ＣＵは、少なくともＲＲＣサブレイヤ機能を含むことができる。一例において、ｇＮＢ−ＤＵは、無線デバイスとの通信のための少なくとも無線送信機および／または受信機を含むことができる。一例において、第１のｇＮＢ−ＣＵおよび／または第２のｇＮＢ−ＣＵは、上位層機能（例えば、ＲＲＣ、ＰＤＣＰ、ＳＤＡＰ、ＲＬＣ、ＭＡＣなどのうちの少なくとも１つ）を含むことができる。一例において、ｇＮＢ−ＤＵは、下位層機能（例えば、ＰＨＹ、ＭＡＣなどのうちの少なくとも１つ）を含むことができる。
【０１９８】
一例において、第１のｇＮＢ−ＣＵおよび／または第２のｇＮＢ−ＣＵは、Ｆ１インターフェース（例えば、少なくとも１つの第１のＦ１インターフェースおよび／または少なくとも１つの第２のＦ１インターフェース）を介して、ｇＮＢ−ＤＵへ／から、ＰＤＣＰパケット（例えば、ＰＤＣＰ  ＰＤＵおよび／またはＰＤＣＰ  ＳＤＵ）を伝送／受信することができる。ｇＮＢ−ＤＵは、エアインターフェース（例えば、Ｕｕインターフェース、無線）を介して、無線デバイスとの間でＰＤＣＰパケットを転送（伝送）／受信することができる。ｇＮＢ−ＤＵは、パケット（例えば、ＰＤＣＰパケット、ＲＬＣパケット、ＭＡＣパケット）を、無線デバイスから、ｇＮＢ−ＣＵ（例えば、第１のｇＮＢ−ＣＵまたは第２のｇＮＢ−ＣＵ）に転送することができ、および／またはパケット（例えば、ＰＤＣＰパケット、ＲＬＣパケット、ＭＡＣパケット）を、ｇＮＢ−ＣＵ（例えば、第１のｇＮＢ−ＣＵまたは第２のｇＮＢ−ＣＵ）から、無線デバイスに転送することができる。一例において、ＰＤＣＰパケットは、無線デバイスによって生成および伝送されることができ、および／またはｇＮＢ−ＣＵ（例えば、第１のｇＮＢ−ＣＵおよび／または第２のｇＮＢ−ＣＵ）によって生成および伝送されることができる。
【０１９９】
一例において、第１のｇＮＢ−ＣＵおよび／または第２のｇＮＢ−ＣＵは、基地局中央ユニット制御プレーン（例えば、ｇＮＢ−ＣＵ−ＣＰ）および／または基地局中央ユニットユーザプレーン（例えば、ｇＮＢ−ＣＵ−ＵＰ）を含むことができる。一例において、ｇＮＢ−ＣＵ−ＣＰは、少なくともＲＲＣサブレイヤ機能を含むことができる。ｇＮＢ−ＣＵ−ＵＰは、ＳＤＡＰサブレイヤ機能、ＰＤＣＰサブレイヤ機能、および／または同様のものを含むことができる。ｇＮＢ−ＣＵ−ＣＰおよびｇＮＢ−ＣＵ−ＵＰは、インターフェース（例えば、Ｅ１インターフェース、Ｅ１−Ｕ、Ｅ１−Ｃ、および／または同様のもの）を介して、互いに接続することができる。一例において、ｇＮＢ−ＣＵ−ＣＰ（例えば、第１のｇＮＢ−ＣＵの第１のｇＮＢ−ＣＵ−ＣＰおよび／または第２のｇＮＢ−ＣＵの第２のｇＮＢ−ＣＵ−ＣＰ）は、Ｆ１制御プレーンインターフェース（Ｆ１−ＣＰ）（例えば、少なくとも１つの第１のＦ１インターフェースの第１のＦ１−ＣＰおよび／または少なくとも１つの第２のＦ１インターフェースの第２のＦ１−ＣＰ）を介して、ｇＮＢ−ＤＵと接続することができる。一例において、ｇＮＢ−ＣＵ−ＵＰ（例えば、第１のｇＮＢ−ＣＵの第１のｇＮＢ−ＣＵ−ＵＰおよび／または第２のｇＮＢ−ＣＵの第２のｇＮＢ−ＣＵ−ＵＰ）は、Ｆ１ユーザプレーンインターフェース（Ｆ１−ＵＰ）（例えば、少なくとも１つの第１のＦ１インターフェースの第１のＦ１−ＵＰおよび／または少なくとも１つの第２のＦ１インターフェースの第２のＦ１−ＵＰ）を介して、ｇＮＢ−ＤＵと接続することができる。
【０２００】
一例において、ｇＮＢ−ＤＵは、複数のｇＮＢ−ＣＵとのインターフェース接続（例えば、Ｆ１接続、Ｆ１制御プレーン接続、Ｆ１ユーザプレーン接続）を確立することができる。複数のｇＮＢ−ＣＵは、第１のｇＮＢ−ＣＵおよび第２のｇＮＢ−ＣＵを含むことができる。一例において、第１のｇＮＢ−ＣＵは、第１のパブリックランドモバイルネットワーク（ＰＬＭＮ）をサポートする（例えば、それにサービスを提供する、そのためのものである、それに属する、それを提供するなど）ことができる。一例において、第２のｇＮＢ−ＣＵは、第２のＰＬＭＮをサポートする（例えば、それにサービスを提供する、そのためのものである、それに所属する、それを提供するなど）ことができる。例示的な実施形態では、ＰＬＭＮ（例えば、第１のＰＬＭＮ、第２のＰＬＭＮ）をサポートすることは、対応するネットワークノード（例えば、第１のｇＮＢ−ＣＵ、第２のｇＮＢ−ＣＵ）、対応するリソース、および／またはＰＬＭＮのための対応するセルを用いるように許可される／構成されると解釈され得る。ネットワークノードがＰＬＭＮをサポートすることは、ネットワークノードのリソースが、ＰＬＭＮを動作させるために、および／またはＰＬＭＮの無線デバイスにサービスを提供するために使用されることを許可されると解釈され得る。ネットワークノードがＰＬＭＮをサポートすることは、ＰＬＭＮがネットワークノードを含むと解釈され得る。
【０２０１】
ＰＬＭＮは、少なくとも１つの国における少なくとも１つの事業者によって提供される無線通信サービスの組み合わせであり得る。ＰＬＭＮは、少なくとも１つの国内の少なくとも１つの事業者によって提供される、ＧＳＭ（登録商標）／２Ｇ、ＵＭＴＳ／３Ｇ、ＬＴＥ／４Ｇ、５Ｇ、および／または同様のものなどの１つ以上のセルラー技術を含むことができる。ＰＬＭＮは、セルラーネットワークと呼ばれ得る。
【０２０２】
一例において、図４１に示されるように、ｇＮＢ−ＤＵは、第１のＰＬＭＮおよび第２のＰＬＭＮによって共有され得る。第１のｇＮＢ−ＣＵおよび／または第２のｇＮＢ−ＣＵは、非共有のｇＮＢ−ＣＵであり得る。第１のｇＮＢ−ＣＵは、第２のＰＬＭＮと非共有であり得る。第２のｇＮＢ−ＣＵは、第１のＰＬＭＮと非共有であり得る。ネットワークノード（例えば、ｇＮＢ、ｇＮＢ−ＣＵ、ｇＮＢ−ＤＵなど）をＰＬＭＮと共有することは、ネットワークノードのリソースをＰＬＭＮと共有すること／使用することとして解釈され得る。
【０２０３】
一例において、第１のｇＮＢ−ＣＵは、第１のＰＬＭＮおよび少なくとも１つの第３のＰＬＭＮによって共有され得る。一例において、第２のｇＮＢ−ＣＵは、第２のＰＬＭＮおよび少なくとも１つの第４のＰＬＭＮによって共有され得る。一例において、ｇＮＢ−ＤＵは、第１のＰＬＭＮ、第２のＰＬＭＮ、少なくとも１つの第３のＰＬＭＮ、および／または少なくとも１つの第４のＰＬＭＮのうちの少なくとも１つを含む複数のＰＬＭＮ（例えば、複数の事業者）によって共有され得る。
【０２０４】
一例において、例示的な図、すなわち図２４、図２５、図２６、図２７、図２８、図２９、図３０、および／または図３１に示されるように、第１のｇＮＢ−ＣＵは、ｇＮＢ−ＤＵに第１の接続メッセージを伝送（または送信）することができる。第１の接続メッセージは、ｇＮＢ−ＤＵによって第１のｇＮＢ−ＣＵに伝送されるＦ１設定要求メッセージに応答して、Ｆ１設定応答メッセージを含むことができる。Ｆ１設定要求メッセージおよびＦ１設定応答メッセージは、第１のｇＮＢ−ＣＵとｇＮＢ−ＤＵとの間のＦ１インターフェース（例えば、少なくとも１つの第１のＦ１インターフェース）を確立するためのＦ１設定プロシージャのためのメッセージであり得る。一例において、第１の接続メッセージは、ｇＮＢ−ＣＵ（例えば、第１のｇＮＢ−ＣＵ）による構成更新（例えば、ｇＮＢ−ＣＵおよび／またはｇＮＢ−ＤＵの構成）のためのｇＮＢ−ＣＵ構成更新メッセージを含むことができる。ｇＮＢ−ＣＵ構成更新メッセージを受信することに応答して、ｇＮＢ−ＤＵは、第１のｇＮＢ−ＣＵに、ｇＮＢ−ＣＵ構成更新肯定メッセージ（またはｇＮＢ−ＣＵ構成更新失敗メッセージ）を伝送することができ、これは、ｇＮＢ−ＣＵ構成更新メッセージ（例えば、第１の接続メッセージなど）の１つ以上の構成が、ｇＮＢ−ＤＵで適用（承認）または失敗（拒否）されることを示すことができる。ｇＮＢ−ＣＵ構成更新メッセージおよびｇＮＢ−ＣＵ構成更新肯定メッセージ（および／またはｇＮＢ−ＣＵ構成更新失敗メッセージ）は、ｇＮＢ−ＣＵ構成更新プロシージャのためのメッセージであり得る。一例において、第１の接続メッセージは、ｇＮＢ−ＤＵによって第１のｇＮＢ−ＣＵに伝送され得るｇＮＢ−ＤＵ構成更新メッセージに応答して、ｇＮＢ−ＤＵ構成更新肯定メッセージ（またはｇＮＢ−ＤＵ構成更新失敗メッセージ）を含むことができる。ｇＮＢ−ＤＵ構成更新メッセージおよびｇＮＢ−ＤＵ構成更新肯定メッセージ（および／またはｇＮＢ−ＤＵ構成更新失敗メッセージ）は、ｇＮＢ−ＤＵによって構成（例えば、ｇＮＢ−ＣＵおよび／またはｇＮＢ−ＤＵの構成）を更新するためのｇＮＢ−ＤＵ構成更新プロシージャのためのメッセージであり得る。
【０２０５】
一例において、例示的な図、すなわち、図３２、図３４、および／または図３５に示されるように、第１の接続メッセージは、第１のｇＮＢ−ＣＵによってサポートされる（例えば、サービスを提供される）第１のＰＬＭＮの第１のＰＬＭＮ識別子を含むことができる。例示的な実施形態では、ＰＬＭＮ（例えば、第１のＰＬＭＮ）をサポートすることは、対応するネットワークノード（例えば、第１のｇＮＢ−ＣＵ）、対応するリソース、および／またはＰＬＭＮのための対応するセルを用いるように許可される／構成されると解釈され得る。一例において、第１のＰＬＭＮは、第１のｇＮＢ−ＣＵを含むことができる。一例において、第１のＰＬＭＮ識別子は、ある事業者（例えば、第１のサービス事業者）のＰＬＭＮ（例えば、第１のＰＬＭＮ）、ある事業者（例えば、第１のサービス事業者）、および／またはある事業者（例えば、第１のサービス事業者）によってサービスを提供されるネットワークを識別する（または示す）ことができる。事業者は、サービス事業者／プロバイダおよび／またはネットワーク事業者／プロバイダとして解釈され得る。一例において、第１の接続メッセージは、第１の接続メッセージのメッセージタイプ、対応するプロシージャ（例えば、Ｆ１設定プロシージャ、ｇＮＢ−ＣＵ構成更新プロシージャ、ｇＮＢ−ＤＵ構成更新プロシージャ、および／または同様のもの）のトランザクション識別子（例えば、トランザクションＩＤ）、第１のｇＮＢ−ＣＵのｇＮＢ−ＣＵ識別子、第１のｇＮＢ−ＣＵのｇＮＢ−ＣＵ名、１つ以上の第１のセル識別子（例えば、セルグローバル識別子（ＮＲ  ＣＧＩ））、作動される１つ以上の第１のセルの物理セル識別子（ＮＲ  ＰＣＩ））、停止される１つ以上の第２のセルの１つ以上の第２のセル識別子（例えば、セルグローバル識別子（ＮＲ  ＣＧＩ）、物理セル識別子（ＮＲ  ＰＣＩ））、および／または同様のもののうちの少なくとも１つをさらに含むことができる。一例において、第１の接続メッセージは、第１のＰＬＭＮに関連付けられた１つ以上のサービングセル（例えば、第１のＰＬＭＮをサポートする１つ以上のセル、および／または第１のＰＬＭＮに用いられる１つ以上のセル）の１つ以上のサービングセル識別子をさらに含むことができる。一例において、１つ以上のサービングセルは、ｇＮＢ−ＤＵのセルであり得る。
【０２０６】
一例において、例示的な図、すなわち図３３に示されるように、第１のプロシージャ開始メッセージ（例えば、第１の接続メッセージは、第１のプロシージャ開始メッセージに対する応答メッセージであり得る）、例えば、Ｆ１設定要求メッセージおよび／またはｇＮＢ−ＤＵ構成更新メッセージは、第１のプロシージャ開始メッセージのメッセージタイプ、対応するプロシージャ（例えば、Ｆ１設定プロシージャ、ｇＮＢ−ＤＵ構成更新プロシージャ、および／または同様のもの）のトランザクション識別子（例えば、トランザクションＩＤ）、ｇＮＢ−ＤＵのｇＮＢ−ＤＵ識別子、ｇＮＢ−ＤＵのｇＮＢ−ＤＵ名、ｇＮＢ−ＤＵの（例えば、追加／修正／削除／作動するための）１つ以上のサーブドセルのサーブドセル構成パラメータ、および／または同様のもののうちの少なくとも１つを含むことができる。一例において、サーブドセル構成パラメータは、サーブドセルのサーブドセル情報、サーブドセルのｇＮＢ−ＤＵシステム情報、および／または同様のものうちの少なくとも１つを含むことができる。サーブドセル情報は、セル識別子（例えば、ＮＲ  ＣＧＩ、ＮＲ  ＰＣＩ、以前のＮＲ  ＣＧＩ、以前のＮＲ  ＰＣＩ）、トラッキングエリアコード、トラッキングエリア識別子、サーブドセルによってサポートされる１つ以上のＰＬＭＮの１つ以上のＰＬＭＮ識別子、ＦＤＤ構成パラメータ（例えば、アップリンク周波数帯域（ＵＬ  ＡＲＦＣＮ）、ダウンリンク周波数帯域（ＤＬ  ＡＲＦＣＮ）、ＵＬ伝送帯域幅、ＤＬ伝送帯域幅、および／または同様のもの）、ＴＤＤ構成パラメータ（例えば、周波数帯域（ＡＲＦＣＮ）、伝送帯域幅、および／または同様のもの）、ＬＡＡ構成パラメータ（例えば、サブフレームタイプ３構成パラメータ）、補足アップリンク（ＳＵＬ）情報、測定タイミング構成パラメータ、および／または同様のもののうちの少なくとも１つを含むことができる。一例において、ｇＮＢ−ＤＵシステム情報は、サーブドセルのマスタ情報ブロック（ＭＩＢ）メッセージ、サーブドセルのシステム情報ブロックタイプ１（ＳＩＢ１）メッセージ、および／または同様のもののうちの少なくとも１つを含むことができる。
【０２０７】
一例において、例示的な図、すなわち図３６に示されるように、第１のプロシージャ応答メッセージ（例えば、第１の接続メッセージのための応答メッセージ）、例えば、ｇＮＢ−ＣＵ構成更新肯定メッセージおよび／またはｇＮＢ−ＣＵ構成更新失敗メッセージは、第１のプロシージャ応答メッセージのメッセージタイプ、対応するプロシージャ（例えば、ｇＮＢ−ＣＵ構成更新プロシージャ、および／または同様のもの）のトランザクション識別子（例えば、トランザクションＩＤ）、ｇＮＢ−ＤＵのｇＮＢ−ＤＵ識別子、ｇＮＢ−ＤＵのｇＮＢ−ＤＵ名、作動させることを成功／失敗した、または修正／追加／削除された、１つ以上のセルの１つ以上のセル識別子（例えば、ＮＲ  ＣＧＩ、ＮＲ  ＰＣＩ）、作動させることの成功／失敗または修正／追加／削除、および／または同様のものの原因のうちの少なくとも１つを含むことができる。
【０２０８】
一例において、第１の接続メッセージに基づいて、ｇＮＢ−ＤＵは、Ｆ１インターフェース構成パラメータ（例えば、第１のｇＮＢ−ＣＵへの１つ以上のトンネルの１つ以上のトンネル識別子構成）、第１のｇＮＢ−ＣＵに関連付けられた１つ以上のサービングセル（例えば、第１のｇＮＢ−ＣＵおよび／または第１のＰＬＭＮに用いられる１つ以上のサービングセル）のセル構成パラメータ、リソース構成パラメータ（例えば、無線リソース構成パラメータ）、ハードウェア構成パラメータ（例えば、ＣＰＵ、ＲＡＭ、第１のｇＮＢ−ＣＵおよび／または第１のＰＬＭＮのためのバスリソース）、１つ以上の無線デバイスに対する１つ以上の構成パラメータ、および／または同様のもののうちの少なくとも１つを含む１つ以上のシステムパラメータを構成することができる。
【０２０９】
一例において、第２のｇＮＢ−ＣＵは、第２の接続メッセージをｇＮＢ−ＤＵに伝送（送信）することができる。第２の接続メッセージは、ｇＮＢ−ＤＵによって第２のｇＮＢ−ＣＵに伝送されるＦ１設定要求メッセージに応答して、Ｆ１設定応答メッセージを含むことができる。Ｆ１設定要求メッセージおよびＦ１設定応答メッセージは、第２のｇＮＢ−ＣＵとｇＮＢ−ＤＵとの間のＦ１インターフェース（例えば、少なくとも１つの第２のＦ１インターフェース）を確立するためのＦ１設定プロシージャのためのメッセージであり得る。一例において、第２の接続メッセージは、ｇＮＢ−ＣＵ（例えば、第２のｇＮＢ−ＣＵ）による構成更新（例えば、ｇＮＢ−ＣＵおよび／またはｇＮＢ−ＤＵの構成）のためのｇＮＢ−ＣＵ構成更新メッセージを含むことができる。ｇＮＢ−ＣＵ構成更新メッセージを受信することに応答して、ｇＮＢ−ＤＵは、第２のｇＮＢ−ＣＵに、ｇＮＢ−ＣＵ構成更新肯定メッセージ（またはｇＮＢ−ＣＵ構成更新失敗メッセージ）を伝送することができ、これは、ｇＮＢ−ＣＵ構成更新メッセージ（例えば、第２の接続メッセージ）の１つ以上の構成が、ｇＮＢ−ＤＵで適用（承認）または失敗（拒否）されることを示すことができる。ｇＮＢ−ＣＵ構成更新メッセージおよびｇＮＢ−ＣＵ構成更新肯定メッセージ（および／またはｇＮＢ−ＣＵ構成更新失敗メッセージ）は、ｇＮＢ−ＣＵ構成更新プロシージャのためのメッセージであり得る。一例において、第２の接続メッセージは、ｇＮＢ−ＤＵによって第２のｇＮＢ−ＣＵに伝送され得るｇＮＢ−ＤＵ構成更新メッセージに応答して、ｇＮＢ−ＤＵ構成更新肯定メッセージ（またはｇＮＢ−ＤＵ構成更新失敗メッセージ）を含むことができる。ｇＮＢ−ＤＵ構成更新メッセージおよびｇＮＢ−ＤＵ構成更新肯定メッセージ（および／またはｇＮＢ−ＤＵ構成更新失敗メッセージ）は、ｇＮＢ−ＤＵによって構成（例えば、ｇＮＢ−ＣＵおよび／またはｇＮＢ−ＤＵの構成）を更新するためのｇＮＢ−ＤＵ構成更新プロシージャのためのメッセージであり得る。
【０２１０】
一例において、第２の接続メッセージは、第２のｇＮＢ−ＣＵによってサポートされる（例えば、サービスを提供される）第２のＰＬＭＮの第２のＰＬＭＮ識別子を含むことができる。例示的な実施形態では、ＰＬＭＮ（例えば、第２のＰＬＭＮ）をサポートすることは、対応するネットワークノード（例えば、第２のｇＮＢ−ＣＵ）、対応するリソース、および／またはＰＬＭＮのための対応するセルを用いるように許可される／構成されると解釈され得る。一例において、第２のＰＬＭＮは、第２のｇＮＢ−ＣＵを含むことができる。一例において、第２のＰＬＭＮ識別子は、ある事業者（例えば、第２のサービス事業者）のＰＬＭＮ（例えば、第２のＰＬＭＮ）、ある事業者（例えば、第２のサービス事業者）、および／またはある事業者（例えば、第２のサービス事業者）によってサービスを提供されるネットワークを識別する（または示す）ことができる。一例において、第２の接続メッセージは、第２の接続メッセージのメッセージタイプ、対応するプロシージャ（例えば、Ｆ１設定プロシージャ、ｇＮＢ−ＣＵ構成更新プロシージャ、ｇＮＢ−ＤＵ構成更新プロシージャ、および／または同様のもの）のトランザクション識別子（例えば、トランザクションＩＤ）、第２のｇＮＢ−ＣＵのｇＮＢ−ＣＵ識別子、第２のｇＮＢ−ＣＵのｇＮＢ−ＣＵ名、１つ以上の第３のセル識別子（例えば、セルグローバル識別子（ＮＲ  ＣＧＩ））、作動される１つ以上の第３のセルの物理セル識別子（ＮＲ  ＰＣＩ））、停止される１つ以上の第４のセルの１つ以上の第４のセル識別子（例えば、セルグローバル識別子（ＮＲ  ＣＧＩ）、物理セル識別子（ＮＲ  ＰＣＩ））、および／または同様のもののうちの少なくとも１つをさらに含むことができる。一例において、第２の接続メッセージは、第２のＰＬＭＮに関連付けられた１つ以上のサービングセル（例えば、第２のＰＬＭＮをサポートする１つ以上のセル、および／または第２のＰＬＭＮに用いられる１つ以上のセル）の１つ以上のサービングセル識別子をさらに含むことができる。一例において、１つ以上のサービングセルは、ｇＮＢ−ＤＵのセルであり得る。
【０２１１】
一例において、第２のプロシージャ開始メッセージ（例えば、第２の接続メッセージは、第２のプロシージャ開始メッセージに対する応答メッセージであり得る）、例えば、Ｆ１設定要求メッセージおよび／またはｇＮＢ−ＤＵ構成更新メッセージは、第２のプロシージャ開始メッセージのメッセージタイプ、対応するプロシージャ（例えば、Ｆ１設定プロシージャ、ｇＮＢ−ＤＵ構成更新プロシージャ、および／または同様のもの）のトランザクション識別子（例えば、トランザクションＩＤ）、ｇＮＢ−ＤＵのｇＮＢ−ＤＵ識別子、ｇＮＢ−ＤＵのｇＮＢ−ＤＵ名、ｇＮＢ−ＤＵの（例えば、追加／修正／削除／作動するための）１つ以上のサーブドセルのサーブドセル構成パラメータ、および／または同様のもののうちの少なくとも１つを含むことができる。一例において、サーブドセル構成パラメータは、サーブドセルのサーブドセル情報、サーブドセルのｇＮＢ−ＤＵシステム情報、および／または同様のものうちの少なくとも１つを含むことができる。サーブドセル情報は、セル識別子（例えば、ＮＲ  ＣＧＩ、ＮＲ  ＰＣＩ、以前のＮＲ  ＣＧＩ、以前のＮＲ  ＰＣＩ）、トラッキングエリアコード、トラッキングエリア識別子、サーブドセルによってサポートされる１つ以上のＰＬＭＮの１つ以上のＰＬＭＮ識別子、ＦＤＤ構成パラメータ（例えば、アップリンク周波数帯域（ＵＬ  ＡＲＦＣＮ）、ダウンリンク周波数帯域（ＤＬ  ＡＲＦＣＮ）、ＵＬ伝送帯域幅、ＤＬ伝送帯域幅、および／または同様のもの）、ＴＤＤ構成パラメータ（例えば、周波数帯域（ＡＲＦＣＮ）、伝送帯域幅、および／または同様のもの）、ＬＡＡ構成パラメータ（例えば、サブフレームタイプ３構成パラメータ）、補足アップリンク（ＳＵＬ）情報、測定タイミング構成パラメータ、および／または同様のもののうちの少なくとも１つを含むことができる。一例において、ｇＮＢ−ＤＵシステム情報は、サーブドセルのマスタ情報ブロック（ＭＩＢ）メッセージ、サーブドセルのシステム情報ブロックタイプ１（ＳＩＢ１）メッセージ、および／または同様のもののうちの少なくとも１つを含むことができる。
【０２１２】
一例において、第２のプロシージャ応答メッセージ（第２の接続メッセージのための応答メッセージ）、例えば、ｇＮＢ−ＣＵ構成更新肯定メッセージおよび／またはｇＮＢ−ＣＵ構成更新失敗メッセージは、第２のプロシージャ応答メッセージのメッセージタイプ、対応するプロシージャ（例えば、ｇＮＢ−ＣＵ構成更新プロシージャ、および／または同様のもの）のトランザクション識別子（例えば、トランザクションＩＤ）、ｇＮＢ−ＤＵのｇＮＢ−ＤＵ識別子、ｇＮＢ−ＤＵのｇＮＢ−ＤＵ名、作動させることを成功／失敗した、または修正／追加／削除された、１つ以上のセルの１つ以上のセル識別子（例えば、ＮＲ  ＣＧＩ、ＮＲ  ＰＣＩ）、作動させることの成功／失敗または修正／追加／削除、および／または同様のものの原因のうちの少なくとも１つを含むことができる。
【０２１３】
一例において、第２の接続メッセージに基づいて、ｇＮＢ−ＤＵは、Ｆ１インターフェース構成パラメータ（例えば、第２のｇＮＢ−ＣＵへの１つ以上のトンネルの１つ以上のトンネル識別子構成）、第２のｇＮＢ−ＣＵに関連付けられた１つ以上のサービングセルのセル構成パラメータ（例えば、第２のｇＮＢ−ＣＵおよび／または第２のＰＬＭＮに用いられる１つ以上のサービングセル）、リソース構成パラメータ（例えば、無線リソース構成パラメータ）、ハードウェア構成パラメータ（例えば、ＣＰＵ、ＲＡＭ、第２のｇＮＢ−ＣＵおよび／または第２のＰＬＭＮのためのバスリソース）、および／または同様のもののうちの少なくとも１つを含む１つ以上のシステムパラメータを構成することができる。
【０２１４】
一例において、第１の接続メッセージおよび／または第２の接続メッセージに基づいて、ｇＮＢ−ＤＵは、ｇＮＢ−ＤＵのサービングセル（複数可）を介して、第１のＰＬＭＮおよび／または第２のＰＬＭＮをサポートする（例えば、それにサービスを提供する、その一部である、それに対してリソースを提供するなど）ことができる。一例において、ｇＮＢ−ＤＵのサービングセルの１つ以上の第１のセルは、第１のＰＬＭＮ（および／または第１のｇＮＢ−ＣＵ）をサポートすることができ、および／またはｇＮＢ−ＤＵのサービングセルの１つ以上の第２のセルは、第２のＰＬＭＮ（および／または第２のｇＮＢ−ＣＵ）をサポートすることができる。一例において、ｇＮＢ−ＤＵの１つ以上の第３のセルは、第１のＰＬＭＮと第２のＰＬＭＮの両方をサポートすることができる。一例において、第１の接続メッセージを受信することに応答して、ｇＮＢ−ＤＵは、第１のｇＮＢ−ＣＵに、第１のＰＬＭＮをサポートする１つ以上の第１のセルの１つ以上の第１のセル識別子、および／または第１のＰＬＭＮおよび第２のＰＬＭＮをサポートする１つ以上の第３のセルの１つ以上の第３のセル識別子を伝送することができる。一例において、第２の接続メッセージを受信することに応答して、ｇＮＢ−ＤＵは、第２のｇＮＢ−ＣＵに、第２のＰＬＭＮをサポートする１つ以上の第２のセルの１つ以上の第２のセル識別子、および／または第１のＰＬＭＮおよび第２のＰＬＭＮをサポートする１つ以上の第３のセルの１つ以上の第３のセル識別子を伝送することができる。
【０２１５】
一例において、ＰＬＭＮ識別子（例えば、第１のＰＬＭＮ識別子および／または第２のＰＬＭＮ識別子）は、サービス事業者の事業者識別子、サービス事業者によってサービスを提供されるネットワークのネットワーク識別子、サービス事業者によってサービスを提供されるサービスエリアのサービスエリア識別子、ＰＬＭＮ／事業者／サービス事業者／ネットワーク／ネットワークエリア／インフラストラクチャのグループを識別する識別子（アイデンティティ）、および／または同様のもののうちの少なくとも１つを含むことができる。一例において、ＰＬＭＮ（例えば、第１のＰＬＭＮおよび／または第２のＰＬＭＮ）は、事業者、サービス事業者、サービス事業者によってサービスを提供されるネットワーク、ネットワークエリア、サービス事業者によってサービスを提供されるサービスエリア、インフラストラクチャのグループ、および／または同様のもののうちの少なくとも１つと解釈され得る。
【０２１６】
一例において、第２の接続メッセージを受信することに応答して、ｇＮＢ−ＤＵは、第１のｇＮＢ−ＣＵに、ｇＮＢ−ＤＵ（および／またはｇＮＢ−ＤＵのサービングセル）がサポート（またはサービス）する第２のＰＬＭＮの第２のＰＬＭＮ識別子を伝送（送信）することができる、および／または、第１のｇＮＢ−ＣＵに、第２のｇＮＢ−ＣＵの第２のｇＮＢ−ＣＵ識別子（例えば、第２のｇＮＢ−ＣＵ名、第２のｇＮＢ−ＣＵ  ＩＰアドレス、および／または同様のもの）を伝送することができる（例えば、第２のｇＮＢ−ＣＵ識別子は、ｇＮＢ−ＤＵ（および／またはｇＮＢ−ＤＵのサービングセル）が第２のｇＮＢ−ＣＵに対してサービスを提供することを示すことができる）。一例において、第２の接続メッセージを受信することに応答して、ｇＮＢ−ＤＵは、第１のｇＮＢ−ＣＵに、第１のＰＬＭＮをサポートする１つ以上の第１のセルの１つ以上の第１のセル識別子、第２のＰＬＭＮをサポートする１つ以上の第２のセルの１つ以上の第２のセル識別子、および／または第１のＰＬＭＮおよび第２のＰＬＭＮをサポートする１つ以上の第３のセルの１つ以上の第３のセル識別子を伝送（送信）することができる。
【０２１７】
一例において、第２の接続メッセージを受信することに応答して、および／または第１の接続メッセージに基づいて、ｇＮＢ−ＤＵは、第２のｇＮＢ−ＣＵに、ｇＮＢ−ＤＵ（および／またはｇＮＢ−ＤＵのサービングセル）がサポート（またはサービスを提供）する第１のＰＬＭＮの第１のＰＬＭＮ識別子を伝送（送信）することができる、および／または第２のｇＮＢ−ＣＵに、第１のｇＮＢ−ＣＵの第１のｇＮＢ−ＣＵ識別子（および／または第１のｇＮＢ−ＣＵ名、第１のｇＮＢ−ＣＵ  ＩＰアドレス、および／または同様のもの）を伝送することができる（例えば、第１のｇＮＢ−ＣＵ識別子は、ｇＮＢ−ＤＵ（および／またはｇＮＢ−ＤＵのサービングセル）が第１のｇＮＢ−ＣＵに対してサービスを提供することを示すことができる）。一例において、第２の接続メッセージを受信することに応答して、ｇＮＢ−ＤＵは、第２のｇＮＢ−ＣＵに、第１のＰＬＭＮをサポートする１つ以上の第１のセルの１つ以上の第１のセル識別子、第２のＰＬＭＮをサポートする１つ以上の第２のセルの１つ以上の第２のセル識別子、および／または第１のＰＬＭＮおよび第２のＰＬＭＮをサポートする１つ以上の第３のセルの１つ以上の第３のセル識別子を伝送（送信）することができる。
【０２１８】
一例において、第１の接続メッセージおよび／または第２の接続メッセージに基づいて、ｇＮＢ−ＤＵは、第１のＰＬＭＮ識別子および／または第２のＰＬＭＮ識別子のうちの少なくとも１つを含む少なくとも１つの第３のメッセージ（例えば、１つ以上のシステム情報ブロック、少なくとも１つのシステム情報ブロック）を伝送（例えば、ブロードキャスト）することができる。少なくとも１つの第３のメッセージは、エアインターフェースを介して（例えば、ｇＮＢ−ＤＵのサービングセルおよび／または無線インターフェースを介して）、伝送することができる。一例において、少なくとも１つの第３のメッセージは、１つ以上のシステム情報ブロック（例えば、マスタ情報ブロック、システム情報ブロックタイプ１、システム情報ブロックタイプ２、システム情報ブロックタイプ３、および／または同様のもの）であり（および／またはそれを含み）得る。一例において、少なくとも１つの第３のメッセージは、無線デバイスのための１つ以上の無線リソース制御（ＲＲＣ）メッセージ（例えば、ＲＲＣ接続設定メッセージ、ＲＲＣ接続再開メッセージ、ＲＲＣ接続再構成メッセージ、ＲＲＣ接続再確立メッセージ、および／または同様のもの）であり（および／またはそれを含み）得る。一例において、少なくとも１つの第３のメッセージは、ｇＮＢ−ＤＵのサービングセルを介して伝送することができる。一例において、少なくとも１つの第３のメッセージは、第１のＰＬＭＮをサポートする１つ以上の第１のセル、第２のＰＬＭＮをサポートする１つ以上の第２のセル、および／または第１のＰＬＭＮおよび第２のＰＬＭＮサポートする１つ以上の第３のセルのうちの少なくとも１つを介して伝送することができる。
【０２１９】
一例において、１つ以上の第３のセルを介して伝送される少なくとも１つの第３のメッセージのうちの１つ以上は、１つ以上の第３のセルが第１のＰＬＭＮ（例えば、第１のｇＮＢ−ＣＵ）および／または第２のＰＬＭＮ（例えば、第２のｇＮＢ−ＣＵ）をサポートする（例えば、それにサービスを提供する、その一部である、それに対してリソースを提供するなど）ことを示す、第１のＰＬＭＮ識別子および／または第２のＰＬＭＮ識別子（例えば、第１のＰＬＭＮ識別子および第２のＰＬＭＮ識別子の両方、または第１のＰＬＭＮ識別子または第２のＰＬＭＮ識別子のどちらか）を含むことができる。
【０２２０】
一例において、１つ以上の第１のセルを介して伝送される少なくとも１つの第３のメッセージのうちの第１のものは、１つ以上の第１のセルが第１のＰＬＭＮ（例えば、第１のｇＮＢ−ＣＵ）をサポートする（例えば、それにサービスを提供する、その一部である、それに対してリソースを提供するなど）ことを示す第１のＰＬＭＮを含むことができる。一例において、１つ以上の第２のセルを介して伝送される少なくとも１つの第３のメッセージのうちの第２のものは、１つ以上の第２のセルが第２のＰＬＭＮ（例えば、第２のｇＮＢ−ＣＵ）をサポートする（例えば、それにサービスを提供する、その一部である、それに対してリソースを提供するなど）ことを示す第２のＰＬＭＮを含むことができる。
【０２２１】
一例において、異なるＰＬＭＮ（および／または異なるｇＮＢ−ＣＵ）に対する別個のメッセージ（例えば、別個のシステム情報ブロック、ＲＲＣメッセージ）は、少なくとも１つの第３のメッセージとして伝送することができる。一例において、少なくとも１つの第３のメッセージの第１の別個のメッセージは、第１の別個のメッセージ（および／または第２の別個のメッセージ）が伝送されるサービングセルの第１のＰＬＭＮ識別子および／または第１のサービングセル識別子を含むことができる。一例において、少なくとも１つの第３のメッセージの第２の別個のメッセージは、第２の別個のメッセージ（および／または第１の別個のメッセージ）が伝送されるサービングセルの第２のＰＬＭＮ識別子および／または第２のサービングセル識別子を含むことができる。
【０２２２】
一例において、サービングセル（例えば、複数のＰＬＭＮに対して異なるグローバルセル識別子を有する、例えば、物理的に単一のセル）に対する異なるセル識別子（例えば、第１のセル識別子および第２のセル識別子）は、異なるＰＬＭＮ（例えば、第１のＰＬＭＮおよび第２のＰＬＭＮ）のために構成することができる（例えば、サービングセルが第１のＰＬＭＮおよび第２のＰＬＭＮをサポート／それにサービスを提供するために用いられる場合）。一例において、異なるセル識別子は、グローバルセル識別子（ＧＣＩ）および／またはセルグローバル識別子（ＣＧＩ）、および／または同様のものを含むことができる。一例において、サービングセル（例えば、物理的に単一のセル）に対する異なるセル識別子（例えば、第３のセル識別子および第４のセル識別子）は、異なるｇＮＢ−ＣＵのために、および／または異なるｇＮＢ（例えば、第１のｇＮＢ−ＣＵおよび第２のｇＮＢ−ＣＵ、ならびに／または第１のｇＮＢ−ＣＵの第１のｇＮＢおよび第２のｇＮＢ−ＣＵの第２のｇＮＢ）のために構成することができる（例えば、サービングセルが第１のｇＮＢ−ＣＵおよび第２のｇＮＢ−ＣＵによって用いられる場合）。一例において、少なくとも１つの第３のメッセージは、少なくとも第３のメッセージが伝送されるサービングセルの少なくとも１つのセル識別子（例えば、第１のＰＬＭＮに対する第１のセル識別子および／または第２のＰＬＭＮに対する第２のセル識別子を含む）を含むことができる。一例において、少なくとも１つの第３のメッセージは、少なくとも１つの第３のメッセージが伝送されるサービングセルの少なくとも１つのセル識別子（例えば、第１のｇＮＢ−ＣＵ／第１のｇＮＢに対する第３のセル識別子および／または第２のｇＮＢ−ＣＵ／第２のｇＮＢに対する第４のセル識別子を含む）を含むことができる。一例において、少なくとも１つのセル識別子は、セルアイデンティティ、セルＩＤ、物理セル識別子、グローバルセル識別子、および／または同様のもののうちの少なくとも１つを含むことができる。
【０２２３】
一例において、少なくとも１つの第３のメッセージは、少なくとも１つの第３のメッセージが伝送され得るサービングセルの（および／またはそれに関連付けられた）少なくとも１つのトラッキングエリアコード（ＴＡＣ）を含むことができる。一例において、少なくとも１つのＴＡＣは、異なるＰＬＭＮのために構成することができる（例えば、少なくとも１つのＴＡＣの第１のＴＡＣは、第１のＰＬＭＮのために構成することができ、および／または少なくとも１つのＴＡＣの第２のＴＡＣは、第２のＰＬＭＮのために構成することができる）。一例において、少なくとも１つのＴＡＣは、異なるｇＮＢ−ＣＵのために構成することができる（例えば、少なくとも１つのＴＡＣの第３のＴＡＣは、第１のｇＮＢ−ＣＵのために構成することができ、および／または少なくとも１つのＴＡＣの第４のＴＡＣは、第２のｇＮＢ−ＣＵのために構成することができる）。一例において、少なくとも１つのＴＡＣは、第１のＴＡＣ、第２のＴＡＣ、第３のＴＡＣ、および／または第４のＴＡＣのうちの少なくとも１つを含むことができる。
【０２２４】
一例において、少なくとも１つの第３のメッセージは、少なくとも１つの第３のメッセージが伝送され得るサービングセルの（および／またはそれに関連付けられた）少なくとも１つのトラッキングエリア識別子（ＴＡＩ）を含むことができる。一例において、少なくとも１つのＴＡＩは、異なるＰＬＭＮのために構成することができる（例えば、少なくとも１つのＴＡＩの第１のＴＡＩは、第１のＰＬＭＮのために構成することができ、および／または少なくとも１つのＴＡＩの第２のＴＡＩは、第２のＰＬＭＮのために構成することができる）。一例において、少なくとも１つのＴＡＩは、異なるｇＮＢ−ＣＵのために構成することができる（例えば、少なくとも１つのＴＡＩの第３のＴＡＩは、第１のｇＮＢ−ＣＵのために構成することができ、および／または少なくとも１つのＴＡＩの第４のＴＡＩは、第２のｇＮＢ−ＣＵのために構成することができる）。一例において、少なくとも１つのＴＡＩは、第１のＴＡＩ、第２のＴＡＩ、第３のＴＡＩ、および／または第４のＴＡＩのうちの少なくとも１つを含むことができる。
【０２２５】
一例において、少なくとも１つの第３のメッセージは、少なくとも１つの第３のメッセージが伝送され得るサービングセルの（および／またはそれに関連付けられた）少なくとも１つの登録エリアコード（ＲＡＣ）を含むことができる。一例において、少なくとも１つのＲＡＣは、異なるＰＬＭＮのために構成することができる（例えば、少なくとも１つのＲＡＣの第１のＲＡＣは、第１のＰＬＭＮのために構成することができ、および／または少なくとも１つのＴＡＣの第２のＲＡＣは、第２のＰＬＭＮのために構成することができる）。一例において、少なくとも１つのＲＡＣは、異なるｇＮＢ−ＣＵのために構成することができる（例えば、少なくとも１つのＲＡＣの第３のＲＡＣは、第１のｇＮＢ−ＣＵのために構成することができ、および／または少なくとも１つのＲＡＣの第４のＲＡＣは、第２のｇＮＢ−ＣＵのために構成することができる）。一例において、少なくとも１つのＲＡＣは、第１のＲＡＣ、第２のＲＡＣ、第３のＲＡＣ、および／または第４のＲＡＣのうちの少なくとも１つを含むことができる。
【０２２６】
一例において、少なくとも１つの第３のメッセージは、少なくとも１つの第３のメッセージが伝送され得るサービングセルの（および／またはそれに関連付けられた）少なくとも１つの登録エリア識別子（ＲＡＩ）を含むことができる。一例において、少なくとも１つのＲＡＩは、異なるＰＬＭＮのために構成することができる（例えば、少なくとも１つのＲＡＩの第１のＲＡＩは、第１のＰＬＭＮのために構成することができ、および／または少なくとも１つのＲＡＩの第２のＲＡＩは、第２のＰＬＭＮのために構成することができる）。一例において、少なくとも１つのＲＡＩは、異なるｇＮＢ−ＣＵのために構成することができる（例えば、少なくとも１つのＲＡＩの第３のＲＡＩは、第１のｇＮＢ−ＣＵのために構成することができ、および／または少なくとも１つのＲＡＩの第４のＲＡＩは、第２のｇＮＢ−ＣＵのために構成することができる）。一例において、少なくとも１つのＲＡＩは、第１のＲＡＩ、第２のＲＡＩ、第３のＲＡＩ、および／または第４のＲＡＩのうちの少なくとも１つを含むことができる。
【０２２７】
一例において、少なくとも１つの第３のメッセージは、第１のｇＮＢ−ＣＵの第１のｇＮＢ−ＣＵ識別子および／または第２のｇＮＢ−ＣＵの第２のｇＮＢ−ＣＵ識別子を含むことができる。第１のｇＮＢ−ＣＵ識別子は、少なくとも１つの第３のメッセージが伝送されるサービングセルが第１のｇＮＢ−ＣＵに対してサービスを提供することを示すことができる。第２のｇＮＢ−ＣＵ識別子は、少なくとも１つの第３のメッセージが伝送されるサービングセルが第２のｇＮＢ−ＣＵに対してサービスを提供することを示すことができる。
【０２２８】
一例において、少なくとも１つの第３のメッセージは、第１のｇＮＢ−ＣＵおよびｇＮＢ−ＤＵを含む第１のｇＮＢ（例えば、第１の基地局）の第１のｇＮＢ識別子（例えば、第１の基地局識別子）を含むことができる。一例において、少なくとも１つの第３のメッセージは、第２のｇＮＢ−ＣＵおよびｇＮＢ−ＤＵを含む第２のｇＮＢ（例えば、第２の基地局）の第２のｇＮＢ識別子（例えば、第２の基地局識別子）を含むことができる。一例において、第１のｇＮＢ識別子（例えば、第１のｇＮＢ−ＣＵおよび／または第１のＰＬＭＮに関連付けられた）および第２のｇＮＢ識別子（例えば、第２のｇＮＢ−ＣＵおよび／または第２のＰＬＭＮに関連付けられた）は、第１のｇＮＢ−ＣＵ、第２のｇＮＢ−ＣＵ、およびｇＮＢ−ＤＵを含むｇＮＢ（例えば、基地局であり、第１のｇＮＢおよび第２のｇＮＢは、同じｇＮＢである）のためにあり得る。第１のｇＮＢ識別子は、第１のｇＮＢ−ＣＵおよび／または第１のＰＬＭＮのためにあり得る。第２のｇＮＢ識別子は、第２のｇＮＢ−ＣＵおよび／または第２のＰＬＭＮのためにあり得る。第１のｇＮＢ識別子は、少なくとも１つの第３のメッセージが伝送されるサービングセルが、第１のｇＮＢ、第１のｇＮＢ−ＣＵ、および／または第１のＰＬＭＮに対してサービスを提供することを示すことができる。第２のｇＮＢ識別子は、少なくとも１つの第３のメッセージが伝送されるサービングセルが、第２のｇＮＢ、第２のｇＮＢ−ＣＵ、および／または第２のＰＬＭＮに対してサービスを提供することを示すことができる。
【０２２９】
一例において、少なくとも１つの第３のメッセージは、少なくとも１つの第３のメッセージが伝送され得るサービングセルの（および／またはそれに関連付けられた）少なくとも１つのＲＡＮ通知エリア（ＲＮＡ）識別子（例えば、ＲＲＣ停止状態の無線デバイスに対する）を含むことができる。一例において、少なくとも１つのＲＮＡ識別子は、異なるＰＬＭＮのために構成することができる（例えば、少なくとも１つのＲＮＡ識別子の第１のＲＮＡ識別子は、第１のＰＬＭＮのために構成することができ、および／または少なくとも１つのＲＮＡ識別子の第２のＲＮＡ識別子は、第２のＰＬＭＮのために構成することができる）。一例において、少なくとも１つのＲＮＡ識別子は、異なるｇＮＢ−ＣＵのために構成することができる（例えば、少なくとも１つのＲＮＡ識別子の第３のＲＮＡ識別子は、第１のｇＮＢ−ＣＵのために構成することができ、および／または少なくとも１つのＲＮＡ識別子の第４のＲＮＡ識別子は、第２のｇＮＢ−ＣＵのために構成することができる）。一例において、少なくとも１つのＲＮＡ識別子は、第１のＲＮＡ識別子、第２のＲＮＡ識別子、第３のＲＮＡ識別子、および／または第４のＲＮＡ識別子のうちの少なくとも１つを含むことができる。
【０２３０】
一例において、少なくとも１つの第３のメッセージは、少なくとも１つの第３のメッセージが伝送され得るサービングセルの（および／またはそれに関連付けられた）少なくとも１つのＲＡＮエリア識別子（例えば、ＲＲＣ停止状態の無線デバイスに対する）を含むことができる。一例において、少なくとも１つのＲＡＮエリア識別子は、異なるＰＬＭＮのために構成することができる（例えば、少なくとも１つのＲＡＮエリア識別子の第１のＲＡＮエリア識別子は、第１のＰＬＭＮのために構成することができ、および／または少なくとも１つのＲＡＮエリア識別子の第２のＲＡＮエリア識別子は、第２のＰＬＭＮのために構成することができる）。一例において、少なくとも１つのＲＡＮエリア識別子は、異なるｇＮＢ−ＣＵのために構成することができる（例えば、少なくとも１つのＲＡＮエリア識別子の第３のＲＡＮエリア識別子は、第１のｇＮＢ−ＣＵのために構成することができ、および／または少なくとも１つのＲＡＮエリア識別子の第４のＲＡＮエリア識別子は、第２のｇＮＢ−ＣＵのために構成することができる）。一例において、少なくとも１つのＲＡＮエリア識別子は、第１のＲＡＮエリア識別子、第２のＲＡＮエリア識別子、第３のＲＡＮエリア識別子、および／または第４のＲＡＮエリア識別子のうちの少なくとも１つを含むことができる。
【０２３１】
一例において、少なくとも１つの第３のメッセージは、少なくとも１つの第３のメッセージが伝送され得るサービングセルに対する（および／または関連付けられた）少なくとも１つの再開識別子（例えば、ＲＲＣ停止状態の無線デバイスに対する）を含むことができる。一例において、少なくとも１つの再開識別子は、異なるＰＬＭＮのために構成することができる（例えば、少なくとも１つの再開識別子の第１の再開識別子は、第１のＰＬＭＮのためにあり得、および／または少なくとも１つの再開識別子の第２の再開識別子は、第２のＰＬＭＮのためにあり得る）。一例において、少なくとも１つの再開識別子は、異なるｇＮＢ−ＣＵのために構成することができる（例えば、少なくとも１つの再開識別子の第３の再開識別子は、第１のｇＮＢ−ＣＵのためにあり得、および／または少なくとも１つの再開識別子の第４の再開識別子は、第２のｇＮＢ−ＣＵのためにあり得る）。一例において、少なくとも１つの再開識別子は、第１の再開識別子、第２の再開識別子、第３の再開識別子、および／または第４の再開識別子のうちの少なくとも１つを含むことができる。
【０２３２】
一例において、少なくとも１つの第３のメッセージは、少なくとも１つの第３のメッセージが伝送されるサービングセルに対する、セル禁止情報要素（ＩＥ）、同一周波数ＩＥ、クローズド加入グループ（ＣＳＧ）表示、ＣＳＧ識別子（例えば、ＣＳＧアイデンティティ）、ｑ−ＲｘＬｅｖＭｉｎおよび／またはｑ−ＲｘＬｅｖＭｉｎＯｆｆｓｅｔを含むセル選択ＩＥ、ｐ−Ｍａｘ、ａｄｄｉｔｉｏｎａｌＰｍａｘ値および／またはａｄｄｉｔｉｏｎａｌＳｐｅｃｔｒｕｍＥｍｉｓｓｉｏｎ値を含む周波数帯域情報、スケジューリング情報、ＴＤＤ構成情報、システム情報ウインドウ長、システム情報値タグ、および／または同様のもののうちの少なくとも１つを含むことができる。
【０２３３】
一例において、ｇＮＢ−ＤＵは、少なくとも１つの第３のメッセージを構成することができ、および／またはエアインターフェースを介して（例えば、ｇＮＢ−ＤＵのサービングセルおよび／または無線インターフェースを介して）、少なくとも１つの第３のメッセージを伝送（例えば、ブロードキャスト）することができる。
【０２３４】
一例において、ｇＮＢ−ＤＵは、少なくとも１つの第３のメッセージを構成することができ、および／または少なくとも１つの第３のメッセージを、第１のｇＮＢ−ＣＵおよび／または第２のｇＮＢ−ＣＵに、Ｆ１インターフェースを介して（例えば、少なくとも１つの第１のＦ１インターフェースおよび／または少なくとも１つの第２のＦ１インターフェースであり、例えば、ｇＮＢ−ＤＵ構成更新メッセージ、Ｆ１設定要求メッセージ、ｇＮＢ−ＣＵ構成更新肯定メッセージ、ＵＬ  ＲＲＣメッセージ転送メッセージ、システム情報転送メッセージ、および／または同様のものを介して）、伝送することができる（第１のｇＮＢ−ＣＵがマスタＣＵである場合、ｇＮＢ−ＤＵは、少なくとも１つの第３のメッセージを、第１のｇＮＢ−ＣＵに伝送する）。ｇＮＢ−ＤＵから受信された少なくとも２つの第３のメッセージに基づいて、第１のｇＮＢ−ＣＵおよび／または第２のｇＮＢ−ＣＵは、ｇＮＢ−ＤＵに、少なくとも１つの第３のメッセージを、Ｆ１インターフェースを介して（例えば、少なくとも１つの第１のＦ１インターフェースおよび／または少なくとも１つの第２のＦ１インターフェースであり、例えば、ｇＮＢ−ＣＵ構成更新メッセージ、Ｆ１設定応答メッセージ、ｇＮＢ−ＤＵ構成更新肯定メッセージ、ＤＬ  ＲＲＣメッセージ転送メッセージ、システム情報転送メッセージ、および／または同様のものを介して）、伝送することができる（第１のｇＮＢ−ＣＵがマスタＣＵである場合、第１のｇＮＢ−ＣＵは、少なくとも１つの第３のメッセージを、ｇＮＢ−ＤＵに伝送する。一例において、第１のｇＮＢ−ＣＵおよび／または第２のｇＮＢ−ＣＵから少なくとも１つの第３のメッセージを受信することに応答して、ｇＮＢ−ＤＵは、エアインターフェースを介して（例えば、ｇＮＢ−ＤＵのサービングセル、および／または無線インターフェースを介して）、少なくとも１つの第３のメッセージを伝送（および／またはブロードキャスト）することができる。
【０２３５】
一例において、ｇＮＢ−ＤＵは、少なくとも１つの第３のメッセージの１つ以上のパラメータを構成することができ、および／または少なくとも１つの第３のメッセージの１つ以上のパラメータを、第１のｇＮＢ−ＣＵおよび／または第２のｇＮＢ−ＣＵに、Ｆ１インターフェースを介して（例えば、少なくとも１つの第１のＦ１インターフェースおよび／または少なくとも１つの第２のＦ１インターフェースであり、例えば、ｇＮＢ−ＤＵ構成更新メッセージ、Ｆ１設定要求メッセージ、ｇＮＢ−ＣＵ構成更新肯定メッセージ、ＵＬ  ＲＲＣメッセージ転送メッセージ、システム情報転送メッセージ、および／または同様のものを介して）、伝送することができる（第１のｇＮＢ−ＣＵがマスタＣＵである場合、ｇＮＢ−ＤＵは、少なくとも１つの第３のメッセージの１つ以上のパラメータを、第１のｇＮＢ−ＣＵに伝送する）。少なくとも１つの第３のメッセージの１つ以上のパラメータに基づいて、第１のｇＮＢ−ＣＵおよび／または第２のｇＮＢ−ＣＵは、ｇＮＢ−ＤＵに、少なくとも１つの第３のメッセージを、Ｆ１インターフェースを介して（例えば、少なくとも１つの第１のＦ１インターフェースおよび／または少なくとも１つの第２のＦ１インターフェースであり、例えば、ｇＮＢ−ＣＵ構成更新メッセージ、Ｆ１設定応答メッセージ、ｇＮＢ−ＤＵ構成更新肯定メッセージ、ＤＬ  ＲＲＣメッセージ転送メッセージ、システム情報転送メッセージ、および／または同様のものを介して）、伝送することができる（第１のｇＮＢ−ＣＵがマスタＣＵである場合、第１のｇＮＢ−ＣＵは、少なくとも１つの第３のメッセージを、ｇＮＢ−ＤＵに伝送する）。一例において、第１のｇＮＢ−ＣＵおよび／または第２のｇＮＢ−ＣＵから少なくとも１つの第３のメッセージを受信することに応答して、ｇＮＢ−ＤＵは、エアインターフェースを介して（例えば、ｇＮＢ−ＤＵのサービングセル、および／または無線インターフェースを介して）、少なくとも１つの第３のメッセージを伝送（および／またはブロードキャスト）することができる。
【０２３６】
一例において、ｇＮＢ−ＤＵは、第１の接続メッセージおよび／または第２の接続メッセージに基づくｇＮＢ−ＤＵのサービングセルに対して、少なくとも１つのシステム情報ブロック（例えば、少なくとも１つの第３のメッセージ、少なくとも１つの第３のメッセージの１つ以上の要素、システム情報ブロックタイプ１、および／またはシステム情報ブロックの他のタイプ、例えば、ＳＩＢ２、ＳＩＢ３など）を構成することができる。一例において、少なくとも１つのシステム情報ブロックは、第１のＰＬＭＮ識別子、第２のＰＬＭＮ識別子、サービングセルが第１のＰＬＭＮ（例えば、第１のサービス事業者、第１の事業者、第１のネットワーク、および／または同様のもの）をサポートすることを示す第１のパラメータ、サービングセルが第２のＰＬＭＮ（例えば、第２のサービス事業者、第２の事業者、第２のネットワーク、および／または同様のもの）をサポートすることを示す第２のパラメータ、サービングセルが第１のｇＮＢ−ＣＵおよび／または第１のｇＮＢによって用いられることを示す第３のパラメータ、サービングセルが第２のｇＮＢ−ＣＵおよび／または第２のｇＮＢによって用いられることを示す第４のパラメータ、および／または同様のもののうちの少なくとも１つを含むことができる。少なくとも１つのシステム情報ブロックは、少なくとも１つのシステム情報ブロックが伝送されるサービングセルのセル識別子、第１のＰＬＭＮに対するサービングセルの第１のセル識別子、第２のＰＬＭＮに対するサービングセルの第２のセル識別子、第１のｇＮＢ−ＣＵ／第１のｇＮＢに対するサービングセルの第３のセル識別子、第２のｇＮＢ−ＣＵ／第２のｇＮＢに対するサービングセルの第４のセル識別子、および／または同様のもののうちの少なくとも１つをさらに含むことができる。第１のパラメータは、第１のＴＡＣ、第１のＴＡＩ、第１のＲＡＣ、第１のＲＡＩ、第１のセル識別子、第１のｇＮＢ−ＣＵ識別子、第１のｇＮＢ識別子、第１のＲＮＡ識別子、第１のＲＡＮエリア識別子、第１の再開識別子、および／または同様のもののうちの少なくとも１つを含むことができる。第２のパラメータは、第２のＴＡＣ、第２のＴＡＩ、第２のＲＡＣ、第２のＲＡＩ、第２のセル識別子、第２のｇＮＢ−ＣＵ識別子、第２のｇＮＢ識別子、第２のＲＮＡ識別子、第２のＲＡＮエリア識別子、第２の再開識別子、および／または同様のもののうちの少なくとも１つを含むことができる。第３のパラメータは、第３のＴＡＣ、第３のＴＡＩ、第３のＲＡＣ、第３のＲＡＩ、第３のセル識別子、第１のｇＮＢ−ＣＵ識別子、第１のｇＮＢ識別子、第３のＲＮＡ識別子、第３のＲＡＮエリア識別子、第３の再開識別子、および／または同様のもののうちの少なくとも１つを含むことができる。第４のパラメータは、第４のＴＡＣ、第４のＴＡＩ、第４のＲＡＣ、第４のＲＡＩ、第４のセル識別子、第２のｇＮＢ−ＣＵ識別子、第２のｇＮＢ識別子、第４のＲＮＡ識別子、第４のＲＡＮエリア識別子、第４の再開識別子、および／または同様のもののうちの少なくとも１つを含むことができる。
【０２３７】
一例において、（例えば、ｇＮＢ−ＤＵから受信される）ｇＮＢ−ＤＵのサービングセルによってサポートされる第１のＰＬＭＮの第１のＰＬＭＮ識別子および／または第２のＰＬＭＮの第２のＰＬＭＮ識別子に基づいて、および／または第１のパラメータ、第２のパラメータ、第３のパラメータ、および／または第４のパラメータに基づいて、第１のｇＮＢ−ＣＵは、ｇＮＢ−ＤＵのサービングセルに対する少なくとも１つのシステム情報ブロック（例えば、システム情報ブロックタイプ１、および／またはシステム情報ブロックの他のタイプ、例えば、ＳＩＢ２、ＳＩＢ３など）を構成することができる。一例において、第１のｇＮＢ−ＣＵは、ｇＮＢ−ＤＵから、および／または第２のｇＮＢ−ＣＵから、第１のＰＬＭＮ識別子および／または第２のＰＬＭＮ識別子を受信することができる。一例において、第１のｇＮＢ−ＣＵは、ｇＮＢ−ＤＵから、および／または第２のｇＮＢ−ＣＵから、第１のパラメータ、第２のパラメータ、第３のパラメータ、および／または第４のパラメータを受信することができる。一例において、少なくとも１つのシステム情報ブロックは、第１のＰＬＭＮ識別子、第２のＰＬＭＮ識別子、サービングセルが第１のＰＬＭＮ（例えば、第１のサービス事業者、第１の事業者、第１のネットワーク、および／または同様のもの）をサポートすることを示す第１のパラメータ、サービングセルが第２のＰＬＭＮ（例えば、第２のサービス事業者、第２の事業者、第２のネットワーク、および／または同様のもの）をサポートすることを示す第２のパラメータ、サービングセルが第１のｇＮＢ−ＣＵおよび／または第１のｇＮＢによって用いられることを示す第３のパラメータ、サービングセルが第２のｇＮＢ−ＣＵおよび／または第２のｇＮＢによって用いられることを示す第４のパラメータ、および／または同様のものを含むことができる。少なくとも１つのシステム情報ブロックは、少なくとも１つのシステム情報ブロックが伝送されるサービングセルのセル識別子、第１のＰＬＭＮに対するサービングセルの第１のセル識別子、第２のＰＬＭＮに対するサービングセルの第２のセル識別子、第１のｇＮＢ−ＣＵ／第１のｇＮＢに対するサービングセルの第３のセル識別子、第２のｇＮＢ−ＣＵ／第２のｇＮＢに対するサービングセルの第４のセル識別子、および／または同様のもののうちの少なくとも１つをさらに含むことができる。第１のパラメータは、第１のＴＡＣ、第１のＴＡＩ、第１のＲＡＣ、第１のＲＡＩ、第１のセル識別子、第１のｇＮＢ−ＣＵ識別子、第１のｇＮＢ識別子、第１のＲＮＡ識別子、第１のＲＡＮエリア識別子、第１の再開識別子、および／または同様のもののうちの少なくとも１つを含むことができる。第２のパラメータは、第２のＴＡＣ、第２のＴＡＩ、第２のＲＡＣ、第２のＲＡＩ、第２のセル識別子、第２のｇＮＢ−ＣＵ識別子、第２のｇＮＢ識別子、第２のＲＮＡ識別子、第２のＲＡＮエリア識別子、第２の再開識別子、および／または同様のもののうちの少なくとも１つを含むことができる。第３のパラメータは、第３のＴＡＣ、第３のＴＡＩ、第３のＲＡＣ、第３のＲＡＩ、第３のセル識別子、第１のｇＮＢ−ＣＵ識別子、第１のｇＮＢ識別子、第３のＲＮＡ識別子、第３のＲＡＮエリア識別子、第３の再開識別子、および／または同様のもののうちの少なくとも１つを含むことができる。第４のパラメータは、第４のＴＡＣ、第４のＴＡＩ、第４のＲＡＣ、第４のＲＡＩ、第４のセル識別子、第２のｇＮＢ−ＣＵ識別子、第２のｇＮＢ識別子、第４のＲＮＡ識別子、第４のＲＡＮエリア識別子、第４の再開識別子、および／または同様のもののうちの少なくとも１つを含むことができる。
【０２３８】
一例において、ｇＮＢ−ＤＵは、ｇＮＢ−ＤＵによって構成され、および／または第１のｇＮＢ−ＣＵおよび／または第２のｇＮＢ−ＣＵから受信された（例えば、第１のｇＮＢ−ＣＵおよび／または第２のｇＮＢ−ＣＵによって構成された）少なくとも１つのシステム情報ブロックを伝送／ブロードキャストすることができる。少なくとも１つのシステム情報ブロックは、無線インターフェースを介して、複数の無線デバイスに伝送／ブロードキャストすることができる。
【０２３９】
一例において、例示的な図、すなわち図４１および／または図４２に示されるように、ｇＮＢ−ＤＵの別個のセルは、異なるＰＬＭＮのために構成することができる。一例において、ｇＮＢ−ＤＵのサービングセルの１つ以上の第１のサービングセルは、第１のＰＬＭＮ（および／または第１のｇＮＢ−ＣＵおよび／または第１のｇＮＢ）をサポートする（例えば、それにサービスを提供する、その一部である、それに対してリソースを提供するなど）ことができる。少なくとも１つの第３のメッセージの（ｇＮＢ−ＤＵによって、１つ以上の第１のセルを介して、無線デバイスに伝送／ブロードキャストされる）少なくとも１つのメッセージは、第１のＰＬＭＮ識別子、第１のｇＮＢ−ＣＵの第１のｇＮＢ−ＣＵ識別子、第１のｇＮＢ−ＣＵに関連付けられた第１のｇＮＢの第１のｇＮＢ識別子、１つ以上の第１のサービングセルの１つ以上の第１のサービングセル識別子、および／または同様のものを含むことができる。一例において、１つ以上の第１のサービングセル識別子は、ｇＮＢ−ＤＵから、第１のｇＮＢ−ＣＵに伝送されることができる。一例において、ｇＮＢ−ＤＵのサービングセルの１つ以上のセカンドサービングセルは、第２のＰＬＭＮ（および／または第２のｇＮＢ−ＣＵおよび／または第２のｇＮＢ）をサポートする（例えば、それにサービスを提供する、その一部である、それに対してリソースを提供するなど）ことができる。少なくとも１つの第３のメッセージの（ｇＮＢ−ＤＵによって、１つ以上の第２のセルを介して、無線デバイスに伝送／ブロードキャストされる）少なくとも１つのメッセージは、第２のＰＬＭＮ識別子、第２のｇＮＢ−ＣＵの第２のｇＮＢ−ＣＵ識別子、第２のｇＮＢ−ＣＵに関連付けられた第２のｇＮＢの第２のｇＮＢ識別子、１つ以上の第２のサービングセルの１つ以上の第２のサービングセル識別子、および／または同様のものを含むことができる。一例において、１つ以上の第２のサービングセル識別子は、ｇＮＢ−ＤＵから、第２のｇＮＢ−ＣＵに伝送することができる。
【０２４０】
一例において、例示的な図、すなわち図４１および／または図４２に示されるように、ｇＮＢ−ＤＵの共通セルは、複数のＰＬＭＮ（例えば、第１のＰＬＭＮおよび／または第２のＰＬＭＮ、第１のｇＮＢ−ＣＵおよび／または第２のｇＮＢ−ＣＵ、および／または第１のｇＮＢおよび／または第２のｇＮＢ）のために構成することができる。一例において、ｇＮＢ−ＤＵのサービングセルの１つ以上の第３のサービングセルは、第１のＰＬＭＮおよび第２のＰＬＭＮ（および／または第１のｇＮＢ−ＣＵおよび第２のｇＮＢ−ＣＵ）をサポートする（例えば、それにサービスを提供する、その一部である、それに対してリソースを提供するなど）ことができる。少なくとも１つの第３のメッセージの（ｇＮＢ−ＤＵによって、１つ以上の第３のサービングセルを介して、無線デバイスに伝送／ブロードキャストされる）少なくとも１つのメッセージは、第１のＰＬＭＮ識別子および第２のＰＬＭＮ識別子、第１のｇＮＢ−ＣＵの第１のｇＮＢ−ＣＵ識別子および第２のｇＮＢ−ＣＵの第２のｇＮＢ−ＣＵ識別子、第１のｇＮＢ−ＣＵに関連付けられた第１のｇＮＢの第１のｇＮＢ識別子、および第２のｇＮＢ−ＣＵに関連付けられた第２のｇＮＢの第２のｇＮＢ識別子、１つ以上の第３サービングセルの１つ以上の第３サービングセル識別子、（例えば、サービングセルに対する異なる（複数の）セル識別子が、異なるＰＬＭＮのために構成されている場合）１つ以上の第３のサービングセルの（または、それに対する）（第１のＰＬＭＮ、第１のｇＮＢ−ＣＵ、および／または第１のｇＮＢに関連付けられた）１つ以上の第４のサービングセル識別子、（サービングセルに対する異なる（複数の）セル識別子が、異なるＰＬＭＮのために構成されている場合）１つ以上の第３のサービングセルの（または、それに対する）（第２のＰＬＭＮ、第２のｇＮＢ−ＣＵ、および／または第２のｇＮＢに関連付けられた）１つ以上の第５のサービングセル識別子、および／または同様のものを含むことができる。一例において、１つ以上の第３のサービングセル識別子、１つ以上の第４のサービングセル識別子、および／または１つ以上の第５のサービングセル識別子は、ｇＮＢ−ＤＵから、第１のｇＮＢ−ＣＵに伝送されることができる。一例において、１つ以上の第３のサービングセル識別子、１つ以上の第４のサービングセル識別子、および／または１つ以上の第５のサービングセル識別子は、ｇＮＢ−ＤＵから、第２のｇＮＢ−ＣＵに伝送されることができる。一例において、第１のｇＮＢ−ＣＵは、１つ以上の第４のサービングセル識別子を構成することができ、ｇＮＢ−ＤＵに伝送することができる。一例において、第２のｇＮＢ−ＣＵは、１つ以上の第５のサービングセル識別子を構成することができ、ｇＮＢ−ＤＵに伝送することができる。
【０２４１】
一例において、例示的な図、すなわち図３７に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）複数の構成パラメータまたは複数の構成されたシステム情報ブロックを含むことができる。第１のｇＮＢ−ＣＵおよび／または第２のｇＮＢ−ＣＵのうちの少なくとも１つは、ｇＮＢ−ＤＵを介して、他のｇＮＢ−ＣＵ（例えば、それぞれ第２のｇＮＢ−ＣＵまたは第１のｇＮＢ−ＣＵ）のパラメータを受信することができ、および／または少なくとも１つのシステム情報ブロックを構成することができる。一例において、基地局分散ユニットは、第２の基地局中央ユニットから、第２の基地局中央ユニットおよび／または第２のＰＬＭＮに関連付けられた１つ以上の第２の構成パラメータを受信することができる。基地局分散ユニットは、第１の基地局中央ユニットに、１つ以上の第２の構成パラメータを伝送することができる。基地局分散ユニットは、第１の基地局中央ユニットから、第１の基地局中央ユニットおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）のうちの少なくとも１つを含む少なくとも１つのシステム情報ブロックを受信することができる。基地局分散ユニットは、少なくとも１つのシステム情報ブロックを伝送（転送／ブロードキャスト）することができる。基地局分散ユニットは、第２の基地局中央ユニットに、少なくとも１つのシステム情報ブロックを伝送することができる。
【０２４２】
一例において、例示的な図、すなわち図３７に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）複数の構成パラメータまたは複数の構成されたシステム情報ブロックを含むことができる。第１のｇＮＢ−ＣＵおよび／または第２のｇＮＢ−ＣＵのうちの少なくとも１つは、第１のｇＮＢ−ＣＵと第２のｇＮＢ−ＣＵとの間のインターフェースを介して、他のｇＮＢ−ＣＵ（例えば、それぞれ第２のｇＮＢ−ＣＵまたは第１のｇＮＢ−ＣＵ）のパラメータを受信することができ、および／または少なくとも１つのシステム情報ブロックを構成することができる。一例において、基地局分散ユニットは、第１の基地局中央ユニットから、第１の基地局中央ユニットおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）のうちの少なくとも１つを含む少なくとも１つのシステム情報ブロックを受信することができる。第１の基地局中央ユニットは、第２の基地局中央ユニットから（例えば、第１のｇＮＢ−ＣＵと第２のｇＮＢ−ＣＵとの間のインターフェースを介して）、１つ以上の第２の構成パラメータを受信することができる。基地局分散ユニットは、少なくとも１つのシステム情報ブロックを伝送（転送／ブロードキャスト）することができる。一例において、基地局分散ユニットは、第２の基地局中央ユニットに、少なくとも１つのシステム情報ブロックを伝送することができる。
【０２４３】
一例において、例示的な図、すなわち図３８に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）複数の構成パラメータまたは複数の構成されたシステム情報ブロックを含むことができる。ｇＮＢ−ＤＵは、第１のｇＮＢ−ＣＵおよび／または第２のｇＮＢ−ＣＵから、第１のｇＮＢ−ＣＵ（例えば、第１のＰＬＭＮ）および／または第２のｇＮＢ−ＣＵ（例えば、第２のＰＬＭＮ）のパラメータを受信することができ、および／または少なくとも１つのシステム情報ブロックを構成することができる。一例において、基地局分散ユニットは、第１の基地局中央ユニットから、第１の基地局中央ユニットおよび／または第１のＰＬＭＮに関連付けられた１つ以上の第１の構成パラメータを受信することができる。基地局分散ユニットは、第２の基地局中央ユニットから、第２の基地局中央ユニットおよび／または第２のＰＬＭＮに関連付けられた１つ以上の第２の構成パラメータを受信することができる。基地局分散ユニットは、第１のｇＮＢ−ＣＵおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）のうちの少なくとも１つを含む少なくとも１つのシステム情報ブロックを受信することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０２４４】
一例において、例示的な図、すなわち図３８に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）複数の構成パラメータまたは複数の構成されたシステム情報ブロックを含むことができる。ｇＮＢ−ＤＵは、第１のｇＮＢ−ＣＵおよび／または第２のｇＮＢ−ＣＵから、第１のｇＮＢ−ＣＵ（例えば、第１のＰＬＭＮ）および／または第２のｇＮＢ−ＣＵ（例えば、第２のＰＬＭＮ）のパラメータを受信することができる。一例において、第１のｇＮＢ−ＣＵおよび／または第２のｇＮＢ−ＣＵのうちの１つは、第１のｇＮＢ−ＣＵと第２のｇＮＢ−ＣＵとの間のインターフェースを介して、他のｇＮＢ−ＣＵ（例えば、それぞれ第２のｇＮＢ−ＣＵまたは第１のｇＮＢ−ＣＵ）のパラメータを受信することができ、および／またはｇＮＢ−ＤＵに伝送することができる。ｇＮＢ−ＤＵは、パラメータに基づいて、少なくとも１つのシステム情報ブロックを構成することができる。一例において、基地局分散ユニットは、第１の基地局中央ユニットから、第１の基地局中央ユニットおよび／もしくは第１のＰＬＭＮに関連付けられた１つ以上の第１の構成パラメータ、ならびに／または第２の基地局中央ユニットおよび／もしくは第２のＰＬＭＮに関連付けられた１つ以上の第２の構成パラメータのうちの少なくとも１つを受信することができる。第１の基地局中央ユニットは、第２の基地局中央ユニットから、１つ以上の第２の構成パラメータを受信することができる。基地局分散ユニットは、第１の基地局中央ユニットおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）を含む少なくとも１つのシステム情報ブロックを決定することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０２４５】
一例において、例示的な図、すなわち図３９に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）構成パラメータ（例えば、（部分的に）共通および／または（部分的に）別個）を含むことができる。第１のｇＮＢ−ＣＵおよび／または第２のｇＮＢ−ＣＵのうちの少なくとも１つは、ｇＮＢ−ＤＵを介して、他のｇＮＢ−ＣＵ（例えば、それぞれ第２のｇＮＢ−ＣＵまたは第１のｇＮＢ−ＣＵ）のパラメータを受信することができ、および／または少なくとも１つのシステム情報ブロックを構成することができる。一例において、基地局分散ユニットは、第２の基地局中央ユニットから、第２の基地局中央ユニットおよび／または第２のＰＬＭＮに関連付けられた１つ以上の第２の構成パラメータを受信することができる。基地局分散ユニットは、第１の基地局中央ユニットに、１つ以上の第２の構成パラメータを伝送することができる。基地局分散ユニットは、第１の基地局中央ユニットから、第１のＰＬＭＮおよび／もしくは第２のＰＬＭＮに関連付けられた（ならびに／または第１の基地局中央ユニットおよび／もしくは第２の基地局中央ユニットに関連付けられた）１つ以上の構成パラメータを含む少なくとも１つのシステム情報ブロックを受信することができる。基地局分散ユニットは、少なくとも１つのシステム情報ブロックを伝送（転送／ブロードキャスト）することができる。基地局分散ユニットは、第２の基地局中央ユニットに、少なくとも１つのシステム情報ブロックを伝送することができる。
【０２４６】
一例において、例示的な図、すなわち図３９に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）構成パラメータ（例えば、（部分的に）共通および／または（部分的に）別個）を含むことができる。第１のｇＮＢ−ＣＵおよび／または第２のｇＮＢ−ＣＵのうちの少なくとも１つは、第１のｇＮＢ−ＣＵと第２のｇＮＢ−ＣＵとの間のインターフェースを介して、他のｇＮＢ−ＣＵ（例えば、それぞれ第２のｇＮＢ−ＣＵまたは第１のｇＮＢ−ＣＵ）のパラメータを受信することができ、および／または少なくとも１つのシステム情報ブロックを構成することができる。一例において、基地局分散ユニットは、第１の基地局中央ユニットから、第１のＰＬＭＮおよび／もしくは第２のＰＬＭＮに関連付けられた（ならびに／または第１の基地局中央ユニットおよび／もしくは第２の基地局中央ユニットに関連付けられた）１つ以上の構成パラメータを含む少なくとも１つのシステム情報ブロックを受信することができる。基地局分散ユニットは、少なくとも１つのシステム情報ブロックを伝送（転送／ブロードキャスト）することができる。基地局分散ユニットは、第２の基地局中央ユニットに、少なくとも１つのシステム情報ブロックを伝送することができる。
【０２４７】
一例において、例示的な図、すなわち図４０に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）構成パラメータ（例えば、（部分的に）共通および／または（部分的に）別個）を含むことができる。ｇＮＢ−ＤＵは、第１のｇＮＢ−ＣＵおよび／または第２のｇＮＢ−ＣＵから、第１のｇＮＢ−ＣＵ（例えば、第１のＰＬＭＮ）および／または第２のｇＮＢ−ＣＵ（例えば、第２のＰＬＭＮ）のパラメータを受信することができ、および／または少なくとも１つのシステム情報ブロックを構成することができる。一例において、基地局分散ユニットは、第１の基地局中央ユニットから、第１の基地局中央ユニットおよび／もしくは第１のＰＬＭＮに関連付けられた１つ以上の第１の構成パラメータを受信することができ、ならびに／または第２の基地局中央ユニットから、第２の基地局中央ユニットおよび／もしくは第２のＰＬＭＮに関連付けられた１つ以上の第２の構成パラメータを受信することができる。一例において、基地局分散ユニットは、１つ以上の第１の構成パラメータおよび／または１つ以上の第２の構成パラメータに基づいて、第１のＰＬＭＮおよび／もしくは第２のＰＬＭＮに関連付けられた（ならびに／または第１の基地局中央ユニットおよび／もしくは第２の基地局中央ユニットに関連付けられた）１つ以上の構成パラメータを含む少なくとも１つのシステム情報ブロックを決定することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０２４８】
一例において、例示的な図、すなわち図４０に示されるように、少なくとも１つのシステム情報ブロック（例えば、ＳＩＢ１、ＳＩＢ２、ＳＩＢ３、ＳＩＢ４、ＳＩＢ５、および／または同様のもの）は、複数のＰＬＭＮのための（および／または複数のｇＮＢ−ＣＵのための）構成パラメータ（例えば、（部分的に）共通および／または（部分的に）別個）を含むことができる。ｇＮＢ−ＤＵは、第１のｇＮＢ−ＣＵおよび／または第２のｇＮＢ−ＣＵから、第１のｇＮＢ−ＣＵ（例えば、第１のＰＬＭＮ）および／または第２のｇＮＢ−ＣＵ（例えば、第２のＰＬＭＮ）のパラメータを受信することができる。一例において、第１のｇＮＢ−ＣＵおよび／または第２のｇＮＢ−ＣＵのうちの１つは、第１のｇＮＢ−ＣＵと第２のｇＮＢ−ＣＵとの間のインターフェースを介して、他のｇＮＢ−ＣＵ（例えば、それぞれ第２のｇＮＢ−ＣＵまたは第１のｇＮＢ−ＣＵ）のパラメータを受信することができ、および／またはｇＮＢ−ＤＵに伝送することができる。ｇＮＢ−ＤＵは、パラメータに基づいて、少なくとも１つのシステム情報ブロックを構成することができる。一例において、基地局分散ユニットは、第１の基地局中央ユニットから、第１の基地局中央ユニットおよび／もしくは第１のＰＬＭＮに関連付けられた１つ以上の第１の構成パラメータ、ならびに／または第２の基地局中央ユニットもしくは第２のＰＬＭＮに関連付けられた１つ以上の第２の構成パラメータのうちの少なくとも１つを受信することができる。第１の基地局中央ユニットは、第２の基地局中央ユニットから、１つ以上の第２の構成パラメータを受信することができる。基地局分散ユニットは、１つ以上の第１の構成パラメータおよび／または１つ以上の第２の構成パラメータに基づいて、第１のＰＬＭＮおよび／もしくは第２のＰＬＭＮに関連付けられた（または、第１の基地局中央ユニットおよび／もしくは第２の基地局中央ユニットに関連付けられた）１つ以上の構成パラメータを含む少なくとも１つのシステム情報ブロックを決定することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０２４９】
一例において、無線デバイスは、少なくとも１つの第３のメッセージおよび／または少なくとも１つのシステム情報ブロックに基づいて、ｇＮＢ−ＤＵのサービングセルを選択することができる。無線デバイスは、少なくとも１つの第３のメッセージの第１のＰＬＭＮ識別子および／または第２のＰＬＭＮ識別子に基づいて、ｇＮＢ−ＤＵのサービングセルを選択／再選択することができる。無線デバイスは、少なくとも１つの第３のメッセージのサービングセルに対する、第１のセル識別子、第２のセル識別子、第３のセル識別子、および／または第４のセル識別子に基づいて、ｇＮＢ−ＤＵのサービングセルを選択／再選択することができる。無線デバイスは、少なくとも１つの第３のメッセージの第１のｇＮＢ−ＣＵ識別子および／または第２のｇＮＢ−ＣＵ識別子に基づいて、ｇＮＢ−ＤＵのサービングセルを選択／再選択することができる。無線デバイスは、少なくとも１つの第３のメッセージの、第１のｇＮＢ−ＣＵに関連付けられた第１のｇＮＢ識別子および／または第２のｇＮＢ−ＣＵに関連付けられた第２のｇＮＢ識別子に基づいて、ｇＮＢ−ＤＵのサービングセルを選択／再選択することができる。
【０２５０】
一例において、無線デバイスは、少なくとも１つの第３のメッセージの、第１のパラメータ、第２のパラメータ、第３のパラメータ、および／または第４のパラメータの１つ以上の要素に基づいて、ｇＮＢ−ＤＵのサービングセルを選択／再選択することができる。第１のパラメータは、第１のＴＡＣ、第１のＴＡＩ、第１のＲＡＣ、第１のＲＡＩ、第１のセル識別子、第１のｇＮＢ−ＣＵ識別子、第１のｇＮＢ識別子、第１のＲＮＡ識別子、第１のＲＡＮエリア識別子、第１の再開識別子、および／または同様のもののうちの少なくとも１つを含むことができる。第２のパラメータは、第２のＴＡＣ、第２のＴＡＩ、第２のＲＡＣ、第２のＲＡＩ、第２のセル識別子、第２のｇＮＢ−ＣＵ識別子、第２のｇＮＢ識別子、第２のＲＮＡ識別子、第２のＲＡＮエリア識別子、第２の再開識別子、および／または同様のもののうちの少なくとも１つを含むことができる。第３のパラメータは、第３のＴＡＣ、第３のＴＡＩ、第３のＲＡＣ、第３のＲＡＩ、第３のセル識別子、第１のｇＮＢ−ＣＵ識別子、第１のｇＮＢ識別子、第３のＲＮＡ識別子、第３のＲＡＮエリア識別子、第３の再開識別子、および／または同様のもののうちの少なくとも１つを含むことができる。第４のパラメータは、第４のＴＡＣ、第４のＴＡＩ、第４のＲＡＣ、第４のＲＡＩ、第４のセル識別子、第２のｇＮＢ−ＣＵ識別子、第２のｇＮＢ識別子、第４のＲＮＡ識別子、第４のＲＡＮエリア識別子、第４の再開識別子、および／または同様のもののうちの少なくとも１つを含むことができる。一例において、無線デバイスは、ＲＲＣアイドル状態、ＲＲＣ停止状態、および／またはＲＲＣ接続状態にあり得る。
【０２５１】
一例において、無線デバイスは、アクセスすることが許可された（および／または可能である）ＰＬＭＮのＰＬＭＮ識別子のリストを有することができる（例えば、ＰＬＭＮ識別子のリストは、同等のＰＬＭＮのＰＬＭＮ識別子を含むことができる）。第１のＰＬＭＮおよび／もしくは第２のＰＬＭＮのうちの少なくとも１つが、アクセスすることがが許可されたＰＬＭＮのリストにあることに応答して（例えば、ならびに／または第１のＰＬＭＮおよび／もしくは第２のＰＬＭＮは、同等のＰＬＭＮを含むことができる）、無線デバイスは、ｇＮＢ−ＤＵのサービングセルを選択（および／または再選択）することができる。一例において、無線デバイスは、アクセスすることが許可された（および／または可能である）セルのセル識別子のリストを有することができる。第１のセル識別子、第２のセル識別子、第３のセル識別子、および／または第４のセル識別子のうちの少なくとも１つが、アクセスすることが許可されたセルのセル識別子のリストにあることに応答して、無線デバイスは、ｇＮＢ−ＤＵのサービングセルを選択（および／または再選択）することができる。一例において、無線デバイスは、アクセスすることが許可された（および／または可能である）ネットワーク（例えば、ＴＡＣ、ＴＡＩ、ＲＡＣ、ＲＡＩ、ｇＮＢ−ＣＵ、ｇＮＢ、ＲＮＡ、ＲＡＮエリア、および／または再開識別子）のリストを有することができる。第１パラメータ、第２パラメータ、第３パラメータ、および／または第４パラメータの少なくとも１つの要素が、アクセスすることが許可されたネットワークのリストにあることに応答して、無線デバイスは、ｇＮＢ−ＤＵのサービングセルを選択（および／または再選択）することができる。
【０２５２】
一例において、無線デバイスによるｇＮＢ−ＤＵのサービングセルの選択に基づいて、無線デバイスは、ｇＮＢ−ＤＵのサービングセルにアクセスするための１つ以上のランダムアクセスプロシージャを開始することができる。無線デバイスは、サービングセルを介して、１つ以上のランダムアクセスプリアンブルを伝送することができ、ｇＮＢ−ＤＵから、サービングセルを介して、１つ以上のランダムアクセスプリアンブルに対する少なくとも１つのランダムアクセス応答（ＲＡＲ）を受信することができる。一例において、無線デバイスは、１つ以上のランダムアクセスプロシージャのうちの１つが、ｇＮＢ−ＤＵとの相互作用（１つ以上のランダムアクセスプリアンブルのうちの少なくとも１つおよび／または少なくとも１つのランダムアクセス応答を含む）に基づいて、処理中および／または正常であると決定することができる。
【０２５３】
一例において、無線デバイスによるｇＮＢ−ＤＵのサービングセルの選択に基づいて、および／または無線デバイスの１つ以上のランダムアクセスプロシージャに基づいて、ｇＮＢ−ＤＵは、無線デバイスから、第１のメッセージ（例えば、ＲＲＣメッセージ、ＲＲＣ接続要求メッセージ、ＲＲＣ接続設定完了メッセージ、ＲＲＣ接続再開要求メッセージ、ＲＲＣ接続再開完了メッセージ、および／または同様のもの）を受信することができる。一例において、１つ以上のランダムアクセスプリアンブルに対する少なくとも１つのＲＡＲを受信することに応答して、無線デバイスは、第１のメッセージ（例えば、ＲＲＣ接続要求メッセージおよび／またはＲＲＣ接続再開要求メッセージ、例えば、メッセージ３）を伝送することができる。第１のメッセージは、第１のＰＬＭＮ識別子（例えば、無線デバイスが第１のＰＬＭＮにアクセス可能であることを示す）および／または第２のＰＬＭＮ識別子（無線デバイスが第２のＰＬＭＮにアクセス可能であることを示す）のうちの少なくとも１つを含むことができる。一例において、第１のＰＬＭＮ識別子は、第１のＰＬＭＮを示す第１の表示／インデックス（例えば、１つ以上の第１のビット）を含むことができる。一例において、第２のＰＬＭＮ識別子は、第２のＰＬＭＮを示す第２の表示／インデックス（例えば、１つ以上の第２のビット）を含むことができる。一例において、第１のメッセージは、第１のセル識別子（例えば、無線デバイスが、第１のセルおよび／または第１のＰＬＭＮにアクセス可能である／アクセスしようとすることを示す）、第２のセル識別子（例えば、無線デバイスが、第２のセルおよび／または第２のＰＬＭＮにアクセス可能である／アクセスしようとすることを示す）、第３のセル識別子（例えば、無線デバイスが、第３のセルおよび／または第１のｇＮＢ−ＣＵ／第１のｇＮＢにアクセス可能である／アクセスしようとすることを示す）、および／または第４のセル識別子（例えば、無線デバイスが、第４のセルおよび／または第２のｇＮＢ−ＣＵ／第２のｇＮＢにアクセス可能である／アクセスしようとすることを示す）のうちの少なくとも１つを含むことができる。無線デバイスは、少なくとも１つの第３のメッセージおよび／または少なくとも１つのシステム情報ブロックに基づいて、第１のメッセージを送信することができる。無線デバイスは、第３のメッセージおよび／または少なくとも１つのシステム情報ブロックに基づいて、第１のＰＬＭＮおよび／または第２のＰＬＭＮを決定することができる。決定することに基づいて、無線デバイスは、第１のメッセージに、第１のＰＬＭＮ識別子（例えば、または第１のセル識別子）および／または第２のＰＬＭＮ識別子（例えば、または第２のセル識別子）を含める／追加することができる。
【０２５４】
一例において、第１のメッセージは、第１のパラメータのうちの１つ以上、第２のパラメータのうちの１つ以上、第３のパラメータのうちの１つ以上、および／または第４のパラメータのうちの１つ以上のうちの少なくとも１つを含むことができる。第１のパラメータのうちの１つ以上は、第１のメッセージが、第１のＰＬＭＮおよび／または第１のＰＬＭＮに関連付けられたネットワーク（例えば、トラッキングエリア、登録エリア、ＲＮＡ、ＲＡＮエリア、および／または同様のもの）への接続のためのものであることを示すことができる。第２のパラメータのうちの１つ以上は、第１のメッセージが、第２のＰＬＭＮおよび／または第２のＰＬＭＮに関連付けられたネットワーク（例えば、トラッキングエリア、登録エリア、ＲＮＡ、ＲＡＮエリア、および／または同様のもの）への接続のためのものであることを示すことができる。第３のパラメータのうちの１つ以上は、第１のメッセージが、第１のｇＮＢ−ＣＵ／第１のｇＮＢ、および／または第１のｇＮＢ−ＣＵ／第１のｇＮＢに関連付けられたネットワーク（例えば、トラッキングエリア、登録エリア、ＲＮＡ、ＲＡＮエリア、および／または同様のもの）への接続のためのものであることを示すことができる。第４のパラメータのうちの１つ以上は、第１のメッセージが、第２のｇＮＢ−ＣＵ／第２のｇＮＢ、および／または第２のｇＮＢ−ＣＵ／第２のｇＮＢに関連付けられたネットワーク（例えば、トラッキングエリア、登録エリア、ＲＮＡ、ＲＡＮエリア、および／または同様のもの）への接続のためのものであることを示すことができる。
【０２５５】
一例において、無線デバイスが、アクセスするサービングセルおよび第１のＰＬＭＮを選択する場合、第１のメッセージは、第１のＰＬＭＮ識別子、第１のセル識別子（および／または第３のセル識別子）、第１のｇＮＢ識別子、第１のｇＮＢ−ＣＵ識別子、第１のＴＡＣ、第１のＴＡＩ、第１のＲＡＣ、第１のＲＡＩ、第１のＲＮＡ識別子、第１のＲＡＮエリア識別子、第１の再開識別子、および／または同様のもののうちの少なくとも１つを含むことができる。
【０２５６】
一例において、無線デバイスが、アクセスするサービングセルおよび第２のＰＬＭＮを選択する場合、第１のメッセージは、第２のＰＬＭＮ識別子、第２のセル識別子（および／または第４のセル識別子）、第２のｇＮＢ識別子、第２のｇＮＢ−ＣＵ識別子、第２のＴＡＣ、第２のＴＡＩ、第２のＲＡＣ、第２のＲＡＩ、第２のＲＮＡ識別子、第２のＲＡＮエリア識別子、第２の再開識別子、および／または同様のもののうちの少なくとも１つを含むことができる。
【０２５７】
一例において、無線デバイスが、アクセスするサービングセルおよび第１のｇＮＢ−ＣＵおよび／または第１のｇＮＢを選択する場合、第１のメッセージは、第１のＰＬＭＮ識別子、第３のセル識別子（および／または第１のセル識別子）、第１のｇＮＢ識別子、第１のｇＮＢ−ＣＵ識別子、第３のＴＡＣ、第３のＴＡＩ、第３のＲＡＣ、第３のＲＡＩ、第３のＲＮＡ識別子、第３のＲＡＮエリア識別子、第３の再開識別子、および／または同様のもののうちの少なくとも１つを含むことができる。
【０２５８】
一例において、無線デバイスが、アクセスするサービングセルおよび第２のｇＮＢ−ＣＵおよび／または第２のｇＮＢを選択する場合、第１のメッセージは、第２のＰＬＭＮ識別子、第４のセル識別子（および／または第２のセル識別子）、第２のｇＮＢ識別子、第２のｇＮＢ−ＣＵ識別子、第４のＴＡＣ、第４のＴＡＩ、第４のＲＡＣ、第４のＲＡＩ、第４のＲＮＡ識別子、第４のＲＡＮエリア識別子、第４の再開識別子、および／または同様のもののうちの少なくとも１つを含むことができる。
【０２５９】
一例において、第１のＰＬＭＮ識別子、第１のセル識別子、第１のｇＮＢ識別子のうちの少なくとも１つ、第１のｇＮＢ−ＣＵ識別子、第１のＴＡＣ、第１のＴＡＩ、第１のＲＡＣ、第１のＲＡＩ、第１のＲＮＡ識別子、第１のＲＡＮエリア識別子、第１の再開識別子、第２のＰＬＭＮ識別子、第２のセル識別子、第２のｇＮＢ識別子、第２のｇＮＢ−ＣＵ識別子、第２のＴＡＣ、第２のＴＡＩ、第２のＲＡＣ、第２のＲＡＩ、第２のＲＮＡ識別子、第２のＲＡＮエリア識別子、第２の再開識別子、第３のセル識別子、第３のＴＡＣ、第３のＴＡＩ、第３のＲＡＣ、第３のＲＡＩ、第３のＲＮＡ識別子、第３のＲＡＮエリア識別子、第３の再開識別子、第４のセル識別子、第４のＴＡＣ、第４のＴＡＩ、第４のＲＡＣ、第４のＲＡＩ、第４のＲＮＡ識別子、第４のＲＡＮエリア識別子、および／または第４の再開識別子のうちの少なくとも１つは、無線デバイスから、ｇＮＢ−ＤＵ（例えば、基地局）に、ＭＡＣ制御要素（例えば、ＭＡＣ  ＣＥ）および／または第１のメッセージを備える物理層制御情報（例えば、ＵＣＩ）を介して、伝送され得る。
【０２６０】
一例において、第１のメッセージの選択されたＰＬＭＮアイデンティティ（識別子）情報要素は、第１のＰＬＭＮ識別子および／または第２のＰＬＭＮ識別子のうちの少なくとも１つを含むことができる。一例において、無線デバイスが、第１のＰＬＭＮにアクセスすること（および／またはそれを用いること）が許可される（および／または利用できる、可能である、権限が与えられている）場合、第１のメッセージは、第１のＰＬＭＮ識別子を含むことができる。一例において、無線デバイスが、第２のＰＬＭＮにアクセスすること（および／またはそれを用いること）が許可される（および／または利用できる、可能である、権限が与えられている）場合、第１のメッセージは、第２のＰＬＭＮ識別子（例えば、ならびに／または第１のセル識別子（および／もしくは第３のセル識別子）、第１のｇＮＢ識別子、第１のｇＮＢ−ＣＵ識別子、第１のＴＡＣ、第１のＴＡＩ、第１のＲＡＣ、第１のＲＡＩ、第１のＲＮＡ識別子、第１のＲＡＮエリア識別子、第１の再開識別子、および／または同様のもの）を含むことができる。一例において、無線デバイスが、第１のＰＬＭＮおよび第２のＰＬＭＮにアクセスすること（および／またはそれらを用いること）が許可される（および／または利用できる、可能である、権限が与えられている）場合、第１のメッセージは、第１のＰＬＭＮ識別子および第２のＰＬＭＮ識別子（例えば、ならびに／または第２のセル識別子（および／もしくは第４のセル識別子）、第２のｇＮＢ識別子、第２のｇＮＢ−ＣＵ識別子、第２のＴＡＣ、第２のＴＡＩ、第２のＲＡＣ、第２のＲＡＩ、第２のＲＮＡ識別子、第２のＲＡＮエリア識別子、第２の再開識別子、および／または同様のもの）を含むことができる。一例において、無線デバイスが、第１のＰＬＭＮおよび第２のＰＬＭＮにアクセスすること（および／またはそれらを用いること）が許可される（および／または利用できる、可能である、権限が与えられている）場合、第１のメッセージは、第１のＰＬＭＮと第２のＰＬＭＮとの間の優先度情報をさらに含むことができる。
【０２６１】
一例において、第１のメッセージは、ＲＲＣメッセージを含むことができる。一例において、第１のメッセージは、無線デバイスの無線デバイス識別子（例えば、ＴＭＳＩ、Ｓ−ＴＭＳＩ、ＩＭＳＩ、Ｃ−ＲＮＴＩ、ＲＮＴＩ、再開ＩＤ、および／または同様のもの）、カウンタチェック応答メッセージ、ＣＳＦＢパラメータ要求ＣＤＭＡ２０００メッセージ、デバイス内共存（ＩＤＣ）表示メッセージ、異周波数ＲＳＴＤ測定表示メッセージ、ＭＢＭＳ計数応答メッセージ、ＭＢＭＳ関心表示メッセージ、測定レポートメッセージ、近接表示メッセージ、中継ノード再構成完了メッセージ、ＲＲＣ接続再構成完了メッセージ、ＲＲＣ接続再確立要求メッセージ、ＲＲＣ接続再確立完了メッセージ、ＲＲＣ接続要求メッセージ、ＲＲＣ接続設定完了メッセージ、ＲＲＣ接続再開要求メッセージ、ＲＲＣ接続再開完了メッセージ、セカンダリセルグループ（ＳＣＧ）障害情報（ＮＲ）メッセージ、セキュリティモード完了メッセージ、サイドリンクＵＥ情報メッセージ、ＵＥ支援情報メッセージ、ＵＥ能力情報メッセージ、ＵＥ情報応答メッセージ、ＵＥハンドオーバ準備転送メッセージ、アップリンク情報転送メッセージ（例えば、少なくとも１つのＮＡＳメッセージを含む）、アップリンク情報転送ＭＲＤＣメッセージ、ＷＬＡＮ接続ステータスレポートメッセージ、および／または無線デバイスに関連付けられたＲＲＣメッセージのうちの少なくとも１つを含むことができる。
【０２６２】
一例において、第１のメッセージは、登録されたコアネットワークノード情報（例えば、登録されたモビリティ管理エンティティ（ＭＭＥ）、登録されたアクセスおよびモビリティ管理機能（ＡＭＦ）、登録されたセッション管理機能（ＳＭＦ）、登録されたサービングゲートウェイ（ＳＧＷ）、登録されたユーザプレーン機能（ＵＰＦ）、登録されたＰＤＮゲートウェイ（ＰＧＷ）、および／または同様のもの）、登録された（例えば、優先された）基地局情報（例えば、登録された基地局識別子、登録されたｇＮＢ、登録されたｇＮＢ識別子、第１のｇＮＢ識別子、第２のｇＮＢ識別子、第１のｅＮＢ識別子、第２のｅＮＢ識別子、および／または同様のもの）、登録された（例えば、優先された）ｇＮＢ−ＣＵ情報（例えば、ｇＮＢ−ＣＵ識別子、第１のｇＮＢ−ＣＵ識別子、第２のｇＮＢ−ＣＵ識別子、および／または同様のもの）、専用非アクセス層情報（例えば、コアネットワーク（ＭＭＥ／ＡＭＦ／ＳＭＦ）と無線デバイスとの間の情報）、ＲＡＮ通知エリア識別子、無線デバイス（例えば、ＲＲＣ停止状態にある）に関連付けられたＲＡＮエリア情報、ＧＵＭＭＥＩタイプ（例えば、ネイティブ、マッピングされた）、無線リンク障害情報利用可能情報、中継ノードサブフレーム構成要求、モビリティステータス情報（例えば、無線デバイスの移動速度、例えば、高／中／低／通常／静的速度）、モビリティ履歴利用可能情報（例えば、無線デバイスがとどまったセルのリスト）、ログに記録された測定結果利用可能情報（例えば、ＭＢＳＦＮに関連付けられた）、無線デバイスの無線デバイス識別子（例えば、Ｓ−ＴＭＳＩ、ＩＭＳＩ、ＴＭＳＩ、および／または同様のもの）、無線デバイス（例えば、ＲＲＣ停止状態にある）の再開識別子（例えば、再開ＩＤ）、ＰＤＮ接続を用いないアタッチの情報、ユーザプレーンセルラーモノのインターネット（ＣＩｏＴ）最適化情報（例えば、ユーザプレーンＣＩｏＴ最適化に基づくデータ伝送を示す）、制御プレーンセルラーモノのインターネット（ＣＩｏＴ）最適化情報（例えば、制御プレーンＣＩｏＴ最適化に基づくデータ伝送を示す）、ｄｃｎ識別子（例えば、ｄｃｎＩＤ）、登録されたＭＭＥ（例えば、ＰＬＭＮアイデンティティ（第１のＰＬＭＮ識別子および／または第２のＰＬＭＮ識別子）を含む）、ＭＭＥＧＩ、ＭＭＥＣ、および／または同様のものを含む）、および／または同様のもののうちの少なくとも１つを含むことができる。
【０２６３】
一例において、第１のメッセージを受信することに応答して、ｇＮＢ−ＤＵは、第１のメッセージに基づいて、（例えば、第１のｇＮＢ−ＣＵと第２のｇＮＢ−ＣＵとの間で）中央ユニットを（例えば、選択されたｇＮＢ−ＣＵとして）選択することができる。一例において、第１のメッセージを受信することに応答して、ｇＮＢ−ＤＵは、第１のメッセージの第１のＰＬＭＮ識別子および／または第２のＰＬＭＮ識別子のうちの少なくとも１つに基づいて、少なくとも第１のｇＮＢ−ＣＵと第２のｇＮＢ−ＣＵとの間で、中央ユニットを（例えば、選択されたｇＮＢ−ＣＵとして）選択することができる。一例において、第１のメッセージが、第１のＰＬＭＮ識別子（例えば、無線デバイスが、第１のＰＬＭＮにアクセスすること（および／またはそれを用いること）が許可される（および／または利用できる、可能である、権限が与えられている）ことを示す）を含む場合、ｇＮＢ−ＤＵは、第１のｇＮＢ−ＣＵを選択して、第１のメッセージおよび／または第１のメッセージの１つ以上の要素を転送することができる。一例において、第１のメッセージが、第２のＰＬＭＮ識別子（例えば、無線デバイスが、第２のＰＬＭＮにアクセスすること（および／またはそれを用いること）が許可される（および／または利用できる、可能である、権限が与えられている）ことを示す）を含む場合、ｇＮＢ−ＤＵは、第２のｇＮＢ−ＣＵを選択して、第１のメッセージおよび／または第１のメッセージの１つ以上の要素を転送することができる。一例において、第１のメッセージが、第１のＰＬＭＮ識別子および第１のＰＬＭＮ識別子（例えば、無線デバイスが、第１のＰＬＭＮ識別子および第２のＰＬＭＮ識別子にアクセスすること（および／またはそれを用いること）が許可される（および／または利用できる、可能である、権限が与えられている）ことを示す）を含む場合、ｇＮＢ−ＤＵは、第１のｇＮＢ−ＣＵまたは第２のｇＮＢ−ＣＵを選択して、第１のメッセージおよび／または第１のメッセージの１つ以上の要素を（例えば、第１のメッセージに示される第１のＰＬＭＮおよび第２のＰＬＭＮの優先情報に基づいて）、転送することができる。
【０２６４】
一例において、第１のメッセージを受信することに応答して、ｇＮＢ−ＤＵは、第１のメッセージの第１のＰＬＭＮ関連識別子および／または第２の関連ＰＬＭＮ識別子のうちの少なくとも１つに基づいて、少なくとも第１のｇＮＢ−ＣＵと第２のｇＮＢ−ＣＵとの間で、中央ユニットを（例えば、選択されたｇＮＢ−ＣＵとして）選択することができる。一例において、第１のメッセージが、第１のＰＬＭＮ識別子、第１のセル識別子（および／または第３のセル識別子）、第１のｇＮＢ識別子、第１のｇＮＢ−ＣＵ識別子、第１のＴＡＣ、第１のＴＡＩ、第１のＲＡＣ、第１のＲＡＩ、第１のＲＮＡ識別子、第１のＲＡＮエリア識別子、第１の再開識別子、および／または同様のもの（例えば、無線デバイスが、第１のＰＬＭＮおよび／またはサービングセルにアクセスすること（および／またはそれらを用いること）が許可される（および／または利用できる、可能である、権限が与えられていることを示す）のうちの少なくとも１つを含む場合、ｇＮＢ−ＤＵは、第１のｇＮＢ−ＣＵを選択して、第１のメッセージおよび／または第１のメッセージの１つ以上の要素を転送することができる。一例において、第１のメッセージが、第２のＰＬＭＮ識別子、第２のセル識別子（および／または第４のセル識別子）、第２のｇＮＢ識別子、第２のｇＮＢ−ＣＵ識別子、第２のＴＡＣ、第２のＴＡＩ、第２のＲＡＣ、第２のＲＡＩ、第２のＲＮＡ識別子、第２のＲＡＮエリア識別子、第２の再開識別子、および／または同様のもの（例えば、無線デバイスが、第２のＰＬＭＮおよび／またはサービングセルにアクセスすること（および／またはそれらを用いること）が許可される（および／または利用できる、可能である、権限が与えられていることを示す）のうちの少なくとも１つを含む場合、ｇＮＢ−ＤＵは、第２のｇＮＢ−ＣＵを選択して、第１のメッセージおよび／または第１のメッセージの１つ以上の要素を転送することができる。
【０２６５】
一例において、第１のメッセージを受信することに応答して、ｇＮＢ−ＤＵは、第１のメッセージの第１のｇＮＢ−ＣＵ関連パラメータ（例えば、第１のｇＮＢ関連パラメータ）および／または第２のｇＮＢ−ＣＵ関連パラメータ（例えば、第２のｇＮＢ関連パラメータ）のうちの少なくとも１つに基づいて、少なくとも第１のｇＮＢ−ＣＵと第２のｇＮＢ−ＣＵとの間で、中央ユニットを（例えば、選択されたｇＮＢ−ＣＵとして）選択することができる。一例において、第１のメッセージが、第１のＰＬＭＮ識別子、第３のセル識別子（および／または第１のセル識別子）、第１のｇＮＢ識別子、第１のｇＮＢ−ＣＵ識別子、第３のＴＡＣ、第３のＴＡＩ、第３のＲＡＣ、第３のＲＡＩ、第３のＲＮＡ識別子、第３のＲＡＮエリア識別子、第３の再開識別子、および／または同様のもの（例えば、無線デバイスが、第１のｇＮＢ−ＣＵ／第１のｇＮＢ、および／またはサービングセルにアクセスすること（および／またはそれらを用いること）が許可される（および／または利用できる、可能である、権限が与えられていることを示す）のうちの少なくとも１つを含む場合、ｇＮＢ−ＤＵは、第１のｇＮＢ−ＣＵを選択して、第１のメッセージおよび／または第１のメッセージの１つ以上の要素を転送することができる。一例において、第１のメッセージが、第２のＰＬＭＮ識別子、第４のセル識別子（および／または第２のセル識別子）、第２のｇＮＢ識別子、第２のｇＮＢ−ＣＵ識別子、第４のＴＡＣ、第４のＴＡＩ、第４のＲＡＣ、第４のＲＡＩ、第４のＲＮＡ識別子、第４のＲＡＮエリア識別子、第４の再開識別子、および／または同様のもの（例えば、無線デバイスが、第２のｇＮＢ−ＣＵ／第２のｇＮＢ、および／またはサービングセルにアクセスすること（および／またはそれらを用いること）が許可される（および／または利用できる、可能である、権限が与えられていることを示す）のうちの少なくとも１つを含む場合、ｇＮＢ−ＤＵは、第２のｇＮＢ−ＣＵを選択して、第１のメッセージおよび／または第１のメッセージの１つ以上の要素を転送することができる。
【０２６６】
一例において、第１のメッセージを受信することに応答して、ｇＮＢ−ＤＵは、無線デバイスが第１のメッセージをｇＮＢ−ＤＵに伝送するサービングセルに基づいて、少なくとも第１のｇＮＢ−ＣＵと第２のｇＮＢ−ＣＵとの間で、中央ユニット（例えば、選択されたｇＮＢ−ＣＵとして）を選択することができる。一例において、ｇＮＢ−ＤＵが、（例えば、第１のＰＬＭＮおよび／または第１のｇＮＢ−ＣＵ／第１のｇＮＢをサポートする）１つ以上の第１のサービングセルを介して、第１のメッセージを受信する場合、ｇＮＢ−ＤＵは、第１のｇＮＢ−ＣＵを選択して、第１のメッセージおよび／または第１のメッセージの１つ以上の要素を転送することができる。一例において、ｇＮＢ−ＤＵが、（例えば、第２のＰＬＭＮおよび／または第２のｇＮＢ−ＣＵ／第２のｇＮＢをサポートする）１つ以上の第２のサービングセルを介して、第１のメッセージを受信する場合、ｇＮＢ−ＤＵは、第２のｇＮＢ−ＣＵを選択して、第１のメッセージおよび／または第１のメッセージの１つ以上の要素を転送することができる。一例において、ｇＮＢ−ＤＵが、（例えば、第１のＰＬＭＮおよび第２のＰＬＭＮをサポートする、ならびに／または第１のｇＮＢ−ＣＵ／第１のｇＮＢおよび第２のｇＮＢ−ＣＵ／第２のｇＮＢをサポートする）１つ以上の第３のサービングセルを介して、第１のメッセージを受信する場合、ｇＮＢ−ＤＵは、第１のｇＮＢ−ＣＵおよび／または第２のｇＮＢ−ＣＵを選択して、第１のメッセージおよび／または第１のメッセージの１つ以上の要素を転送することができる（例えば、ｇＮＢ−ＤＵは、第１のメッセージを、第１のｇＮＢ−ＣＵおよび／または第２のｇＮＢ−ＣＵに（例えば、第１のｇＮＢ−ＣＵもしくは第２のｇＮＢ−ＣＵのいずれか、または第１のｇＮＢ−ＣＵおよび第２のｇＮＢ−ＣＵの両方に）伝送／転送することができる）。
【０２６７】
一例において、ｇＮＢ−ＤＵは、第１のメッセージ（例えば、登録されたコアネットワークノード情報、登録された（優先された）基地局情報、登録された（例えば、優先された）ｇＮＢ−ＣＵ情報、ＲＡＮ通知エリア識別子、ＲＡＮエリア情報、および／または同様のもの）の１つ以上の要素に基づいて、第１のｇＮＢ−ＣＵおよび第２のｇＮＢ−ＣＵとの間で、中央ユニット（ｇＮＢ−ＣＵ）を選択することができる。一例において、第１のメッセージの１つ以上の要素が、第１のｇＮＢ−ＣＵ／第１のｇＮＢおよび／または第１のＰＬＭＮに関連付けられている場合、ｇＮＢ−ＤＵは、第１のｇＮＢ−ＣＵを選択して、第１のメッセージおよび／または第１のメッセージの１つ以上の要素を転送することができる。一例において、第１のメッセージの１つ以上の要素が、第２のｇＮＢ−ＣＵ／第２のｇＮＢおよび／または第２のＰＬＭＮに関連付けられている場合、ｇＮＢ−ＤＵは、第２のｇＮＢ−ＣＵを選択して、第１のメッセージおよび／または第１のメッセージの１つ以上の要素を転送することができる。一例において、登録されたコアネットワークノード情報（例えば、ＭＭＥ、ＡＭＦ、ＳＭＦ、ＵＰＦ、ＳＧＷ、ＰＧＷ、および／または同様のもの）の登録されたコアネットワークノードが、第１のｇＮＢ−ＣＵ／第１のｇＮＢに接続されている（例えば、サービスを提供する、それを操作する、それを制御する、それとのＮＧ／Ｓ１インターフェースを有するなど）場合に、ｇＮＢ−ＤＵは、第１のｇＮＢ−ＣＵを選択して、第１のメッセージおよび／または第１のメッセージの１つ以上の要素を転送することができる。一例において、登録されたコアネットワークノード情報（例えば、ＭＭＥ、ＡＭＦ、ＳＭＦ、ＵＰＦ、ＳＧＷ、ＰＧＷ、および／または同様のもの）の登録されたコアネットワークノードが、第２のｇＮＢ−ＣＵ／第２のｇＮＢに接続されている（例えば、サービスを提供する、それを操作する、それを制御する、それとのＮＧ／Ｓ１インターフェースを有するなど）場合に、ｇＮＢ−ＤＵは、第２のｇＮＢ−ＣＵを選択して、第１のメッセージおよび／または第１のメッセージの１つ以上の要素を転送することができる。
【０２６８】
一例において、登録された（優先された）基地局情報の登録された基地局（例えば、ｇＮＢ、ｅＮＢ、ＲＮＣ、および／または同様のもの）が、第１のｇＮＢ−ＣＵ識別子／第１のｇＮＢ識別子を含む（例えば、それに関連付けられている）場合、ｇＮＢ−ＤＵは、第１のｇＮＢ−ＣＵを選択して、第１のメッセージおよび／または第１のメッセージの１つ以上の要素を転送することができる。一例において、登録された（優先された）基地局情報の登録された基地局（例えば、ｇＮＢ、ｅＮＢ、ＲＮＣ、および／または同様のもの）が、第２のｇＮＢ−ＣＵ識別子／第２のｇＮＢ識別子を含む（例えば、それに関連付けられている）場合、ｇＮＢ−ＤＵは、第１のｇＮＢ−ＣＵ（または、それに応じて第２のｇＮＢ−ＣＵ）を選択して、第１のメッセージおよび／または第１のメッセージの１つ以上の要素を転送することができる。
【０２６９】
一例において、登録された（優先された）ｇＮＢ−ＣＵ情報の登録されたｇＮＢ−ＣＵが、第１のｇＮＢ−ＣＵを含む場合、ｇＮＢ−ＤＵは、第１のｇＮＢ−ＣＵを選択して、第１のメッセージおよび／または第１のメッセージの１つ以上の要素を転送することができる。一例において、登録された（優先された）ｇＮＢ−ＣＵ情報の登録されたｇＮＢ−ＣＵが、第２のｇＮＢ−ＣＵを含む場合、ｇＮＢ−ＤＵは、第２のｇＮＢ−ＣＵを選択して、第１のメッセージおよび／または第１のメッセージの１つ以上の要素を転送することができる。
【０２７０】
一例において、ＲＡＮ通知エリア識別子のＲＡＮ通知エリアおよび／またはＲＡＮエリア情報のＲＡＮエリアが、第１のｇＮＢ−ＣＵ／第１のｇＮＢを含む場合、ｇＮＢ−ＤＵは、第１のｇＮＢ−ＣＵを選択して、第１のメッセージおよび／または第１のメッセージの１つ以上の要素を転送することができる。一例において、ＲＡＮ通知エリア識別子のＲＡＮ通知エリアおよび／またはＲＡＮエリア情報のＲＡＮエリアが、第２のｇＮＢ−ＣＵ／第２のｇＮＢを含む場合、ｇＮＢ−ＤＵは、第２のｇＮＢ−ＣＵを選択して、第１のメッセージおよび／または第１のメッセージの１つ以上の要素を転送するすることができる。
【０２７１】
一例において、第１のメッセージおよび／または第１のメッセージの１つ以上の要素に基づくｇＮＢ−ＣＵの選択に基づいて、ｇＮＢ−ＤＵは、第１のメッセージを、選択されたｇＮＢ−ＣＵ（例えば、第１のｇＮＢ−ＣＵおよび／または第２のｇＮＢ−ＣＵ）に伝送（例えば、転送）することができる。一例において、第１のメッセージおよび／または第１のメッセージの１つ以上の要素に基づくｇＮＢ−ＣＵの選択に基づいて、ｇＮＢ−ＤＵは、第１のメッセージの１つ以上の要素を、選択されたｇＮＢ−ＣＵ（例えば、第１のｇＮＢ−ＣＵおよび／または第２のｇＮＢ−ＣＵ）に伝送（例えば、転送）することができる。一例において、ｇＮＢ−ＤＵは、選択されたｇＮＢ−ＣＵに、Ｆ１インターフェース（例えば、少なくとも１つの第１のＦ１インターフェース（第１のＦ１−ＣＰ）および／または少なくとも１つの第２のＦ１インターフェース（第２のＦ１−ＣＰ）のうちの少なくとも１つ）を介して、第１のメッセージおよび／または第１のメッセージの１つ以上の要素を伝送することができる。一例において、Ｆ１インターフェースは、Ｆ１制御プレーンインターフェースを含むことができる。一例において、選択されたｇＮＢ−ＣＵが第１のｇＮＢ−ＣＵである場合、ｇＮＢ−ＤＵは、第１のメッセージおよび／または第１のメッセージの１つ以上の要素を、少なくとも１つの第１のＦ１インターフェース（例えば、第１のＦ１−ＣＰ）を介して、第１のｇＮＢ−ＣＵに伝送（転送）することができる。一例において、選択されたｇＮＢ−ＣＵが第２のｇＮＢ−ＣＵである場合、ｇＮＢ−ＤＵは、第１のメッセージおよび／または第１のメッセージの１つ以上の要素を、少なくとも１つの第２のＦ１インターフェース（例えば、第２のＦ１−ＣＰ）を介して、第２のｇＮＢ−ＣＵに伝送（転送）することができる。
【０２７２】
一例において、ｇＮＢ−ＤＵは、選択されたｇＮＢ−ＣＵ（例えば、第１のｇＮＢ−ＣＵおよび／または第２のｇＮＢ−ＣＵ）に、１つ以上の第１のＦ１メッセージを介して、第１のメッセージおよび／または第１のメッセージの１つ以上の要素を伝送することができる。一例において、１つ以上の第１のＦ１メッセージは、アップリンク（ＵＬ）ＲＲＣメッセージ転送メッセージ、初期ＵＥコンテキスト設定要求メッセージ、初期ＵＥコンテキストメッセージ、ＵＥコンテキスト設定応答メッセージ、ＵＥコンテキスト設定障害メッセージ、ＵＥコンテキスト解放要求メッセージ、ＵＥコンテキスト解放完了メッセージ、ＵＥコンテキスト修正応答メッセージ、ＵＥコンテキスト修正障害メッセージ、ＵＥコンテキスト修正要求メッセージ、ｇＮＢ−ＤＵから選択されたｇＮＢ−ＣＵに伝送されたＦ１メッセージ、および／または同様のもののうちの少なくとも１つを含むことができる。
【０２７３】
一例において、１つ以上の第１のＦ１メッセージは、第１のメッセージ、第１のメッセージの１つ以上の要素、無線デバイスのＵＥ識別子（例えば、ｇＮＢ−ＣＵ  ＵＥ  Ｆ１−ＡＰ  ＩＤ、ｇＮＢ−ＤＵ  ＵＥ  Ｆ１ＡＰ  ＩＤ、以前のｇＮＢ−ＤＵ  ＵＥ  Ｆ１  ＡＰ  ＩＤ、ＩＭＳＩ、ＴＭＳＩ、Ｓ−ＴＭＳＩ、Ｃ−ＲＮＴＩ、および／または同様のもの）、第１のメッセージを介して受信された再開識別子（ＩＤ）、第１のメッセージに関連付けられたシグナリング無線ベアラ（ＳＲＢ）識別子、第１のメッセージおよび／または第１のメッセージの１つ以上の要素を含むＲＲＣコンテナ、ＤＵからＣＵへのＲＲＣ情報、設定／変更する１つ以上の成功（承認された）ベアラ（例えば、データ無線ベアラ（ＤＲＢ）、および／またはシグナリング無線ベアラ（ＳＲＢ））の１つ以上の成功（承認された）ベアラ識別子、１つ以上の成功（承認された）ベアラに対する１つ以上のダウンリンクトンネルエンドポイント識別子（例えば、ＴＥＩＤ、ＧＴＰ  ＴＥＩＤ）、設定／変更する１つ以上の失敗したベアラ（例えば、データ無線ベアラ（ＤＲＢ）、および／またはシグナリング無線ベアラ（ＳＲＢ））の１つ以上の失敗したベアラ識別子、１つ以上の失敗したベアラの原因情報、設定／変更する１つ以上の成功（承認された）セル（例えば、セカンダリセル、セカンダリセルグループ、ＳｐＣｅｌｌ、マスタセル、ＰＵＣＣＨセカンダリセル、ＰＵＣＣＨセル、および／または同様のもの）の１つ以上の成功（承認された）セル識別子、設定／変更する１つ以上の失敗したセル（例えば、セカンダリセル、セカンダリセルグループ、ＳｐＣｅｌｌ、マスタセル、ＰＵＣＣＨセカンダリセル、ＰＵＣＣＨセル、および／または同様のもの）の１つ以上の失敗したセル識別子、１つ以上の失敗したセルの原因情報、リソース調整転送コンテナ、変更／解放される必要がある１つ以上のベアラ（例えば、データ無線ベアラ（ＤＲＢ）、および／またはシグナリング無線ベアラ（ＳＲＢ））の１つ以上のベアラ識別子、変更／解放される必要がある１つ以上のベアラの原因情報、変更／解放される必要がある１つ以上のセル（例えば、セカンダリセル、セカンダリセルグループ、ＳｐＣｅｌｌ、マスタセル、ＰＵＣＣＨセカンダリセル、ＰＵＣＣＨセル、および／または同様のもの）の１つ以上のセル識別子、変更／解放される必要がある１つ以上のセルの原因情報、および／または同様のもののうちの少なくとも１つを含むことができる。
【０２７４】
一例において、Ｆ１インターフェースを介して、および／または１つ以上の第１のＦ１メッセージを介して、ｇＮＢ−ＤＵから、第１のメッセージおよび／または第１のメッセージの１つ以上の要素を受信することに応答して、選択されたｇＮＢ−ＣＵ（例えば、第１のｇＮＢ−ＣＵおよび／または第２のｇＮＢ−ＣＵ）は、ｇＮＢ−ＤＵに、Ｆ１インターフェースを介して、および／または１つ以上の第２のＦ１メッセージを介して、ダウンリンクＲＲＣメッセージ、および／または無線デバイスに関連付けられたダウンリンクＲＲＣメッセージに対する１つ以上の要素を含む応答メッセージを伝送することができる。一例において、１つ以上の第２のＦ１メッセージは、ダウンリンク（ＤＬ）ＲＲＣメッセージ転送メッセージ、初期ＵＥコンテキスト設定応答メッセージ、初期ＵＥコンテキストメッセージ、ＵＥコンテキスト設定要求メッセージ、ＵＥコンテキスト解放コマンドメッセージ、ＵＥコンテキスト修正要求メッセージ、ＵＥコンテキスト修正確認メッセージ、選択されたｇＮＢ−ＣＵからｇＮＢ−ＤＵに伝送されるＦ１メッセージ、および／または同様のもののうちのの少なくとも１つを含むことができる。一例において、選択されたｇＮＢ−ＣＵは、第１のメッセージおよび／または第１のメッセージの１つ以上の要素に基づいて、応答メッセージおよび／または応答メッセージの１つ以上の要素を構成することができる。
【０２７５】
一例において、１つ以上の第２のＦ１メッセージは、応答メッセージ（例えば、ダウンリンクＲＲＣメッセージ）、応答メッセージ（例えば、ダウンリンクＲＲＣメッセージ）の１つ以上の要素、無線デバイスのＵＥ識別子（例えば、ｇＮＢ−ＣＵ  ＵＥ  Ｆ１−ＡＰ  ＩＤ、ｇＮＢ−ＤＵ  ＵＥ  Ｆ１ＡＰ  ＩＤ、以前のｇＮＢ−ＤＵ  ＵＥ  Ｆ１  ＡＰ  ＩＤ、ＩＭＳＩ、ＴＭＳＩ、Ｓ−ＴＭＳＩ、Ｃ−ＲＮＴＩ、および／または同様のもの）、応答メッセージに関連付けられたシグナリング無線ベアラ（ＳＲＢ）識別子、応答メッセージおよび／または応答メッセージの１つ以上の要素を含むＲＲＣコンテナ、ＣＵからＤＵへのＲＲＣ情報、設定／変更する１つ以上のベアラ（例えば、データ無線ベアラ（ＤＲＢ）および／またはシグナリング無線ベアラ（ＳＲＢ））の１つ以上のベアラ識別子、１つ以上のベアラに対する１つ以上のアップリンクトンネルエンドポイント識別子（例えば、ＴＥＩＤ、ＧＴＰ  ＴＥＩＤ）、解放する１つ以上の解放ベアラ（例えば、データ無線ベアラ（ＤＲＢ）および／またはシグナリング無線ベアラ（ＳＲＢ））の１つ以上の解放ベアラ識別子、１つ以上の解放ベアラの原因情報、設定／変更する１つ以上のセル（例えば、セカンダリセル、セカンダリセルグループ、ＳｐＣｅｌｌ、マスタセル、ＰＵＣＣＨセカンダリセル、ＰＵＣＣＨセル、および／または同様のもの）の１つ以上のセル識別子、解放する１つ以上の解放セル（例えば、セカンダリセル、セカンダリセルグループ、ＳｐＣｅｌｌ、マスタセル、ＰＵＣＣＨセカンダリセル、ＰＵＣＣＨセル、および／または同様のもの）の１つ以上の解放セル識別子、１つ以上の解放セルの原因情報、リソース調整転送コンテナ、および／または同様のもののうちの少なくとも１つを含むことができる。
【０２７６】
一例において、応答メッセージ（例えば、ダウンリンクＲＲＣメッセージ）は、カウンタチェックメッセージ、ダウンリンク情報転送メッセージ、ＮＲ／ＥＵＴＲＡ準備要求メッセージからのハンドオーバ、ログに記録された測定構成メッセージ、マスタ情報ブロックメッセージ、マスタ情報ブロックＭＢＭＳメッセージ、ＭＢＭＳカウント要求、ＭＢＳＦＮエリア構成メッセージ、ＮＲ／ＥＵＴＲＡコマンドメッセージからのモビリティ、ページングメッセージ、中継ノード再構成メッセージ、ＲＲＣ接続再構成メッセージ、ＲＲＣ接続再確立メッセージ、ＲＲＣ接続再確立拒否メッセージ、ＲＲＣ接続解放メッセージ、ＲＲＣ接続再開メッセージ、ＲＲＣ接続設定メッセージ、ＳＣＰＴＭ構成（例えば、ＢＲ）メッセージ、セキュリティモードコマンドメッセージ、システム情報ブロック、システム情報ブロックタイプ１、システム情報ブロックタイプ１  ＭＢＭＳ、ＵＥ能力照会メッセージ、ＵＥ情報要求メッセージ、および／または無線デバイスに関連付けられたＲＲＣメッセージののうちの少なくとも１つを含むことができる。一例において、ｇＮＢ−ＤＵは、応答メッセージおよび／または応答メッセージ（例えば、ダウンリンクＲＲＣメッセージ）の１つ以上の要素を、無線インターフェースを介して、無線デバイスに伝送／転送することができる。
【０２７７】
一例において、応答メッセージは、ｒｒｃ−ｔｒａｎｓａｃｔｉｏｎｉｄｅｎｔｉｆｉｅｒ情報要素（ＩＥ）、１つ以上の無線リソース構成パラメータ、測定構成パラメータ、モビリティ制御情報パラメータ、１つ以上のＮＡＳ層パラメータ、セキュリティパラメータ、アンテナ情報パラメータ、セカンダリセル追加／修正パラメータ、セカンダリセル解放パラメータ、ＷＬＡＮ構成パラメータ、ＷＬＡＮオフロード構成パラメータ、ＬＷＡ構成パラメータ、ＬＷＩＰ構成パラメータ、ＲＣＬＷＩ構成パラメータ、サイドリンク構成パラメータ、Ｖ２Ｘ構成パラメータ、アップリンク伝送電力構成パラメータ（例えば、ｐ−ＭＡＸ、ｐ−ＭｅＮＢ、ｐ−ＳｅＮＢ）を含む無線リソース構成専用ＩＥ、電力制御モード情報要素、セカンダリセルグループ構成パラメータ、および／または同様のもののうちの少なくとも１つを含むことができる。
【０２７８】
一例において、選択されたｇＮＢ−ＣＵ（例えば、第１のｇＮＢ−ＣＵおよび／または第２のｇＮＢ−ＣＵ）は、応答メッセージの１つ以上の要素を構成することができる。一例において、ｇＮＢ−ＤＵは、応答メッセージの１つ以上の要素を構成することができる。一例において、第１のメッセージに基づいて、選択されたｇＮＢ−ＣＵは、メッセージをｇＮＢ−ＤＵに伝送して、無線デバイスに対する１つ以上の無線構成パラメータ（例えば、物理層リソース／電力／セル構成パラメータ、および／またはリソース／電力／セルに関連付けられたＲＬＣ／ＭＡＣ層構成パラメータ）を構成することができ、および／またはｇＮＢ−ＤＵから、ｇＮＢ−ＤＵによって構成された１つ以上の無線構成パラメータを受信することができる。ｇＮＢ−ＤＵによって構成された１つ以上の無線構成パラメータを、応答メッセージに追加することができる。
【０２７９】
一例において、選択されたｇＮＢ−ＣＵおよび／またはｇＮＢ−ＤＵは、例えば、第１のメッセージおよび／または応答メッセージに基づいて、無線デバイスに関連付けられた１つ以上のパラメータを構成／適用することができ、および／または無線デバイスにサービスを提供することができる。１つ以上のパラメータは、Ｆ１ベアラ／論理チャネルに対する構成パラメータ、無線リソースパラメータ（例えば、ＳＤＡＰ、ＲＲＣ、ＲＬＣ、ＭＡＣ、ＰＨＹ、および／または同様のものに対する）、セキュリティパラメータ、ＮＧインターフェースセッションパラメータ（例えば、ＰＤＵセッション、ＱｏＳフロー、ネットワークスライス、および／または同様のもの）、リソーススケジューリングパラメータ、優先度管理パラメータ、サービスポリシー関連パラメータ、および／または同様のもののうちの少なくとも１つを含むことができる。一例において、第１のメッセージに対する（無線デバイスに伝送された）応答メッセージは、１つ以上のパラメータを含むことができる。一例において、選択されたｇＮＢ−ＣＵ（例えば、第１のｇＮＢ−ＣＵおよび／または第２のｇＮＢ−ＣＵ）および／またはｇＮＢ−ＤＵは、１つ以上のパラメータに基づいて、無線デバイスにサービスを提供することができる。一例において、選択されたｇＮＢ−ＣＵ（例えば、第１のｇＮＢ−ＣＵおよび／または第２のｇＮＢ−ＣＵ）および／またはｇＮＢ−ＤＵは、無線インターフェースおよび／またはＦ１インターフェース（例えば、Ｆ１ユーザプレーンインターフェース（例えば、構成されたベアラ／論理チャネル）、Ｆ１制御プレーンインターフェース、および／または同様のもの）を介して、無線デバイスへ／から、パケット（例えば、ＰＤＣＰパケット）を伝送（転送）／受信することができる。一例において、選択されたｇＮＢ−ＣＵが第１のｇＮＢ−ＣＵ（例えば、第１のＰＬＭＮ）である場合、無線デバイスに関連付けられたパケット（例えば、ＰＤＣＰパケット、ＰＤＣＰ  ＳＤＵ、ＳＤＡＰ  ＳＤＵ、データ、および／または同様のもの）が、第１のＰＬＭＮ（例えば、第１のサービス事業者）の第１のコアネットワーク（例えば、ＵＰＦ、ＳＧＷ、ＰＧＷ、および／または同様のもの）によって、受信／伝送（転送）され得る。一例において、選択されたｇＮＢ−ＣＵが第２のｇＮＢ−ＣＵ（例えば、第２のＰＬＭＮ）である場合、無線デバイスに関連付けられたパケット（例えば、ＰＤＣＰパケット、ＰＤＣＰ  ＳＤＵ、ＳＤＡＰ  ＳＤＵ、データ、および／または同様のもの）が、第２のＰＬＭＮ（例えば、第２のサービス事業者）の第２のコアネットワーク（例えば、ＵＰＦ、ＳＧＷ、ＰＧＷ、および／または同様のもの）によって、受信／伝送（転送）され得る。
【０２８０】
一例において、第１のメッセージがＲＲＣ接続要求メッセージを含む場合、ｇＮＢ−ＤＵは、第１のｇＮＢ−ＣＵおよび／または第２のｇＮＢ−ＣＵから、ＲＲＣ接続要求メッセージに応答して、ＲＲＣ接続設定メッセージを受信することができる。一例において、ｇＮＢ−ＤＵは、ＲＲＣ接続設定メッセージを、無線デバイスに転送／伝送することができ、および／またはＲＲＣ接続設定メッセージを伝送することに応答して、ＲＲＣ接続設定完了メッセージを受信することができる。ｇＮＢ−ＤＵは、ＲＲＣ接続設定完了メッセージを、ｇＮＢ−ＣＵに伝送／転送することができる。一例において、第１のメッセージがＲＲＣ接続再開要求メッセージを含む場合、ｇＮＢ−ＤＵは、第１のｇＮＢ−ＣＵおよび／または第２のｇＮＢ−ＣＵから、ＲＲＣ接続再開要求メッセージに応答して、ＲＲＣ接続再開メッセージを受信することができる。一例において、ｇＮＢ−ＤＵは、ＲＲＣ接続再開メッセージを、無線デバイスに転送／伝送することができ、および／またはＲＲＣ接続再開メッセージを伝送することに応答して、ＲＲＣ接続再開完了メッセージを受信することができる。ｇＮＢ−ＤＵは、ＲＲＣ接続再開完了メッセージを、ｇＮＢ−ＣＵに伝送／転送することができる。
【０２８１】
一例において、第１のＰＬＭＮ識別子、第１のセル識別子（および／または第３のセル識別子）、第１のｇＮＢ識別子、第１のｇＮＢ−ＣＵ識別子、第１のＴＡＣ、第１のＴＡＩ、第１のＲＡＣ、第１のＲＡＩ、第１のＲＮＡ識別子、第１のＲＡＮエリア識別子、第１の再開識別子、および／または同様のもの（例えば、無線デバイスが、第１のＰＬＭＮおよび／またはサービングセルにアクセスすること（および／またはそれらを用いること）が許可される（および／または利用できる、可能である、権限が与えられていることを示す）のうちの少なくとも１つを含む第１のメッセージ（例えば、ＲＲＣ接続要求メッセージ／ＲＲＣ接続設定完了メッセージ、および／またはＲＲＣ接続再開要求メッセージ／ＲＲＣ接続再開完了メッセージ）を受信することに応答して／それに基づいて、第１のｇＮＢおよび／または基地局（例えば、ｇＮＢ−ＤＵを含む）は、第１のＰＬＭＮのコアネットワークエンティティ（例えば、ＡＭＦ、ＭＭＥ）に、ＮＧインターフェースメッセージ（例えば、初期ＵＥメッセージ、および／または１つ以上のＵＥコンテキスト構成関連メッセージ）を伝送して、１つ以上のコアネットワークエンティティ（例えば、ＡＭＦ、ＭＭＥ、ＵＰＦ、ＳＧＷ、ＰＧＷ）でＵＥコンテキストを構成することができる。
【０２８２】
一例において、第１のＰＬＭＮ識別子、第３のセル識別子（および／または第１のセル識別子）、第１のｇＮＢ識別子、第１のｇＮＢ−ＣＵ識別子、第３のＴＡＣ、第３のＴＡＩ、第３のＲＡＣ、第３のＲＡＩ、第３のＲＮＡ識別子、第３のＲＡＮエリア識別子、第３の再開識別子、および／または同様のもの（例えば、無線デバイスが、第１のｇＮＢ−ＣＵ／第１のｇＮＢ／第１のＰＬＭＮおよび／またはサービングセルにアクセスすること（および／またはそれらを用いること）が許可される（および／または利用できる、可能である、権限が与えられていることを示す）のうちの少なくとも１つを含む第１のメッセージ（例えば、ＲＲＣ接続要求メッセージ／ＲＲＣ接続設定完了メッセージ、および／またはＲＲＣ接続再開要求メッセージ／ＲＲＣ接続再開完了メッセージ）を受信することに応答して／それに基づいて、第１のｇＮＢおよび／または基地局（例えば、ｇＮＢ−ＤＵを含む）は、第１のＰＬＭＮのコアネットワークエンティティ（例えば、ＡＭＦ、ＭＭＥ）に、ＮＧインターフェースメッセージ（例えば、初期ＵＥメッセージ、および／または１つ以上のＵＥコンテキスト構成関連メッセージ）を伝送して、１つ以上のコアネットワークエンティティ（例えば、ＡＭＦ、ＭＭＥ、ＵＰＦ、ＳＧＷ、ＰＧＷ）でＵＥコンテキストを構成することができる。
【０２８３】
一例において、第２のＰＬＭＮ識別子、第２のセル識別子（および／または第４のセル識別子）、第２のｇＮＢ識別子、第２のｇＮＢ−ＣＵ識別子、第２のＴＡＣ、第２のＴＡＩ、第２のＲＡＣ、第２のＲＡＩ、第２のＲＮＡ識別子、第２のＲＡＮエリア識別子、第２の再開識別子、および／または同様のもの（例えば、無線デバイスが、第２のＰＬＭＮおよび／またはサービングセルにアクセスすること（および／またはそれらを用いること）が許可される（および／または利用できる、可能である、権限が与えられていることを示す）のうちの少なくとも１つを含む第１のメッセージ（例えば、ＲＲＣ接続要求メッセージ／ＲＲＣ接続設定完了メッセージ、および／またはＲＲＣ接続再開要求メッセージ／ＲＲＣ接続再開完了メッセージ）を受信することに応答して／それに基づいて、第２のｇＮＢおよび／または基地局（例えば、ｇＮＢ−ＤＵを含む）は、第２のＰＬＭＮのコアネットワークエンティティ（例えば、ＡＭＦ、ＭＭＥ）に、ＮＧインターフェースメッセージ（例えば、初期ＵＥメッセージ、および／または１つ以上のＵＥコンテキスト構成関連メッセージ）を伝送して、１つ以上のコアネットワークエンティティ（例えば、ＡＭＦ、ＭＭＥ、ＵＰＦ、ＳＧＷ、ＰＧＷ）でＵＥコンテキストを構成することができる。
【０２８４】
一例において、第２のＰＬＭＮ識別子、第４のセル識別子（および／または第２のセル識別子）、第２のｇＮＢ識別子、第２のｇＮＢ−ＣＵ識別子、第４のＴＡＣ、第４のＴＡＩ、第４のＲＡＣ、第４のＲＡＩ、第４のＲＮＡ識別子、第４のＲＡＮエリア識別子、第４の再開識別子、および／または同様のもの（例えば、無線デバイスが、第２のＰＬＭＮおよび／またはサービングセルにアクセスすること（および／またはそれらを用いること）が許可される（および／または利用できる、可能である、権限が与えられていることを示す）のうちの少なくとも１つを含む第１のメッセージ（例えば、ＲＲＣ接続要求メッセージ／ＲＲＣ接続設定完了メッセージ、および／またはＲＲＣ接続再開要求メッセージ／ＲＲＣ接続再開完了メッセージ）を受信することに応答して／それに基づいて、第２のｇＮＢおよび／または基地局（例えば、ｇＮＢ−ＤＵを含む）は、第２のＰＬＭＮのコアネットワークエンティティ（例えば、ＡＭＦ、ＭＭＥ）に、ＮＧインターフェースメッセージ（例えば、初期ＵＥメッセージ、および／または１つ以上のＵＥコンテキスト構成関連メッセージ）を伝送して、１つ以上のコアネットワークエンティティ（例えば、ＡＭＦ、ＭＭＥ、ＵＰＦ、ＳＧＷ、ＰＧＷ）でＵＥコンテキストを構成することができる。
【０２８５】
一例において、第１のメッセージを受信することに応答して／それに基づいて、基地局（例えば、ｇＮＢ、第１のｇＮＢ、第２のｇＮＢ）は、無線デバイスが第１のメッセージを基地局（例えば、ｇＮＢ、第１のｇＮＢ、第２のｇＮＢ、ｇＮＢ−ＤＵ）に伝送するサービングセルに基づいて、コアネットワークエンティティ（例えば、ＡＭＦ、ＭＭＥ）を選択することができる。
【０２８６】
一例において、基地局が、１つ以上の第１のサービングセル（例えば、第１のＰＬＭＮおよび／または第１のｇＮＢ−ＣＵ／第１のｇＮＢをサポートする）を介して、第１のメッセージを受信する場合、基地局は、第１のＰＬＭＮのコアネットワークエンティティ（例えば、ＡＭＦ、ＭＭＥ）を選択することができ、および／または第１のＰＬＭＮの選択されたコアネットワークエンティティに、ＮＧインターフェースメッセージ（例えば、初期ＵＥメッセージ、および／または１つ以上のＵＥコンテキスト構成関連メッセージ）を伝送して、１つ以上のコアネットワークエンティティ（例えば、ＡＭＦ、ＭＭＥ、ＵＰＦ、ＳＧＷ、ＰＧＷ）でＵＥコンテキストを構成することができる。
【０２８７】
一例において、基地局が、１つ以上の第１のサービングセル（例えば、第２のＰＬＭＮおよび／または第２のｇＮＢ−ＣＵ／第２のｇＮＢをサポートする）を介して、第１のメッセージを受信する場合、基地局は、第２のＰＬＭＮのコアネットワークエンティティ（例えば、ＡＭＦ、ＭＭＥ）を選択することができ、および／または第２のＰＬＭＮの選択されたコアネットワークエンティティに、ＮＧインターフェースメッセージ（例えば、初期ＵＥメッセージ、および／または１つ以上のＵＥコンテキスト構成関連メッセージ）を伝送して、１つ以上のコアネットワークエンティティ（例えば、ＡＭＦ、ＭＭＥ、ＵＰＦ、ＳＧＷ、ＰＧＷ）でＵＥコンテキストを構成することができる。
【０２８８】
一例において、ｇＮＢ−ＤＵが、１つ以上の第３のサービングセル（例えば、第１のＰＬＭＮおよび第２のＰＬＭＮをサポートする、ならびに／または第１のｇＮＢ−ＣＵ／第１のｇＮＢおよび第２のｇＮＢ−ＣＵ／第２のｇＮＢをサポートする）を介して、第１のメッセージを受信する場合、基地局は、第１のＰＬＭＮおよび／または第２のＰＬＭＮの少なくとも１つのコアネットワークエンティティ（例えば、ＡＭＦ、ＭＭＥ）を選択することができ、および／または第１のＰＬＭＮおよび／または第２のＰＬＭＮの少なくとも１つの選択されたコアネットワークエンティティに、ＮＧインターフェースメッセージ（例えば、初期ＵＥメッセージ、および／または１つ以上のＵＥコンテキスト構成関連メッセージ）を伝送して、１つ以上のコアネットワークエンティティ（例えば、ＡＭＦ、ＭＭＥ、ＵＰＦ、ＳＧＷ、ＰＧＷ）でＵＥコンテキストを構成することができる。
【０２８９】
一例において、基地局分散ユニットは、第１の基地局中央ユニットから、第１の基地局中央ユニットによってサポートされる第１のパブリックランドモバイルネットワーク（ＰＬＭＮ）の第１のＰＬＭＮ識別子を含む第１のメッセージを受信することができる。基地局分散ユニットは、第２の基地局中央ユニットから、第２の基地局中央ユニットによってサポートされる第２のＰＬＭＮの第２のＰＬＭＮ識別子を含む第２のメッセージを受信することができる。一例において、基地局分散ユニットは、第１のＰＬＭＮ識別子および第２のＰＬＭＮ識別子を含む少なくとも１つの第３のメッセージを伝送（例えば、ブロードキャスト）することができる。基地局分散ユニットは、無線デバイスから、第１のＰＬＭＮ識別子または第２のＰＬＭＮ識別子のうちの１つを含む第４のメッセージを受信することができる。基地局分散ユニットは、第１のＰＬＭＮ識別子または第２のＰＬＭＮ識別子のうちの１つに基づいて、第１の基地局中央ユニットおよび第２の基地局中央ユニットのうちの１つを、選択されたものとして選択することができる。選択されたものは、第１のＰＬＭＮ識別子または第２のＰＬＭＮ識別子ＰＬＭＮのうちの１つのＰＬＭＮをサポートすることができる。基地局分散ユニットは、第４のメッセージを、選択されたものに転送することができる。
【０２９０】
一例において、第１のメッセージおよび／または第２のメッセージは、Ｆ１設定応答メッセージ、基地局中央ユニット構成更新メッセージ、および／または基地局分散ユニット構成更新肯定メッセージのうちの少なくとも１つを含むことができる。一例において、基地局分散ユニットは、第１の基地局中央ユニットに、第１のＦ１設定要求を示す第５のメッセージを伝送することができ、および／または第１のメッセージは、第５のメッセージに対する応答であり得る。基地局分散ユニットは、第２の基地局中央ユニットに、第２のＦ１設定要求を示す第６のメッセージを伝送することができ、および／または第２のメッセージは、第６のメッセージに対する応答であり得る。
【０２９１】
一例において、基地局分散ユニットは、第１の基地局中央ユニットに、および／または第１のメッセージを受信することに応答して、第１の基地局中央ユニット構成更新肯定を示す第７のメッセージを伝送することができる。一例において、基地局分散ユニットは、第２の基地局中央ユニットに、および／または第２のメッセージを受信することに応答して、第２の基地局中央ユニット構成更新肯定を示す第８のメッセージを伝送することができる。一例において、少なくとも１つの第３のメッセージは、システム情報ブロック（例えば、システム情報ブロックタイプ１）を含むことができる。一例において、基地局分散ユニットは、第１の基地局中央ユニットおよび／または第２の基地局中央ユニットに、第１のＰＬＭＮ識別子および／または第２のＰＬＭＮ識別子のうちの少なくとも１つを含むシステム情報ブロックを伝送することができる。基地局分散ユニットは、第１の基地局中央ユニットおよび／または第２の基地局中央ユニットから、少なくとも１つの第３のメッセージを受信することができ、および／または少なくとも１つの第３のメッセージは、システム情報ブロック（例えば、システム情報ブロックタイプ１）を含むことができる。一例において、第４のメッセージは、無線リソース制御メッセージを含むことができる。一例において、基地局分散ユニットは、第１のＰＬＭＮおよび／または第２のＰＬＭＮのうちの少なくとも１つをサポートする第１のセルを介して、少なくとも１つの第３のメッセージを伝送することができる。一例において、基地局分散ユニットは、第２のセルを介して、少なくとも１つの第３のメッセージの第１のものを伝送することができ、第１のものは、第１のＰＬＭＮ識別子を含む。一例において、基地局分散ユニットは、第３のセルを介して、少なくとも１つの第３のメッセージのうちの第２のものを伝送することができ、第２のものは、第２のＰＬＭＮ識別子を含む。
【０２９２】
一例において、基地局分散ユニットは、第２の基地局中央ユニットから、第２の基地局中央ユニットおよび／または第２のＰＬＭＮに関連付けられた１つ以上の第２の構成パラメータを受信することができる。基地局分散ユニットは、第１の基地局中央ユニットに、１つ以上の第２の構成パラメータを伝送することができる。基地局分散ユニットは、第１の基地局中央ユニットから、第１の基地局中央ユニットおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）のうちの少なくとも１つを含む少なくとも１つのシステム情報ブロックを受信することができる。基地局分散ユニットは、少なくとも１つのシステム情報ブロックを伝送（転送／ブロードキャスト）することができる。基地局分散ユニットは、第２の基地局中央ユニットに、少なくとも１つのシステム情報ブロックを伝送することができる。
【０２９３】
一例において、基地局分散ユニットは、第１の基地局中央ユニットから、第１の基地局中央ユニットおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）のうちの少なくとも１つを含む少なくとも１つのシステム情報ブロックを受信することができる。第１の基地局中央ユニットは、第２の基地局中央ユニットから（例えば、第１のｇＮＢ−ＣＵと第２のｇＮＢ−ＣＵとの間のインターフェースを介して）、１つ以上の第２の構成パラメータを受信することができる。基地局分散ユニットは、少なくとも１つのシステム情報ブロックを伝送（転送／ブロードキャスト）することができる。一例において、基地局分散ユニットは、第２の基地局中央ユニットに、少なくとも１つのシステム情報ブロックを伝送することができる。
【０２９４】
一例において、基地局分散ユニットは、第１の基地局中央ユニットから、第１の基地局中央ユニットおよび／または第１のＰＬＭＮに関連付けられた１つ以上の第１の構成パラメータを受信することができる。基地局分散ユニットは、第２の基地局中央ユニットから、第２の基地局中央ユニットおよび／または第２のＰＬＭＮに関連付けられた１つ以上の第２の構成パラメータを受信することができる。基地局分散ユニットは、第１のｇＮＢ−ＣＵおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）のうちの少なくとも１つを含む少なくとも１つのシステム情報ブロックを受信することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０２９５】
一例において、基地局分散ユニットは、第１の基地局中央ユニットから、第１の基地局中央ユニットおよび／もしくは第１のＰＬＭＮに関連付けられた１つ以上の第１の構成パラメータ、ならびに／または第２の基地局中央ユニットおよび／もしくは第２のＰＬＭＮに関連付けられた１つ以上の第２の構成パラメータのうちの少なくとも１つを受信することができる。第１の基地局中央ユニットは、第２の基地局中央ユニットから、１つ以上の第２の構成パラメータを受信することができる。基地局分散ユニットは、第１の基地局中央ユニットおよび／もしくは第１のＰＬＭＮに関連付けられた１つ以上の第１の構成パラメータ（例えば、および／または第１のシステム情報ブロック）、ならびに／または第２の基地局中央ユニットおよび／もしくは第２のＰＬＭＮに関連付けられた１つ以上の第２の構成パラメータ（例えば、および／または第２のシステム情報ブロック）を含む少なくとも１つのシステム情報ブロックを決定することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０２９６】
一例において、基地局分散ユニットは、第２の基地局中央ユニットから、第２の基地局中央ユニットおよび／または第２のＰＬＭＮに関連付けられた１つ以上の第２の構成パラメータを受信することができる。基地局分散ユニットは、第１の基地局中央ユニットに、１つ以上の第２の構成パラメータを伝送することができる。基地局分散ユニットは、第１の基地局中央ユニットから、第１のＰＬＭＮおよび／もしくは第２のＰＬＭＮに関連付けられた（ならびに／または第１の基地局中央ユニットおよび／もしくは第２の基地局中央ユニット）関連付けられた）１つ以上の構成パラメータを含む少なくとも１つのシステム情報ブロックを受信することができる。基地局分散ユニットは、少なくとも１つのシステム情報ブロックを伝送（転送／ブロードキャスト）することができる。基地局分散ユニットは、第２の基地局中央ユニットに、少なくとも１つのシステム情報ブロックを伝送することができる。
【０２９７】
一例において、基地局分散ユニットは、第１の基地局中央ユニットから、第１のＰＬＭＮおよび／もしくは第２のＰＬＭＮに関連付けられた（ならびに／または第１の基地局中央ユニットおよび／もしくは第２の基地局中央ユニットに関連付けられた）１つ以上の構成パラメータを含む少なくとも１つのシステム情報ブロックを受信することができる。基地局分散ユニットは、少なくとも１つのシステム情報ブロックを伝送（転送／ブロードキャスト）することができる。基地局分散ユニットは、第２の基地局中央ユニットに、少なくとも１つのシステム情報ブロックを伝送することができる。
【０２９８】
一例において、基地局分散ユニットは、第１の基地局中央ユニットから、第１の基地局中央ユニットおよび／もしくは第１のＰＬＭＮに関連付けられた１つ以上の第１の構成パラメータを受信することができ、ならびに／または第２の基地局中央ユニットから、第２の基地局中央ユニットおよび／もしくは第２のＰＬＭＮに関連付けられた１つ以上の第２の構成パラメータを受信することができる。一例において、基地局分散ユニットは、１つ以上の第１の構成パラメータおよび／または１つ以上の第２の構成パラメータに基づいて、第１のＰＬＭＮおよび／もしくは第２のＰＬＭＮに関連付けられた（ならびに／または第１の基地局中央ユニットおよび／もしくは第２の基地局中央ユニットに関連付けられた）１つ以上の構成パラメータを含む少なくとも１つのシステム情報ブロックを決定することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０２９９】
一例において、基地局分散ユニットは、第１の基地局中央ユニットから、第１の基地局中央ユニットおよび／もしくは第１のＰＬＭＮに関連付けられた１つ以上の第１の構成パラメータ、ならびに／または第２の基地局中央ユニットもしくは第２のＰＬＭＮに関連付けられた１つ以上の第２の構成パラメータのうちの少なくとも１つを受信することができる。第１の基地局中央ユニットは、第２の基地局中央ユニットから、１つ以上の第２の構成パラメータを受信することができる。基地局分散ユニットは、１つ以上の第１の構成パラメータおよび／または１つ以上の第２の構成パラメータに基づいて、第１のＰＬＭＮおよび／もしくは第２のＰＬＭＮに関連付けられた（または第１の基地局中央ユニットおよび／もしくは第２の基地局中央ユニットに関連付けられた）１つ以上の構成パラメータを含む少なくとも１つのシステム情報ブロックを決定することができる。（一例において、基地局分散ユニットは、第１の基地局中央ユニットおよび／または第２の基地局中央ユニットに、少なくとも１つのシステム情報ブロックを伝送することができる。基地局分散ユニットは、第１の基地局中央ユニットおよび／または第２の基地局中央ユニットから、少なくとも１つのシステム情報ブロックを受信することができる。）一例において、基地局分散ユニットは、少なくとも１つのシステム情報ブロックを伝送（転送／ブロードキャスト）することができる。
【０３００】
一例において、基地局分散ユニットは、第１の基地局中央ユニットに、第１のインターフェース設定要求を示す第１のメッセージを伝送することができる。基地局分散ユニットは、第１のメッセージに応答して、第１の基地局中央ユニットから、第１のインターフェース設定応答を示す第２のメッセージを受信することができる。第２のメッセージは、第１の基地局中央ユニットによってサポートされる第１のパブリックランドモバイルネットワーク（ＰＬＭＮ）の第１のＰＬＭＮ識別子を含むことができる。基地局分散ユニットは、第２の基地局中央ユニットに、第２のインターフェース設定要求を示す第３のメッセージを伝送することができる。基地局分散ユニットは、第３のメッセージに応答して、第２の基地局中央ユニットから、第２のインターフェース設定応答を示す第４のメッセージを受信することができる。第４のメッセージは、第２の基地局中央ユニットによってサポートされる第２のＰＬＭＮの第２のＰＬＭＮ識別子を含むことができる。一例において、基地局分散ユニットは、第１の基地局中央ユニットに、基地局分散ユニットのセルに対するシステム情報ブロックを含む第５のメッセージを伝送することができる。システム情報ブロックは、第１のＰＬＭＮ識別子および第２のＰＬＭＮ識別子を含むことができる。一例において、基地局分散ユニットは、第２の基地局中央ユニットに、基地局分散ユニットのセルに対するシステム情報ブロックを含む第６のメッセージを伝送することができる。システム情報ブロックは、第１のＰＬＭＮ識別子および第２のＰＬＭＮ識別子を含むことができる。
【０３０１】
一例において、基地局分散ユニットは、第１のパブリックランドモバイルネットワーク（ＰＬＭＮ）の第１の基地局中央ユニットおよび／または第２のＰＬＭＮの第２の基地局中央ユニットを含む複数の基地局中央ユニットとのインターフェース接続を確立することができる。基地局分散ユニットは、１つ以上のランダムアクセスプリアンブルを（例えば、セルを介して）受信することに応答して、無線デバイスに、ランダムアクセス応答を伝送することができる。基地局分散ユニットは、無線デバイスから、および／またはランダムアクセス応答に応答して、第１のＰＬＭＮの第１のＰＬＭＮ識別子を含む第１のメッセージを受信することができる。基地局分散ユニットは、第１のＰＬＭＮ識別子に基づいて、第１の基地局中央ユニットを選択することができる。基地局分散ユニットは、第１の基地局中央ユニットを選択することに応答して、第１の基地局中央ユニットに、第１のメッセージを伝送／転送することができる。一例において、基地局分散ユニットは、第１のＰＬＭＮの第１のＰＬＭＮ識別子および／または第２のＰＬＭＮの第２のＰＬＭＮ識別子のうちの少なくとも１つを含む少なくとも１つのシステム情報ブロックを伝送／ブロードキャストすることができる。一例において、基地局分散ユニットは、第１のＰＬＭＮおよび第２のＰＬＭＮによって共有されるセルを介して、少なくとも１つのシステム情報ブロックを伝送／ブロードキャストすることができる。一例において、無線デバイスは、少なくとも１つのシステム情報ブロックに基づいて、１つ以上のランダムアクセスプリアンブルを、基地局分散ユニットに伝送することができる。
【０３０２】
一例において、基地局分散ユニットは、第１の基地局中央ユニットから、第１のメッセージに対する応答メッセージを受信することができる。基地局分散ユニットは、無線デバイスに、応答メッセージを伝送／転送することができる。一例において、応答メッセージは、無線リソース制御接続設定メッセージおよび／または無線リソース制御接続再開メッセージのうちの少なくとも１つを含むことができる。一例において、第１のメッセージは、無線リソース制御メッセージを含むことができる。一例において、第１のメッセージは、無線リソース制御接続要求メッセージおよび／または無線リソース制御接続再開要求メッセージのうちの少なくとも１つを含むことができる。一例において、第１のメッセージは、無線デバイスの無線デバイス識別子を含むことができる。一例において、無線デバイスは、第１のＰＬＭＮにアクセスすることを許可され得る。一例において、無線デバイスは、アクセスすることが許可された１つ以上のＰＬＭＮの１つ以上のＰＬＭＮ識別子を有することができる。１つ以上のＰＬＭＮ識別子は、第１のＰＬＭＮ識別子を含むことができる。一例において、インターフェース接続は、Ｆ１制御プレーンインターフェースおよび／またはＦ１ユーザプレーンインターフェースのうちの少なくとも１つを含むことができる。
【０３０３】
一例において、基地局分散ユニットは、第２の無線デバイスから、第２のＰＬＭＮの第２のＰＬＭＮ識別子を含む第２のメッセージを受信することができる。基地局分散ユニットは、第２のＰＬＭＮ識別子に基づいて、第２の基地局中央ユニットを選択することができる。基地局分散ユニットは、第２の基地局中央ユニットを選択することに応答して、第２の基地局中央ユニットに、第２のメッセージを伝送／転送することができる。一例において、基地局分散ユニットは、無線デバイスから、セルを介して、１つ以上のランダムアクセスプリアンブルを受信することができる。一例において、セルは、第１のＰＬＭＮおよび第２のＰＬＭＮによって共有され得る。一例において、基地局分散ユニットは、無線デバイスから、無線デバイス（例えば、Ｃ−ＲＮＴＩ）の無線デバイス識別子、セルの第１のセル識別子（例えば、セル識別子は、第１のＰＬＭＮに関連付けることができる）、第１の基地局中央ユニットの第１の基地局中央ユニット識別子、第１の基地局中央ユニットの第１の基地局識別子、第１のＰＬＭＮに対するセルの第１のトラッキングエリアコード、および／または第１のＰＬＭＮ識別子のうちの少なくとも１つを含む１つ以上の無線リソース制御メッセージを受信することができる。基地局分散ユニットは、無線デバイス識別子（例えば、Ｃ−ＲＮＴＩ）、セルの第１のセル識別子、第１の基地局中央ユニット識別子、第１の基地局識別子、第１のトラッキングエリアコード、および／または第１のＰＬＭＮ識別子のうちの少なくとも１つに基づいて、第１の基地局中央ユニットを選択することができる。基地局分散ユニットは、第１の基地局中央ユニットに、１つ以上の無線リソース制御メッセージを伝送／転送することができる。
【０３０４】
一例において、基地局分散ユニットは、第１のパブリックランドモバイルネットワーク（ＰＬＭＮ）の第１の基地局中央ユニットおよび／または第２のＰＬＭＮの第２の基地局中央ユニットを含む複数の基地局中央ユニットとのインターフェース接続を確立することができる。基地局分散ユニットは、１つ以上のランダムアクセスプリアンブルを受信することに応答して、無線デバイスに、ランダムアクセス応答を伝送することができる。基地局分散ユニットは、無線デバイスから、および／またはランダムアクセス応答に応答して、セルの第１のセル識別子を含む第１のメッセージを受信することができる。第１のセル識別子は、第１のＰＬＭＮのためのものであり得る。基地局分散ユニットは、第１のセル識別子に基づいて、第１の基地局中央ユニットを選択することができる。基地局分散ユニットは、第１の基地局中央ユニットを選択することに応答して、第１の基地局中央ユニットに、第１のメッセージを伝送／転送することができる。一例において、基地局分散ユニットは、セルの第１のセル識別子、セルの第２のセル識別子（例えば、第２のセル識別子は、第２のＰＬＭＮのためのものであり得る）、第１のＰＬＭＮの第１のＰＬＭＮ識別子、および／または第２のＰＬＭＮの第２のＰＬＭＮ識別子のうちの少なくとも１つを含む少なくとも１つのシステム情報ブロックを伝送／ブロードキャストすることができる。
【０３０５】
一例において、基地局分散ユニットは、セルを介して、少なくともオンのシステム情報ブロックを伝送／ブロードキャストすることができる。一例において、無線デバイスは、少なくとも１つのシステム情報ブロックに基づいて、１つ以上のランダムアクセスプリアンブルを、基地局分散ユニットに伝送することができる。一例において、基地局分散ユニットは、第１の基地局中央ユニットから、第１のメッセージに対する応答メッセージを受信することができる。基地局分散ユニットは、無線デバイスに、応答メッセージを伝送／転送することができる。一例において、応答メッセージは、無線リソース制御接続設定メッセージおよび／または無線リソース制御接続再開メッセージのうちの少なくとも１つを含むことができる。一例において、第１のメッセージは、無線リソース制御メッセージを含むことができる。一例において、第１のメッセージは、無線リソース制御接続要求メッセージ（例えば、メッセージ３）および／または無線リソース制御接続再開要求メッセージのうちの少なくとも１つを含むことができる。一例において、第１のメッセージは、無線デバイスの無線デバイス識別子を含むことができる。一例において、無線デバイスは、第１のＰＬＭＮにアクセスすることを許可され得る。一例において、無線デバイスは、アクセスすることが許可された１つ以上のＰＬＭＮの１つ以上のＰＬＭＮ識別子を有することができる。１つ以上のＰＬＭＮ識別子は、セルの第１のセル識別子の第１のＰＬＭＮ識別子を含むことができる。一例において、インターフェース接続は、Ｆ１制御プレーンインターフェースおよび／またはＦ１ユーザプレーンインターフェースのうちの少なくとも１つを含むことができる。
【０３０６】
一例において、基地局分散ユニットは、第２の無線デバイスから、セルの第２のセル識別子を含む第２のメッセージを受信することができる。第２のセル識別子は、第２のＰＬＭＮのためのものであり得る。基地局分散ユニットは、第２のセル識別子に基づいて、第２の基地局中央ユニットを選択することができる。基地局分散ユニットは、第２の基地局中央ユニットを選択することに応答して、第２の基地局中央ユニットに、第２のメッセージを伝送／転送することができる。一例において、基地局分散ユニットは、無線デバイスから、セルを介して、１つ以上のランダムアクセスプリアンブルを受信することができる。一例において、セルは、第１のＰＬＭＮおよび第２のＰＬＭＮによって共有され得る。
【０３０７】
一例において、基地局分散ユニットは、第１のパブリックランドモバイルネットワーク（ＰＬＭＮ）の第１の基地局中央ユニットおよび／または第２のＰＬＭＮの第２の基地局中央ユニットを含む複数の基地局中央ユニットとのインターフェース接続を確立することができる。基地局分散ユニットは、セルを介して、１つ以上のランダムアクセスプリアンブルを受信することに応答して、無線デバイスに、ランダムアクセス応答を伝送することができる。基地局分散ユニットは、無線デバイスから、および／またはランダムアクセス応答に応答して、第１の指示パラメータを含む第１のメッセージを受信することができる。基地局分散ユニットは、第１の指示パラメータに基づいて、第１の基地局中央ユニットを選択することができる。基地局分散ユニットは、第１の基地局中央ユニットを選択することに応答して、第１の基地局中央ユニットに、第１のメッセージを伝送／転送することができる。一例において、第１の指示パラメータは、第１のＰＬＭＮの第１のＰＬＭＮ識別子、セルの第１のセル識別子（例えば、第１のセル識別子は、第１のＰＬＭＮのためのものであり得る）、セルの第１のトラッキングエリアコード（例えば、第１のトラッキングエリアコードは、第１のＰＬＭＮのためのものであり得る）、セルの第１のトラッキングエリア識別子（例えば、第１のトラッキングエリア識別子は、第１のＰＬＭＮのためのものであり得る）、セルの第１の登録エリアコード（例えば、第１の登録エリアコードは、第１のＰＬＭＮのためのものであり得る）、セルの第１の登録エリア識別子（例えば、第１の登録エリア識別子は、第１のＰＬＭＮのためのものであり得る）、第１の基地局中央ユニットの第１の基地局識別子、および／または第１の基地局中央ユニットの第１の基地局中央ユニット識別子のうちの少なくとも１つを含むことができる。
【０３０８】
一例において、基地局分散ユニットは、第１のＰＬＭＮの第１のＰＬＭＮ識別子、セルの第１のセル識別子（例えば、第１のセル識別子は、第１のＰＬＭＮのためのものであり得る）、セルの第１のトラッキングエリアコード（例えば、第１のトラッキングエリアコードは、第１のＰＬＭＮのためのものであり得る）、セルの第１のトラッキングエリア識別子（例えば、第１のトラッキングエリア識別子は、第１のＰＬＭＮのためのものであり得る）、セルの第１の登録エリアコード（例えば、第１の登録エリアコードは、第１のＰＬＭＮのためのものであり得る）、セルの第１の登録エリア識別子（例えば、第１の登録エリア識別子は、第１のＰＬＭＮのためのものであり得る）、第１の基地局中央ユニットの第１の基地局識別子、第１の基地局中央ユニットの第１の基地局中央ユニット識別子、第２のＰＬＭＮの第２のＰＬＭＮ識別子、セルの第２のセル識別子（例えば、第２のセル識別子は、第２のＰＬＭＮのためのものであり得る）、セルの第２のトラッキングエリアコード（例えば、第２のトラッキングエリアコードは、第２のＰＬＭＮのためのものであり得る）、セルの第２のトラッキングエリア識別子（例えば、第２のトラッキングエリア識別子は、第２のＰＬＭＮのためのものであり得る）、セルの第２の登録エリアコード（例えば、第２の登録エリアコードは、第２のＰＬＭＮのためのものであり得る）、セルの第２の登録エリア識別子（例えば、第２の登録エリア識別子は、第２のＰＬＭＮのためのものであり得る）、第２の基地局中央ユニットの第２の基地局識別子、および／または第２の基地局中央ユニットの第２の基地局中央ユニット識別子のうちの少なくとも１つを含む少なくとも１つのシステム情報ブロックを伝送／ブロードキャストすることができる。
【０３０９】
一例において、基地局分散ユニットは、セルを介して、少なくともオンのシステム情報ブロックを伝送／ブロードキャストすることができる。無線デバイスは、少なくとも１つのシステム情報ブロックに基づいて、１つ以上のランダムアクセスプリアンブルを、基地局分散ユニットに伝送することができる。一例において、基地局分散ユニットは、第１の基地局中央ユニットから、第１のメッセージに対する応答メッセージを受信することができる。基地局分散ユニットは、無線デバイスに、応答メッセージを伝送／転送することができる。応答メッセージは、無線リソース制御接続設定メッセージおよび／または無線リソース制御接続再開メッセージのうちの少なくとも１つを含むことができる。一例において、第１のメッセージは、無線リソース制御メッセージを含むことができる。一例において、第１のメッセージは、無線リソース制御接続要求メッセージ（例えば、メッセージ３）および／または無線リソース制御接続再開要求メッセージのうちの少なくとも１つを含むことができる。一例において、第１のメッセージは、無線デバイスの無線デバイス識別子をさらに含むことができる。一例において、無線デバイスは、第１のＰＬＭＮにアクセスすることを許可され得る。
【０３１０】
一例において、無線デバイスは、アクセスすることが許可された１つ以上のＰＬＭＮの１つ以上のＰＬＭＮ識別子を有することができる。１つ以上のＰＬＭＮ識別子は、第１の指示パラメータに関連付けられた第１のＰＬＭＮ識別子を含むことができる。インターフェース接続は、Ｆ１制御プレーンインターフェースおよび／またはＦ１ユーザプレーンインターフェースのうちの少なくとも１つを含むことができる。一例において、基地局分散ユニットは、第２の無線デバイスから、セルの第２の表示パラメータを含む第２のメッセージを受信することができる。第２のセル識別子は、第２のＰＬＭＮのためのものであり得る。基地局分散ユニットは、第２の指示パラメータに基づいて、第２の基地局中央ユニットを選択することができる。基地局分散ユニットは、第２の基地局中央ユニットを選択することに応答して、第２の基地局中央ユニットに、第２のメッセージを伝送／転送することができる。一例において、基地局分散ユニットは、無線デバイスから、セルを介して、１つ以上のランダムアクセスプリアンブルを受信することができる。一例において、セルは、第１のＰＬＭＮおよび第２のＰＬＭＮによって共有され得る。
【０３１１】
一例において、基地局は、無線デバイスから、セルの第１の表示パラメータを含む第１の無線リソース制御メッセージを受信することができる。第１の指示パラメータは、第１のＰＬＭＮに関連付けることができる。基地局は、第１の表示パラメータに基づいて、コアネットワークエンティティを選択することができる。基地局は、選択されたコアネットワークエンティティに、無線デバイスの初期アクセスを示す第１のメッセージを伝送することができる。一例において、セルは、第１のＰＬＭＮおよび第２のＰＬＭＮによって共有され得る。一例において、基地局は、第１のＰＬＭＮの第１のコアネットワークエンティティおよび／または第２のＰＬＭＮの第２のコアネットワークエンティティのうちの少なくとも１つに接続され得る。一例において、第１の指示パラメータは、第１のＰＬＭＮの第１のＰＬＭＮ識別子、セルの第１のセル識別子（例えば、第１のセル識別子は、第１のＰＬＭＮのためのものであり得る）、セルの第１のトラッキングエリアコード（例えば、第１のトラッキングエリアコードは、第１のＰＬＭＮのためのものであり得る）、セルの第１のトラッキングエリア識別子（例えば、第１のトラッキングエリア識別子は、第１のＰＬＭＮのためのものであり得る）、セルの第１の登録エリアコード（例えば、第１の登録エリアコードは、第１のＰＬＭＮのためのものであり得る）、セルの第１の登録エリア識別子（例えば、第１の登録エリア識別子は、第１のＰＬＭＮのためのものであり得る）、第１の基地局中央ユニットの第１の基地局識別子、および／または第１の基地局中央ユニットの第１の基地局中央ユニット識別子のうちの少なくとも１つを含むことができる。
【０３１２】
一例において、基地局は、第１のＰＬＭＮの第１のＰＬＭＮ識別子、セルの第１のセル識別子（例えば、第１のセル識別子は、第１のＰＬＭＮのためのものであり得る）、セルの第１のトラッキングエリアコード（例えば、第１のトラッキングエリアコードは、第１のＰＬＭＮのためのものであり得る）、セルの第１のトラッキングエリア識別子（例えば、第１のトラッキングエリア識別子は、第１のＰＬＭＮのためのものであり得る）、セルの第１の登録エリアコード（例えば、第１の登録エリアコードは、第１のＰＬＭＮのためのものであり得る）、セルの第１の登録エリア識別子（例えば、第１の登録エリア識別子は、第１のＰＬＭＮのためのものであり得る）、第１の基地局中央ユニットの第１の基地局識別子、第１の基地局中央ユニットの第１の基地局中央ユニット識別子、第２のＰＬＭＮの第２のＰＬＭＮ識別子、セルの第２のセル識別子（例えば、第２のセル識別子は、第２のＰＬＭＮのためのものであり得る）、セルの第２のトラッキングエリアコード（例えば、第２のトラッキングエリアコードは、第２のＰＬＭＮのためのものであり得る）、セルの第２のトラッキングエリア識別子（例えば、第２のトラッキングエリア識別子は、第２のＰＬＭＮのためのものであり得る）、セルの第２の登録エリアコード（例えば、第２の登録エリアコードは、第２のＰＬＭＮのためのものであり得る）、セルの第２の登録エリア識別子（例えば、第２の登録エリア識別子は、第２のＰＬＭＮのためのものであり得る）、第２の基地局中央ユニットの第２の基地局識別子、および／または第２の基地局中央ユニットの第２の基地局中央ユニット識別子のうちの少なくとも１つを含む少なくとも１つのシステム情報ブロックを伝送／ブロードキャストすることができる。一例において、無線デバイスは、少なくとも１つのシステム情報ブロックに基づいて、第１の無線リソース制御メッセージを伝送することができる。
【０３１３】
実施形態は、必要に応じて動作するように構成されてもよい。開示されたメカニズムは、例えば、無線デバイス、基地局、無線環境、ネットワーク、上記の組み合わせなどで、特定の基準が満たされるときに実行され得る。例示的な基準は、例えば、無線デバイスまたはネットワークノード構成、トラフィック負荷、初期システム設定、パケットサイズ、トラフィック特性、上記の組み合わせなどに少なくとも部分的に基づいてもよい。１つ以上の基準が満たされると、様々な例示的な実施形態が適用され得る。したがって、開示されたプロトコルを選択的に実装する例示的な実施形態を実装することが可能であり得る。
【０３１４】
基地局は、様々な無線デバイスと通信することができる。無線デバイスおよび／または基地局は、複数の技術、および／または同じ技術の複数のリリースをサポートすることができる。無線デバイスは、無線デバイスのカテゴリおよび／または能力に応じて、いくつかの特定の能力を有してもよい。基地局は、複数のセクタを含んでもよい。本開示が複数の無線デバイスと通信する基地局に言及する場合、本開示は、カバレッジエリア内の全無線デバイスのサブセットに言及し得る。本開示は、例えば、所定の能力を備え、基地局の所定のセクタにある、所定のＬＴＥまたは５Ｇリリースの複数の無線デバイスに言及し得る。本開示における複数の無線デバイスは、選択された複数の無線デバイス、および／または開示された方法などに従って実行するカバレッジエリア内の全無線デバイスのサブセットを指し得る。例えば、それらの無線デバイスまたは基地局は、ＬＴＥまたは５Ｇ技術のより古いリリースに基づいて実行されるため、開示された方法に準拠しない場合があるカバレッジエリアに複数の基地局または複数の無線デバイスが存在し得る。
【０３１５】
様々な実施形態によれば、例えば、無線デバイス、基地局、基地局中央ユニット、基地局分散ユニット、基地局中央ユニットなどの装置は、１つ以上のプロセッサおよびメモリを含むことができる。メモリは、１つ以上のプロセッサによって実行されると、デバイスに一連のアクションを実行させる命令を格納し得る。例示的なアクションの実施形態は、添付の図および明細書に示されている。様々な実施形態からの特徴を組み合わせてさらなる実施形態を作り出すことができる。
【０３１６】
図４３は、本開示の例示的な実施形態の一局面による流れ図である。４３１０において、第１のメッセージは、第１の基地局中央ユニットから、基地局分散ユニットによって受信され得る。第１のメッセージは、第１のパブリックランドモバイルネットワーク（ＰＬＭＮ）の第１のＰＬＭＮ識別子を含むことができる。第１のＰＬＭＮは、第１の基地局中央ユニットを含むことができる。４１２０において、基地局中央ユニットは、第２の基地局分散ユニットから、第２のメッセージを受信することができる。第２のメッセージは、第２のＰＬＭＮの第２のＰＬＭＮ識別子を含むことができる。第２のＰＬＭＮは、第２の基地局中央ユニットを含むことができる。４１３０において、基地局分散ユニットは、少なくとも１つのシステム情報ブロックを伝送することができる。少なくとも１つのシステム情報ブロックは、第１のＰＬＭＮ識別子および第２のＰＬＭＮ識別子を含むことができる。
【０３１７】
例示的な実施形態によれば、基地局分散ユニットは、無線デバイスから、無線リソース制御メッセージを受信することができる。無線リソース制御メッセージは、少なくとも１つのシステム情報ブロックに基づくことができる。基地局分散ユニットは、無線リソース制御メッセージに基づいて、無線デバイスのための無線リソースを構成することができる。無線デバイスは、第１のＰＬＭＮに関連付けることができる。無線デバイスは、第２のＰＬＭＮに関連付けることができる。
【０３１８】
例示的な実施形態によれば、基地局分散ユニットは、第１の基地局中央ユニットから、パケットを受信することができる。基地局分散ユニットは、第２の基地局中央ユニットから、パケットを受信することができる。基地局分散ユニットは、第１のＰＬＭＮに関連付けられた無線デバイスに、パケットを伝送することができる、基地局分散ユニットは、第２のＰＬＭＮに関連付けられた無線デバイスに、パケットを伝送することができる。
【０３１９】
例示的な実施形態によれば、第１のメッセージおよび第２のメッセージは、Ｆ１設定応答メッセージを含む。第１のメッセージおよび第２のメッセージは、基地局中央ユニット構成更新メッセージを含む。第１のメッセージおよび第２のメッセージは、基地局分散ユニット構成更新肯定メッセージを含む。
【０３２０】
例示的な実施形態によれば、基地局分散ユニットは、第１の基地局中央ユニットに、第１のＦ１設定要求メッセージを伝送することができる。第１のメッセージは、第１のＦ１設定要求メッセージに対する応答であり得る。基地局分散ユニットは、第２のＦ１設定要求メッセージを、第２の基地局中央ユニットに伝送することができる。第２のメッセージは、第２のＦ１設定要求メッセージに対する応答である。
【０３２１】
例示的な実施形態によれば、少なくとも１つのシステム情報ブロックは、第１のＰＬＭＮまたは第２のＰＬＭＮのうちの少なくとも１つのためのセルパラメータを含むことができる。セルパラメータは、少なくとも１つのシステム情報ブロックが伝送されるセルのセル識別子を含むことができる。セルパラメータは、セルのクローズド加入者グループ識別子を含むことができる。セルパラメータは、セルの第１のセル識別子を含むことができる。第１のセル識別子は、第１のＰＬＭＮに関連付けることができる。セルパラメータは、セルの第２のセル識別子を含むことができる。第２のセル識別子は、第２のＰＬＭＮに関連付けることができる。セルパラメータは、セルの第１のクローズド加入者グループ識別子を含むことができる。第１のクローズド加入者グループ識別子は、第１のＰＬＭＮに関連付けることができる。セルパラメータは、セルの第２のクローズド加入者グループ識別子を含むことができる。第２のクローズド加入者グループ識別子は、第２のＰＬＭＮに関連付けることができる。セルパラメータは、第１の基地局中央ユニットの第１の基地局中央ユニット識別子を含むことができる。セルパラメータは、第１の基地局中央ユニットの第２の基地局中央ユニット識別子を含むことができる。セルパラメータは、第１の基地局中央ユニットに関連付けられた第１の基地局の第１の基地局識別子を含むことができる。セルパラメータは、第２の基地局中央ユニットに関連付けられた第２の基地局の第２の基地局識別子を含むことができる。
【０３２２】
例示的な実施形態によれば、少なくとも１つのシステム情報ブロックの伝送は、第１のＰＬＭＮおよび第２のＰＬＭＮのために共有されるセルを介して、少なくとも１つのシステム情報ブロックを伝送することを含むことができる。例示的な実施形態によれば、少なくとも１つのシステム情報ブロックは、第１のＰＬＭＮ識別子を含む第１のシステム情報ブロックを含むことができる。少なくとも１つのシステム情報ブロックは、第２のＰＬＭＮ識別子を含む第２のシステム情報ブロックを含むことができる。
【０３２３】
例示的な実施形態によれば、第１のシステム情報ブロックは、セルの第１のセル識別子を含むことができる。第１のセル識別子は、第１のＰＬＭＮに関連付けられ得る。第１のシステム情報ブロックは、セルの第１のクローズド加入者グループ識別子を含むことができる。第１のクローズド加入者グループ識別子は、第１のＰＬＭＮに関連付けることができる。第１のシステム情報ブロックは、第１の基地局中央ユニットの第１の基地局中央ユニット識別子を含むことができる。第１のシステム情報ブロックは、第１の基地局中央ユニットに関連付けられた第１の基地局の第１の基地局識別子を含むことができる。例示的な実施形態によれば、第１のシステム情報ブロックは、セルの第２のセル識別子を含む。第２のセル識別子は、第２のＰＬＭＮに関連付けることができる。第１のシステム情報ブロックは、セルの第２のクローズド加入者グループ識別子を含む。第２のクローズド加入者グループ識別子は、第２のＰＬＭＮに関連付けることができる。第１のシステム情報ブロックは、第１の基地局中央ユニットの第２の基地局中央ユニット識別子を含む。第１のシステム情報ブロックは、第２の基地局の第２の基地局識別子を含み、第２の基地局中央ユニットに関連付けることができる。例示的な実施形態によれば、少なくとも１つのシステム情報ブロックは、第１のシステム情報ブロックを含むことができる。第１のシステム情報ブロックは、第１のＰＬＭＮ識別子を含むことができる。
【０３２４】
第１のシステム情報ブロックは、第１のＰＬＭＮの第１のセルを介して伝送することができる。少なくとも１つのシステム情報ブロックは、第２のＰＬＭＮ識別子を含む第２のシステム情報ブロックを含むことができる。第２のＰＬＭＮの第２のセルを介して伝送された第２のシステム情報ブロック。例示的な実施形態によれば、基地局分散ユニットは、第１の基地局中央ユニットから、少なくとも１つのシステム情報ブロックを受信することができる。例示的な実施形態によれば、基地局分散ユニットは、第１の基地局中央ユニットに、構成パラメータを伝送することができる。構成パラメータは、第２のＰＬＭＮ識別子を含むことができる。少なくとも１つのシステム情報ブロックは、構成パラメータに基づくことができる。例示的な実施形態によれば、基地局分散ユニットは、第１のメッセージおよび第２のメッセージに基づいて、少なくとも１つのシステム情報ブロックを決定することができる。例示的な実施形態によれば、基地局分散ユニットは、少なくとも１つのシステム情報ブロックを、第１の基地局中央ユニットまたは第２の基地局中央ユニットの少なくとも１つに伝送することができる。例示的な実施形態によれば、少なくとも１つのシステム情報ブロックは、システム情報ブロック１を含むことができる。例示的な実施形態によれば、基地局は、第１の基地局中央ユニット、第２の基地局中央ユニット、および基地局分散ユニットを含むことができる。
【０３２５】
例示的な実施形態によれば、第１の基地局は、第１の基地局中央ユニットおよび基地局分散ユニットを含むことができる。第２の基地局は、基地局中央ユニットおよび基地局分散ユニットを含むことができる。例示的な実施形態によれば、基地局分散ユニットは、第１のＰＬＭＮおよび第２のＰＬＭＮによって共有されるセルにサービスを提供することができる。基地局分散ユニットは、第１のＰＬＭＮの第１のセルにサービスを提供することができる。基地局分散ユニットは、第２のＰＬＭＮの第２のセルにサービスを提供することができる。例示的な実施形態によれば、基地局分散ユニットは、基地局中央ユニットから、第３のメッセージを受信することができる。第３のメッセージは、第３の基地局中央ユニットを含む第３のＰＬＭＮの第３のＰＬＭＮ識別子を含むことができる。少なくとも１つのシステム情報ブロックは、第３のＰＬＭＮ識別子を含むことができる。
【０３２６】
図４４は、本開示の一実施形態の一局面による例示的な流れ図である。４４１０において、共有基地局分散ユニットは、第１のパケットを、第１のパブリックランドモバイルネットワーク（ＰＬＭＮ）の第１の非共有基地局中央ユニットと通信することができる。第１のパケットは、第１のＰＬＭＮに関連付けることができる。例示的な実施形態によれば、共有基地局分散ユニットは、第１のＰＬＭＮおよび第２のＰＬＭＮによって共有され得る。例示的な実施形態によれば、第１のパブリックランドモバイルネットワーク（ＰＬＭＮ）の第１の非共有基地局中央ユニットは、第１のパケットを共有基地局分散ユニットと通信することができる。第１のパケットは、第１のＰＬＭＮに関連付けることができる。例示的な実施形態によれば、共有基地局分散ユニットは、第１のＰＬＭＮおよび第２のＰＬＭＮによって共有されることができる。
【０３２７】
図４５は、本開示の一実施形態の一局面による例示的な流れ図である。４５１０において、基地局分散ユニットは、第１のパケットを第１のパブリックランドモバイルネットワーク（ＰＬＭＮ）の第１の基地局中央ユニットと通信することができる。第１のパケットは、第１のＰＬＭＮに関連付けることができる。基地局分散ユニットは、第２のＰＬＭＮと通信することができる。第１の基地局中央ユニットは、第２のＰＬＭＮと通信しない場合がある。例示的な実施形態によれば、基地局分散ユニットは、第１のＰＬＭＮおよび第２のＰＬＭＮによって共有され得る。例示的な実施形態によれば、第１のパブリックランドモバイルネットワーク（ＰＬＭＮ）の第１の基地局中央ユニットは、第１のパケットを基地局分散ユニットと通信することができる。第１のパケットは、第１のＰＬＭＮに関連付けることができる。Ｔ第１の基地局中央ユニットは、第２のＰＬＭＮと通信しない場合がある。基地局分散ユニットは、第２のＰＬＭＮと通信することができる。例示的な実施形態によれば、基地局分散ユニットは、第１のＰＬＭＮおよび第２のＰＬＭＮによって共有され得る。
【０３２８】
例示的な実施形態によれば、基地局分散ユニットは、第１のパケットを、第１のパブリックランドモバイルネットワーク（ＰＬＭＮ）の第１の基地局中央ユニットと通信することができる。第１のパケットは、第１のＰＬＭＮに関連付けることができる。基地局分散ユニットは、第２のパケットを、第２のＰＬＭＮの第２の基地局中央ユニットと通信することができる。第２のパケットは、第２のＰＬＭＮに関連付けることができる。例示的な実施形態によれば、基地局分散ユニットは、第１の基地局中央ユニットが第１のＰＬＭＮに関連付けられていることに基づいて、第１のパケットの通信のための第１の基地局中央ユニットを決定することができる。基地局分散ユニットは、第２の基地局中央ユニットが第２のＰＬＭＮに関連付けられていることに基づいて、第２のパケットを通信するための第２の基地局中央ユニットを決定することができる。例示的な実施形態によれば、第１のパケットの通信は、第１のパケットのうちの少なくとも１つを伝送することを含むことができる。第１のパケットの通信は、第１のパケットの少なくとも１つを受信することを含むことができる。
【０３２９】
例示的な実施形態によれば、基地局分散ユニットは、第１のパブリックランドモバイルネットワーク（ＰＬＭＮ）の第１の基地局中央ユニットに、第１のパケットを伝送することができる。第１のパケットは、第１のＰＬＭＮに関連付けられた第１の無線デバイスから受信されることができる。基地局分散ユニットは、第２のＰＬＭＮの第２の基地局中央ユニットに、第２のパケットを伝送することができる。第２のパケットは、第２のＰＬＭＮに関連付けられた第２の無線デバイスから受信されることができる。例示的な実施形態によれば、第１のパケットは、制御プレーンパケットを含むことができる。第２のパケットは、制御プレーンパケットを含むことができる。例示的な実施形態によれば、第１のパケットは、ユーザプレーンパケットを含むことができる。第２のパケットは、ユーザプレーンパケットを含むことができる。
【０３３０】
例示的な実施形態によれば、基地局分散ユニットは、少なくとも１つのシステム情報ブロックを伝送することができる。少なくとも１つのシステム情報ブロックは、第１のパブリックランドモバイルネットワーク（ＰＬＭＮ）の第１のＰＬＭＮ識別子を含むことができる。少なくとも１つのシステム情報ブロックは、第２のＰＬＭＮの第２のＰＬＭＮ識別子を含むことができる。基地局分散ユニットは、第１のパケットを、第１のＰＬＭＮの第１の基地局中央ユニットと通信することができる。第１のパケットは、第１のＰＬＭＮに関連付けることができる。基地局分散ユニットは、第２のパケットを、第２のＰＬＭＮの第２の基地局中央ユニットと通信することができる。第２のパケットは、第２のＰＬＭＮに関連付けることができる。
【０３３１】
例示的な実施形態によれば、基地局分散ユニットは、少なくとも１つのシステム情報ブロックを伝送することができる。少なくとも１つのシステム情報ブロックは、第１のパブリックランドモバイルネットワーク（ＰＬＭＮ）の第１のＰＬＭＮ識別子を含むことができる。少なくとも１つのシステム情報ブロックは、第２のＰＬＭＮの第２のＰＬＭＮ識別子を含むことができる。基地局分散ユニットは、第１のパケットを、第１のＰＬＭＮの第１の基地局中央ユニットに伝送することができる。第１のパケットは、第１のＰＬＭＮに関連付けられた第１の無線デバイスから受信されることができる。基地局分散ユニットは、第２のパケットを、第２のＰＬＭＮの第２の基地局中央ユニットに伝送することができる。第２のパケットは、第２のＰＬＭＮに関連付けられた第２の無線デバイスから受信されることができる。
【０３３２】
例示的な実施形態によれば、基地局分散ユニットは、第１のパブリックランドモバイルネットワーク（ＰＬＭＮ）の第１の基地局中央ユニットと通信することができる。基地局分散ユニットは、第２のＰＬＭＮの第２の基地局中央ユニットと通信することができる。基地局分散ユニットは、少なくとも１つのシステム情報ブロックを伝送することができる。少なくとも１つのシステム情報ブロックは、第１のＰＬＭＮの第１のＰＬＭＮ識別子を含むことができる。少なくとも１つのシステム情報ブロックは、第２のＰＬＭＮの第２のＰＬＭＮ識別子を含むことができる。
【０３３３】
例示的な実施形態によれば、基地局分散ユニットは、第１の基地局中央ユニットから、第１のメッセージを受信することができる。第１のメッセージは、第１の基地局中央ユニットを含む第１のパブリックランドモバイルネットワーク（ＰＬＭＮ）の第１のＰＬＭＮ識別子を含むことができる。基地局分散ユニットは、第２の基地局中央ユニットから、第２のメッセージを受信することができる。第２のメッセージは、第２の基地局中央ユニットを含む第２のＰＬＭＮの第２のＰＬＭＮ識別子を含むことができる。基地局分散ユニットは、第１のＰＬＭＮおよび第２のＰＬＭＮのうちの少なくとも１つに関連付けられた無線デバイスに、パケットを伝送することができる。パケットは、第１の基地局中央ユニットおよび第２の基地局中央ユニットのうちの少なくとも１つから受信されることができる。
【０３３４】
図４６は、本開示の一実施形態の一局面による例示的な流れ図である。４６１０において、基地局分散ユニットは、第１の基地局中央ユニットから、少なくとも１つのシステム情報ブロックを受信することができる。少なくとも１つのシステム情報ブロックは、第１の基地局中央ユニットに関連付けられた１つ以上の第１の構成パラメータを含むことができる。少なくとも１つのシステム情報ブロックは、第２の基地局中央ユニットに関連付けられた１つ以上の第２の構成パラメータを含むことができる。４６２０において、基地局分散ユニットは、少なくとも１つのシステム情報ブロックを伝送することができる。例示的な実施形態によれば、第１の基地局中央ユニットは、第１のパブリックランドモバイルネットワーク（ＰＬＭＮ）に関連付けることができる。第２の基地局中央ユニットは、第２のＰＬＭＮに関連付けることができる。例示的な実施形態によれば、１つ以上の第１の構成パラメータは、第１のパブリックランドモバイルネットワーク（ＰＬＭＮ）の第１のＰＬＭＮ識別子を含むことができる。１つ以上の第２の構成パラメータは、第２のＰＬＭＮの第２のＰＬＭＮ識別子を含むことができる。
【０３３５】
図４７は、本開示の一実施形態の一局面による例示的な流れ図である。４７１０において、基地局分散ユニットは、第２の基地局中央ユニットから、１つ以上の第２の構成パラメータを受信することができる。１つ以上の第２の構成パラメータは、第２の基地局中央ユニットに関連付けることができる。４７２０において、基地局分散ユニットは、第１の基地局中央ユニットに、１つ以上の第２の構成パラメータを伝送することができる。４７３０において、基地局分散ユニットは、第１の基地局中央ユニットから、少なくとも１つのシステム情報ブロックを受信することができる。少なくとも１つのシステム情報ブロックは、第１の基地局中央ユニットに関連付けられた１つ以上の第１の構成パラメータを含むことができる。少なくとも１つのシステム情報ブロックは、１つ以上の第２の構成パラメータを含むことができる。４７４０において、基地局分散ユニットは、少なくとも１つのシステム情報ブロックを伝送することができる。
【０３３６】
図４８は、本開示の一実施形態の一局面による例示的な流れ図である。４８１０において、第１の基地局中央ユニットは、基地局分散ユニットから、１つ以上の第２の構成パラメータを受信することができる。１つ以上の第２の構成パラメータは、第２の基地局中央ユニットに関連付けることができる。４８２０において、第１の基地局中央ユニットは、基地局分散ユニットに、少なくとも１つのシステム情報ブロックを送信することができる。少なくとも１つのシステム情報ブロックは、第１の基地局中央ユニットに関連付けられた１つ以上の第１の構成パラメータを含むことができる。少なくとも１つのシステム情報ブロックは、１つ以上の第２の構成パラメータを含むことができる。
【０３３７】
例示的な実施形態によれば、第１の基地局中央ユニットは、第２の基地局中央ユニットから、１つ以上の第２の構成パラメータを受信することができる。１つ以上の第２の構成パラメータは、第２の基地局中央ユニットに関連付けることができる。第１の基地局中央ユニットは、基地局分散ユニットに、少なくとも１つのシステム情報ブロックを送信することができる。少なくとも１つのシステム情報ブロックは、第１の基地局中央ユニットに関連付けられた１つ以上の第１の構成パラメータを含むことができる。少なくとも１つのシステム情報ブロックは、１つ以上の第２の構成パラメータを含むことができる。
【０３３８】
図４９は、本開示の一実施形態の一局面による例示的な流れ図である。４９１０において、基地局分散ユニットは、基地局中央ユニットから、第１のメッセージを受信することができる。第１のメッセージは、第１の基地局中央ユニットがサポートする第１のネットワークの第１のネットワーク識別子を含むことができる。４９２０において、第２のメッセージは、第２の基地局中央ユニットから受信されることができる。第２のメッセージは、第２の基地局中央ユニットがサポートする第２のネットワークの第２のネットワーク識別子を含むことができる。４９３０において、少なくとも１つのシステム情報ブロックは、伝送することができる。少なくとも１つのシステム情報ブロックは、第１のネットワーク識別子を含むことができる。少なくとも１つのシステム情報ブロックは、第２のネットワーク識別子を含むことができる。例示的な実施形態によれば、第１のネットワークは、パブリックランドモバイルネットワーク（ＰＬＭＮ）を含むことができる。第１のネットワークは、モバイルネットワークを含むことができる。第１のネットワークは、車車間・路車間通信システムを含むことができる。第１のネットワークは、高度道路交通システム（ＩＴＳ）を含むことができる。第１のネットワークは、モノのインターネット（ＩｏＴ）システムを含むことができる。第１のネットワークは、衛星ネットワークを含むことができる。第２のネットワークは、パブリックランドモバイルネットワーク（ＰＬＭＮ）を含むことができる。第２のネットワークは、モバイルネットワークを含むことができる。第２のネットワークは、車車間・路車間通信システムを含むことができる。第２のネットワークは、高度道路交通システム（ＩＴＳ）を含むことができる。第２のネットワークは、モノのインターネット（ＩｏＴ）システムを含むことができる。第２のネットワークは、衛星ネットワークを含むことができる。
【０３３９】
図５０は、本開示の一実施形態の一局面による例示的な流れ図である。５０１０において、基地局分散ユニットは、無線デバイスに、少なくとも１つのシステム情報ブロックを伝送することができる。少なくとも１つのシステム情報ブロックは、第１のパブリックランドモバイルネットワーク（ＰＬＭＮ）を示すことができる。少なくとも１つのシステム情報ブロックは、第２のＰＬＭＮを示すことができる。５０２０において、基地局分散ユニットは、無線デバイスから、無線リソース制御メッセージを受信することができる。無線リソース制御メッセージは、第１のＰＬＭＮおよび第２のＰＬＭＮのうちの少なくとも１つのＰＬＭＮを示すことができる。５０３０において、基地局分散ユニットは、少なくとも１つのＰＬＭＮに基づいて、少なくとも１つの基地局中央ユニットを、第１のＰＬＭＮの第１の基地局中央ユニットおよび第２のＰＬＭＮの第２の基地局中央ユニットから決定することができる。５０４０において、基地局分散ユニットは、少なくとも１つの基地局中央ユニットに、無線リソース制御メッセージを伝送することができる。
【０３４０】
例示的な実施形態によれば、無線リソース制御メッセージは、無線リソース制御完了メッセージを含むことができる。無線リソース制御メッセージは、無線リソース制御要求メッセージを含むことができる。無線リソース制御メッセージは、無線リソース制御再開完了メッセージを含むことができる。無線リソース制御メッセージは、無線リソース制御再開要求メッセージを含むことができる。例示的な実施形態によれば、基地局分散ユニットは、無線デバイスから、少なくとも１つのシステム情報ブロックに基づいて、少なくとも１つのランダムアクセスプリアンブルを受信することができる。基地局分散ユニットは、無線デバイスに、少なくとも１つのランダムアクセスプリアンブルに対するランダムアクセス応答を伝送することができる。無線リソース制御メッセージは、ランダムアクセス応答に基づくことができる。
【０３４１】
例示的な実施形態によれば、基地局分散ユニットは、少なくとも１つの基地局中央ユニットから、無線リソース制御設定メッセージを受信することができる。無線リソース制御設定メッセージは、無線デバイスに対するセル構成パラメータを含むことができる。無線リソース制御設定メッセージは、無線リソース制御メッセージに対する応答であり得る。基地局分散ユニットは、無線デバイスに、無線リソース制御設定メッセージを伝送することができる。例示的な実施形態によれば、基地局分散ユニットは、少なくとも１つの基地局中央ユニットから、無線デバイスのための構成要求メッセージを受信することができる。基地局分散ユニットは、構成要求メッセージに基づいて、セル構成パラメータを決定することができる。基地局分散ユニットは、少なくとも１つの基地局中央ユニットに、構成応答メッセージを伝送することができる。構成応答メッセージは、セル構成パラメータを含むことができる。無線リソース制御設定メッセージは、構成応答メッセージに基づくことができる。
【０３４２】
例示的な実施形態によれば、基地局分散ユニットは、少なくとも１つの基地局中央ユニットから、無線デバイスのためのパケットを受信することができる。基地局分散ユニットは、パケットを、無線デバイスに伝送することができる。例示的な実施形態によれば、無線リソース制御メッセージの受信は、第１のＰＬＭＮおよび第２のＰＬＭＮのために共有されるセルを介して、無線リソース制御メッセージを受信することを含むことができる。例示的な実施形態によれば、無線リソース制御メッセージの受信は、第１のＰＬＭＮの第１のセルを介して、無線リソース制御メッセージを受信することを含むことができる。無線リソース制御メッセージの受信は、第２のＰＬＭＮの第２のセルを介して、無線リソース制御メッセージを受信することを含むことができる。
【０３４３】
例示的な実施形態によれば、少なくとも１つの基地局中央ユニットの決定は、基地局分散ユニットが無線リソース制御メッセージを受信するセルにさらに基づくことができる。セルは、第１のセルを含むことができる。セルは、第２のセルを含むことができる。
【０３４４】
例示的な実施形態によれば、少なくとも１つのシステム情報ブロックの伝送は、第１のＰＬＭＮおよび第２のＰＬＭＮのために共有されるセルを介して、少なくとも１つのシステム情報ブロックを伝送することを含むことができる。少なくとも１つのシステム情報ブロックの伝送は、第１のＰＬＭＮの第１のセルを介して、第１のＰＬＭＮの第１のＰＬＭＮ識別子を含む第１のシステム情報ブロックを伝送することを含むことができる。少なくとも１つのシステム情報ブロックの伝送は、第２のＰＬＭＮの第２のセルを介して、第２のＰＬＭＮの第２のＰＬＭＮ識別子を含む第２のシステム情報ブロックを伝送することを含むことができる。
【０３４５】
例示的な実施形態によれば、無線リソース制御メッセージは、少なくとも１つのＰＬＭＮのための１つ以上のパラメータを含むことができる。１つ以上のパラメータは、少なくとも１つのＰＬＭＮの少なくとも１つのＰＬＭＮ識別子を含むことができる。１つ以上のパラメータは、基地局分散ユニットが無線リソース制御メッセージを受信するセルのセル識別子を含むことができる。１つ以上のパラメータは、セルのトラッキングエリアコードを含むことができる。１つ以上のパラメータは、セルの登録エリアコードを含むことができる。１つ以上のパラメータは、第１のＰＬＭＮに関連付けられた第１のセルの第１のセル識別子を含むことができる。１つ以上のパラメータは、第２のＰＬＭＮに関連付けられた第２のセルの第２のセル識別子を含むことができる。１つ以上のパラメータは、少なくとも１つの基地局中央ユニットの基地局中央ユニット識別子を含むことができる。１つ以上のパラメータは、少なくとも１つの基地局中央ユニットに関連付けられた基地局の基地局識別子を含むことができる。例示的な実施形態によれば、少なくとも１つの基地局中央ユニットの決定は、少なくとも１つのＰＬＭＮの１つ以上のパラメータにさらに基づくことができる。例示的な実施形態によれば、少なくとも１つのシステム情報ブロックは、少なくとも１つのＰＬＭＮのための１つ以上のパラメータを含むことができる。
【０３４６】
例示的な実施形態によれば、基地局分散ユニットは、無線デバイスのための無線リソースを構成することができる。例示的な実施形態によれば、無線デバイスは、少なくともオンＰＬＭＮにアクセスすることを許可され得る。例示的な実施形態によれば、少なくとも１つのシステム情報ブロックは、第１のＰＬＭＮの第１のＰＬＭＮ識別子を含む第１のシステム情報ブロックを含むことができる。第１のシステム情報ブロックは、第１のＰＬＭＮの第１のセルを介して、伝送することができる。例示的な実施形態によれば、少なくとも１つのシステム情報ブロックは、第２のＰＬＭＮの第２のＰＬＭＮ識別子を含む第２のシステム情報ブロックを含むことができる。第２のシステム情報ブロックは、第２のＰＬＭＮの第２のセルを介して、伝送され得る。例示的な実施形態によれば、少なくとも１つのシステム情報ブロックは、システム情報ブロック１を含むことができる。例示的な実施形態によれば、基地局は、第１の基地局中央ユニットを含むことができる。基地局は、第２の基地局中央ユニットを含むことができる。基地局は、基地局分散ユニットを含むことができる。例示的な実施形態によれば、第１の基地局は、第１の基地局および基地局分散ユニットを含むことができる。例示的な実施形態によれば、第２の基地局は、第２の基地局および基地局分散ユニットを含む。例示的な実施形態によれば、基地局分散ユニットは、第１のＰＬＭＮおよび第２のＰＬＭＮによって共有されるセルにサービスを提供することができる。基地局分散ユニットは、第１のＰＬＭＮの第１のセルにサービスを提供することができる。基地局分散ユニットは、第２のＰＬＭＮの第２のセルにサービスを提供することができる。例示的な実施形態によれば、基地局分散ユニットは、第２の無線デバイスから、第２の無線リソース制御メッセージを受信することができる。第２の無線リソース制御メッセージは、第３のＰＬＭＮを示すことができる。基地局分散ユニットは、第３のＰＬＭＮに基づいて、第３のＰＬＭＮの第３の基地局中央ユニットを決定することができる。基地局分散ユニットは、第３の基地局中央ユニットに、無線リソース制御メッセージを伝送することができる。
【０３４７】
図５１は、本開示の一実施形態の一局面による例示的な流れ図である。５１１０において、基地局分散ユニットは、無線デバイスから、無線リソース制御メッセージを受信することができる。無線リソース制御メッセージは、パブリックランドモバイルネットワーク（ＰＬＭＮ）を示すことができる。ＰＬＭＮは、第１のＰＬＭＮおよび第２のＰＬＭＮのうちの１つであり得る。５１２０において、基地局分散ユニットは、ＰＬＭＮに基づいて、基地局中央ユニットを、第１のＰＬＭＮの第１の基地局中央ユニットおよび第２のＰＬＭＮの第２の基地局中央ユニットから決定することができる。５１３０において、基地局中央ユニットは、基地局分散ユニットに、無線リソース制御メッセージを伝送することができる。
【０３４８】
例示的な実施形態によれば、無線リソース制御メッセージは、第１のＰＬＭＮを示す第１のパラメータを含むことができる。第１のパラメータは、第１のＰＬＭＮ識別子を含むことができる。第１のパラメータは、セルの第１のセル識別子を含むことができる。第１のパラメータは、第１の基地局中央ユニットの第１の基地局中央ユニット識別子を含むことができる。第１のパラメータは、第１の基地局中央ユニットの第１の基地局識別子を含むことができる。第１のパラメータは、セルの第１のクローズド加入者グループ識別子を含むことができる。第１のパラメータは、セルの第１のトラッキングエリアコードを含むことができる。第１のパラメータは、セルの第１の登録エリアコードを含むことができる。
【０３４９】
例示的な実施形態によれば、無線リソース制御メッセージは、第２のＰＬＭＮを示す第２のパラメータを含むことができる。第２のパラメータは、第２のＰＬＭＮ識別子を含むことができる。第２のパラメータは、セルの第２のセル識別子を含むことができる。第２のパラメータは、第２の基地局中央ユニットの第２の基地局中央ユニット識別子を含むことができる。第２のパラメータは、第２の基地局中央ユニットの第２の基地局識別子を含むことができる。第２のパラメータは、セルの第２のクローズド加入者グループ識別子を含むことができる。第２のパラメータは、セルの第２のトラッキングエリアコードを含むことができる。第２のパラメータは、セルの第２の登録エリアコードを含むことができる。
【０３５０】
図５２は、本開示の実施形態の態様にかかる例示的なフロー図である。５２１０において、基地局分散ユニットは、無線デバイスに、少なくとも１つのシステム情報ブロックを伝送することができる。少なくとも１つのシステム情報ブロックは、第１の基地局中央ユニットの第１のパブリックランドモバイルネットワーク（ＰＬＭＮ）識別子を含むことができる。少なくとも１つのシステム情報ブロックは、第２の基地局中央ユニットの第２のＰＬＭＮ識別子を含むことができる。５２２０において、基地局分散ユニットは、無線デバイスから、無線リソース制御メッセージを受信することができる。無線リソース制御メッセージは、第１のＰＬＭＮ識別子および第２のＰＬＭＮ識別子から選択された少なくとも１つのＰＬＭＮ識別子を含むことができる。５２３０において、基地局分散ユニットは、第１の基地局中央ユニットおよび第２の基地局中央ユニットから、少なくとも１つの基地局中央ユニットを選択することができる。選択は、少なくとも１つのＰＬＭＮ識別子に基づくことができる。５２４０において、基地局分散ユニットは、少なくとも１つの基地局中央ユニットに、無線リソース制御メッセージを伝送することができる。
【０３５１】
例示的な実施形態によれば、基地局分散ユニットは、無線デバイスに、少なくとも１つのシステム情報ブロックを伝送することができる。少なくとも１つのシステム情報ブロックは、第１のパブリックランドモバイルネットワーク（ＰＬＭＮ）を示すことができる。少なくとも１つのシステム情報ブロックは、第２のＰＬＭＮを示すことができる。基地局分散ユニットは、無線デバイスから、無線リソース制御メッセージを受信することができる。無線リソース制御メッセージは、第１のＰＬＭＮおよび第２のＰＬＭＮのうちの少なくとも１つのＰＬＭＮに関連付けられた少なくとも１つの基地局中央ユニット識別子を含むことができる。基地局分散ユニットは、少なくとも１つの基地局中央ユニット識別子に基づいて、少なくとも１つの基地局中央ユニットを、第１のＰＬＭＮの第１の基地局中央ユニットおよび第２のＰＬＭＮの第２の基地局中央ユニットから選択することができる。基地局分散ユニットは、少なくとも１つの基地局中央ユニットに、無線リソース制御メッセージを伝送することができる。例示的な実施形態によれば、少なくとも１つの基地局中央ユニット識別子は、少なくとも１つの基地局中央ユニットが少なくとも１つのＰＬＭＮをサポートすることを示すことができる。
【０３５２】
図５３は、本開示の実施形態の態様にかかる例示的なフロー図である。５３１０において、基地局分散ユニットは、無線デバイスに、少なくとも１つのシステム情報ブロックを伝送することができる。少なくとも１つのシステム情報ブロックは、第１のパブリックランドモバイルネットワーク（ＰＬＭＮ）を示すことができる。少なくとも１つのシステム情報ブロックは、第２のＰＬＭＮを示すことができる。５３２０において、基地局分散ユニットによって、無線デバイスから、セルの少なくとも１つのセル識別子を含む無線リソース制御メッセージを受信することができる。少なくとも１つのセル識別子は、第１のＰＬＭＮおよび第２のＰＬＭＮのうちの少なくとも１つのＰＬＭＮに関連付けることができる。５３３０において、基地局分散ユニットは、少なくとも１つのセル識別子に基づいて、少なくとも１つの基地局中央ユニットを、第１のＰＬＭＮの第１の基地局中央ユニットおよび第２のＰＬＭＮの第２の基地局中央ユニットから決定することができる。５３４０において、基地局分散ユニットは、少なくとも１つの基地局中央ユニットに、無線リソース制御メッセージを伝送することができる。
【０３５３】
図５４は、本開示の実施形態の態様に基づく、例示的な流れ図である。５４１０において、基地局分散ユニットは、無線デバイスに、少なくとも１つのシステム情報ブロックを伝送することができる。少なくとも１つのシステム情報ブロックは、第１のパブリックランドモバイルネットワーク（ＰＬＭＮ）を示すことができる。少なくとも１つのシステム情報ブロックは、第２のＰＬＭＮを示すことができる。５４２０において、基地局分散ユニットは、第１のＰＬＭＮおよび第２のＰＬＭＮのうちの少なくとも１つのＰＬＭＮに関連付けられたセルを介して、無線デバイスから、無線リソース制御メッセージを受信することができる。５４３０において、基地局分散ユニットは、少なくとも１つのＰＬＭＮに関連付けられたセルに基づいて、少なくとも１つの基地局中央ユニットを、第１のＰＬＭＮの第１の基地局中央ユニットおよび第２のＰＬＭＮの第２の基地局中央ユニットから選択することができる。５４４０において、基地局分散ユニットは、少なくとも１つの基地局中央ユニットに、無線リソース制御メッセージを伝送することができる。
【０３５４】
例示的な実施形態によれば、基地局分散ユニットは、無線デバイスに、複数のパブリックランドモバイルネットワーク（ＰＬＭＮ）を示す少なくとも１つのシステム情報ブロックを伝送することができる。無線リソース制御メッセージは、無線デバイスから受信され得る。無線リソース制御メッセージは、複数のＰＬＭＮから選択されたＰＬＭＮを示すことができる。基地局中央ユニットは、選択されたＰＬＭＮに基づいて、複数の基地局中央ユニットから選択され得る。基地局中央ユニットは、無線リソース制御メッセージを伝送することができる。例示的な実施形態によれば、基地局中央ユニットは、選択されたＰＬＭＮに関連付けることができる。
【０３５５】
図５５は、本開示の実施形態の態様に基づく、例示的な流れ図である。５５１０において、基地局分散ユニットは、少なくとも１つのシステム情報ブロックを、無線デバイスに伝送することができる。少なくとも１つのシステム情報ブロックは、複数のネットワークを示すことができる。５５２０において、無線リソース制御メッセージは、無線デバイスから受信され得る。無線リソース制御メッセージは、複数のネットワークから選択されたネットワークを示すことができる。５５３０において、基地局中央ユニットは、選択されたネットワークに基づいて、複数の基地局中央ユニットから選択され得る。５５４０において、基地局中央ユニットは、無線リソース制御メッセージを伝送することができる。例示的な実施形態によれば、基地局中央ユニットは、選択されたネットワークに関連付けられることができる。
【０３５６】
本開示において、「ａ」および「ａｎ」ならびに同様のフレーズは、「少なくとも１つ」および「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続くフレーズが、様々な実施形態のうちの１つ以上に用いられるかもしれない、または用いられないかもしれないという多数の好適な可能性のうちの１つの例であることを暗示している。
【０３５７】
ＡおよびＢがセットであり、Ａのあらゆる要素もまた、Ｂの要素である場合、Ａは、Ｂのサブセットと呼ばれる。本明細書では、空でないセットおよびサブセットのみが考慮されている。例えば、Ｂ＝｛セル１、セル２｝の可能なサブセットは、｛セル１｝、｛セル２｝、および｛セル１、セル２｝である。「に基づいて」（または同等に「に少なくとも基づいて」）というフレーズは、用語「に基づいて」に続くフレーズが様々な実施形態の１つ以上に用いられる場合と用いられない場合とがある多数の好適な可能性の１つの例であることを示す。「に応答して」（または同等に「に少なくとも応答して」）というフレーズは、フレーズ「に応答して」に続くフレーズが様々な実施形態の１つ以上に用いられる場合と用いられない場合とがある多数の好適な可能性の１つの例であることを示す。フレーズ「に応じて」（または同等に「に少なくとも応じて」）は、フレーズ「に応じて」に続くフレーズが様々な実施形態の１つ以上に用いられる場合と用いられない場合とがある多数の好適な可能性の１つの例であることを示す。フレーズ「用いる／使用」（または同等に「少なくとも用いる／少なくとも使用」）は、フレーズ「用いる／使用」に続くフレーズが様々な実施形態の１つ以上に用いられる場合と用いられない場合とがある多数の好適な可能性の１つの例であることを示す。
【０３５８】
用語「構成された」は、デバイスが動作状態にあるか非動作状態にあるかにかかわらず、デバイスの容量に関連する場合がある。「構成された」とは、デバイスが動作状態にあるか非動作状態にあるかにかかわらず、デバイスの動作特性に影響するデバイスの特定の設定を指す場合もある。換言すれば、ハードウェア、ソフトウェア、ファームウェア、レジスタ、メモリ値などは、デバイスが特定の特性を提供するために、デバイスが動作状態または非動作状態にあるかどうかにかかわらず、デバイス内で「構成され」得る。「デバイスにおいて発生する制御メッセージ」などの用語は、デバイスが動作状態か非動作状態かにかかわらず、制御メッセージがデバイスにおける特定の特性を構成するために使用することができるまたはデバイスにおける特定のアクションを実装するために使用することができるパラメータを有することを意味し得る。
【０３５９】
本開示では、様々な実施形態が開示されている。開示された例示的な実施形態からの制限、特徴、および／または要素が組み合わせられ、本開示の範囲内でさらなる実施形態を作成することができる。
【０３６０】
本開示では、パラメータ（または同等にフィールド、または情報要素：ＩＥと呼ばれる）は、１つ以上の情報オブジェクトを含むことができ、情報オブジェクトは、１つ以上の他のオブジェクトを含むことができる。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な実施形態において、１つ以上の（または少なくとも１つの）メッセージ（複数可）が複数のパラメータを含むとき、それは、複数のパラメータのうちの一パラメータが、１つ以上のメッセージのうちの少なくとも１つに含まれるが、１つ以上のメッセージの各々に含まれる必要はないことを意味する。例示的な実施形態では、１つ以上（または少なくとも１つ）のメッセージが値、イベントおよび／または状態を示すとき、値、イベントおよび／または状態が１つ以上のメッセージの少なくとも１つによって示されるが、１つ以上のメッセージのそれぞれによって示される必要はないことを意味する。
【０３６１】
さらにまた、上記で提示された多くの特徴は、「ｍａｙ」の使用または括弧の使用により任意選択であるものとして説明されている。簡潔さおよび読みやすさのために、本開示は、任意選択の特徴のセットから選択することによって得られ得るありとあらゆる変更を明示的に記載していない。しかしながら、本開示は、そのようなすべての変更を明示的に開示していると解釈されるべきである。例えば、３つの任意選択の特徴を有するものとして説明されたシステムは、７つの異なる方式、すなわち、３つの可能な特徴の１つのみ、３つの特徴のいずれか２つ、または３つの特徴の３つすべてによって具現化されることができる。
【０３６２】
開示される実施形態で説明される要素の多くは、モジュールとして実装されてもよい。ここでモジュールは、定義された機能を実行し、他の要素への定義されたインターフェースを有する要素として定義される。本開示で説明されるモジュールは、ハードウェア、ハードウェアと組み合わせたソフトウェア、ファームウェア、ウェットウェア（すなわち、生物学的要素を備えたハードウェア）、またはそれらの組み合わせで実装されてもよく、それらのすべては、挙動的に等価とすることができる。例えば、モジュールは、ハードウェアマシン（Ｃ、Ｃ＋＋、Ｆｏｒｔｒａｎ、Ｊａｖａ（登録商標）、Ｂａｓｉｃ、Ｍａｔｌａｂなど）もしくはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔで実行されるように構成されたコンピュータ言語で記述されたソフトウェアルーチンで実装されてもよい。さらに、ディスクリートまたはプログラム可能なアナログ、デジタル、および／または量子ハードウェアを組み込む物理ハードウェアを使用してモジュールを実装することも可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、コンプレックスプログラマブルロジックデバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、ＣＰＬＤは、多くの場合、プログラマブルデバイスの機能が少ない内部ハードウェアモジュール間の接続を構成するＶＨＳＩＣハードウェア記述言語（ＶＨＤＬ）またはＶｅｒｉｌｏｇなどのハードウェア記述言語（ＨＤＬ）を使用してプログラムされる。機能モジュールの結果を達成するために、上記の技術がしばしば組み合わせて使用される。
【０３６３】
この特許文書の開示には、著作権保護の対象となる資料が組み込まれている。著作権所有者は、特許商標局の特許ファイルまたは記録にあるように、法律で要求される限られた目的のために、特許文書または特許開示の誰しもによるファクシミリ複製に異議を唱えないが、それ以外はあらゆるすべての著作権を留保する。
【０３６４】
様々な実施形態が上記で説明されてきたが、それらは例として提示されており、限定ではないことを理解されたい。当業者には、範囲から逸脱することなく、形態および詳細の様々な変更を行うことができることは明らかであろう。実際、上記の明細書を読んだ後、代替の実施形態を実装する方法が関連技術分野の当業者に明らかになるであろう。したがって、本実施形態は、上述の例示的な実施形態のいずれによっても限定されるべきではない。
【０３６５】
さらに、機能と利点を強調するいかなる図も、例示のみを目的として提示されていることを理解する必要がある。開示されたアーキテクチャは、示されている以外の方式で利用することができるように、十分に柔軟で構成可能である。例えば、いかなるフローチャートにリストされたアクションも、いくつかの実施形態で並べ替えられ、または任意選択としてのみ使用されてもよい。
【０３６６】
さらに、本開示の要約の目的は、米国特許商標庁および一般大衆、特に特許または法的用語または専門語に精通していない当該技術分野の科学者、技術者および実務家が、一瞥して本出願の技術的な開示の性質と本質を迅速に判断できるようにすることである。本開示の要約は、多少なりとも範囲を限定することを意図するものではない。
【０３６７】
最後に、「する手段」または「するステップ」という明示的な用語を含む請求項のみが、３５  Ｕ．Ｓ．Ｃ．１１２の下で解釈されることが出願人の意図である。「する手段」または「するステップ」という語句を明示的に含まない請求項は、３５  Ｕ．Ｓ．Ｃ．１１２の下で解釈されるべきでない。
【図１】
2021527976.tif 000007
【図２Ａ】
2021527976.tif 000008
【図２Ｂ】
2021527976.tif 000009
【図３】
2021527976.tif 000010
【図４Ａ】
2021527976.tif 000011
【図４Ｂ】
2021527976.tif 000012
【図４Ｃ】
2021527976.tif 000013
【図４Ｄ】
2021527976.tif 000014
【図５Ａ】
2021527976.tif 000015
【図５Ｂ】
2021527976.tif 000016
【図６】
2021527976.tif 000017
【図７Ａ】
2021527976.tif 000018
【図７Ｂ】
2021527976.tif 000019
【図８】
2021527976.tif 000020
【図９Ａ】
2021527976.tif 000021
【図９Ｂ】
2021527976.tif 000022
【図１０】
2021527976.tif 000023
【図１１Ａ】
2021527976.tif 000024
【図１１Ｂ】
2021527976.tif 000025
【図１２】
2021527976.tif 000026
【図１３】
2021527976.tif 000027
【図１４】
2021527976.tif 000028
【図１５】
2021527976.tif 000029
【図１６】
2021527976.tif 000030
【図１７】
2021527976.tif 000031
【図１８】
2021527976.tif 000032
【図１９】
2021527976.tif 000033
【図２０】
2021527976.tif 000034
【図２１】
2021527976.tif 000035
【図２２】
2021527976.tif 000036
【図２３】
2021527976.tif 000037
【図２４】
2021527976.tif 000038
【図２５】
2021527976.tif 000039
【図２６】
2021527976.tif 000040
【図２７】
2021527976.tif 000041
【図２８】
2021527976.tif 000042
【図２９】
2021527976.tif 000043
【図３０】
2021527976.tif 000044
【図３１】
2021527976.tif 000045
【図３２】
2021527976.tif 000046
【図３３】
2021527976.tif 000047
【図３４】
2021527976.tif 000048
【図３５】
2021527976.tif 000049
【図３６】
2021527976.tif 000050
【図３７】
2021527976.tif 000051
【図３８】
2021527976.tif 000052
【図３９】
2021527976.tif 000053
【図４０】
2021527976.tif 000054
【図４１】
2021527976.tif 000055
【図４２】
2021527976.tif 000056
【図４３】
2021527976.tif 000057
【図４４】
2021527976.tif 000058
【図４５】
2021527976.tif 000059
【図４６】
2021527976.tif 000060
【図４７】
2021527976.tif 000061
【図４８】
2021527976.tif 000062
【図４９】
2021527976.tif 000063
【図５０】
2021527976.tif 000064
【図５１】
2021527976.tif 000065
【図５２】
2021527976.tif 000066
【図５３】
2021527976.tif 000067
【図５４】
2021527976.tif 000068
【図５５】
2021527976.tif 000069
【国際調査報告】
2021527976.tif 000070
2021527976.tif 000071
2021527976.tif 000072
2021527976.tif 000073